(57)【特許請求の範囲】
【請求項１】
指示情報を伝送するための装置であって、
1つまたは複数のコードブックに従って、アップリンクデータストリームを送信するために端末デバイスによって使用されるべき第1のコードブックを決定するように構成されている第1の決定モジュールであって、前記コードブックは2つ以上のコードワードを含み、前記コードワードは多次元複素ベクトルであり、データと少なくとも2つの変調シンボルとの間のマッピング関係を表すために使用され、前記少なくとも2つの変調シンボルは少なくとも1つの0変調シンボルと少なくとも1つの非0変調シンボルとを含み、前記1つまたは複数のコードブックは、1つまたは複数のコードブック集合に属し、前記1つまたは複数のコードブック集合は、1つまたは複数のコードブッククラスタに属す、第1の決定モジュールと、
前記第1の決定モジュールによって決定された前記第1のコードブックを示すために使用されるコードブック指示情報を決定するように構成されている第2の決定モジュールであって、前記コードブック指示情報は、前記第1のコードブックが属しているコードブック集合の情報およびそのコードブック集合が属しているコードブッククラスタの情報を含む、第2の決定モジュールと、
前記第2の決定モジュールによって決定された前記コードブック指示情報を前記端末デバイスに送信するように構成されている送信モジュールとを備える装置。
【請求項２】
前記第2の決定モジュールは、
前記第1のコードブックが属している第1のコードブック集合と、前記第1のコードブック集合が属している第1のコードブッククラスタとを決定するように構成されている第1の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックが前記2つのコードブックのすべてのコードワードの変調シンボルが0変調シンボルである同じ位置を有するという条件を満たす、第1の決定ユニットと、
前記コードブック指示情報を決定するように構成されている第2の決定ユニットであって、前記コードブック指示情報は第1のコードブッククラスタ情報、第1のコードブック集合情報、および第1のコードブック情報を含み、前記第1のコードブッククラスタ情報は前記第1のコードブッククラスタを示すために使用され、前記第1のコードブック集合情報は前記第1のコードブッククラスタ内の前記第1のコードブック集合を示すために使用され、前記第1のコードブック情報は前記第1のコードブック集合内の前記第1のコードブックを示すために使用される、第2の決定ユニットとを備える請求項1に記載の装置。
【請求項３】
前記第2の決定ユニットによって決定された前記第1のコードブック情報は、前記第1のコードブックの変調次数情報を含み、前記第1のコードブック集合に含まれるコードブックの変調次数は、異なる請求項2に記載の装置。
【請求項４】
前記第2の決定モジュールは、
前記第1のコードブックが属している第2のコードブック集合を決定するように構成されている第3の決定ユニットであって、各コードブック集合は少なくとも1つのコードブックを含み、前記コードブック集合は同じコードブック集合内のコードワードが同じ総数の変調シンボルを有し、同じコードブック集合内の任意の2つのコードブックが前記2つのコードブックのすべてのコードワードの変調シンボルが0変調シンボルである同じ位置を有するという条件を満たす、第3の決定ユニットと、
前記コードブック指示情報を決定するように構成されている第4の決定ユニットであって、前記コードブック指示情報は第2のコードブック集合情報および第2のコードブック情報を含み、前記第2のコードブック集合情報は前記第2のコードブック集合を示すために使用され、前記第2のコードブック情報は前記第2のコードブック集合内の前記第1のコードブックを示すために使用される、第4の決定ユニットとを備える請求項1に記載の装置。
【請求項５】
前記第4の決定ユニットによって決定された前記第2のコードブック情報は、前記第1のコードブックの変調次数情報を含み、前記第2のコードブック集合に含まれるコードブックの変調次数は、異なる請求項4に記載の装置。
【請求項６】
前記第2の決定モジュールは、
前記第1のコードブックが属している第2のコードブッククラスタを決定するように構成されている第5の決定ユニットであって、各コードブッククラスタは少なくとも1つのコードブックを含み、前記コードブッククラスタは同じコードブッククラスタ内のコードワードが同じ総数の変調シンボルを有するという条件を満たす、第5の決定ユニットと、
前記コードブック指示情報を決定するように構成されている第6の決定ユニットであって、前記コードブック指示情報は第2のコードブッククラスタ情報および第3のコードブック情報を含み、前記第2のコードブッククラスタ情報は前記第2のコードブッククラスタを示すために使用され、前記第3のコードブック情報は前記第2のコードブッククラスタ内の前記第1のコードブックを示すために使用される、第6の決定ユニットとを備える請求項1に記載の装置。
【請求項７】
前記第2の決定モジュールによって決定された前記コードブック指示情報は、前記第1のコードブックのインデックス値を含む請求項1に記載の装置。
【請求項８】
前記第2の決定モジュールは、
前記第1のコードブックが属している第1の特性シーケンスと、前記第1の特性シーケンスが属している第1の特性行列とを決定するように構成されている第7の決定ユニットであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第7の決定ユニットと、
前記コードブック指示情報を決定するように構成されている第8の決定ユニットであって、前記コードブック指示情報は第1の特性行列情報、第1の特性シーケンス情報、および第4のコードブック情報を含み、前記第1の特性行列情報は前記第1の特性行列を示すために使用され、前記第1の特性シーケンス情報は前記第1の特性行列内の前記第1の特性シーケンスを示すために使用され、前記第4のコードブック情報は前記第1の特性シーケンスに対応する1つまたは複数のコードブックのうちの前記第1のコードブックを示すために使用される、第8の決定ユニットとを備える請求項1に記載の装置。
【請求項９】
前記第8の決定ユニットによって決定された前記第4のコードブック情報は、前記第1のコードブックの変調次数情報を含み、前記第1の特性シーケンスに対応する前記1つまたは複数のコードブックの変調次数は、異なる請求項8に記載の装置。
【請求項１０】
前記第2の決定モジュールは、
前記第1のコードブックが属している第2の特性行列を決定するように構成されている第9の決定ユニットであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第9の決定ユニットと、
前記コードブック指示情報を決定するように構成されている第10の決定ユニットであって、前記コードブック指示情報は第2の特性行列情報および第5のコードブック情報を含み、前記第2の特性行列情報は前記第2の特性行列を示すために使用され、前記第5のコードブック情報は前記第2の特性行列に対応する1つまたは複数のコードブックのうちの前記第1のコードブックを示すために使用される、第10の決定ユニットとを備える請求項1に記載の装置。
【請求項１１】
前記第2の決定モジュールは、
前記第1のコードブックが属している第2の特性シーケンスを決定するように構成されている第11の決定ユニットであって、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第11の決定ユニットと、
前記コードブック指示情報を決定するように構成されている第12の決定ユニットであって、前記コードブック指示情報は第2の特性シーケンス情報および第6のコードブック情報を含み、前記第2の特性シーケンス情報は前記第2の特性シーケンスを示すために使用され、前記第6のコードブック情報は前記第2の特性シーケンスに対応する1つまたは複数のコードブックのうちの前記第1のコードブックを示すために使用される、第12の決定ユニットとを備える請求項1に記載の装置。
【請求項１２】
前記第12の決定ユニットによって決定された前記第6のコードブック情報は、前記第1のコードブックの変調次数情報を含み、前記第2の特性シーケンスに対応する前記1つまたは複数のコードブックの変調次数は、異なる請求項11に記載の装置。
【請求項１３】
前記第2の決定モジュールは、
前記第1のコードブックが属している第3のコードブック集合と、前記第3のコードブック集合が属している第3のコードブッククラスタとを決定するように構成されている第13の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内のコードワードが同じ総数の変調シンボルを有し、同じコードブック集合内のコードブックが同じ総数のコードワードを有するという条件を満たす、第13の決定ユニットと、
前記コードブック指示情報を決定するように構成されている第14の決定ユニットであって、前記コードブック指示情報は第3のコードブッククラスタ情報、第3のコードブック集合情報、および第7のコードブック情報を含み、前記第3のコードブッククラスタ情報は前記第3のコードブッククラスタを示すために使用され、前記第3のコードブック集合情報は前記第3のコードブッククラスタ内の前記第3のコードブック集合を示すために使用され、前記第7のコードブック情報は前記第3のコードブック集合内の前記第1のコードブックを示すために使用される、第14の決定ユニットとを備える請求項1に記載の装置。
【請求項１４】
前記第13の決定ユニットによって決定された前記第3のコードブック集合情報は、前記第1のコードブックの変調次数情報を含み、前記第3のコードブッククラスタに含まれるコードブック集合に対応する変調次数は、異なる請求項13に記載の装置。
【請求項１５】
前記第2の決定モジュールは、
前記第1のコードブックが属している第4のコードブック集合を決定するように構成されている第15の決定ユニットであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、第15の決定ユニットと、
前記コードブック指示情報を決定するように構成されている第16の決定ユニットであって、前記コードブック指示情報は第4のコードブック集合情報および第8のコードブック情報を含み、前記第4のコードブック集合情報は前記第4のコードブック集合を示すために使用され、前記第8のコードブック情報は前記第4のコードブック集合内の前記第1のコードブックを示すために使用される、第16の決定ユニットとを備える請求項1に記載の装置。
【請求項１６】
指示情報を伝送するための方法であって、
1つまたは複数のコードブックに従って、アップリンクデータストリームを送信するために端末デバイスによって使用されるべき第1のコードブックを決定するステップであって、前記コードブックは2つ以上のコードワードを含み、前記コードワードは多次元複素ベクトルであり、データと少なくとも2つの変調シンボルとの間のマッピング関係を表すために使用され、前記少なくとも2つの変調シンボルは少なくとも1つの0変調シンボルと少なくとも1つの非0変調シンボルとを含み、前記1つまたは複数のコードブックは、1つまたは複数のコードブック集合に属し、前記1つまたは複数のコードブック集合は、1つまたは複数のコードブッククラスタに属す、ステップと、
前記第1のコードブックを示すために使用されるコードブック指示情報を決定するステップであって、前記コードブック指示情報は、前記第1のコードブックが属しているコードブック集合の情報およびそのコードブック集合が属しているコードブッククラスタの情報を含む、ステップと、
前記コードブック指示情報を前記端末デバイスに送信するステップとを備える方法。
【請求項１７】
前記第1のコードブックを示すために使用されるコードブック指示情報を決定する前記ステップは、
前記第1のコードブックが属している第1のコードブック集合と、前記第1のコードブック集合が属している第1のコードブッククラスタとを決定するステップであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックが前記2つのコードブックのすべてのコードワードの変調シンボルが0変調シンボルである同じ位置を有するという条件を満たす、ステップと、
前記コードブック指示情報を決定するステップであって、前記コードブック指示情報は第1のコードブッククラスタ情報、第1のコードブック集合情報、および第1のコードブック情報を含み、前記第1のコードブッククラスタ情報は前記第1のコードブッククラスタを示すために使用され、前記第1のコードブック集合情報は前記第1のコードブッククラスタ内の前記第1のコードブック集合を示すために使用され、前記第1のコードブック情報は前記第1のコードブック集合内の前記第1のコードブックを示すために使用される、ステップとを備える請求項16に記載の方法。
【請求項１８】
前記第1のコードブック情報は、前記第1のコードブックの変調次数情報を含み、前記第1のコードブック集合に含まれるコードブックの変調次数は、異なる請求項17に記載の方法。
【請求項１９】
前記第1のコードブックを示すために使用されるコードブック指示情報を決定する前記ステップは、
前記第1のコードブックが属している第2のコードブック集合を決定するステップであって、各コードブック集合は少なくとも1つのコードブックを含み、前記コードブック集合は同じコードブック集合内のコードワードが同じ総数の変調シンボルを有し、同じコードブック集合内の任意の2つのコードブックが前記2つのコードブックのすべてのコードワードの変調シンボルが0変調シンボルである同じ位置を有するという条件を満たす、ステップと、
前記コードブック指示情報を決定するステップであって、前記コードブック指示情報は第2のコードブック集合情報および第2のコードブック情報を含み、前記第2のコードブック集合情報は前記第2のコードブック集合を示すために使用され、前記第2のコードブック情報は前記第2のコードブック集合内の前記第1のコードブックを示すために使用される、ステップとを備える請求項16に記載の方法。
【請求項２０】
前記第2のコードブック情報は、前記第1のコードブックの変調次数情報を含み、前記第2のコードブック集合に含まれるコードブックの変調次数は、異なる請求項19に記載の方法。
【請求項２１】
前記第1のコードブックを示すために使用されるコードブック指示情報を決定する前記ステップは、
前記第1のコードブックが属している第2のコードブッククラスタを決定するステップであって、各コードブッククラスタは少なくとも1つのコードブックを含み、前記コードブッククラスタは同じコードブッククラスタ内のコードワードが同じ総数の変調シンボルを有するという条件を満たす、ステップと、
前記コードブック指示情報を決定するステップあって、前記コードブック指示情報は第2のコードブッククラスタ情報および第3のコードブック情報を含み、前記第2のコードブッククラスタ情報は前記第2のコードブッククラスタを示すために使用され、前記第3のコードブック情報は前記第2のコードブッククラスタ内の前記第1のコードブックを示すために使用される、ステップとを備える請求項16に記載の方法。
【請求項２２】
前記コードブック指示情報は、前記第1のコードブックのインデックス値を含む請求項16に記載の方法。
【請求項２３】
前記第1のコードブックを示すために使用されるコードブック指示情報を決定する前記ステップは、
前記第1のコードブックが属している第1の特性シーケンスと、前記第1の特性シーケンスが属している第1の特性行列とを決定するステップであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップと、
前記コードブック指示情報を決定するステップであって、前記コードブック指示情報は第1の特性行列情報、第1の特性シーケンス情報、および第4のコードブック情報を含み、前記第1の特性行列情報は前記第1の特性行列を示すために使用され、前記第1の特性シーケンス情報は前記第1の特性行列内の前記第1の特性シーケンスを示すために使用され、前記第4のコードブック情報は前記第1の特性シーケンスに対応する1つまたは複数のコードブックのうちの前記第1のコードブックを示すために使用される、ステップとを備える請求項16に記載の方法。
【請求項２４】
前記第4のコードブック情報は、前記第1のコードブックの変調次数情報を含み、前記第1の特性シーケンスに対応する前記1つまたは複数のコードブックの変調次数は、異なる請求項23に記載の方法。
【請求項２５】
前記第1のコードブックを示すために使用されるコードブック指示情報を決定する前記ステップは、
前記第1のコードブックが属している第2の特性行列を決定するステップであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップと、
前記コードブック指示情報を決定するステップであって、前記コードブック指示情報は第2の特性行列情報および第5のコードブック情報を含み、前記第2の特性行列情報は前記第2の特性行列を示すために使用され、前記第5のコードブック情報は前記第2の特性行列に対応する1つまたは複数のコードブックのうちの前記第1のコードブックを示すために使用される、ステップとを備える請求項16に記載の方法。
【請求項２６】
前記第1のコードブックを示すために使用されるコードブック指示情報を決定する前記ステップは、
前記第1のコードブックが属している第2の特性シーケンスを決定するステップであって、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップと、
前記コードブック指示情報を決定するステップであって、前記コードブック指示情報は第2の特性シーケンス情報および第6のコードブック情報を含み、前記第2の特性シーケンス情報は前記第2の特性シーケンスを示すために使用され、前記第6のコードブック情報は前記第2の特性シーケンスに対応する1つまたは複数のコードブックのうちの前記第1のコードブックを示すために使用される、ステップとを備える請求項16に記載の方法。
【請求項２７】
前記第6のコードブック情報は、前記第1のコードブックの変調次数情報を含み、前記第2の特性シーケンスに対応する前記1つまたは複数のコードブックの変調次数は、異なる請求項26に記載の方法。
【請求項２８】
前記第1のコードブックを示すために使用されるコードブック指示情報を決定する前記ステップは、
前記第1のコードブックが属している第3のコードブック集合と、前記第3のコードブック集合が属している第3のコードブッククラスタとを決定するステップであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内のコードワードが同じ総数の変調シンボルを有し、同じコードブック集合内のコードブックが同じ総数のコードワードを有するという条件を満たす、ステップと、
前記コードブック指示情報を決定するステップであって、前記コードブック指示情報は第3のコードブッククラスタ情報、第3のコードブック集合情報、および第7のコードブック情報を含み、前記第3のコードブッククラスタ情報は前記第3のコードブッククラスタを示すために使用され、前記第3のコードブック集合情報は前記第3のコードブッククラスタ内の前記第3のコードブック集合を示すために使用され、前記第7のコードブック情報は前記第3のコードブック集合内の前記第1のコードブックを示すために使用される、ステップとを備える請求項26に記載の方法。
【請求項２９】
前記第3のコードブック集合情報は、前記第1のコードブックの変調次数情報を含み、前記第3のコードブッククラスタに含まれるコードブック集合に対応する変調次数は、異なる請求項28に記載の方法。
【請求項３０】
前記第1のコードブックを示すために使用されるコードブック指示情報を決定する前記ステップは、
前記第1のコードブックが属している第4のコードブック集合を決定するステップであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、ステップと、
前記コードブック指示情報を決定するステップであって、前記コードブック指示情報は第4のコードブック集合情報および第8のコードブック情報を含み、前記第4のコードブック集合情報は前記第4のコードブック集合を示すために使用され、前記第8のコードブック情報は前記第4のコードブック集合内の前記第1のコードブックを示すために使用される、ステップとを備える請求項16に記載の方法。
【請求項３１】
指示情報を伝送するための装置であって、
ネットワークデバイスによって送信されたコードブック指示情報を受信するように構成されている受信モジュールであって、前記コードブック指示情報は1つまたは複数のコードブックのうちの第1のコードブックを示すために使用され、前記コードブックは2つ以上のコードワードを含み、前記コードワードは多次元複素ベクトルであり、データと少なくとも2つの変調シンボルとの間のマッピング関係を表すために使用され、前記少なくとも2つの変調シンボルは少なくとも1つの0変調シンボルと少なくとも1つの非0変調シンボルとを含み、前記1つまたは複数のコードブックは、1つまたは複数のコードブック集合に属し、前記1つまたは複数のコードブック集合は、1つまたは複数のコードブッククラスタに属し、前記コードブック指示情報は、前記第1のコードブックが属しているコードブック集合の情報およびそのコードブック集合が属しているコードブッククラスタの情報を含む、受信モジュールと、
前記受信モジュールによって受信された前記コードブック指示情報に従って前記第1のコードブックを決定するように構成されている決定モジュールと、
前記決定モジュールによって決定された前記第1のコードブックに従ってアップリンクデータストリームを送信するように構成されている送信モジュールとを備える装置。
【請求項３２】
前記受信モジュールによって受信された前記コードブック指示情報は、第1のコードブッククラスタ情報、第1のコードブック集合情報、および第1のコードブック情報を含み、前記第1のコードブッククラスタ情報は第1のコードブッククラスタを示すために使用され、前記第1のコードブック集合情報は前記第1のコードブッククラスタ内の第1のコードブック集合を示すために使用され、前記第1のコードブック情報は前記第1のコードブック集合内の前記第1のコードブックを示すために使用され、
前記決定モジュールは、前記第1のコードブッククラスタに含まれる前記第1のコードブック集合内の前記第1のコードブックを、前記第1のコードブッククラスタ情報、前記第1のコードブック集合情報、および前記第1のコードブック情報に従って決定するように構成されている第1の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックが2つのコードブックのすべてのコードワードの変調シンボルが0変調シンボルである同じ位置を有するという条件を満たす、第1の決定ユニットを備える請求項31に記載の装置。
【請求項３３】
前記受信モジュールによって受信された前記第1のコードブック情報は、前記第1のコードブックの変調次数情報を含み、前記第1のコードブック集合に含まれるコードブックの変調次数は、異なる請求項32に記載の装置。
【請求項３４】
前記受信モジュールによって受信された前記コードブック指示情報は、第2のコードブック集合情報および第2のコードブック情報を含み、前記第2のコードブック集合情報は第2のコードブック集合を示すために使用され、前記第2のコードブック情報は前記第2のコードブック集合内の前記第1のコードブックを示すために使用され、
前記決定モジュールは、前記第2のコードブック集合内の前記第1のコードブックを、前記第2のコードブック集合情報および前記第2のコードブック情報に従って決定するように構成されている第2の決定ユニットであって、各コードブック集合は少なくとも1つのコードブックを含み、前記コードブック集合は同じコードブック集合内のコードワードが同じ総数の変調シンボルを有し、同じコードブック集合内の任意の2つのコードブックが前記2つのコードブックのすべてのコードワードの変調シンボルが0変調シンボルである同じ位置を有するという条件を満たす、第2の決定ユニットを備える請求項31に記載の装置。
【請求項３５】
前記受信モジュールによって受信された前記第2のコードブック情報は、前記第1のコードブックの変調次数情報を含み、前記第2のコードブック集合に含まれるコードブックの変調次数は、異なる請求項34に記載の装置。
【請求項３６】
前記受信モジュールによって受信された前記コードブック指示情報は、第2のコードブッククラスタ情報および第3のコードブック情報を含み、前記第2のコードブッククラスタ情報は第2のコードブッククラスタを示すために使用され、前記第3のコードブック情報は前記第2のコードブッククラスタ内の前記第1のコードブックを示すために使用され、
前記決定モジュールは、前記第2のコードブッククラスタ内の前記第1のコードブックを、前記第2のコードブッククラスタ情報および前記第3のコードブック情報に従って決定するように構成されている第3の決定ユニットであって、各コードブッククラスタは少なくとも1つのコードブックを含み、前記コードブッククラスタは同じコードブッククラスタ内のコードワードが同じ総数の変調シンボルを有するという条件を満たす、第3の決定ユニットを備える請求項31に記載の装置。
【請求項３７】
前記受信モジュールによって受信された前記コードブック指示情報は、前記第1のコードブックのインデックス値を含み、
前記決定モジュールは、前記インデックス値に対応する前記第1のコードブックを、前記インデックス値に従って決定するように構成されている第4の決定ユニットを備える請求項31に記載の装置。
【請求項３８】
前記受信モジュールによって受信された前記コードブック指示情報は、第1の特性行列情報、第1の特性シーケンス情報、および第4のコードブック情報を含み、前記第1の特性行列情報は第1の特性行列を示すために使用され、前記第1の特性シーケンス情報は前記第1の特性行列内の第1の特性シーケンスを示すために使用され、前記第4のコードブック情報は前記第1の特性シーケンスに対応する1つまたは複数のコードブックのうちの前記第1のコードブックを示すために使用され、
前記決定モジュールは、前記第1の特性行列情報、前記第1の特性シーケンス情報、および前記第4のコードブック情報に従って前記第1の特性行列内の前記第1の特性シーケンスに対応する前記1つまたは複数のコードブックのうちの前記第1のコードブックを決定するように構成されている第5の決定ユニットであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第5の決定ユニットを備える請求項31に記載の装置。
【請求項３９】
前記受信モジュールによって受信された前記第4のコードブック情報は、前記第1のコードブックの変調次数情報を含み、前記第1の特性シーケンスに対応する前記1つまたは複数のコードブックの変調次数は、異なる請求項38に記載の装置。
【請求項４０】
前記受信モジュールによって受信された前記コードブック指示情報は、第2の特性行列情報および第5のコードブック情報を含み、前記第2の特性行列情報は第2の特性行列を示すために使用され、前記第5のコードブック情報は前記第2の特性行列に対応する1つまたは複数のコードブックのうちの前記第1のコードブックを示すために使用され、
前記決定モジュールは、前記第2の特性行列情報および前記第5のコードブック情報に従って前記第2の特性行列に対応する前記1つまたは複数のコードブックのうちの前記第1のコードブックを決定するように構成されている第6の決定ユニットであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第6の決定ユニットを備える請求項31に記載の装置。
【請求項４１】
前記受信モジュールによって受信された前記コードブック指示情報は、第2の特性シーケンス情報および第6のコードブック情報を含み、前記第2の特性シーケンス情報は第2の特性シーケンスを示すために使用され、前記第6のコードブック情報は前記第2の特性シーケンスに対応する1つまたは複数のコードブックのうちの前記第1のコードブックを示すために使用され、
前記決定モジュールは、前記第2の特性シーケンス情報および前記第6のコードブック情報に従って前記第2の特性シーケンスに対応する前記1つまたは複数のコードブックのうちの前記第1のコードブックを決定するように構成されている第7の決定ユニットであって、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第7の決定ユニットを備える請求項31に記載の装置。
【請求項４２】
前記受信モジュールによって受信された前記第6のコードブック情報は、前記第1のコードブックの変調次数情報を含み、前記第2の特性シーケンスに対応する前記1つまたは複数のコードブックの変調次数は、異なる請求項41に記載の装置。
【請求項４３】
前記受信モジュールによって受信された前記コードブック指示情報は、第3のコードブッククラスタ情報、第3のコードブック集合情報、および第7のコードブック情報を含み、前記第3のコードブッククラスタ情報は第3のコードブッククラスタを示すために使用され、前記第3のコードブック集合情報は前記第3のコードブッククラスタ内の第3のコードブック集合を示すために使用され、前記第7のコードブック情報は前記第3のコードブック集合内の前記第1のコードブックを示すために使用され、
前記決定モジュールは、前記第3のコードブッククラスタに含まれる前記第3のコードブック集合内の前記第1のコードブックを、前記第3のコードブッククラスタ情報、前記第3のコードブック集合情報、および前記第7のコードブック情報に従って決定するように構成されている第8の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内のコードワードが同じ総数の変調シンボルを有し、同じコードブック集合内のコードブックが同じ総数のコードワードを有するという条件を満たす、第8の決定ユニットを備える請求項31に記載の装置。
【請求項４４】
前記受信モジュールによって受信された前記第3のコードブック集合情報は、前記第1のコードブックの変調次数情報を含み、前記第3のコードブッククラスタに含まれるコードブック集合に対応する変調次数は、異なる請求項43に記載の装置。
【請求項４５】
前記受信モジュールによって受信された前記コードブック指示情報は、第4のコードブック集合情報および第8のコードブック情報を含み、前記第4のコードブック集合情報は第4のコードブック集合を示すために使用され、前記第8のコードブック情報は前記第4のコードブック集合内の前記第1のコードブックを示すために使用され、
前記決定モジュールは、前記第4のコードブック集合内の前記第1のコードブックを、前記第4のコードブック集合情報および前記第8のコードブック情報に従って決定するように構成されている第9の決定ユニットであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、第9の決定ユニットを備える請求項31に記載の装置。
【請求項４６】
前記受信モジュールによって受信された前記コードブック指示情報は、第3の特性行列情報、第5のコードブック集合情報、および第9のコードブック情報を含み、前記第3の特性行列情報は第3の特性行列を示すために使用され、前記第5のコードブック集合情報は前記第3の特性行列に対応する1つまたは複数のコードブック集合のうちの第5のコードブック集合を示すために使用され、前記第9のコードブック情報は前記第5のコードブック集合内の前記第1のコードブックを示すために使用され、
前記決定モジュールは、前記第3の特性行列情報、前記第5のコードブック集合情報、および前記第9のコードブック情報に従って前記第3の特性行列に対応する1つまたは複数のコードブック集合のうちの前記第5のコードブック集合内の前記第1のコードブックを決定するように構成されている第10の決定ユニットであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、前記特性行列は2つ以上の特性シーケンスを含み、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第10の決定ユニットを備える請求項31に記載の装置。
【請求項４７】
前記受信モジュールによって受信された前記第5のコードブック集合情報は、前記第1のコードブックの変調次数情報を含み、前記第3の特性行列に対応する前記1つまたは複数のコードブック集合に対応する変調次数は、異なる請求項46に記載の装置。
【発明の詳細な説明】
【技術分野】
【０００１】
本出願は、その全体が参照により本明細書に組み込まれている、2014年12月22日に中国特許庁に出願したPCT国際出願第PCT/CN2014/094538号、名称「METHOD AND APPARATUS FOR TRANSMITTING INDICATION INFORMATION」の優先権を主張するものである。
【０００２】
本発明は、通信分野に関し、特に、通信分野において指示情報を伝送するための方法および装置に関する。
【背景技術】
【０００３】
ワイヤレスセルラーネットワークの止むことのない進歩とともに、第3世代(3rd-Generation、略して「3G」)および第4世代(4th-Generation、略して「4G」)モバイル通信システムにおいて広く応用されているが、符号分割多元接続(Code Division Multiple Access、略して「CDMA」)技術および直交周波数分割多元接続(Orthogonal Frequency Division Multiple Access、略して「OFDMA」)技術などの直交多元接続技術では、セルラーネットワークにおいて人々が求める増大する容量条件を満たすことが次第にできなくなってきている。たとえば、大量アクセスおよびスペクトル効率は、増大し続ける必要がある。その一方で、産業および学術コミュニティでは、非直交多元接続技術の研究および応用に対する注目が徐々に集まってきている。人々は、第5世代(5th-Generation、略して「5G」)モバイル通信システムなどの将来のワイヤレスセルラーネットワークノードにおいて、非直交多元接続技術の助けを借りて容量改善問題を効果的に解決できることを望んでいる。
【０００４】
スパース符号多元接続(Sparse Code Multiple Access、略して「SCMA」)技術は、典型的な非直交多元接続および伝送技術である。確かに、SCMA技術は、通信分野において別の名前で呼ばれることもある。このタイプの技術では、一人または複数のユーザからのM個(Mは1以上の整数である)のデータストリームは、N個(Nは1以上の整数)のキャリア上に重ね合わされて送信される。各データストリームの各データは、スパース拡散スペクトル形式でN個のサブキャリア上に拡散される。MがNよりも大きいときに、このタイプの技術は、システムにアクセスできるユーザの数、スペクトル効率、および同様のものを含む、ネットワーク容量を効果的に増大させることができる。したがって、重要な非直交アクセス技術として、SCMA技術は、多くの注目を集めており、将来のワイヤレスセルラーネットワークの発展のために重要な候補アクセス技術となっている。
【０００５】
SCMAシステムなどの非直交多元接続システムでは、非直交多元接続技術を使用することによってアップリンクデータストリームを送信するときに、端末デバイスは、アップリンクデータストリームに使用されるコードブックを知る必要がある。ネットワークデバイスは、通常、コードブックの選択および割り当てを完了し、端末デバイスは、このプロセスに直接加わることはしない。したがって、ネットワークデバイスが端末デバイスに送信されるべきデータストリームにコードブックを割り当てた後に、割り当てられたコードブックを端末デバイスにどのように知らせるかは、解決が急を要する技術的問題である。
【発明の概要】
【課題を解決するための手段】
【０００６】
この点に鑑みて、本発明の実施形態は指示情報を伝送するための方法および装置を実現し、非直交多元接続システムにおいてネットワークデバイスによって端末デバイスにコードブックを示すという問題を解決する。
【０００７】
第1の態様によれば、指示情報を伝送するための方法が提供され、この方法は、1つまたは複数のコードブックに従って、アップリンクデータストリームを送信するために端末デバイスによって使用されるべき第1のコードブックを決定するステップであって、コードブックは2つ以上のコードワードを含み、コードワードは多次元複素ベクトルであり、データと少なくとも2つの変調シンボル(modulation symbol)との間のマッピング関係を示すために使用され、少なくとも2つの変調シンボルは少なくとも1つの0変調シンボルと少なくとも1つの非0変調シンボルとを含む、ステップと、第1のコードブックを示すために使用されるコードブック指示情報を決定するステップと、コードブック指示情報を端末デバイスに送信するステップとを含む。
【０００８】
第1の態様に関して、第1の態様の第1の可能な実装方式において、第1のコードブックを示すために使用されるコードブック指示情報を決定するステップは、第1のコードブックが属している第1のコードブック集合(codebook set)と、第1のコードブック集合が属している第1のコードブッククラスタ(codebook cluster)とを決定するステップであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす、ステップと、コードブック指示情報を決定するステップであって、コードブック指示情報は第1のコードブッククラスタ情報、第1のコードブック集合情報、および第1のコードブック情報を含み、第1のコードブッククラスタ情報は第1のコードブッククラスタを示すために使用され、第1のコードブック集合情報は、第1のコードブッククラスタ内の第1のコードブック集合を示すために使用され、第1のコードブック情報は、第1のコードブック集合内の第1のコードブックを示すために使用される、ステップとを含む。
【０００９】
第1の態様の第1の可能な実装方式に関して、第1の態様の第2の可能な実装方式において、第1のコードブック情報は、第1のコードブックの変調次数情報を含み、第1のコードブック集合に含まれるコードブックの変調次数は、異なる。
【００１０】
第1の態様に関して、第1の態様の第3の可能な実装方式において、第1のコードブックを示すために使用されるコードブック指示情報を決定するステップは、第1のコードブックが属している第2のコードブック集合を決定するステップであって、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす、ステップと、コードブック指示情報を決定するステップであって、コードブック指示情報は第2のコードブック集合情報および第2のコードブック情報を含み、第2のコードブック集合情報は第2のコードブック集合を示すために使用され、第2のコードブック情報は第2のコードブック集合内の第1のコードブックを示すために使用される、ステップとを含む。
【００１１】
第1の態様の第3の可能な実装方式に関して、第1の態様の第4の可能な実装方式において、第2のコードブック情報は、第1のコードブックの変調次数情報を含み、第2のコードブック集合に含まれるコードブックの変調次数は、異なる。
【００１２】
第1の態様に関して、第1の態様の第5の可能な実装方式において、第1のコードブックを示すために使用されるコードブック指示情報を決定するステップは、第1のコードブックが属している第2のコードブッククラスタを決定するステップであって、各コードブッククラスタは少なくとも1つのコードブックを含み、コードブッククラスタは同じコードブッククラスタ内のコードワードが同じ総数の変調シンボルを有するという条件を満たす、ステップと、コードブック指示情報を決定するステップであって、コードブック指示情報は第2のコードブッククラスタ情報および第3のコードブック情報を含み、第2のコードブッククラスタ情報は第2のコードブッククラスタを示すために使用され、第3のコードブック情報は第2のコードブッククラスタ内の第1のコードブックを示すために使用される、ステップとを含む。
【００１３】
第1の態様に関して、第1の態様の第6の可能な実装方式において、コードブック指示情報は第1のコードブックのインデックス値を含む。
【００１４】
第1の態様に関して、第1の態様の第7の可能な実装方式において、第1のコードブックを示すために使用されるコードブック指示情報を決定するステップは、第1のコードブックが属している第1の特性シーケンス(characteristic sequence)と、第1の特性シーケンスが属している第1の特性行列(characteristic matrix)とを決定するステップであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップと、コードブック指示情報を決定するステップであって、コードブック指示情報は第1の特性行列情報、第1の特性シーケンス情報、および第4のコードブック情報を含み、第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用される、ステップとを含む。
【００１５】
第1の態様の第7の可能な実装方式に関して、第1の態様の第8の可能な実装方式において、第4のコードブック情報は、第1のコードブックの変調次数情報を含み、第1の特性シーケンスに対応する1つまたは複数のコードブックの変調次数は、異なる。
【００１６】
第1の態様に関して、第1の態様の第9の可能な実装方式において、第1のコードブックを示すために使用されるコードブック指示情報を決定するステップは、第1のコードブックが属している第2の特性行列を決定するステップであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップと、コードブック指示情報を決定するステップであって、コードブック指示情報は第2の特性行列情報および第5のコードブック情報を含み、第2の特性行列情報は第2の特性行列を示すために使用され、第5のコードブック情報は第2の特性行列に対応する1つまたは複数のコードブックのうちの第1のコードブックを示すために使用される、ステップとを含む。
【００１７】
第1の態様に関して、第1の態様の第10の可能な実装方式において、第1のコードブックを示すために使用されるコードブック指示情報を決定するステップは、第1のコードブックが属している第2の特性シーケンスを決定するステップであって、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップと、コードブック指示情報を決定するステップであって、コードブック指示情報は第2の特性シーケンス情報および第6のコードブック情報を含み、第2の特性シーケンス情報は第2の特性シーケンスを示すために使用され、第6のコードブック情報は第2の特性シーケンスに対応する1つまたは複数のコードブックのうちの第1のコードブックを示すために使用される、ステップとを含む。
【００１８】
第1の態様の第10の可能な実装方式に関して、第1の態様の第11の可能な実装方式において、第6のコードブック情報は、第1のコードブックの変調次数情報を含み、第2の特性シーケンスに対応する1つまたは複数のコードブックの変調次数は、異なる。
【００１９】
第1の態様に関して、第1の態様の第12の可能な実装方式において、第1のコードブックを示すために使用されるコードブック指示情報を決定するステップは、第1のコードブックが属している第3のコードブック集合と、第3のコードブック集合が属している第3のコードブッククラスタとを決定するステップであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、ステップと、コードブック指示情報を決定するステップであって、コードブック指示情報は第3のコードブッククラスタ情報、第3のコードブック集合情報、および第7のコードブック情報を含み、第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用される、ステップとを含む。
【００２０】
第1の態様の第12の可能な実装方式に関して、第1の態様の第13の可能な実装方式において、第3のコードブック集合情報は、第1のコードブックの変調次数情報を含み、第3のコードブッククラスタに含まれるコードブック集合に対応する変調次数は、異なる。
【００２１】
第1の態様に関して、第1の態様の第14の可能な実装方式において、第1のコードブックを示すために使用されるコードブック指示情報を決定するステップは、第1のコードブックが属している第4のコードブック集合を決定するステップであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、ステップと、コードブック指示情報を決定するステップであって、コードブック指示情報は第4のコードブック集合情報および第8のコードブック情報を含み、第4のコードブック集合情報は第4のコードブック集合を示すために使用され、第8のコードブック情報は第4のコードブック集合内の第1のコードブックを示すために使用される、ステップとを含む。
【００２２】
第1の態様に関して、第1の態様の第15の可能な実装方式において、第1のコードブックを示すために使用されるコードブック指示情報を決定するステップは、第1のコードブックが属している第5のコードブック集合と、第5のコードブック集合が属している第3の特性行列とを決定するステップであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップと、コードブック指示情報を決定するステップであって、コードブック指示情報は第3の特性行列情報、第5のコードブック集合情報、および第9のコードブック情報を含み、第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用される、ステップとを含む。
【００２３】
第1の態様の第15の可能な実装方式に関して、第1の態様の第16の可能な実装方式において、第5のコードブック集合情報は、第1のコードブックの変調次数情報を含み、第3の特性行列に対応する1つまたは複数のコードブック集合に対応する変調次数は、異なる。
【００２４】
第1の態様、または第1の態様の第1から第16の可能な実装方式、のいずれか1つに関して、第1の態様の第17の可能な実装方式において、コードブック指示情報を端末デバイスに送信するステップは、アップリンクスケジューリング許可メッセージ、専用上位層制御シグナリング、またはシステムブロードキャストメッセージを端末デバイスに送信するステップであって、アップリンクスケジューリング許可メッセージ、専用上位層制御シグナリング、またはシステムブロードキャストメッセージはコードブック指示情報を含む。
【００２５】
第1の態様の第17の可能な実装方式に関して、第1の態様の第18の可能な実装方式において、専用上位層制御シグナリングは、無線リソース制御RRC接続セットアップメッセージとRRC接続再構成メッセージとを含む。
【００２６】
第1の態様、または第1の態様の第1から第18の可能な実装方式、のいずれか1つに関して、第1の態様の第19の可能な実装方式において、コードブック指示情報はビット列情報である。
【００２７】
第1の態様、または第1の態様の第1から第19の可能な実装方式、のいずれか1つに関して、第1の態様の第20の可能な実装方式において、コードブックはスパース符号多元接続SCMAコードブックである。
【００２８】
第1の態様の第20の可能な実装方式に関して、第1の態様の第21の可能な実装方式において、0変調シンボルの数は、コードブックに含まれているコードワード内の非0変調シンボルの数以上である。
【００２９】
第2の態様によれば、指示情報を伝送するための方法が提供され、この方法は、ネットワークデバイスによって送信されたコードブック指示情報を受信するステップであって、コードブック指示情報は1つまたは複数のコードブックのうちの第1のコードブックを示すために使用され、コードブックは2つ以上のコードワードを含み、コードワードは多次元複素ベクトルであり、データと少なくとも2つの変調シンボルとの間のマッピング関係を表すために使用され、少なくとも2つの変調シンボルは少なくとも1つの0変調シンボルと少なくとも1つの非0変調シンボルとを含む、ステップと、コードブック指示情報に従って第1のコードブックを決定するステップと、第1のコードブックに従ってアップリンクデータストリームを送信するステップとを含む。
【００３０】
第2の態様に関して、第2の態様の第1の可能な実装方式において、コードブック指示情報は第1のコードブッククラスタ情報、第1のコードブック集合情報、および第1のコードブック情報を含み、第1のコードブッククラスタ情報は、第1のコードブッククラスタを示すために使用され、第1のコードブック集合情報は、第1のコードブッククラスタ内の第1のコードブック集合を示すために使用され、第1のコードブック情報は、第1のコードブック集合内の第1のコードブックを示すために使用され、コードブック指示情報に従って第1のコードブックを決定するステップは、第1のコードブッククラスタに含まれる第1のコードブック集合内の第1のコードブックを、第1のコードブッククラスタ情報、第1のコードブック集合情報、および第1のコードブック情報に従って決定するステップであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす、ステップを含む。
【００３１】
第2の態様の第1の可能な実装方式に関して、第2の態様の第2の可能な実装方式において、第1のコードブック情報は、第1のコードブックの変調次数情報を含み、第1のコードブック集合に含まれるコードブックの変調次数は、異なる。
【００３２】
第2の態様に関して、第2の態様の第3の可能な実装方式において、コードブック指示情報は第2のコードブック集合情報および第2のコードブック情報を含み、第2のコードブック集合情報は第2のコードブック集合を示すために使用され、第2のコードブック情報は第2のコードブック集合内の第1のコードブックを示すために使用され、コードブック指示情報に従って第1のコードブックを決定するステップは、第2のコードブック集合内の第1のコードブックを、第2のコードブック集合情報および第2のコードブック情報に従って決定するステップであって、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす、ステップを含む。
【００３３】
第2の態様の第3の可能な実装方式に関して、第2の態様の第4の可能な実装方式において、第2のコードブック情報は、第1のコードブックの変調次数情報を含み、第2のコードブック集合に含まれるコードブックの変調次数は、異なる。
【００３４】
第2の態様に関して、第2の態様の第5の可能な実装方式において、コードブック指示情報は第2のコードブッククラスタ情報および第3のコードブック情報を含み、第2のコードブッククラスタ情報は第2のコードブッククラスタを示すために使用され、第3のコードブック情報は第2のコードブッククラスタ内の第1のコードブックを示すために使用され、コードブック指示情報に従って第1のコードブックを決定するステップは、第2のコードブッククラスタ内の第1のコードブックを、第2のコードブッククラスタ情報および第3のコードブック情報に従って決定するステップであって、各コードブッククラスタは少なくとも1つのコードブックを含み、コードブッククラスタは同じコードブッククラスタ内のコードワードが同じ総数の変調シンボルを有するという条件を満たす、ステップを含む。
【００３５】
第2の態様に関して、第2の態様の第6の可能な実装方式において、コードブック指示情報は第1のコードブックのインデックス値を含み、コードブック指示情報に従って第1のコードブックを決定するステップは、インデックス値に対応する第1のコードブックを、インデックス値に従って決定するステップを含む。
【００３６】
第2の態様に関して、第2の態様の第7の可能な実装方式において、コードブック指示情報は第1の特性行列情報、第1の特性シーケンス情報、および第4のコードブック情報を含み、第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用され、コードブック指示情報に従って第1のコードブックを決定するステップは、第1の特性行列情報、第1の特性シーケンス情報、および第4のコードブック情報に従って第1の特性行列内の第1の特性シーケンスに対応する1つまたは複数のコードブックのうちの第1のコードブックを決定するステップであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップを含む。
【００３７】
第2の態様の第7の可能な実装方式を参照すると、第2の態様の第8の可能な実装方式において、第4のコードブック情報は、第1のコードブックの変調次数情報を含み、第1の特性シーケンスに対応する1つまたは複数のコードブックの変調次数は、異なる。
【００３８】
第2の態様に関して、第2の態様の第9の可能な実装方式において、コードブック指示情報は第2の特性行列情報および第5のコードブック情報を含み、第2の特性行列情報は第2の特性行列を示すために使用され、第5のコードブック情報は第2の特性行列に対応する1つまたは複数のコードブックのうちの第1のコードブックを示すために使用され、コードブック指示情報に従って第1のコードブックを決定するステップは、第2の特性行列情報および第5のコードブック情報に従って第2の特性行列に対応する1つまたは複数のコードブックのうちの第1のコードブックを決定するステップであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップを含む。
【００３９】
第2の態様に関して、第2の態様の第10の可能な実装方式において、コードブック指示情報は第2の特性シーケンス情報および第6のコードブック情報を含み、第2の特性シーケンス情報は第2の特性シーケンスを示すために使用され、第6のコードブック情報は第2の特性シーケンスに対応する1つまたは複数のコードブックのうちの第1のコードブックを示すために使用され、コードブック指示情報に従って第1のコードブックを決定するステップは、第2の特性シーケンス情報および第6のコードブック情報に従って第2の特性シーケンスに対応する1つまたは複数のコードブックのうちの第1のコードブックを決定するステップであって、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップを含む。
【００４０】
第2の態様の第10の可能な実装方式に関して、第2の態様の第11の可能な実装方式において、第6のコードブック情報は、第1のコードブックの変調次数情報を含み、第2の特性シーケンスに対応する1つまたは複数のコードブックの変調次数は、異なる。
【００４１】
第2の態様に関して、第2の態様の第12の可能な実装方式において、コードブック指示情報は第3のコードブッククラスタ情報、第3のコードブック集合情報、および第7のコードブック情報を含み、第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用され、コードブック指示情報に従って第1のコードブックを決定するステップは、第3のコードブッククラスタに含まれる第3のコードブック集合内の第1のコードブックを、第3のコードブッククラスタ情報、第3のコードブック集合情報、および第7のコードブック情報に従って決定するステップであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、ステップを含む。
【００４２】
第2の態様の第12の可能な実装方式に関して、第2の態様の第13の可能な実装方式において、第3のコードブック集合情報は、第1のコードブックの変調次数情報を含み、第3のコードブッククラスタに含まれるコードブック集合に対応する変調次数は、異なる。
【００４３】
第2の態様に関して、第2の態様の第14の可能な実装方式において、コードブック指示情報は第4のコードブック集合情報および第8のコードブック情報を含み、第4のコードブック集合情報は第4のコードブック集合を示すために使用され、第8のコードブック情報は第4のコードブック集合内の第1のコードブックを示すために使用され、コードブック指示情報に従って第1のコードブックを決定するステップは、第4のコードブック集合内の第1のコードブックを、第4のコードブック集合情報および第8のコードブック情報に従って決定するステップであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、ステップを含む。
【００４４】
第2の態様に関して、第2の態様の第15の可能な実装方式において、コードブック指示情報は第3の特性行列情報、第5のコードブック集合情報、および第9のコードブック情報を含み、第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用され、コードブック指示情報に従って第1のコードブックを決定するステップは、第3の特性行列情報、第5のコードブック集合情報、および第9のコードブック情報に従って第3の特性行列に対応する1つまたは複数のコードブック集合のうちの第5のコードブック集合内の第1のコードブックを決定するステップであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップを含む。
【００４５】
第2の態様の第15の可能な実装方式に関して、第2の態様の第16の可能な実装方式において、第5のコードブック集合情報は、第1のコードブックの変調次数情報を含み、第3の特性行列に対応する1つまたは複数のコードブック集合に対応する変調次数は、異なる。
【００４６】
第2の態様、または第2の態様の第1から第16の可能な実装方式、のいずれか1つに関して、第2の態様の第17の可能な実装方式において、ネットワークデバイスによって送信されたコードブック指示情報を受信するステップは、ネットワークデバイスによって送信されたアップリンクスケジューリング許可メッセージ、専用上位層制御シグナリング、またはシステムブロードキャストメッセージを受信するステップであって、アップリンクスケジューリング許可メッセージ、専用上位層制御シグナリング、またはシステムブロードキャストメッセージはコードブック指示情報を含む、ステップを含む。
【００４７】
第2の態様の第17の可能な実装方式に関して、第2の態様の第18の可能な実装方式において、専用上位層制御シグナリングは、無線リソース制御RRC接続セットアップメッセージとRRC接続再構成メッセージとを含む。
【００４８】
第2の態様、または第2の態様の第1から第18の可能な実装方式、のいずれか1つに関して、第2の態様の第19の可能な実装方式において、コードブック指示情報はビット列情報である。
【００４９】
第2の態様、または第2の態様の第1から第19の可能な実装方式、のいずれか1つに関して、第2の態様の第20の可能な実装方式において、コードブックはスパース符号多元接続SCMAコードブックである。
【００５０】
第2の態様の第20の可能な実装方式に関して、第1の態様の第21の可能な実装方式において、0変調シンボルの数は、コードブックに含まれているコードワード内の非0変調シンボルの数以上である。
【００５１】
第3の態様によれば、指示情報を伝送するための装置が提供され、この装置は、1つまたは複数のコードブックに従って、アップリンクデータストリームを送信するために端末デバイスによって使用されるべき第1のコードブックを決定するように構成されている第1の決定モジュールであって、コードブックは2つ以上のコードワードを含み、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む、第1の決定モジュールと、第1の決定モジュールによって決定された第1のコードブックを示すために使用されるコードブック指示情報を決定するように構成されている第2の決定モジュールと、第2の決定モジュールによって決定されたコードブック指示情報を端末デバイスに送信するように構成されている送信モジュールとを備える。
【００５２】
第3の態様に関して、第3の態様の第1の可能な実装方式において、第2の決定モジュールは、第1のコードブックが属している第1のコードブック集合と、第1のコードブック集合が属している第1のコードブッククラスタとを決定するように構成されている第1の決定ユニットであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす、第1の決定ユニットと、コードブック指示情報を決定するように構成されている第2の決定ユニットであって、コードブック指示情報は第1のコードブッククラスタ情報、第1のコードブック集合情報、および第1のコードブック情報を含み、第1のコードブッククラスタ情報は第1のコードブッククラスタを示すために使用され、第1のコードブック集合情報は第1のコードブッククラスタ内の第1のコードブック集合を示すために使用され、第1のコードブック情報は第1のコードブック集合内の第1のコードブックを示すために使用される、第2の決定ユニットとを備える。
【００５３】
第3の態様の第1の可能な実装方式に関して、第3の態様の第2の可能な実装方式において、第2の決定ユニットによって決定された第1のコードブック情報は、第1のコードブックの変調次数情報を含み、第1のコードブック集合に含まれるコードブックの変調次数は、異なる。
【００５４】
第3の態様に関して、第3の態様の第3の可能な実装方式において、第2の決定モジュールは、第1のコードブックが属している第2のコードブック集合を決定するように構成されている第3の決定ユニットであって、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす、第3の決定ユニットと、コードブック指示情報を決定するように構成されている第4の決定ユニットであって、コードブック指示情報は第2のコードブック集合情報および第2のコードブック情報を含み、第2のコードブック集合情報は第2のコードブック集合を示すために使用され、第2のコードブック情報は第2のコードブック集合内の第1のコードブックを示すために使用される、第4の決定ユニットとを備える。
【００５５】
第3の態様の第3の可能な実装方式に関して、第3の態様の第4の可能な実装方式において、第4の決定ユニットによって決定された第2のコードブック情報は、第1のコードブックの変調次数情報を含み、第2のコードブック集合に含まれるコードブックの変調次数は、異なる。
【００５６】
第3の態様に関して、第3の態様の第5の可能な実装方式において、第2の決定モジュールは、第1のコードブックが属している第2のコードブッククラスタを決定するように構成されている第5の決定ユニットであって、各コードブッククラスタは少なくとも1つのコードブックを含み、コードブッククラスタは同じコードブッククラスタ内のコードワードが同じ総数の変調シンボルを有するという条件を満たす、第5の決定ユニットと、コードブック指示情報を決定するように構成されている第6の決定ユニットであって、コードブック指示情報は第2のコードブッククラスタ情報および第3のコードブック情報を含み、第2のコードブッククラスタ情報は第2のコードブッククラスタを示すために使用され、第3のコードブック情報は第2のコードブッククラスタ内の第1のコードブックを示すために使用される、第6の決定ユニットとを備える。
【００５７】
第3の態様に関して、第3の態様の第6の可能な実装方式において、第2の決定モジュールによって決定されたコードブック指示情報は第1のコードブックのインデックス値を含む。
【００５８】
第3の態様に関して、第3の態様の第7の可能な実装方式において、第2の決定モジュールは、第1のコードブックが属している第1の特性シーケンスと、第1の特性シーケンスが属している第1の特性行列とを決定するように構成されている第7の決定ユニットであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第7の決定ユニットと、コードブック指示情報を決定するように構成されている第8の決定ユニットであって、コードブック指示情報は第1の特性行列情報、第1の特性シーケンス情報、および第4のコードブック情報を含み、第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用される、第8の決定ユニットとを備える。
【００５９】
第3の態様の第7の可能な実装方式に関して、第3の態様の第8の可能な実装方式において、第8の決定ユニットによって決定された第4のコードブック情報は、第1のコードブックの変調次数情報を含み、第1の特性シーケンスに対応する1つまたは複数のコードブックの変調次数は、異なる。
【００６０】
第3の態様に関して、第3の態様の第9の可能な実装方式において、第2の決定モジュールは、第1のコードブックが属している第2の特性行列を決定するように構成されている第9の決定ユニットであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第9の決定ユニットと、コードブック指示情報を決定するように構成されている第10の決定ユニットであって、コードブック指示情報は第2の特性行列情報および第5のコードブック情報を含み、第2の特性行列情報は第2の特性行列を示すために使用され、第5のコードブック情報は第2の特性行列に対応する1つまたは複数のコードブックのうちの第1のコードブックを示すために使用される、第10の決定ユニットとを備える。
【００６１】
第3の態様に関して、第3の態様の第10の可能な実装方式において、第2の決定モジュールは、第1のコードブックが属している第2の特性シーケンスを決定するように構成されている第11の決定ユニットであって、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第11の決定ユニットと、コードブック指示情報を決定するように構成されている第12の決定ユニットであって、コードブック指示情報は第2の特性シーケンス情報および第6のコードブック情報を含み、第2の特性シーケンス情報は第2の特性シーケンスを示すために使用され、第6のコードブック情報は第2の特性シーケンスに対応する1つまたは複数のコードブックのうちの第1のコードブックを示すために使用される、第12の決定ユニットとを備える。
【００６２】
第3の態様の第10の可能な実装方式に関して、第3の態様の第11の可能な実装方式において、第12の決定ユニットによって決定された第6のコードブック情報は、第1のコードブックの変調次数情報を含み、第2の特性シーケンスに対応する1つまたは複数のコードブックの変調次数は、異なる。
【００６３】
第3の態様に関して、第3の態様の第12の可能な実装方式において、第2の決定モジュールは、第1のコードブックが属している第3のコードブック集合と、第3のコードブック集合が属している第3のコードブッククラスタとを決定するように構成されている第13の決定ユニットであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、第13の決定ユニットと、コードブック指示情報を決定するように構成されている第14の決定ユニットであって、コードブック指示情報は第3のコードブッククラスタ情報、第3のコードブック集合情報、および第7のコードブック情報を含み、第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用される、第14の決定ユニットとを備える。
【００６４】
第3の態様の第12の可能な実装方式に関して、第3の態様の第13の可能な実装方式において、第13の決定ユニットによって決定された第3のコードブック集合情報は、第1のコードブックの変調次数情報を含み、第3のコードブッククラスタに含まれるコードブック集合に対応する変調次数は、異なる。
【００６５】
第3の態様に関して、第3の態様の第14の可能な実装方式において、第2の決定モジュールは、第1のコードブックが属している第4のコードブック集合を決定するように構成されている第15の決定ユニットであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、第15の決定ユニットと、コードブック指示情報を決定するように構成されている第16の決定ユニットであって、コードブック指示情報は第4のコードブック集合情報および第8のコードブック情報を含み、第4のコードブック集合情報は第4のコードブック集合を示すために使用され、第8のコードブック情報は第4のコードブック集合内の第1のコードブックを示すために使用される、第16の決定ユニットとを備える。
【００６６】
第3の態様に関して、第3の態様の第15の可能な実装方式において、第2の決定モジュールは、第1のコードブックが属している第5のコードブック集合と、第5のコードブック集合が属している第3の特性行列とを決定するように構成されている第17の決定ユニットであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第17の決定ユニットと、コードブック指示情報を決定するように構成されている第18の決定ユニットであって、コードブック指示情報は第3の特性行列情報、第5のコードブック集合情報、および第9のコードブック情報を含み、第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用される、第18の決定ユニットとを備える。
【００６７】
第3の態様の第15の可能な実装方式に関して、第3の態様の第16の可能な実装方式において、第17の決定ユニットによって決定された第5のコードブック集合情報は、第1のコードブックの変調次数情報を含み、第3の特性行列に対応する1つまたは複数のコードブック集合に対応する変調次数は、異なる。
【００６８】
第3の態様、または第3の態様の第1から第16の可能な実装方式、のいずれか1つに関して、第3の態様の第17の可能な実装方式において、送信モジュールは、アップリンクスケジューリング許可メッセージ、専用上位層制御シグナリング、またはシステムブロードキャストメッセージを端末デバイスに送信するように特に構成され、アップリンクスケジューリング許可メッセージ、専用上位層制御シグナリング、またはシステムブロードキャストメッセージはコードブック指示情報を含む。
【００６９】
第3の態様の第17の可能な実装方式に関して、第3の態様の第18の可能な実装方式において、専用上位層制御シグナリングは、無線リソース制御RRC接続セットアップメッセージとRRC接続再構成メッセージとを含む。
【００７０】
第3の態様、または第3の態様の第1から第18の可能な実装方式、のいずれか1つに関して、第3の態様の第19の可能な実装方式において、送信モジュールによって送信されるコードブック指示情報はビット列情報である。
【００７１】
第3の態様、または第3の態様の第1から第19の可能な実装方式、のいずれか1つに関して、第3の態様の第20の可能な実装方式において、コードブックはスパース符号多元接続SCMAコードブックである。
【００７２】
第3の態様の第20の可能な実装方式に関して、第3の態様の第21の可能な実装方式において、0変調シンボルの数は、コードブックに含まれているコードワード内の非0変調シンボルの数以上である。
【００７３】
第3の態様、または第3の態様の第1から第21の可能な実装方式、のいずれか1つに関して、第3の態様の第22の可能な実装方式において、装置は、ネットワークデバイスである。
【００７４】
第4の態様によれば、指示情報を伝送するための装置が実現され、この装置は、ネットワークデバイスによって送信されたコードブック指示情報を受信するように構成されている受信モジュールであって、コードブック指示情報は1つまたは複数のコードブックのうちの第1のコードブックを示すために使用され、コードブックは2つ以上のコードワードを含み、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む、受信モジュールと、受信モジュールによって受信されたコードブック指示情報に従って第1のコードブックを決定するように構成されている決定モジュールと、決定モジュールによって決定された第1のコードブックに従ってアップリンクデータストリームを送信するように構成されている送信モジュールとを備える。
【００７５】
第4の態様に関して、第4の態様の第1の可能な実装方式において、受信モジュールによって受信されたコードブック指示情報は、第1のコードブッククラスタ情報、第1のコードブック集合情報、および第1のコードブック情報を含み、第1のコードブッククラスタ情報は、第1のコードブッククラスタを示すために使用され、第1のコードブック集合情報は、第1のコードブッククラスタ内の第1のコードブック集合を示すために使用され、第1のコードブック情報は、第1のコードブック集合内の第1のコードブックを示すために使用され、決定モジュールは、第1のコードブッククラスタに含まれる第1のコードブック集合内の第1のコードブックを、第1のコードブッククラスタ情報、第1のコードブック集合情報、および第1のコードブック情報に従って決定するように構成されている第1の決定ユニットであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす、第1の決定ユニットを備える。
【００７６】
第4の態様の第1の可能な実装方式に関して、第4の態様の第2の可能な実装方式において、受信モジュールによって受信された第1のコードブック情報は、第1のコードブックの変調次数情報を含み、第1のコードブック集合に含まれるコードブックの変調次数は、異なる。
【００７７】
第4の態様に関して、第4の態様の第3の可能な実装方式において、受信モジュールによって受信されたコードブック指示情報は第2のコードブック集合情報および第2のコードブック情報を含み、第2のコードブック集合情報は第2のコードブック集合を示すために使用され、第2のコードブック情報は第2のコードブック集合内の第1のコードブックを示すために使用され、決定モジュールは、第2のコードブック集合内の第1のコードブックを、第2のコードブック集合情報および第2のコードブック情報に従って決定するように構成されている第2の決定ユニットであって、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす、第2の決定ユニットを備える。
【００７８】
第4の態様の第3の可能な実装方式に関して、第4の態様の第4の可能な実装方式において、受信モジュールによって受信された第2のコードブック情報は、第1のコードブックの変調次数情報を含み、第2のコードブック集合に含まれるコードブックの変調次数は、異なる。
【００７９】
第4の態様に関して、第4の態様の第5の可能な実装方式において、受信モジュールによって受信されたコードブック指示情報は、第2のコードブッククラスタ情報および第3のコードブック情報を含み、第2のコードブッククラスタ情報は第2のコードブッククラスタを示すために使用され、第3のコードブック情報は第2のコードブッククラスタ内の第1のコードブックを示すために使用され、決定モジュールは、第2のコードブッククラスタ内の第1のコードブックを、第2のコードブッククラスタ情報および第3のコードブック情報に従って決定するように構成されている第3の決定ユニットであって、各コードブッククラスタは少なくとも1つのコードブックを含み、コードブッククラスタは同じコードブッククラスタ内のコードワードが同じ総数の変調シンボルを有するという条件を満たす、第3の決定ユニットを備える。
【００８０】
第4の態様に関して、第4の態様の第6の可能な実装方式において、受信モジュールによって受信されたコードブック指示情報は第1のコードブックのインデックス値を含み、決定モジュールは、インデックス値に対応する第1のコードブックを、インデックス値に従って決定するように構成されている第4の決定ユニットを備える。
【００８１】
第4の態様に関して、第4の態様の第7の可能な実装方式において、受信モジュールによって受信されたコードブック指示情報は、第1の特性行列情報、第1の特性シーケンス情報、および第4のコードブック情報を含み、第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用され、決定モジュールは、第1の特性行列情報、第1の特性シーケンス情報、および第4のコードブック情報に従って第1の特性行列内の第1の特性シーケンスに対応する1つまたは複数のコードブックのうちの第1のコードブックを決定するように構成されている第5の決定ユニットであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第5の決定ユニットを備える。
【００８２】
第4の態様の第7の可能な実装方式に関して、第4の態様の第8の可能な実装方式において、受信モジュールによって受信された第4のコードブック情報は、第1のコードブックの変調次数情報を含み、第1の特性シーケンスに対応する1つまたは複数のコードブックの変調次数は、異なる。
【００８３】
第4の態様に関して、第4の態様の第9の可能な実装方式において、受信モジュールによって受信されたコードブック指示情報は、第2の特性行列情報および第5のコードブック情報を含み、第2の特性行列情報は第2の特性行列を示すために使用され、第5のコードブック情報は第2の特性行列に対応する1つまたは複数のコードブックのうちの第1のコードブックを示すために使用され、決定モジュールは、第2の特性行列情報および第5のコードブック情報に従って第2の特性行列に対応する1つまたは複数のコードブックのうちの第1のコードブックを決定するように構成されている第6の決定ユニットであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第6の決定ユニットを備える。
【００８４】
第4の態様に関して、第4の態様の第10の可能な実装方式において、受信モジュールによって受信されたコードブック指示情報は、第2の特性シーケンス情報および第6のコードブック情報を含み、第2の特性シーケンス情報は第2の特性シーケンスを示すために使用され、第6のコードブック情報は第2の特性シーケンスに対応する1つまたは複数のコードブックのうちの第1のコードブックを示すために使用され、決定モジュールは、第2の特性シーケンス情報および第6のコードブック情報に従って第2の特性シーケンスに対応する1つまたは複数のコードブックのうちの第1のコードブックを決定するように構成されている第7の決定ユニットであって、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第7の決定ユニットを備える。
【００８５】
第4の態様の第10の可能な実装方式に関して、第4の態様の第11の可能な実装方式において、受信モジュールによって受信された第6のコードブック情報は、第1のコードブックの変調次数情報を含み、第2の特性シーケンスに対応する1つまたは複数のコードブックの変調次数は、異なる。
【００８６】
第4の態様に関して、第4の態様の第12の可能な実装方式において、受信モジュールによって受信されたコードブック指示情報は、第3のコードブッククラスタ情報、第3のコードブック集合情報、および第7のコードブック情報を含み、第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用され、決定モジュールは、第3のコードブッククラスタに含まれる第3のコードブック集合内の第1のコードブックを、第3のコードブッククラスタ情報、第3のコードブック集合情報、および第7のコードブック情報に従って決定するように構成されている第8の決定ユニットであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、第8の決定ユニットを備える。
【００８７】
第4の態様の第12の可能な実装方式に関して、第4の態様の第13の可能な実装方式において、受信モジュールによって受信された第3のコードブック集合情報は、第1のコードブックの変調次数情報を含み、第3のコードブッククラスタに含まれるコードブック集合に対応する変調次数は、異なる。
【００８８】
第4の態様に関して、第4の態様の第14の可能な実装方式において、受信モジュールによって受信されたコードブック指示情報は、第4のコードブック集合情報および第8のコードブック情報を含み、第4のコードブック集合情報は第4のコードブック集合を示すために使用され、第8のコードブック情報は第4のコードブック集合内の第1のコードブックを示すために使用され、決定モジュールは、第4のコードブック集合内の第1のコードブックを、第4のコードブック集合情報および第8のコードブック情報に従って決定するように構成されている第9の決定ユニットであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、第9の決定ユニットを備える。
【００８９】
第4の態様に関して、第4の態様の第15の可能な実装方式において、受信モジュールによって受信されたコードブック指示情報は第3の特性行列情報、第5のコードブック集合情報、および第9のコードブック情報を含み、第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用され、決定モジュールは、第3の特性行列情報、第5のコードブック集合情報、および第9のコードブック情報に従って第3の特性行列に対応する1つまたは複数のコードブック集合のうちの第5のコードブック集合内の第1のコードブックを決定するように構成されている第10の決定ユニットであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第10の決定ユニットを備える。
【００９０】
第4の態様の第15の可能な実装方式に関して、第4の態様の第16の可能な実装方式において、受信モジュールによって受信された第5のコードブック集合情報は、第1のコードブックの変調次数情報を含み、第3の特性行列に対応する1つまたは複数のコードブック集合に対応する変調次数は、異なる。
【００９１】
第4の態様、または第4の態様の第1から第16の可能な実装方式、のいずれか1つに関して、第4の態様の第17の可能な実装方式において、受信モジュールは、ネットワークデバイスによって送信されたアップリンクスケジューリング許可メッセージ、専用上位層制御シグナリング、またはシステムブロードキャストメッセージを受信するように特に構成され、アップリンクスケジューリング許可メッセージ、専用上位層制御シグナリング、またはシステムブロードキャストメッセージはコードブック指示情報を含む。
【００９２】
第4の態様の第17の可能な実装方式に関して、第4の態様の第18の可能な実装方式において、専用上位層制御シグナリングは、無線リソース制御RRC接続セットアップメッセージとRRC接続再構成メッセージとを含む。
【００９３】
第4の態様、または第4の態様の第1から第18の可能な実装方式、のいずれか1つに関して、第4の態様の第19の可能な実装方式において、受信モジュールによって受信されたコードブック指示情報はビット列情報である。
【００９４】
第4の態様、または第4の態様の第1から第19の可能な実装方式、のいずれか1つに関して、第4の態様の第20の可能な実装方式において、コードブックはスパース符号多元接続SCMAコードブックである。
【００９５】
第4の態様の第20の可能な実装方式に関して、第4の態様の第21の可能な実装方式において、0変調シンボルの数は、コードブックに含まれているコードワード内の非0変調シンボルの数以上である。
【００９６】
第4の態様、または第4の態様の第1から第21の可能な実装方式、のいずれか1つに関して、第4の態様の第22の可能な実装方式において、装置は、端末デバイスである。
【００９７】
第5の態様によれば、指示情報を伝送するための装置が提供され、この装置は、プロセッサ、メモリ、バスシステム、および送信機を備え、プロセッサ、メモリ、および送信機は、バスシステムを使用することによって接続され、メモリは、命令を記憶するように構成され、プロセッサは、信号を送信する送信機を制御するために、メモリに記憶されている命令を実行するように構成され、プロセッサは、1つまたは複数のコードブックに従って、アップリンクデータストリームを送信するために端末デバイスによって使用されるべき第1のコードブックを決定するように構成され、コードブックは2つ以上のコードワードを含み、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含み、さらに第1のコードブックを示すために使用されるコードブック指示情報を決定するように構成され、送信機は、コードブック指示情報を端末デバイスに送信するように構成される。
【００９８】
第5の態様に関して、第5の態様の第1の可能な実装方式において、プロセッサによって、第1のコードブックを示すために使用されるコードブック指示情報を決定することは、第1のコードブックが属している第1のコードブック集合と、第1のコードブック集合が属している第1のコードブッククラスタとを決定することであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす、決定することと、コードブック指示情報を決定することであって、コードブック指示情報は第1のコードブッククラスタ情報、第1のコードブック集合情報、および第1のコードブック情報を含み、第1のコードブッククラスタ情報は第1のコードブッククラスタを示すために使用され、第1のコードブック集合情報は、第1のコードブッククラスタ内の第1のコードブック集合を示すために使用され、第1のコードブック情報は第1のコードブック集合内の第1のコードブックを示すために使用される、決定することとを含む。
【００９９】
第5の態様の第1の可能な実装方式に関して、第5の態様の第2の可能な実装方式において、プロセッサによって決定された第1のコードブック情報は、第1のコードブックの変調次数情報を含み、第1のコードブック集合に含まれるコードブックの変調次数は、異なる。
【０１００】
第5の態様に関して、第5の態様の第3の可能な実装方式において、プロセッサによって、第1のコードブックを示すために使用されるコードブック指示情報を決定することは、第1のコードブックが属している第2のコードブック集合を決定することであって、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす、決定することと、コードブック指示情報を決定することであって、コードブック指示情報は第2のコードブック集合情報および第2のコードブック情報を含み、第2のコードブック集合情報は第2のコードブック集合を示すために使用され、第2のコードブック情報は第2のコードブック集合内の第1のコードブックを示すために使用される、決定することとを含む。
【０１０１】
第5の態様の第3の可能な実装方式に関して、第5の態様の第4の可能な実装方式において、プロセッサによって決定された第2のコードブック情報は、第1のコードブックの変調次数情報を含み、第2のコードブック集合に含まれるコードブックの変調次数は、異なる。
【０１０２】
第5の態様に関して、第5の態様の第5の可能な実装方式において、プロセッサによって、第1のコードブックを示すために使用されるコードブック指示情報を決定することは、第1のコードブックが属している第2のコードブッククラスタを決定することであって、各コードブッククラスタは少なくとも1つのコードブックを含み、コードブッククラスタは同じコードブッククラスタ内のコードワードが同じ総数の変調シンボルを有するという条件を満たす、決定することと、コードブック指示情報を決定することであって、コードブック指示情報は第2のコードブッククラスタ情報および第3のコードブック情報を含み、第2のコードブッククラスタ情報は第2のコードブッククラスタを示すために使用され、第3のコードブック情報は第2のコードブッククラスタ内の第1のコードブックを示すために使用される、決定することとを含む。
【０１０３】
第5の態様に関して、第5の態様の第6の可能な実装方式において、プロセッサによって決定されたコードブック指示情報は第1のコードブックのインデックス値を含む。
【０１０４】
第5の態様に関して、第5の態様の第7の可能な実装方式において、プロセッサによって、第1のコードブックを示すために使用されるコードブック指示情報を決定することは、第1のコードブックが属している第1の特性シーケンスと、第1の特性シーケンスが属している第1の特性行列とを決定することであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、決定することと、コードブック指示情報を決定することであって、コードブック指示情報は第1の特性行列情報、第1の特性シーケンス情報、および第4のコードブック情報を含み、第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用される、決定することとを含む。
【０１０５】
第5の態様の第7の可能な実装方式に関して、第5の態様の第8の可能な実装方式において、プロセッサによって決定された第4のコードブック情報は、第1のコードブックの変調次数情報を含み、第1の特性シーケンスに対応する1つまたは複数のコードブックの変調次数は、異なる。
【０１０６】
第5の態様に関して、第5の態様の第9の可能な実装方式において、プロセッサによって、第1のコードブックを示すために使用されるコードブック指示情報を決定することは、第1のコードブックが属している第2の特性行列を決定することであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、決定することと、コードブック指示情報を決定することであって、コードブック指示情報は第2の特性行列情報および第5のコードブック情報を含み、第2の特性行列情報は第2の特性行列を示すために使用され、第5のコードブック情報は第2の特性行列に対応する1つまたは複数のコードブックのうちの第1のコードブックを示すために使用される、決定することとを含む。
【０１０７】
第5の態様に関して、第5の態様の第10の可能な実装方式において、プロセッサによって、第1のコードブックを示すために使用されるコードブック指示情報を決定することは、第1のコードブックが属している第2の特性シーケンスを決定することであって、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、決定することと、コードブック指示情報を決定することであって、コードブック指示情報は第2の特性シーケンス情報および第6のコードブック情報を含み、第2の特性シーケンス情報は第2の特性シーケンスを示すために使用され、第6のコードブック情報は第2の特性シーケンスに対応する1つまたは複数のコードブックのうちの第1のコードブックを示すために使用される、決定することとを含む。
【０１０８】
第5の態様の第10の可能な実装方式に関して、第5の態様の第11の可能な実装方式において、プロセッサによって決定された第6のコードブック情報は、第1のコードブックの変調次数情報を含み、第2の特性シーケンスに対応する1つまたは複数のコードブックのうちの少なくとも1つのコードブックのうちのコードブックは、異なる変調次数を有する。
【０１０９】
第5の態様に関して、第5の態様の第12の可能な実装方式において、プロセッサによって、第1のコードブックを示すために使用されるコードブック指示情報を決定することは、第1のコードブックが属している第3のコードブック集合と、第3のコードブック集合が属している第3のコードブッククラスタとを決定することであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、決定することと、コードブック指示情報を決定することであって、コードブック指示情報は第3のコードブッククラスタ情報、第3のコードブック集合情報、および第7のコードブック情報を含み、第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用される、決定することとを含む。
【０１１０】
第5の態様の第12の可能な実装方式に関して、第5の態様の第13の可能な実装方式において、プロセッサによって決定された第3のコードブック集合情報は、第1のコードブックの変調次数情報を含み、第3のコードブッククラスタに含まれるコードブック集合に対応する変調次数は、異なる。
【０１１１】
第5の態様に関して、第5の態様の第14の可能な実装方式において、プロセッサによって、第1のコードブックを示すために使用されるコードブック指示情報を決定することは、第1のコードブックが属している第4のコードブック集合を決定することであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、決定することと、コードブック指示情報を決定することであって、コードブック指示情報は第4のコードブック集合情報および第8のコードブック情報を含み、第4のコードブック集合情報は第4のコードブック集合を示すために使用され、第8のコードブック情報は第4のコードブック集合内の第1のコードブックを示すために使用される、決定することとを含む。
【０１１２】
第5の態様に関して、第5の態様の第15の可能な実装方式において、プロセッサによって、第1のコードブックを示すために使用されるコードブック指示情報を決定することは、第1のコードブックが属している第5のコードブック集合と、第5のコードブック集合が属している第3の特性行列とを決定することであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、決定することと、コードブック指示情報を決定することであって、コードブック指示情報は第3の特性行列情報、第5のコードブック集合情報、および第9のコードブック情報を含み、第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用される、決定することとを含む。
【０１１３】
第5の態様の第15の可能な実装方式に関して、第5の態様の第16の可能な実装方式において、プロセッサによって決定された第5のコードブック集合情報は、第1のコードブックの変調次数情報を含み、第3の特性行列に対応する1つまたは複数のコードブック集合に対応する変調次数は、異なる。
【０１１４】
第5の態様、または第5の態様の第1から第16の可能な実装方式、のいずれか1つに関して、第5の態様の第17の可能な実装方式において、送信機によって、コードブック指示情報を端末デバイスに送信することは、アップリンクスケジューリング許可メッセージ、専用上位層制御シグナリング、またはシステムブロードキャストメッセージを端末デバイスに送信することであって、アップリンクスケジューリング許可メッセージ、専用上位層制御シグナリング、またはシステムブロードキャストメッセージはコードブック指示情報を含む、送信することを含む。
【０１１５】
第5の態様の第17の可能な実装方式に関して、第5の態様の第18の可能な実装方式において、専用上位層制御シグナリングは、無線リソース制御RRC接続セットアップメッセージとRRC接続再構成メッセージとを含む。
【０１１６】
第5の態様、または第5の態様の第1から第18の可能な実装方式、のいずれか1つに関して、第5の態様の第19の可能な実装方式において、送信機によって送信されるコードブック指示情報はビット列情報である。
【０１１７】
第5の態様、または第5の態様の第1から第19の可能な実装方式、のいずれか1つに関して、第5の態様の第20の可能な実装方式において、コードブックはスパース符号多元接続SCMAコードブックである。
【０１１８】
第5の態様の第20の可能な実装方式に関して、第5の態様の第21の可能な実装方式において、要素0の数は、コードブックに含まれているコードワード内の変調シンボルの数以上である。
【０１１９】
第5の態様、または第5の態様の第1から第21の可能な実装方式、のいずれか1つに関して、第5の態様の第22の可能な実装方式において、装置は、ネットワークデバイスである。
【０１２０】
第6の態様によれば、指示情報を伝送するための装置が実現され、この装置は、プロセッサ、メモリ、バスシステム、受信機、および送信機を備え、プロセッサ、メモリ、受信機、および送信機は、バスシステムを使用することによって接続され、メモリは、命令を記憶するように構成され、プロセッサは、信号を受信する受信機を制御し、信号を送信する送信機を制御するために、メモリに記憶されている命令を実行するように構成され、受信機はネットワークデバイスによって送信されたコードブック指示情報を受信するように構成され、コードブック指示情報は1つまたは複数のコードブックのうちの第1のコードブックを示すために使用され、コードブックは2つ以上のコードワードを含み、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含み、プロセッサは、コードブック指示情報に従って第1のコードブックを決定するように構成され、送信機は、第1のコードブックに従ってアップリンクデータストリームを送信するように構成される。
【０１２１】
第6の態様に関して、第6の態様の第1の可能な実装方式において、受信機によって受信されたコードブック指示情報は、第1のコードブッククラスタ情報、第1のコードブック集合情報、および第1のコードブック情報を含み、第1のコードブッククラスタ情報は、第1のコードブッククラスタを示すために使用され、第1のコードブック集合情報は、第1のコードブッククラスタ内の第1のコードブック集合を示すために使用され、第1のコードブック情報は、第1のコードブック集合内の第1のコードブックを示すために使用され、プロセッサによって、コードブック指示情報に従って第1のコードブックを決定することは、第1のコードブッククラスタに含まれる第1のコードブック集合内の第1のコードブックを、第1のコードブッククラスタ情報、第1のコードブック集合情報、および第1のコードブック情報に従って決定することであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす、決定することを含む。
【０１２２】
第6の態様の第1の可能な実装方式に関して、第6の態様の第2の可能な実装方式において、受信機によって受信された第1のコードブック情報は、第1のコードブックの変調次数情報を含み、第1のコードブック集合に含まれるコードブックの変調次数は、異なる。
【０１２３】
第6の態様に関して、第6の態様の第3の可能な実装方式において、受信機によって受信されたコードブック指示情報は、第2のコードブック集合情報および第2のコードブック情報を含み、第2のコードブック集合情報は第2のコードブック集合を示すために使用され、第2のコードブック情報は第2のコードブック集合内の第1のコードブックを示すために使用され、プロセッサによって、コードブック指示情報に従って第1のコードブックを決定することは、第2のコードブック集合内の第1のコードブックを、第2のコードブック集合情報および第2のコードブック情報に従って決定することであって、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす、決定することを含む。
【０１２４】
第6の態様の第3の可能な実装方式に関して、第6の態様の第4の可能な実装方式において、受信機によって受信された第2のコードブック情報は、第1のコードブックの変調次数情報を含み、第2のコードブック集合に含まれるコードブックの変調次数は、異なる。
【０１２５】
第6の態様に関して、第6の態様の第5の可能な実装方式において、受信機によって受信されたコードブック指示情報は、第2のコードブッククラスタ情報および第3のコードブック情報を含み、第2のコードブッククラスタ情報は第2のコードブッククラスタを示すために使用され、第3のコードブック情報は第2のコードブッククラスタ内の第1のコードブックを示すために使用され、プロセッサによって、コードブック指示情報に従って第1のコードブックを決定することは、第2のコードブッククラスタ内の第1のコードブックを、第2のコードブッククラスタ情報および第3のコードブック情報に従って決定することであって、各コードブッククラスタは少なくとも1つのコードブックを含み、コードブッククラスタは同じコードブッククラスタ内のコードワードが同じ総数の変調シンボルを有するという条件を満たす、決定することを含む。
【０１２６】
第6の態様に関して、第6の態様の第6の可能な実装方式において、受信機によって受信されたコードブック指示情報は第1のコードブックのインデックス値を含み、プロセッサによって、コードブック指示情報に従って第1のコードブックを決定することは、インデックス値に対応する第1のコードブックを、インデックス値に従って決定することを含む。
【０１２７】
第6の態様に関して、第6の態様の第7の可能な実装方式において、受信機によって受信されたコードブック指示情報は第1の特性行列情報、第1の特性シーケンス情報、および第4のコードブック情報を含み、第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用され、プロセッサによって、コードブック指示情報に従って第1のコードブックを決定することは、第1の特性行列情報、第1の特性シーケンス情報、および第4のコードブック情報に従って第1の特性行列内の第1の特性シーケンスに対応する1つまたは複数のコードブックのうちの第1のコードブックを決定することであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、決定することを含む。
【０１２８】
第6の態様の第7の可能な実装方式に関して、第6の態様の第8の可能な実装方式において、受信機によって受信された第4のコードブック情報は、第1のコードブックの変調次数情報を含み、第1の特性シーケンスに対応する1つまたは複数のコードブックの変調次数は、異なる。
【０１２９】
第6の態様に関して、第6の態様の第9の可能な実装方式において、受信機によって受信されたコードブック指示情報は第2の特性行列情報および第5のコードブック情報を含み、第2の特性行列情報は第2の特性行列を示すために使用され、第5のコードブック情報は第2の特性行列に対応する1つまたは複数のコードブックのうちの第1のコードブックを示すために使用され、プロセッサによって、コードブック指示情報に従って第1のコードブックを決定することは、第2の特性行列情報および第5のコードブック情報に従って第2の特性行列に対応する1つまたは複数のコードブックのうちの第1のコードブックを決定することであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、決定することを含む。
【０１３０】
第6の態様に関して、第6の態様の第10の可能な実装方式において、受信機によって受信されたコードブック指示情報は、第2の特性シーケンス情報および第6のコードブック情報を含み、第2の特性シーケンス情報は第2の特性シーケンスを示すために使用され、第6のコードブック情報は第2の特性シーケンスに対応する1つまたは複数のコードブックのうちの第1のコードブックを示すために使用され、プロセッサによって、コードブック指示情報に従って第1のコードブックを決定することは、第2の特性シーケンス情報および第6のコードブック情報に従って第2の特性シーケンスに対応する1つまたは複数のコードブックのうちの第1のコードブックを決定することであって、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、決定することを含む。
【０１３１】
第6の態様の第10の可能な実装方式に関して、第6の態様の第11の可能な実装方式において、受信機によって受信された第6のコードブック情報は、第1のコードブックの変調次数情報を含み、第2の特性シーケンスに対応する1つまたは複数のコードブックの変調次数は、異なる。
【０１３２】
第6の態様に関して、第6の態様の第12の可能な実装方式において、受信機によって受信されたコードブック指示情報は、第3のコードブッククラスタ情報、第3のコードブック集合情報、および第7のコードブック情報を含み、第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用され、プロセッサによって、コードブック指示情報に従って第1のコードブックを決定することは、第3のコードブッククラスタに含まれる第3のコードブック集合内の第1のコードブックを、第3のコードブッククラスタ情報、第3のコードブック集合情報、および第7のコードブック情報に従って決定することであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、決定することを含む。
【０１３３】
第6の態様の第12の可能な実装方式に関して、第6の態様の第13の可能な実装方式において、受信機によって受信された第3のコードブック集合情報は、第1のコードブックの変調次数情報を含み、第3のコードブッククラスタに含まれるコードブック集合に対応する変調次数は、異なる。
【０１３４】
第6の態様に関して、第6の態様の第14の可能な実装方式において、受信機によって受信されたコードブック指示情報は、第4のコードブック集合情報および第8のコードブック情報を含み、第4のコードブック集合情報は第4のコードブック集合を示すために使用され、第8のコードブック情報は第4のコードブック集合内の第1のコードブックを示すために使用され、プロセッサによって、コードブック指示情報に従って第1のコードブックを決定することは、第4のコードブック集合内の第1のコードブックを、第4のコードブック集合情報および第8のコードブック情報に従って決定することであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、決定することを含む。
【０１３５】
第6の態様に関して、第6の態様の第15の可能な実装方式において、受信機によって受信されたコードブック指示情報は第3の特性行列情報、第5のコードブック集合情報、および第9のコードブック情報を含み、第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用され、プロセッサによって、コードブック指示情報に従って第1のコードブックを決定することは、第3の特性行列情報、第5のコードブック集合情報、および第9のコードブック情報に従って第3の特性行列に対応する1つまたは複数のコードブック集合のうちの第5のコードブック集合内の第1のコードブックを決定することであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、決定することを含む。
【０１３６】
第6の態様の第15の可能な実装方式に関して、第6の態様の第16の可能な実装方式において、受信機によって受信された第5のコードブック集合情報は、第1のコードブックの変調次数情報を含み、第3の特性行列に対応する1つまたは複数のコードブック集合に対応する変調次数は、異なる。
【０１３７】
第6の態様、または第6の態様の第1から第16の可能な実装方式、のいずれか1つに関して、第6の態様の第17の可能な実装方式において、受信機によって、ネットワークデバイスによって送信されたコードブック指示情報を受信することは、ネットワークデバイスによって送信されたアップリンクスケジューリング許可メッセージ、専用上位層制御シグナリング、またはシステムブロードキャストメッセージを受信することであって、アップリンクスケジューリング許可メッセージ、専用上位層制御シグナリング、またはシステムブロードキャストメッセージはコードブック指示情報を含む、受信することを含む。
【０１３８】
第6の態様の第17の可能な実装方式に関して、第6の態様の第18の可能な実装方式において、専用上位層制御シグナリングは、無線リソース制御RRC接続セットアップメッセージとRRC接続再構成メッセージとを含む。
【０１３９】
第6の態様、または第6の態様の第1から第18の可能な実装方式、のいずれか1つに関して、第6の態様の第19の可能な実装方式において、受信機によって受信されたコードブック指示情報はビット列情報である。
【０１４０】
第6の態様、または第6の態様の第1から第19の可能な実装方式、のいずれか1つに関して、第6の態様の第20の可能な実装方式において、コードブックはスパース符号多元接続SCMAコードブックである。
【０１４１】
第6の態様の第20の可能な実装方式に関して、第6の態様の第21の可能な実装方式において、要素0の数は、コードブックに含まれているコードワード内の変調シンボルの数以上である。
【０１４２】
第6の態様、または第6の態様の第1から第21の可能な実装方式、のいずれか1つに関して、第6の態様の第22の可能な実装方式において、装置は、端末デバイスである。
【０１４３】
前述の技術的解決方法に基づき、本発明の実施形態により指示情報を伝送するための方法および装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、コードブックを使用することによってデータを伝送することができる。したがって、システムのネットワーク容量が効果的に改善され得る。
【０１４４】
本発明の実施形態における技術的解決方法をより明確に説明するために、以下において、本発明の実施形態の説明に必要な添付図面を簡単に説明する。明らかに、以下の説明の添付図面は、本発明のいくつかの実施形態を示しているにすぎず、当業者であれば、依然として、創造的労力を費やすことなくこれらの添付図面から他の図面を導き出すことができる。
【図面の簡単な説明】
【０１４５】
【図１】本発明の一実施形態が適用される通信システムの概略アーキテクチャ図である。
【図２】非直交多元接続システムの符号化原理の概略図である。
【図３】本発明の一実施形態により指示情報を伝送するための方法の概略フローチャートである。
【図４】本発明の一実施形態によりコードブック指示情報を決定するための方法の概略フローチャートである。
【図５】本発明の一実施形態によりコードブック指示情報を決定するための方法の別の概略フローチャートである。
【図６】本発明の一実施形態によりコードブック指示情報を決定するための方法のさらに別の概略フローチャートである。
【図７】本発明の一実施形態によりコードブック指示情報を決定するための方法のさらに別の概略フローチャートである。
【図８】本発明の一実施形態によりコードブック指示情報を決定するための方法のさらに別の概略フローチャートである。
【図９】本発明の一実施形態によりコードブック指示情報を決定するための方法のさらに別の概略フローチャートである。
【図１０】本発明の別の実施形態により指示情報を伝送するための方法の概略フローチャートである。
【図１１】本発明の一実施形態により第1のコードブックを決定するための方法の概略フローチャートである。
【図１２】本発明の一実施形態により第1のコードブックを決定するための方法の別の概略フローチャートである。
【図１３】本発明の一実施形態により第1のコードブックを決定するための方法のなおも別の概略フローチャートである。
【図１４】本発明の一実施形態により第1のコードブックを決定するための方法のなおも別の概略フローチャートである。
【図１５】本発明の一実施形態により第1のコードブックを決定するための方法のなおも別の概略フローチャートである。
【図１６】本発明の一実施形態により第1のコードブックを決定するための方法のなおも別の概略フローチャートである。
【図１７】本発明の一実施形態により第1のコードブックを決定するための方法のなおも別の概略フローチャートである。
【図１８】本発明の一実施形態により指示情報を伝送するための装置の概略ブロック図である。
【図１９】本発明の一実施形態による第2の決定モジュールの概略ブロック図である。
【図２０】本発明の一実施形態による第2の決定モジュールの別の概略ブロック図である。
【図２１】本発明の一実施形態による第2の決定モジュールのなおも別の概略ブロック図である。
【図２２】本発明の一実施形態による第2の決定モジュールのなおも別の概略ブロック図である。
【図２３】本発明の一実施形態による第2の決定モジュールのなおも別の概略ブロック図である。
【図２４】本発明の一実施形態による第2の決定モジュールのなおも別の概略ブロック図である。
【図２５】本発明の一実施形態により指示情報を伝送するための装置の概略ブロック図である。
【図２６】本発明の一実施形態による決定モジュールの概略ブロック図である。
【図２７】本発明の別の実施形態により指示情報を伝送するための装置の概略ブロック図である。
【図２８】本発明のなおも別の実施形態により指示情報を伝送するための装置の概略ブロック図である。
【図２９】本発明の一実施形態によりコードブック指示情報を決定するための方法のさらに別の概略フローチャートである。
【図３０】本発明の一実施形態によりコードブック指示情報を決定するための方法のさらに別の概略フローチャートである。
【図３１】本発明の一実施形態によりコードブック指示情報を決定するための方法のさらに別の概略フローチャートである。
【図３２】本発明の一実施形態により第1のコードブックを決定するための方法のなおも別の概略フローチャートである。
【図３３】本発明の一実施形態により第1のコードブックを決定するための方法のなおも別の概略フローチャートである。
【図３４】本発明の一実施形態により第1のコードブックを決定するための方法のなおも別の概略フローチャートである。
【図３５】本発明の一実施形態による第2の決定モジュールのなおも別の概略ブロック図である。
【図３６】本発明の一実施形態による第2の決定モジュールのなおも別の概略ブロック図である。
【図３７】本発明の一実施形態による第2の決定モジュールのなおも別の概略ブロック図である。
【図３８】本発明の一実施形態による決定モジュールの別の概略ブロック図である。
【発明を実施するための形態】
【０１４６】
以下では、本発明の実施形態の添付図面を参照しつつ本発明の実施形態の技術的解決方法について明確に、かつ完全に説明する。明らかに、説明されている実施形態は、本発明の実施形態のすべてではなくむしろ一部である。創造的労力を費やすことなく本発明の実施形態に基づいて当業者が得る他のすべての実施形態は、本発明の保護の範囲内に収まるものとする。
【０１４７】
本発明の実施形態における技術的解決方法は、非直交多元接続技術、たとえば、SCMAシステムに基づく様々な通信システムに適用され得ることが理解されるであろう。確かに、SCMAは、通信分野において別の名前で呼ばれることもある。さらに、本発明の実施形態における技術的解決方法は、非直交多元接続技術が使用されているマルチキャリア伝送システム、たとえば、直交周波数分割多重(Orthogonal Frequency Division Multiplexing、略して「OFDM」)システム、フィルタバンクマルチキャリア(Filter Bank Multi-Carrier、略して「FBMC」)システム、一般化周波数分割多重(Generalized Frequency Division Multiplexing、略して「GFDM」)システム、または非直交多元接続技術が使用されているフィルタ直交周波数分割多重(Filtered-OFDM、略して「F-OFDM」)システムに適用され得る。本発明の実施形態は、SCMA技術が使用される通信システムの一例のみを使用することによって説明されていることがさらに理解されるであろう。しかしながら、本発明の実施形態は、それに限定されない。
【０１４８】
本発明の実施形態において、端末デバイスは、無線アクセスネットワーク(Radio Access Network、略して「RAN」)を使用することによって1つまたは複数のコアネットワークと通信し得ることもさらに理解されるであろう。端末デバイスは、アクセス端末、ユーザ機器(User Equipment、略して「UE」)、ユーザユニット、利用者局、移動局、遠隔局、遠隔端末、モバイルデバイス、ユーザ端末、端末、ワイヤレス通信デバイス、ユーザエージェント、またはユーザ装置と称され得る。アクセス端末は、携帯電話、コードレス電話、セッション開始プロトコル(Session Initiation Protocol、略して「SIP」)電話、ワイヤレスローカルループ(Wireless Local Loop、略して「WLL」)局、携帯情報端末(Personal Digital Assistant、略してPDA)、ワイヤレス通信機能を有するハンドヘルドデバイス、コンピューティングデバイス、ワイヤレスモデムに接続されている別の処理デバイス、車載デバイス、ウェアラブルデバイス、および将来の5Gネットワークの端末デバイスであってよい。
【０１４９】
本発明の実施形態において、ネットワークデバイスは端末デバイスと通信するように構成され得ることがさらに理解されるであろう。ネットワークデバイスは、グローバル・システム・フォー・モバイル・コミュニケーションズ(Global System for Mobile communication、略して「GSM(登録商標)」)システムもしくは符号分割多元接続(Code Division Multiple Access、略して「CDMA」)システムにおける基地局(Base Transceiver Station、略して「BTS」)であり得るか、または広帯域符号分割多元接続(Wideband Code Division Multiple Access、略して「WCDMA(登録商標)」)システムにおける基地局(NodeB、略して「NB」)であり得るか、またはロングタームエボリューション(Long Term Evolution、略して「LTE」)システムにおける発展型ノードB(evolved node B、略して「eNB」または「eNodeB」)であり得るか、またはネットワークデバイスは、中継局、アクセスポイント、車載デバイス、ウェアラブルデバイス、もしくは将来の5Gネットワークにおける基地局デバイスであってよい。
【０１５０】
図1は、本発明の一実施形態が適用される通信システムの概略アーキテクチャ図である。図1に示されているように、通信システム100は、ネットワークデバイス102を備え得る。ネットワークデバイス102は、1つまたは複数のアンテナグループを含み得る。各アンテナグループは、1つまたは複数のアンテナを含むものとしてよい。たとえば、1つのアンテナグループは、アンテナ104と106とを含むことができ、別のアンテナグループは、アンテナ108と110とを含むことができ、追加のグループは、アンテナ112と114とを含むことができる。図1は、各アンテナグループが2本のアンテナを含むことを示しているが、各アンテナグループは、それよりも多いまたは少ないアンテナを有し得ることが理解されるであろう。ネットワークデバイス102は、それに加えて、送信機チェーンおよび受信機チェーンを備え得る。当業者であれば、送信機チェーンおよび受信機チェーンは両方とも、信号送信および受信に関係する複数のパーツ(たとえば、プロセッサ、変調器、マルチプレクサ、復調器、デマルチプレクサ、またはアンテナ)を備え得ることを理解し得る。
【０１５１】
ネットワークデバイス102は、複数の端末デバイス(たとえば、端末デバイス116および端末デバイス122)と通信し得る。しかしながら、ネットワークデバイス102は、端末デバイス116または122に類似する任意の数の端末デバイスと通信し得ることが理解され得る。端末デバイス116および122の各々は、たとえば、携帯電話、スマートフォン、ポータブルコンピュータ、ハンドヘルド通信デバイス、ハンドヘルドコンピューティングデバイス、衛星無線装置、全地球測位システム、PDA、および/またはワイヤレス通信システム100における通信を実行するように構成されている他の好適なデバイスであってよい。
【０１５２】
図1に示されているように、端末デバイス116は、アンテナ112および114と通信する。アンテナ112および114は、順方向リンク118を使用することによって端末デバイス116に情報を送信し、逆方向リンク120を使用することによって端末デバイス116から情報を受信する。それに加えて、端末デバイス122は、アンテナ104および106と通信する。アンテナ104および106は、順方向リンク124を使用することによって端末デバイス122に情報を送信し、逆方向リンク126を使用することによって端末デバイス122から情報を受信する。
【０１５３】
たとえば、周波数分割複信(Frequency Division Duplex、略して「FDD」)システムでは、順方向リンク118は、逆方向リンク120とは異なる周波数帯域を使用するものとしてよく、順方向リンク124は、逆方向リンク126とは異なる周波数帯域を使用するものとしてよい。たとえば、時分割複信(Time Division Duplex、略して「TDD」)システムおよび全二重(Full Duplex)システムでは、順方向リンク118および逆方向リンク120は共通の周波数帯域を使用するものとしてよく、順方向リンク124および逆方向リンク126もまた共通の周波数帯域を使用するものとしてよい。
【０１５４】
通信用に設計されているアンテナおよび/またはエリアの各グループは、ネットワークデバイス102のセクタと称される。たとえば、アンテナグループは、ネットワークデバイス102のサービスエリアのセクタ内で端末デバイスと通信するように設計され得る。ネットワークデバイス102が、順方向リンク118および124をそれぞれ使用することによって端末デバイス116および122と通信しているときに、ネットワークデバイス102の送信アンテナは、ビームフォーミングを使用して順方向リンク118および124の信号対雑音比を改善し得る。それに加えて、ネットワークデバイスが単一のアンテナを使用することによって信号をネットワークデバイスのすべての端末デバイスに送信する方式と比べて、ネットワークデバイス102がビームフォーミングを使用して信号を、関係するサービスエリア内にランダムに分散されている端末デバイス116および122に送信するときには、隣接セル内のモバイルデバイスが受ける干渉は小さくなる。
【０１５５】
与えられた時間内に、ネットワークデバイス102、端末デバイス116、または端末デバイス122は、ワイヤレス通信送信装置および/またはワイヤレス通信受信装置であり得る。データを送信するときに、ワイヤレス通信送信装置は、データを符号化して、符号化されたデータを送信し得る。特に、ワイヤレス通信送信装置は、チャネルを通じてワイヤレス通信受信装置に送信されるべき特定の数のデータビットを取得し(たとえば、データビットを生成し、別の通信装置からデータビット受信し、またはメモリに記憶されているデータビットを取得し)得る。データビットは、1つのデータトランスポートブロック(または複数のトランスポートブロック)に含まれ得る。トランスポートブロックは、複数の符号ブロックを生成するようにセグメント分割され得る。
【０１５６】
通信システムは、非直交多元接続システムであることが理解されるであろう。たとえば、システムはSCMAシステムであり、ネットワークデバイスは基地局であり、端末デバイスはユーザ機器である。本発明の実施形態は、SCMAシステム、基地局、およびユーザ機器の一例のみを使用することによって説明されている。しかしながら、本発明は、それに限定されない。
【０１５７】
図1は、本発明のこの実施形態が適用される通信システムを示している。通信システムは、たとえば、SCMAシステムである。SCMAシステムなどの非直交多元接続システム内の送信端の符号化原理が、図2を参照しつつ以下で簡単に説明される。
【０１５８】
図2に示されているように、4つのリソースユニット上で6つのデータストリームが多重化される一例を使用することによって説明がなされている。すなわち、M=6およびN=4であり、Mは正整数であってデータストリームの数を表し、Nは正整数であってリソースユニットの数を表す。1つのリソースユニットは、1つのサブキャリア、または1つのリソース要素(Resource Element、略して「RE」)、または1つのアンテナポートであってよい。6つのデータストリームは1つのグループを形成し、4つのリソースユニットは1つの符号化ユニットを形成する。
【０１５９】
図2に示されている二部グラフにおいて、データストリームがリソースユニットに接続されるときに、これは、コードワードマッピングがデータストリームの少なくとも1つのデータの組合せ上で実行された後に、非0変調シンボルがリソースユニット上で送信されることを表している。データストリームがリソースユニットに接続されていないときに、これは、コードワードマッピングがデータストリームの可能なすべてのデータの組合せ上で実行された後に、リソースユニット上で送信される変調シンボルがすべて0変調シンボルであることを表している。データストリームのデータの組合せは、次の説明を使用することによって理解されるであろう。たとえば、バイナリビットデータストリームにおいて、00、01、10、および11は、2ビットデータの可能なすべてのデータの組合せである。説明を簡単にするために、s1からs6は、二部グラフにおいて6つのデータストリームの送信されるべきデータの組合せを順次表すために使用され、x1からx4は、二部グラフにおいて4つのリソースユニット上で送信される変調シンボルを順次表すために使用される。
【０１６０】
二部グラフからわかるように、コードワードマッピングが各データストリームのデータの組合せ上で実行された後、変調シンボルは2つ以上のリソースユニット上で送信される。さらに、各リソースユニット上で送信された変調シンボルは、コードワードマッピングが2つ以上のデータストリームのデータの組合せ上でそれぞれ実行された後に取得される変調シンボルを重ね合わせることによって取得される。たとえば、コードワードマッピングがデータストリーム3の送信されるべきデータの組合せs3上で実行された後に、非0変調シンボルは、リソースユニット1およびリソースユニット2上で送信され得る。リソースユニット3上で送信された変調シンボルx3は、コードワードマッピングがデータストリーム2、データストリーム4、およびデータストリーム6の送信されるべきデータの組合せs2、s4、およびs6上でそれぞれ実行された後に取得される非0変調シンボルを重ね合わせることによって取得される。データストリームの数は、リソースユニットの数よりも大きい場合があるので、非直交多元接続システムは、ネットワーク容量を効果的に改善し得る。ネットワーク容量は、システムにアクセスできるユーザの数、システムのスペクトル効率、および同様のものを含む。
【０１６１】
本発明のこの実施形態における応用シナリオおよび符号化原理は、図1および図2を参照しつつ上で説明されている。本発明の実施形態により指示情報を伝送するための方法は、図3から図9を参照しつつネットワークデバイスの観点から以下で説明されている。
【０１６２】
図3は、本発明の一実施形態により指示情報を伝送するための方法200を示している。方法200は、たとえば、非直交多元接続システムにおいてネットワークデバイスによって実行され得る。ネットワークデバイスは、たとえば、基地局である。図3に示されているように、方法200は以下のステップを含む。
【０１６３】
S210:1つまたは複数のコードブックに従って、アップリンクデータストリームを送信するために端末デバイスによって使用されるべき第1のコードブックを決定し、コードブックは2つ以上のコードワードを含み、コードワードは多次元複素ベクトルであり、データと少なくとも2つの変調シンボルとの間のマッピング関係を表すために使用され、少なくとも2つの変調シンボルは少なくとも1つの0変調シンボルと少なくとも1つの非0変調シンボルとを含む。
【０１６４】
S220:第1のコードブックを示すために使用されるコードブック指示情報を決定する。
【０１６５】
S230:コードブック指示情報を端末デバイスに送信する。
【０１６６】
特に、SCMAシステムなどの非直交多元接続システムでは、ネットワークデバイスは、コードブックを端末デバイスの送信されるべきアップリンクデータストリームに割り当てるか、または指定する。ネットワークデバイスによって割り当てられたコードブックを端末デバイスに通知するために、ネットワークデバイスは、コードブック指示情報を決定し、コードブック指示情報を端末デバイスに送信し得る。コードブック指示情報は、アップリンクデータストリームを送信するために端末デバイスによって使用されるべきコードブックを示すために使用される。ネットワークデバイスによって送信されたコードブック指示情報を受信した後に、端末デバイスは、コードブック指示情報に従って、アップリンクデータストリームを送信するために使用されるべきコードブックを決定するものとしてよく、コードブックに従ってアップリンクデータストリームを送信することができる。したがって、ネットワークデバイスと端末デバイスとの間の情報交換によって、端末デバイスは、ネットワークデバイスによって割り当てられたコードブックを決定することができ、非直交多元接続システムは、通常の動作をすることができる。
【０１６７】
したがって、本発明のこの実施形態により指示情報を伝送するための方法について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０１６８】
本発明のこの実施形態において、非直交多元接続技術において、コードブックを使用することによって同じリソースユニット上で複数の異なるデータストリームが伝送される、すなわち、同じリソースユニット上で複数の異なるデータストリームが多重化され、異なるデータストリームに対して異なるコードブックが使用され、これによりリソースの利用度を改善する。データストリームは、同じ端末デバイスから来るものであっても、異なる端末デバイスから来るものであってもよい。
【０１６９】
コードワードは、多次元複素ベクトルとして表現され得る。複素ベクトルは、2つ以上の次元を有するものとしてよく、データと2つ以上の変調シンボルとの間のマッピング関係を表すために使用される。変調シンボルは、少なくとも1つの0変調シンボルと少なくとも1つの非0変調シンボルとを含む。データは、バイナリビットデータまたはq進データであってよい。コードブックは、2つ以上のコードワードを含み得る。コードブックは、特定の長さを有するデータの可能なデータの組合せとコードブック内のコードワードとの間のマッピング関係を表し得る。
【０１７０】
したがって、非直交多元接続技術では、データストリーム内のデータは、特定のマッピング関係に従ってコードブック内のコードワード、すなわち、コードブック内の多次元複素ベクトルに直接マッピングされ、それにより、拡散方式で複数のリソースユニット上でのデータの送信を実装する。データは、バイナリビットデータであり得るか、またはq進データであり得る。リソースユニットは、時間領域、周波数領域、空間領域、時間周波数領域、時間空間領域、または時間周波数空間領域内のリソースユニットであってよい。
【０１７１】
コードワード、コードブック、および図2に示されている二部グラフに関する前述の説明を参照すると、コードブック内のコードワードは、通常、
【０１７２】
【数１】
0006517346.tif 000002
【０１７３】
ここで、1≦q≦Qm
という形式を有し、
2つ以上のコードワードを含むコードブックは、通常、
【０１７４】
【数２】
0006517346.tif 000003
【０１７５】
という形式を有し、
ここで、Nは、1よりも大きい正整数であり、符号化ユニットに含まれるリソースユニットの数を表し得るか、またはコードワードの長さとして理解され得る。Qmは、1よりも大きい正整数であり、コードブックに含まれるコードワードの数を表し、変調次数に対応する。たとえば、4相位相シフトキーイング(Quadrature Phase Shift Keying、略して「QPSK」)または4次変調の場合には、Qmは値4を取り、qは正整数であり、1≦q≦Qmである。
【０１７６】
コードブックおよびコードワードに含まれる要素cn,qは、複素数であり、cn,q=α*exp(j*β)、ここで、1≦n≦N、1≦q≦Qmと数学的に表されるものとしてよく、αおよびβは、実数であってよい。特定のマッピング関係が、コードブック内のコードワードとデータストリームのデータの組合せとの間に形成され得る。たとえば、コードブック内のコードワードとバイナリデータストリームの2ビットのデータの組合せとの間に、次のマッピング関係が形成され得る。「00」はコードワード1にマッピングされるものとしてよく、「01」はコードワード2にマッピングされるものとしてよく、「10」はコードワード3にマッピングされるものとしてよく、「11」はコードワード4にマッピングされるものとしてよく、コードワード1、コードワード2、コードワード3、およびコードワード4は、それぞれ次のように表され得る。
コードワード1
【０１７７】
【数３】
0006517346.tif 000004
【０１７８】
、コードワード2
【０１７９】
【数４】
0006517346.tif 000005
【０１８０】
、コードワード3
【０１８１】
【数５】
0006517346.tif 000006
【０１８２】
、およびコードワード4
【０１８３】
【数６】
0006517346.tif 000007
【０１８４】
前述の二部グラフを参照すると、データストリームがリソースユニットに接続されたときに、データストリームに対応するコードブックおよびコードブック内のコードワードは次のような特性を有するべきである。コードブック内の少なくとも1つのコードワードについて、非0変調シンボルが、対応するリソースユニット上で送信される。たとえば、データストリーム3がリソースユニット1に接続される場合、データストリーム3に対応するコードブック内の少なくとも1つのコードワードは、c1,q≠0、ここで、1≦q≦Qmという条件を満たす。データストリームがリソースユニットに接続されていないときに、データストリームに対応するコードブックおよびコードブック内のコードワードは次のような特性を有するべきである。コードブック内のすべてのコードワードについて、0変調シンボルが対応するリソースユニット上で送信される。たとえば、データストリーム3がリソースユニット3に接続されていない場合、データストリーム3に対応するコードブック内の任意のコードワードは、c3,q=0、ここで、1≦q≦Qm、という条件を満たす。
【０１８５】
要するに、変調次数がQPSKまたは4次変調であるときに、前述の二部グラフにおけるデータストリーム3に対応するコードブックは、次の形式および特性を有するものとしてよく、
【０１８６】
【数７】
0006517346.tif 000008
【０１８７】
ここで、cn,q=α*exp(j*β)、1≦n≦2、1≦q≦4であり、αおよびβは、任意の実数であってよく、任意のq、1≦q≦4、について、c1,qおよびc2,qは同時に0ではなく、q1およびq2を含む少なくとも1つのグループは、
【０１８８】
【数８】
0006517346.tif 000009
【０１８９】
および
【０１９０】
【数９】
0006517346.tif 000010
【０１９１】
であることを可能にし、1≦q1≦4および1≦q2≦4である。たとえば、図2に示されているデータストリーム3のデータの組合せs3が「10」である場合、前述のマッピング規則に従って、データの組合せs3がマッピングされるコードワードは、4次元複素ベクトル
【０１９２】
【数１０】
0006517346.tif 000011
【０１９３】
である。
【０１９４】
非直交多元接続システムでは、図2に示されている二部グラフは、特性行列を使用することによっても表され得る。特性行列は、次のような形式をとり得る。
【０１９５】
【数１１】
0006517346.tif 000012
【０１９６】
ここで、rn,mは特性行列内の要素を表し、mおよびnは自然数、1≦n≦N、1≦m≦Mであり、N行はそれぞれ1つの符号化ユニットにおけるN個のリソースユニットを表し、M列は1つのグループ内で多重化されたデータストリームの数をそれぞれ表す。特性行列は一般形式で表され得るが、特性行列は次の特性を有するものとしてよい。
【０１９７】
(1)特性行列内の要素は、rn,m∈{0,1}、ここで、1≦n≦N、1≦m≦M、である。rn,m=1のときに、m番目のデータストリームがn番目のリソースユニットに接続されていることが、対応する二部グラフを使用することによって説明され得る。確かに、rn,m=1であるときに、コードワードマッピングがm番目のデータストリームの少なくとも1つのデータの組合せ上で実行された後に、非0変調シンボルがn番目のリソースユニット上で送信されることも理解され得る。rn,m=0のときに、m番目のデータストリームがn番目のリソースユニットに接続されていないことが、対応する二部グラフを使用することによって説明され得る。確かに、rn,m=0であるときに、コードワードマッピングがm番目のデータストリームの可能なすべてのデータの組合せ上で実行された後に、0変調シンボルがn番目のリソースユニット上で送信されることも理解され得る。
【０１９８】
(2)さらに、適宜、特性行列内の要素0の数は、要素1の数以上であり、それによりスパース符号化の特性を反映する。
【０１９９】
さらに、特性行列内の列は、特性シーケンスとして称され得る。特性シーケンスは、次のような表現形式
【０２００】
【数１２】
0006517346.tif 000013
【０２０１】
を有するものとしてよく、ここで、1≦m≦Mである。
【０２０２】
したがって、特性行列は、一連の特性シーケンスを含む行列としてもみなされ得る。
【０２０３】
前述の特性行列の特性の説明を参照すると、図2に示されている例について、対応する特性行列は、
【０２０４】
【数１３】
0006517346.tif 000014
【０２０５】
として表され得る。
【０２０６】
さらに、図2のデータストリーム3において使用されるコードブック
【０２０７】
【数１４】
0006517346.tif 000015
【０２０８】
に対応する特性シーケンスは、
【０２０９】
【数１５】
0006517346.tif 000016
【０２１０】
として表され得る。
【０２１１】
したがって、コードブックと特性シーケンスとの間の対応関係は、一対一関係としてみなされ得る、すなわち、1つのコードブックは1つの特性シーケンスに一意的に対応する。特性シーケンスとコードブックとの間の対応関係は、一対多関係であり得る、すなわち、1つの特性シーケンスは、1つまたは複数のコードブックに対応し得る。したがって、特性シーケンスは、次のように理解され得る。特性シーケンスは1つまたは複数のコードブックに対応し、各特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す。
【０２１２】
特性シーケンスとコードブックとの間の対応関係は、次の2つの条件によって決定され得る。
【０２１３】
(1)コードブックのコードワード内の変調シンボルの総数は、対応する特性シーケンス内の要素の総数と同じである。
【０２１４】
(2)特性シーケンス内の任意の要素1について、対応するコードブック内に少なくとも1つのコードワードが見つかるものとしてよく、それにより、要素1の位置におけるコードワードの変調シンボルは、0変調シンボルではない。特性シーケンス内の任意の要素0について、対応するコードブック内のすべてのコードワードの変調シンボルである、要素0に対応する位置にある変調シンボルはすべて0変調シンボルである。
【０２１５】
したがって、本発明のこの実施形態において、コードブックは2つ以上のコードワードを含み、コードワードは多次元複素ベクトルであり、データと少なくとも2つの変調シンボルとの間のマッピング関係を表すために使用され、少なくとも2つの変調シンボルは少なくとも1つの0変調シンボルと少なくとも1つの非0変調シンボルとを含む。各特性行列は2つ以上の特性シーケンスを含み、各特性行列は1つまたは複数のコードブックに対応し、各特性シーケンスも1つまたは複数のコードブックに対応する。特性シーケンスは要素0と要素1とを含む。要素0は対応するコードブック内のすべてのコードワードの変調シンボルである、要素0に対応する位置にある変調シンボルがすべて0変調シンボルであることを表す。要素1は対応するコードブック内のすべてのコードワードの変調シンボルである、要素1に対応する位置にある変調シンボルがすべて0変調シンボルであるとは限らないか、またはすべて非0変調シンボルであることを表す。
【０２１６】
本発明のこの実施形態において、複数のコードブックは1つまたは複数のコードブッククラスタにグループ分けされ得る。各コードブッククラスタは1つまたは複数のコードブックを含むものとしてよい。同じコードブッククラスタ内の任意の2つのコードブック、たとえば、コードブックaおよびコードブックbは、次の特性を有する。コードブックa内のコードワードおよびコードブックb内のコードワードは、同じ総数の変調シンボルを有する。したがって、コートブッククラスタ内のコードブックは、すべてのコードワードが同じ総数の変調シンボルを有する、すなわち、すべてのコードワードが同じ長さを有する、すなわち、データストリームが同じ数のリソースユニット上で多重化されるという条件を満たす。
【０２１７】
本発明のこの実施形態において、複数のコードブックは、1つまたは複数のコードブック集合にさらにグループ分けされ得る。各コードブック集合は1つまたは複数のコードブックを含むものとしてよい。同じコードブック集合内の任意の2つのコードブック、たとえば、コードブックcおよびコードブックdは、次の特性を有する。(1)コードブックc内のコードワードおよびコードブックd内のコードワードは、同じ総数の変調シンボルを有する。(2)コードブックc内のすべてのコードワードの変調シンボルが0変調シンボルである位置において、コードブックd内のすべてのコードワードの変調シンボルもすべて0変調シンボルである。
【０２１８】
図2は、説明を行うための一例としてそのまま使用される。変調次数がQPSKまたは4次変調である場合、図2のデータストリーム1で使用されているコードブックは、コードブック1として表され、データストリーム3で使用されているコードブックは、コードブック3として表され得る。コードブック1およびコードワード3は、それぞれ、次のように表され得る。
コードブック1
【０２１９】
【数１６】
0006517346.tif 000017
【０２２０】
およびコードブック3
【０２２１】
【数１７】
0006517346.tif 000018
【０２２２】
ここで、cn,q=α*exp(j*β)、n∈{2,4}、1≦q≦4であり、αおよびβは、任意の実数であってよく、任意のq、1≦q≦4、について、c2,qおよびc4,qは同時に0ではなく、q1およびq2を含む少なくとも1つのグループは、
【０２２３】
【数１８】
0006517346.tif 000019
【０２２４】
および
【０２２５】
【数１９】
0006517346.tif 000020
【０２２６】
であることを可能にし、1≦q1≦4および1≦q2≦4である。
【０２２７】
コードブック1のすべてのコードワードの変調シンボルであり、位置3にある(すなわち、第3のリソースユニットに対応する、n=3)変調シンボルは、0変調シンボルである。コードブック3のすべてのコードワードの変調シンボルであり、位置3にある変調シンボルは、すべて0変調シンボルでもある。しかしながら、コードブック1のすべてのコードワードの変調シンボルであり、位置1にある(すなわち、第1のリソースユニットに対応する、n=1)変調シンボルは、すべて0変調シンボルであり、コードブック3のすべてのコードワードの変調シンボルであり、位置1にある変調シンボルは、すべて0変調シンボルであるとは限らない。したがって、コードブック1およびコードブック3は、同じコードブック集合に属していない。
【０２２８】
別の例では、次の特性を有するコードブック2については、コードブック2は次のように表され得る。
コードブック2
【０２２９】
【数２０】
0006517346.tif 000021
【０２３０】
ここで、dn,q=α*exp(j*β)、1≦n≦2、1≦q≦4であり、αおよびβは、任意の実数であってよく、任意のq、1≦q≦4、について、d1,qおよびd2,qは同時に0ではなく、q1およびq2を含む少なくとも1つのグループは、
【０２３１】
【数２１】
0006517346.tif 000022
【０２３２】
および
【０２３３】
【数２２】
0006517346.tif 000023
【０２３４】
であることを可能にし、1≦q1≦4および1≦q2≦4である。
【０２３５】
コードブック2のすべてのコードワードの変調シンボルであり、位置1および2にある(すなわち、第1のリソースユニットおよび第2のリソースユニットに対応する、n=1,2)変調シンボルは、すべて0変調シンボルである。コードブック3のすべてのコードワードの変調シンボルであり、位置1および2にある変調シンボルも、すべて0変調シンボルである。コードブック2のすべてのコードワードの変調シンボルであり、位置1および2にある変調シンボルのみ、すべて0変調シンボルであり、コードブック3のすべてのコードワードの変調シンボルであり、位置1および2にある変調シンボルのみも、すべて0変調シンボルである。すなわち、コードブック2およびコードブック3は、すべてのコードワードの変調シンボルが0変調シンボルである同じ位置、すなわち、位置1および位置2を有する。したがって、コードブック2およびコードブック3は、同じコードブック集合に属している。
【０２３６】
要するに、本発明のこの実施形態において、各コードブッククラスタは1つまたは複数のコードブック集合を含み、各コードブック集合は1つまたは複数のコードブックを含み、各コードブックは2つ以上のコードワードを含む。各コードブッククラスタは同じコードブッククラスタ内のコードワードが同じ総数の変調シンボルを有するという条件を満たす。各コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。
【０２３７】
非直交多元接続システムでは、コードブックが直接表され、記憶され得ることがさらに理解されるであろう。たとえば、前述のコードブックまたはコードブック内のコードワードは直接記憶されるか、または対応する特性シーケンス要素がコードワード内の要素1である位置にある変調シンボルのみが記憶される。したがって、本発明の適用時に、非直交多元接続システム内のネットワークデバイスおよび端末デバイスは両方とも、次の事前設計されたコンテンツの一部または全部を記憶し得ると仮定される必要がある。
【０２３８】
(1)1つまたは複数の特性行列
【０２３９】
【数２３】
0006517346.tif 000024
【０２４０】
ここで、rn,m∈{0,1}、1≦n≦N、1≦m≦M、MおよびNは両方とも1よりも大きい正整数であり、Mは多重化されたデータストリームの数を表すものとしてよく、Nは1つの符号化ユニットに含まれるリソースユニットの数を表し得るか、またはコードワードの長さとして理解され得る。
(2)1つまたは複数の特性シーケンス:
【０２４１】
【数２４】
0006517346.tif 000025
【０２４２】
ここで、1≦m≦M
(3)1つまたは複数のコードブック:
【０２４３】
【数２５】
0006517346.tif 000026
【０２４４】
ここで、Qm≧2、Qmはコートブックに対応する変調次数を表すものとしてよく、各コードブックは変調次数に対応するものとしてよく、Nは、1よりも大きい正整数であり、1つの符号化ユニットに含まれるリソースユニットの数として表され得るか、またはコードワードの長さとして理解され得る。
【０２４５】
本発明の実施形態によりコードブック指示情報を決定するための方法220は、図4から図9を参照しつつ以下で詳しく説明されている。
【０２４６】
図4に示されているように、本発明の一実施形態において、適宜、第1のコードブックを示すために使用されるコードブック指示情報を決定するステップは、以下のステップを含む。
【０２４７】
S2211:第1のコードブックが属している第1のコードブック集合と、第1のコードブック集合が属している第1のコードブッククラスタとを決定し、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす。
【０２４８】
S2212:コードブック指示情報を決定し、コードブック指示情報は第1のコードブッククラスタ情報、第1のコードブック集合情報、および第1のコードブック情報を含み、第1のコードブッククラスタ情報は第1のコードブッククラスタを示すために使用され、第1のコードブック集合情報は、第1のコードブッククラスタ内の第1のコードブック集合を示すために使用され、第1のコードブック情報は第1のコードブック集合内の第1のコードブックを示すために使用される。
【０２４９】
特に、本発明のこの実施形態において、ネットワークデバイスおよび端末デバイスは、事前設計されたコードブックを記憶し得る。コードブックは、1つまたは複数のコードブック集合にグループ分けされるものとしてよい。各コードブック集合は1つまたは複数のコードブックを含む。各コードブックは変調次数に対応する。同じコードブック集合内の任意の2つのコードブック、たとえば、コードブックaおよびコードブックbは、次の特性を有する。コードブックa内のコードワードおよびコードブックb内のコードワードは、同じ総数の変調シンボルを有する。すべてのコードワードの変調シンボルがコードブックa内の0変調シンボルである位置において、コードブックb内のすべてのコードワードの変調シンボルもすべて0変調シンボルである。すなわち、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。
【０２５０】
前述の方式でグループ分けすることによって取得された1つまたは複数のコードブック集合は、1つまたは複数のコードブッククラスタにさらにグループ分けされ得る。各コードブッククラスタは1つまたは複数のコードブック集合を含む。同じコードブッククラスタ内の任意の2つのコードブック集合、たとえば、コードブック集合Aおよびコードブック集合Bは、次の特性を有する。コードブック集合A内のコードワードおよびコードブック集合B内のコードワードは、同じ総数の変調シンボルを有する、すなわち、すべてのコードワードは同じ長さを有する、すなわち、データストリームは、同じ数のリソースユニット上で多重化される。すなわち、コードブッククラスタは同じコードブッククラスタ内のコードワードが同じ総数の変調シンボルを有するという条件を満たす。
【０２５１】
本発明のこの実施形態において、ネットワークデバイスによって決定され、第1のコードブックを示すために使用されるコードブック指示情報は、第1のコードブッククラスタ情報、第1のコードブック集合情報、および第1のコードブック情報を含み得る。たとえば、コードブック指示情報は、3つの論理情報セグメントを含み得る。論理情報セグメント1は、データストリームを送信するために端末デバイスによって使用されるべき第1のコードブッククラスタを示すために使用される第1のコードブッククラスタ情報を搬送し得る。論理情報セグメント2は、第1のコードブッククラスタ内にある、データストリームを送信するために端末デバイスによって使用されるべきである、第1のコードブック集合を示すために使用される第1のコードブック集合情報を搬送し得る。論理情報セグメント3は、第1のコードブック集合内にある、データストリームを送信するために端末デバイスによって使用されるべきである、第1のコードブックを示すために使用される第1のコードブック情報を搬送し得る。
【０２５２】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０２５３】
したがって、たとえば、命令、またはコードブック指示情報を伝えるメッセージを受信した後に、端末デバイスは、論理情報セグメント1に従って、送信されるべきアップリンクデータストリームを送信するためにコードブックが使用されるべきであるコードブッククラスタを知ることができ、論理情報セグメント2に従って、論理情報セグメント1によって示されるコードブッククラスタ内にある、送信されるべきアップリンクデータストリームを送信するためにコードブックが使用されるべきである、コードブック集合を知ることができ、論理情報セグメント3に従って、論理情報セグメント2によって示されるコードブック集合内にあるどのコードブックが、送信されるべきアップリンクデータストリームを送信するために使用されるべきであるかを知ることができる。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０２５４】
本発明のこの実施形態において、コードブック集合内の2つの異なるコードブックが異なる変調次数に対応するときに、論理情報セグメント3は、変調次数を示すことによって、コードブック集合内にある、送信されるべきアップリンクデータストリームを送信するために端末デバイスによって使用されるべきである、コードブックをさらに示し得る。したがって、端末デバイスは、論理情報セグメント3に従って、送信されるべきアップリンクデータストリームに対応する変調次数を知ることができ、それにより、第1のコードブック集合情報によって示されるコードブック集合内にある、変調次数と一対一対応関係にある、第1のコードブックは、決定され得る。
【０２５５】
すなわち、本発明のこの実施形態において、適宜、第1のコードブック情報は、第1のコードブックの変調次数情報を含み、第1のコードブック集合に含まれるコードブックの変調次数は、異なる、すなわち、第1のコードブック集合内のコードブックは、変調次数と一対一対応関係にある。
【０２５６】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、コードブッククラスタインデックス値とコードブッククラスタとの間のインデックス関係、コードブック集合インデックス値と各コードブッククラスタ内のコードブック集合との間のインデックス関係、およびコードブックインデックス値と各コードブック集合内のコードブックとの間のインデックス関係である。したがって、ネットワークデバイスおよび端末デバイスは、論理情報セグメントによって示されるインデックス値に従って、あらかじめ確立されている関係するインデックス関係を使用することによって、対応するコードブッククラスタ、コードブック集合、およびコードブックを一意的に決定することができる。
【０２５７】
本発明のこの実施形態において、ネットワークデバイスおよび端末デバイスは、複数の方法を使用することによってコードブックをあらかじめ記憶し得るが、次の2つの条件が満たされる必要があることもさらに理解されるであろう。第一に、ネットワークデバイスおよび端末デバイスは、記憶されているコードブックに従って、1つの符号化ユニットに含まれる一定数のリソースユニットまたはサブキャリアまたはリソース要素を知ることができる。第二に、ネットワークデバイスおよび端末デバイスは、記憶されているコードブックに従って、端末デバイスによって送信されるべき非0変調シンボルおよび使用されるべき1つの符号化ユニットのリソースユニットまたはサブキャリアまたはリソース要素を知ることができる。
【０２５８】
前述の記憶条件を満たすための単純で直接的な方法は、前述の形式でコードブックを記憶することであり、コードワードのすべて0変調シンボルおよび非0変調シンボルが記憶される。
【０２５９】
【数２６】
0006517346.tif 000027
【０２６０】
たとえば、変調次数がQPSKまたは4次変調であるときに、図2の可変ノード3で使用されるコードブックは、
【０２６１】
【数２７】
0006517346.tif 000028
【０２６２】
として記憶され得る。
【０２６３】
コードブックが前述の方式で記憶された後、コードワード内の0変調シンボルおよび非0変調シンボルの総数は、1つの符号化ユニットに含まれるリソースユニットまたはサブキャリアまたはリソース要素の数である。非0変調シンボルの位置および値は、端末デバイスが1つの符号化ユニットの対応する位置においてリソースユニットまたはサブキャリアまたはリソース要素上で対応する値を有する非0変調シンボルを送信すべきであることを表す。たとえば、図2の可変ノード3におけるコードブックが使用されるときに、端末デバイスは、1つ符号化ユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信し、ここで、cn,q=α*exp(j*β)、1≦n≦2、1≦q≦4であり、αおよびβは、任意の実数であってよく、任意のq、1≦q≦4、について、c1,qおよびc2,qは同時に0ではなく、q1およびq2を含む少なくとも1つのグループは、
【０２６４】
【数２８】
0006517346.tif 000029
【０２６５】
および
【０２６６】
【数２９】
0006517346.tif 000030
【０２６７】
であることを可能にし、1≦q1≦4および1≦q2≦4である。
【０２６８】
本発明のこの実施形態は、一例として前述の解決方法を使用することのみによって説明されているが、本発明は、それに限定されないことがさらに理解されるであろう。たとえば、ネットワークデバイスおよび端末デバイスによってあらかじめ記憶されているすべてのコードブックが、同じコードブッククラスタに属しているときに、コードブック指示情報は、第1のコードブック集合情報および第1のコードブック情報のみを含み得る。別の例では、ネットワークデバイスおよび端末デバイスによってあらかじめ記憶されているすべてのコードブックが、同じコードブック集合に属しているときに、コードブック指示情報は、第1のコードブッククラスタ情報および第1のコードブック情報のみを含み得る。別の例では、ネットワークデバイスおよび端末デバイスが両方とも、既定により同じ固定変調次数を使用するときに、コードブック指示情報は、第1のコードブッククラスタ情報および第1のコードブック集合情報のみを含み得る。別の例では、ネットワークデバイスおよび端末デバイスが両方とも、既定により、同じ固定数を有するコードブック集合を使用するときに、コードブック指示情報は、第1のコードブッククラスタ情報および第1のコードブック情報のみを含み得る。
【０２６９】
したがって、ネットワークデバイスは、より少ない情報を使用して、アップリンクデータストリームを送信するために端末デバイスによって使用されるべき第1のコードブックを示し得る。したがって、前述の方法に従って、システムのネットワーク容量が効果的に改善され得るだけでなく、システムオーバーヘッドも低減され得る。
【０２７０】
図5は、本発明の実施形態によりコードブック指示情報を決定するための方法220の別の実施形態を示している。図5に示されているように、本発明のこの実施形態において、適宜、第1のコードブックを示すために使用されるコードブック指示情報を決定するステップは、以下のステップを含む。
【０２７１】
S2221:第1のコードブックが属している第2のコードブック集合を決定し、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。
【０２７２】
S2222:コードブック指示情報を決定し、コードブック指示情報は第2のコードブック集合情報および第2のコードブック情報を含み、第2のコードブック集合情報は第2のコードブック集合を示すために使用され、第2のコードブック情報は第2のコードブック集合内の第1のコードブックを示すために使用される。
【０２７３】
特に、本発明のこの実施形態において、ネットワークデバイスおよび端末デバイスは、事前設計されたコードブックを記憶し得る。コードブックは、1つまたは複数のコードブック集合にグループ分けされるものとしてよい。各コードブック集合は1つまたは複数のコードブックを含む。各コードブックは変調次数に対応する。同じコードブック集合内の任意の2つのコードブック、たとえば、コードブックaおよびコードブックbは、次の特性を有する。コードブックa内のコードワードおよびコードブックb内のコードワードは、同じ総数の変調シンボルを有する。すべてのコードワードの変調シンボルがコードブックa内の0変調シンボルである位置において、コードブックb内のすべてのコードワードの変調シンボルもすべて0変調シンボルである。すなわち、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。
【０２７４】
本発明のこの実施形態において、ネットワークデバイスによって決定され、第1のコードブックを示すために使用されるコードブック指示情報は、第2のコードブック集合情報および第2のコードブック情報を含み得る。たとえば、コードブック指示情報は、2つの論理情報セグメントを含み得る。論理情報セグメント1は、データストリームを送信するために端末デバイスによって使用されるべき第2のコードブック集合を示すために使用される第2のコードブック集合情報を搬送し得る。論理情報セグメント2は、第2のコードブック集合内にある、データストリームを送信するために端末デバイスによって使用されるべきである、第1のコードブックを示すために使用される第2のコードブック情報を搬送し得る。
【０２７５】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０２７６】
したがって、たとえば、命令、またはコードブック指示情報を伝えるメッセージを受信した後に、端末デバイスは、論理情報セグメント1に従って、送信されるべきアップリンクデータストリームを送信するためにコードブックが使用されるべきであるコードブック集合を知ることができ、論理情報セグメント2に従って、論理情報セグメント1によって示されるコードブック集合内にあるどのコードブックが、送信されるべきアップリンクデータストリームを送信するために使用されるべきであるかを知ることができる。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０２７７】
本発明のこの実施形態において、コードブック集合内の2つの異なるコードブックが異なる変調次数に対応するときに、論理情報セグメント2は、変調次数を示すことによって、コードブック集合内にある、送信されるべきアップリンクデータストリームを送信するために端末デバイスによって使用されるべきである、コードブックをさらに示し得る。したがって、端末デバイスは、論理情報セグメント2に従って送信されるべきアップリンクデータストリームに対応する変調次数を知ることができ、それにより、第2のコードブック集合情報によって示されるコードブック集合内にある、変調次数と一対一対応関係にある、第1のコードブックは、決定され得る。
【０２７８】
すなわち、本発明のこの実施形態において、適宜、第2のコードブック情報は、第1のコードブックの変調次数情報を含み、第2のコードブック集合に含まれるコードブックの変調次数は、異なる、すなわち、第2のコードブック集合内のコードブックは、変調次数と一対一対応関係にある。
【０２７９】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、コードブック集合インデックス値とコードブック集合との間のインデックス関係およびコードブックインデックス値と各コードブック集合内のコードブックとの間のインデックス関係であり、それにより、ネットワークデバイスおよび端末デバイスは、論理情報セグメントによって示されるインデックス値に従って、あらかじめ確立されている関係するインデックス関係を使用することによって、対応するコードブック集合およびコードブックを一意的に決定することができる。
【０２８０】
本発明のこの実施形態において、ネットワークデバイスおよび端末デバイスは、複数の方法を使用することによってコードブックをあらかじめ記憶し得るが、次の2つの条件が満たされる必要があることもさらに理解されるであろう。第一に、ネットワークデバイスおよび端末デバイスは、記憶されているコードブックに従って、1つの符号化ユニットに含まれる一定数のリソースユニットまたはサブキャリアまたはリソース要素を知ることができる。第二に、ネットワークデバイスおよび端末デバイスは、記憶されているコードブックに従って、端末デバイスによって送信されるべき非0変調シンボルおよび使用されるべき1つの符号化ユニットのリソースユニットまたはサブキャリアまたはリソース要素を知ることができる。
【０２８１】
前述の記憶条件を満たすための単純で直接的な方法は、前述の形式でコードブックを記憶することであり、コードワードのすべて0変調シンボルおよび非0変調シンボルが記憶される。
【０２８２】
【数３０】
0006517346.tif 000031
【０２８３】
たとえば、変調次数がQPSKまたは4次変調であるときに、図2の可変ノード3で使用されるコードブックは、
【０２８４】
【数３１】
0006517346.tif 000032
【０２８５】
として記憶され得る。
【０２８６】
コードブックが前述の方式で記憶された後、コードワード内の0変調シンボルおよび非0変調シンボルの総数は、1つの符号化ユニットに含まれるリソースユニットまたはサブキャリアまたはリソース要素の数である。非0変調シンボルの位置および値は、端末デバイスが1つの符号化ユニットの対応する位置においてリソースユニットまたはサブキャリアまたはリソース要素上で対応する値を有する非0変調シンボルを送信すべきであることを表す。たとえば、図2の可変ノード3におけるコードブックが使用されるときに、端末デバイスは、1つの符号化ユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信し、ここで、cn,q=α*exp(j*β)、1≦n≦2、1≦q≦4であり、αおよびβは、任意の実数であってよく、任意のq、1≦q≦4、について、c1,qおよびc2,qは同時に0ではなく、q1およびq2を含む少なくとも1つのグループは、
【０２８７】
【数３２】
0006517346.tif 000033
【０２８８】
および
【０２８９】
【数３３】
0006517346.tif 000034
【０２９０】
であることを可能にし、1≦q1≦4および1≦q2≦4である。
【０２９１】
本発明のこの実施形態は、一例として前述の解決方法を使用することのみによって説明されているが、本発明は、それに限定されないことがさらに理解されるであろう。たとえば、ネットワークデバイスおよび端末デバイスによってあらかじめ記憶されているすべてのコードブックが、同じコードブック集合に属しているときに、コードブック指示情報は、第2のコードブック情報のみを含み得る。別の例では、ネットワークデバイスおよび端末デバイスが両方とも、既定により同じ固定変調次数を使用するときに、コードブック指示情報は、第2のコードブック集合情報のみを含み得る。別の例では、ネットワークデバイスおよび端末デバイスが両方とも、既定により、同じ固定数を有するコードブック集合を使用するときに、コードブック指示情報は、第2のコードブック情報のみを含み得る。
【０２９２】
したがって、ネットワークデバイスは、より少ない情報を使用して、アップリンクデータストリームを送信するために端末デバイスによって使用されるべき第1のコードブックを示し得る。したがって、前述の方法に従って、システムのネットワーク容量が効果的に改善され得るだけでなく、システムオーバーヘッドも低減され得る。
【０２９３】
図6は、本発明の実施形態によりコードブック指示情報を決定するための方法220の別の実施形態を示している。図6に示されているように、本発明のこの実施形態において、適宜、第1のコードブックを示すために使用されるコードブック指示情報を決定するステップは、以下のステップを含む。
【０２９４】
S2231:第1のコードブックが属している第2のコードブッククラスタを決定し、各コードブッククラスタは少なくとも1つのコードブックを含み、コードブッククラスタは同じコードブッククラスタ内のコードワードが同じ総数の変調シンボルを有するという条件を満たす。
【０２９５】
S2232:コードブック指示情報を決定し、コードブック指示情報は第2のコードブッククラスタ情報および第3のコードブック情報を含み、第2のコードブッククラスタ情報は第2のコードブッククラスタを示すために使用され、第3のコードブック情報は第2のコードブッククラスタ内の第1のコードブックを示すために使用される。
【０２９６】
特に、本発明のこの実施形態において、ネットワークデバイスおよび端末デバイスは、事前設計されたコードブックを記憶し得る。コードブックは、1つまたは複数のコードブッククラスタにグループ分けされるものとしてよい。各コードブッククラスタは1つまたは複数のコードブックを含む。同じコードブッククラスタ内の任意の2つのコードブック、たとえば、コードブックaおよびコードブックbは、次の特性を有する。コードブックa内のコードワードおよびコードブックb内のコードワードは、同じ総数の変調シンボルを有する、すなわち、すべてのコードワードは同じ長さを有する、すなわち、データストリームは、同じ数のリソースユニット上で多重化される。すなわち、コードブッククラスタは同じコードブッククラスタ内のコードワードが同じ総数の変調シンボルを有するという条件を満たす。
【０２９７】
本発明のこの実施形態において、ネットワークデバイスによって決定され、第1のコードブックを示すために使用されるコードブック指示情報は、第2のコードブッククラスタ情報および第3のコードブック情報を含み得る。たとえば、コードブック指示情報は、2つの論理情報セグメントを含み得る。論理情報セグメント1は、データストリームを送信するために端末デバイスによって使用されるべき第1のコードブッククラスタを示すために使用される第2のコードブッククラスタ情報を搬送し得る。論理情報セグメント2は、第2のコードブッククラスタ内にある、データストリームを送信するために端末デバイスによって使用されるべきである、第1のコードブックを示すために使用される第3のコードブック情報を搬送し得る。
【０２９８】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０２９９】
したがって、たとえば、命令、またはコードブック指示情報を伝えるメッセージを受信した後に、端末デバイスは、論理情報セグメント1に従って、送信されるべきアップリンクデータストリームを送信するためにコードブックが使用されるべきであるコードブッククラスタを知ることができ、論理情報セグメント2に従って、論理情報セグメント1によって示されるコードブッククラスタ内にあるどのコードブックが、送信されるべきアップリンクデータストリームを送信するために使用されるべきであるかを知ることができる。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０３００】
本発明のこの実施形態において、コードブッククラスタ内の任意の2つの異なるコードブックが異なる変調次数に対応するときに、論理情報セグメント2は、変調次数を示すことによって、コードブッククラスタ内にある、送信されるべきアップリンクデータストリームを送信するために端末デバイスによって使用されるべきである、コードブックをさらに示し得る。したがって、端末デバイスは、論理情報セグメント2に従って送信されるべきアップリンクデータストリームに対応する変調次数を知ることができ、それにより、第2のコードブッククラスタ情報によって示されるコードブッククラスタ内にある、変調次数と一対一対応関係にある、第1のコードブックは、決定され得る。
【０３０１】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、コードブッククラスタインデックス値とコードブッククラスタとの間のインデックス関係およびコードブックインデックス値と各コードブッククラスタ内のコードブックとの間のインデックス関係であり、それにより、ネットワークデバイスおよび端末デバイスは、論理情報セグメントによって示されるインデックス値に従って、あらかじめ確立されている関係するインデックス関係を使用することによって、対応するコードブッククラスタおよびコードブックを一意的に決定することができる。
【０３０２】
本発明のこの実施形態において、ネットワークデバイスおよび端末デバイスは、複数の方法を使用することによってコードブックをあらかじめ記憶し得るが、次の2つの条件が満たされる必要があることもさらに理解されるであろう。第一に、ネットワークデバイスおよび端末デバイスは、記憶されているコードブックに従って、1つの符号化ユニットに含まれる一定数のリソースユニットまたはサブキャリアまたはリソース要素を知ることができる。第二に、ネットワークデバイスおよび端末デバイスは、記憶されているコードブックに従って、端末デバイスによって送信されるべき非0変調シンボルおよび使用されるべき1つの符号化ユニットのリソースユニットまたはサブキャリアまたはリソース要素を知ることができる。
【０３０３】
前述の記憶条件を満たすための単純で直接的な方法は、前述の形式でコードブックを記憶することであり、コードワードのすべて0変調シンボルおよび非0変調シンボルが記憶される。
【０３０４】
【数３４】
0006517346.tif 000035
【０３０５】
たとえば、変調次数がQPSKまたは4次変調であるときに、図2の可変ノード3で使用されるコードブックは、
【０３０６】
【数３５】
0006517346.tif 000036
【０３０７】
として記憶され得る。
【０３０８】
コードブックが前述の方式で記憶された後、コードワード内の0変調シンボルおよび非0変調シンボルの総数は、1つの符号化ユニットに含まれるリソースユニットまたはサブキャリアまたはリソース要素の数である。非0変調シンボルの位置および値は、端末デバイスが1つの符号化ユニットの対応する位置においてリソースユニットまたはサブキャリアまたはリソース要素上で対応する値を有する非0変調シンボルを送信すべきであることを表す。たとえば、図2の可変ノード3におけるコードブックが使用されるときに、端末デバイスは、1つ符号化ユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信し、ここで、cn,q=α*exp(j*β)、1≦n≦2、1≦q≦4であり、αおよびβは、任意の実数であってよく、任意のq、1≦q≦4、について、c1,qおよびc2,qは同時に0ではなく、q1およびq2を含む少なくとも1つのグループは、
【０３０９】
【数３６】
0006517346.tif 000037
【０３１０】
および
【０３１１】
【数３７】
0006517346.tif 000038
【０３１２】
であることを可能にし、1≦q1≦4および1≦q2≦4である。
【０３１３】
本発明のこの実施形態は、一例として前述の解決方法を使用することのみによって説明されているが、本発明は、それに限定されないことがさらに理解されるであろう。たとえば、ネットワークデバイスおよび端末デバイスによってあらかじめ記憶されているすべてのコードブックが、同じコードブッククラスタに属しているときに、コードブック指示情報は、第3のコードブック情報のみを含み得る。別の例では、ネットワークデバイスおよび端末デバイスが両方とも、既定により同じ固定変調次数を使用するときに、コードブック指示情報は、第2のコードブッククラスタ情報のみを含み得る。別の例では、ネットワークデバイスおよび端末デバイスが両方とも、既定により、同じ固定数を有するコードブッククラスタを使用するときに、コードブック指示情報は、第3のコードブック情報のみを含み得る。
【０３１４】
したがって、ネットワークデバイスは、より少ない情報を使用して、アップリンクデータストリームを送信するために端末デバイスによって使用されるべき第1のコードブックを示し得る。したがって、前述の方法に従って、システムのネットワーク容量が効果的に改善され得るだけでなく、システムオーバーヘッドも低減され得る。
【０３１５】
本発明の一実施形態において、ネットワークデバイスおよび端末デバイスは、複数の事前設計されたコードブックを記憶する。ネットワークデバイスが、端末デバイスに対して、第1のコードブックが複数のコードブックにのみ従って決定され、アップリンクデータストリームを送信するために使用されるべきであることを示すときに、ネットワークデバイスは、コードブックの参照番号またはインデックス値などの情報を使用することによって第1のコードブックを端末デバイスに対して示し得る。
【０３１６】
適宜、ネットワークデバイスによって決定されたコードブック指示情報は、第1のコードブックのインデックス値を含む。したがって、インデックス値を搬送する論理情報セグメントを受信した後に、端末デバイスは、インデックス値に従って、インデックス値と一対一対応関係にある第1のコードブックを一意的に決定し得る。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０３１７】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、コードブックインデックス値と複数のコードブックのうちのコードブックとの間のインデックス関係であり、それにより、ネットワークデバイスおよび端末デバイスは、論理情報セグメントによって示されるインデックス値に従って、あらかじめ確立されている関係するインデックス関係を使用することによって、対応するコードブックを一意的に決定することができる。
【０３１８】
本発明のこの実施形態において、ネットワークデバイスおよび端末デバイスは、複数の方法を使用することによってコードブックをあらかじめ記憶し得るが、次の2つの条件が満たされる必要があることもさらに理解されるであろう。第一に、ネットワークデバイスおよび端末デバイスは、記憶されているコードブックに従って、1つの符号化ユニットに含まれる一定数のリソースユニットまたはサブキャリアまたはリソース要素を知ることができる。第二に、ネットワークデバイスおよび端末デバイスは、記憶されているコードブックに従って、端末デバイスによって送信されるべき非0変調シンボルおよび使用されるべき1つの符号化ユニットのリソースユニットまたはサブキャリアまたはリソース要素を知ることができる。
【０３１９】
前述の記憶条件を満たすための単純で直接的な方法は、前述の形式でコードブックを記憶することであり、コードワードのすべて0変調シンボルおよび非0変調シンボルが記憶される。
【０３２０】
【数３８】
0006517346.tif 000039
【０３２１】
たとえば、変調次数がQPSKまたは4次変調であるときに、図2の可変ノード3で使用されるコードブックは、
【０３２２】
【数３９】
0006517346.tif 000040
【０３２３】
として記憶され得る。
【０３２４】
コードブックが前述の方式で記憶された後、コードワード内の0変調シンボルおよび非0変調シンボルの総数は、1つの符号化ユニットに含まれるリソースユニットまたはサブキャリアまたはリソース要素の数である。非0変調シンボルの位置および値は、端末デバイスが1つの符号化ユニットの対応する位置においてリソースユニットまたはサブキャリアまたはリソース要素上で対応する値を有する非0変調シンボルを送信すべきであることを表す。たとえば、図2の可変ノード3におけるコードブックが使用されるときに、端末デバイスは、1つ符号化ユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信し、ここで、cn,q=α*exp(j*β)、1≦n≦2、1≦q≦4であり、αおよびβは、任意の実数であってよく、任意のq、1≦q≦4、について、c1,qおよびc2,qは同時に0ではなく、q1およびq2を含む少なくとも1つのグループは、
【０３２５】
【数４０】
0006517346.tif 000041
【０３２６】
および
【０３２７】
【数４１】
0006517346.tif 000042
【０３２８】
であることを可能にし、1≦q1≦4および1≦q2≦4である。
【０３２９】
本発明のこの実施形態において、コードブックインデックス値のみを含むコードブック指示情報は、端末デバイスに対して、アップリンクデータストリームを送信するために使用されるべきである第1のコードブックを示すために使用され得ることが理解されるであろう。したがって、前述の方法に従って、システムのネットワーク容量が効果的に改善され得るだけでなく、システムオーバーヘッドも低減され得る。
【０３３０】
本発明の実施形態において、特性シーケンスまたは特性行列はコードブックと対応しているので、特性シーケンスまたは特性行列は、1つまたは複数のコードブックを含むコードブック集合またはコードブッククラスタを示すために使用され得ることが理解されるであろう。したがって、本発明の実施形態において、特性シーケンスまたは特性行列も、端末デバイスに対して、アップリンクデータストリームを送信するために使用されるべきである第1のコードブックを示すために使用され得る。コードブック指示情報を決定するための方法は、図7から図9を参照しつつ特性シーケンスまたは特性行列を使用することによって詳しく以下で説明されている。
【０３３１】
図7に示されているように、本発明の一実施形態において、適宜、第1のコードブックを示すために使用されるコードブック指示情報を決定するステップは、以下のステップを含む。
【０３３２】
S2241:第1のコードブックが属している第1の特性シーケンスと、第1の特性シーケンスが属している第1の特性行列とを決定し、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す。
【０３３３】
S2242:コードブック指示情報を決定し、コードブック指示情報は第1の特性行列情報、第1の特性シーケンス情報、および第4のコードブック情報を含み、第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用される。
【０３３４】
特に、本発明のこの実施形態において、ネットワークデバイスおよび端末デバイスは、事前設計されたコードブックを記憶し得る。コードブックは、1つまたは複数のコードブック集合にグループ分けされるものとしてよい。各コードブック集合は1つまたは複数のコードブックを含む。各コードブックは変調次数に対応する。同じコードブック集合内の任意の2つのコードブック、たとえば、コードブックaおよびコードブックbは、次の特性を有する。コードブックa内のコードワードおよびコードブックb内のコードワードは、同じ総数の変調シンボルを有する。すべてのコードワードの変調シンボルがコードブックa内の0変調シンボルである位置において、コードブックb内のすべてのコードワードの変調シンボルもすべて0変調シンボルである。すなわち、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。
【０３３５】
コードブック集合が前述の方式で取得された後、上で説明されているように、各コードブック集合は1つの特性行列の1つの特性シーケンスと一対一対応関係にある。対応関係は、次の方式で決定される。コードブック集合内のコードブックが1つの特性行列の1つの特性シーケンスと対応関係にある、すなわち、前述の2つの条件が満たされている場合、コードブックが属しているコードブック集合は、特性行列の特性シーケンスと一対一対応関係にある。すなわち、特性シーケンスとコードブックとの間の対応関係は、次の2つの条件を使用することによって決定され得る。
【０３３６】
(1)コードブックのコードワード内の変調シンボルの総数は、対応する特性シーケンス内の要素の総数と同じである。
【０３３７】
(2)特性シーケンス内の任意の要素1について、対応するコードブック内に少なくとも1つのコードワードが見つかるものとしてよく、それにより、要素1の位置におけるコードワードの変調シンボルは、0変調シンボルではない。特性シーケンス内の任意の要素0について、対応するコードブック内のすべてのコードワードの変調シンボルである、要素0に対応する位置にある変調シンボルはすべて0変調シンボルである。
【０３３８】
本発明のこの実施形態において、ネットワークデバイスによって決定され、第1のコードブックを示すために使用されるコードブック指示情報は、第1の特性行列情報、第1の特性シーケンス情報、および第4のコードブック情報を含み得る。たとえば、コードブック指示情報は、3つの論理情報セグメントを含み得る。論理情報セグメント1は、データストリームを送信するために端末デバイスによって使用されるべき第1の特性行列を示すために使用される第1の特性行列情報を搬送し得る。論理情報セグメント2は、第1の特性行列内にある、データストリームを送信するために端末デバイスによって使用されるべきである、第1の特性シーケンスを示すために使用される第1の特性シーケンス情報を搬送し得る。論理情報セグメント3は、第1の特性シーケンスに対応する1つまたは複数のコードブックのうちの、データストリームを送信するために端末デバイスによって使用されるべきである、第1のコードブックを示すために使用される第4のコードブック情報を搬送し得る。第1の特性シーケンスに対応する1つまたは複数のコードブックは、たとえば、第3のコードブック集合である。
【０３３９】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０３４０】
したがって、たとえば、命令、またはコードブック指示情報を伝えるメッセージを受信した後に、端末デバイスは、論理情報セグメント1に従って、送信されるべきアップリンクデータストリームを送信するためにどの特性行列が使用されるべきであるかを知ることができ、論理情報セグメント2に従って、論理情報セグメント1によって示される特性行列内のどの特性シーケンスが、送信されるべきアップリンクデータストリームを送信するために使用されるべきであるかを知ることができる。1つまたは複数のコードブックを含むコードブック集合と特性シーケンスとは一対一対応関係を有するので、端末デバイスは、一対一対応関係に従って、論理情報セグメント2によって示される特性シーケンスを使用することによって、送信されるべきアップリンクデータストリームを送信するためにコードブックが使用されるべきであるコードブック集合を知ることができる。さらに、端末デバイスは、論理情報セグメント3に従って、論理情報セグメント2によって示される特性シーケンスに対応する1つまたは複数のコードブックのうちのどのコードブックが、送信されるべきアップリンクデータストリームを送信するために使用されるべきであるかを知ることができる。第1の特性シーケンスに対応する1つまたは複数のコードブックは、たとえば、第3のコードブック集合である。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０３４１】
本発明のこの実施形態において、第1の特性シーケンスに対応する1つまたは複数のコードブックのうちの2つの異なるコードブックが異なる変調次数に対応するときに、論理情報セグメント3は、変調次数を示すことによって、送信されるべきアップリンクデータストリームを送信するために端末デバイスによって使用されるべきである1つまたは複数のコードブックのうちのコードブックをさらに示し得る。したがって、端末デバイスは、論理情報セグメント3に従って、送信されるべきアップリンクデータストリームに対応する変調次数を知ることができ、それにより、第1の特性シーケンスに対応する1つまたは複数のコードブックのうちの、変調次数と一対一対応関係にある、第1のコードブックは、決定され得る。
【０３４２】
すなわち、本発明のこの実施形態において、適宜、第4のコードブック情報は、第1のコードブックの変調次数情報を含み、第1の特性シーケンスに対応する1つまたは複数のコードブックの変調次数は、異なる、すなわち、第1の特性シーケンスに対応する1つまたは複数のコードブックのうちのコードブックと変調次数とは一対一対応関係を有する。
【０３４３】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、特性行列インデックス値と特性行列との間のインデックス関係、特性シーケンスインデックス値と各特性行列内の特性シーケンスとの間のインデックス関係、およびコードブックインデックス値と1つまたは複数のコードブックのうちのコードブックとの間のインデックス関係であり、それにより、ネットワークデバイスおよび端末デバイスは、論理情報セグメントによって示されるインデックス値に従って、あらかじめ確立されている関係するインデックス関係を使用することによって、対応する特性行列、特性シーケンス、およびコードブックを一意的に決定することができる。
【０３４４】
本発明のこの実施形態において、ネットワークデバイスおよび端末デバイスは、複数の方法を使用することによって特性行列およびコードブックをあらかじめ記憶し得るが、次の2つの条件が満たされる必要があることもさらに理解されるであろう。第一に、ネットワークデバイスおよび端末デバイスは、記憶されている特性行列およびコードブックに従って、1つの符号化ユニットに含まれる一定数のリソースユニットまたはサブキャリアまたはリソース要素を知ることができる。第二に、ネットワークデバイスおよび端末デバイスは、記憶されている特性行列およびコードブックに従って、端末デバイスによって送信されるべき非0変調シンボルおよび使用されるべき1つの符号化ユニットのリソースユニットまたはサブキャリアまたはリソース要素を知ることができる。
【０３４５】
前述の記憶条件を満たすための単純で直接的な方法は次のとおりである。
【０３４６】
(1)特性行列は、前述の形式
【０３４７】
【数４２】
0006517346.tif 000043
【０３４８】
で記憶される。
【０３４９】
たとえば、図2に示されている例について、対応する特性行列は
【０３５０】
【数４３】
0006517346.tif 000044
【０３５１】
として表され得る。
【０３５２】
(2)対応するコードワードの変調シンボルは、前述の特徴シーケンス内の要素1の次数に従って記憶される。たとえば、変調次数がQPSKまたは4次変調であるときに、図2の可変ノード3で使用されるコードブックは、
【０３５３】
【数４４】
0006517346.tif 000045
【０３５４】
として記憶される。
【０３５５】
特性行列およびコードブックが、前述の方式で記憶された後、ネットワークデバイスおよび端末デバイスは、特性行列に従って、1つの符号化ユニットに含まれる一定数のリソースユニットまたはサブキャリアまたはリソース要素、すなわち、特性行列の一定数の行を知ることができる。ネットワークデバイスおよび端末デバイスは、特性行列内の特性シーケンスおよび特性シーケンスに対応する1つまたは複数のコードブックのうちのコードブックに従って、端末デバイスが特性シーケンスを使用するときに0変調シンボルおよび非0変調シンボルを送信するために使用されるべきである1つの符号化ユニットのリソースユニットまたはサブキャリアまたはリソース要素を知る。たとえば、図2の可変ノード3におけるコードブックが使用されるときに、端末デバイスは、1つ符号化ユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信し、ここで、cn,q=α*exp(j*β)、1≦n≦2、1≦q≦4であり、αおよびβは、任意の実数であってよく、任意のq、1≦q≦4、について、c1,qおよびc2,qは同時に0ではなく、q1およびq2を含む少なくとも1つのグループは、
【０３５６】
【数４５】
0006517346.tif 000046
【０３５７】
および
【０３５８】
【数４６】
0006517346.tif 000047
【０３５９】
であることを可能にし、1≦q1≦4および1≦q2≦4である。
【０３６０】
本発明のこの実施形態は、一例として前述の解決方法を使用することのみによって説明されているが、本発明は、それに限定されないことがさらに理解されるであろう。たとえば、ネットワークデバイスおよび端末デバイスがあらかじめただ1つの特性行列しか記憶しないとき、またはネットワークデバイスおよび端末デバイスが両方とも、既定により、同じ固定数を有する特性行列を使用するときに、コードブック指示情報は、第1の特性シーケンス情報および第4のコードブック情報のみを含み得る。別の例では、ネットワークデバイスおよび端末デバイスが両方とも、既定により同じ固定変調次数を使用するときに、コードブック指示情報は、第1の特性行列情報および第1の特性シーケンス情報のみを含み得る。別の例では、ネットワークデバイスおよび端末デバイスが両方とも、既定により、同じ固定数を有する特性シーケンスを使用するときに、コードブック指示情報は、第1の特性行列情報および第4のコードブック情報のみを含み得る。
【０３６１】
したがって、ネットワークデバイスは、より少ない情報を使用して、アップリンクデータストリームを送信するために端末デバイスによって使用されるべき第1のコードブックを示し得る。したがって、前述の方法に従って、システムのネットワーク容量が効果的に改善され得るだけでなく、システムオーバーヘッドも低減され得る。
【０３６２】
図8は、本発明の一実施形態によりコードブック指示情報を決定するための方法220のさらに別の概略フローチャートを示している。図8に示されているように、本発明のこの実施形態において、適宜、第1のコードブックを示すために使用されるコードブック指示情報を決定するステップは、以下のステップを含む。
【０３６３】
S2251:第1のコードブックが属している第2の特性行列を決定し、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す。
【０３６４】
S2252:コードブック指示情報を決定し、コードブック指示情報は第2の特性行列情報および第5のコードブック情報を含み、第2の特性行列情報は第2の特性行列を示すために使用され、第5のコードブック情報は第2の特性行列に対応する1つまたは複数のコードブックのうちの第1のコードブックを示すために使用される。
【０３６５】
特に、本発明のこの実施形態において、ネットワークデバイスおよび端末デバイスは、事前設計されたコードブックを記憶し得る。コードブックは、1つまたは複数のコードブッククラスタにグループ分けされるものとしてよい。各コードブッククラスタは1つまたは複数のコードブックを含む。同じコードブッククラスタ内の任意の2つのコードブック、たとえば、コードブックaおよびコードブックbは、次の特性を有する。コードブックa内のコードワードおよびコードブックb内のコードワードは、同じ総数の変調シンボルを有する、すなわち、すべてのコードワードは同じ長さを有する、すなわち、データストリームは、同じ数のリソースユニット上で多重化される。すなわち、コードブッククラスタは同じコードブッククラスタ内のコードワードが同じ総数の変調シンボルを有するという条件を満たす。
【０３６６】
コードブッククラスタが前述の方式で取得された後、各コードブッククラスタは1つの特性行列と一対一対応関係にある。対応関係は、次の方式で決定される。コードブッククラスタに属しているコードブックのコードワード内の変調シンボルの総数が、特性行列の行の数と同じである場合、コードブッククラスタは、特性行列と一対一対応関係にある。
【０３６７】
本発明のこの実施形態において、ネットワークデバイスによって決定され、第1のコードブックを示すために使用されるコードブック指示情報は、第2の特性行列情報および第5のコードブック情報を含み得る。たとえば、コードブック指示情報は、2つの論理情報セグメントを含み得る。論理情報セグメント1は、データストリームを送信するために端末デバイスによって使用されるべき第2の特性行列を示すために使用される第2の特性行列情報を搬送し得る。論理情報セグメント2は、第2の特性行列に対応する1つまたは複数のコードブックのうちの、データストリームを送信するために端末デバイスによって使用されるべきである、第1のコードブックを示すために使用される第5のコードブック情報を搬送し得る。第2の特性行列に対応する1つまたは複数のコードブックは、たとえば、第3のコードブッククラスタである。
【０３６８】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０３６９】
したがって、たとえば、命令、またはコードブック指示情報を伝えるメッセージを受信した後に、端末デバイスは、論理情報セグメント1に従って、送信されるべきアップリンクデータストリームを送信するためにどの特性行列が使用されるべきであるかを知ることができる。1つまたは複数のコードブックを含むコードブッククラスタは特性行列と一対一対応関係にあるので、端末デバイスは、一対一対応関係に従って、論理情報セグメントによって示される特性行列を使用することによって、送信されるべきアップリンクデータストリームを送信するためにコードブックが使用されるべきであるコードブッククラスタを知ることができる。さらに、端末デバイスは、論理情報セグメント2に従って、論理情報セグメント1によって示される特性行列に対応するコードブッククラスタ内にある、送信されるべきアップリンクデータストリームを送信するために使用されるべきである、コードブックを知ることができる。第2の特性行列に対応する1つまたは複数のコードブックは、たとえば、第3のコードブッククラスタである。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０３７０】
同様に、本発明のこの実施形態において、コードブッククラスタ内の2つの異なるコードブックが異なる変調次数に対応するときに、論理情報セグメント2は、変調次数を示すことによって、コードブッククラスタ内にある、送信されるべきアップリンクデータストリームを送信するために端末デバイスによって使用されるべきである、コードブックをさらに示し得る。したがって、端末デバイスは、論理情報セグメント2に従って送信されるべきアップリンクデータストリームに対応する変調次数を知ることができ、それにより、第5のコードブック集合情報によって示される第3のコードブッククラスタ内にある、変調次数と一対一対応関係にある、第1のコードブックは、決定され得る。
【０３７１】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、特性行列インデックス値と特性行列との間のインデックス関係およびコードブックインデックス値と各コードブッククラスタ内のコードブックとの間のインデックス関係であり、それにより、ネットワークデバイスおよび端末デバイスは、論理情報セグメントによって示されるインデックス値に従って、あらかじめ確立されている関係するインデックス関係を使用することによって、対応する特性行列およびコードブックを一意的に決定することができる。
【０３７２】
本発明のこの実施形態において、ネットワークデバイスおよび端末デバイスは、複数の方法を使用することによって特性行列およびコードブックをあらかじめ記憶し得るが、次の2つの条件が満たされる必要があることもさらに理解されるであろう。第一に、ネットワークデバイスおよび端末デバイスは、記憶されている特性行列およびコードブックに従って、1つの符号化ユニットに含まれる一定数のリソースユニットまたはサブキャリアまたはリソース要素を知ることができる。第二に、ネットワークデバイスおよび端末デバイスは、記憶されている特性行列およびコードブックに従って、端末デバイスによって送信されるべき非0変調シンボルおよび使用されるべき1つの符号化ユニットのリソースユニットまたはサブキャリアまたはリソース要素を知ることができる。
【０３７３】
前述の記憶条件を満たすための単純で直接的な方法は次のとおりである。
【０３７４】
(1)特性行列は、前述の形式
【０３７５】
【数４７】
0006517346.tif 000048
【０３７６】
で記憶される。
【０３７７】
たとえば、図2に示されている例について、対応する特性行列は
【０３７８】
【数４８】
0006517346.tif 000049
【０３７９】
として記憶され得る。
【０３８０】
(2)対応するコードワードの変調シンボルは、前述の特徴シーケンス内の要素1の次数に従って記憶される。たとえば、変調次数がQPSKまたは4次変調であるときに、図2の可変ノード3で使用されるコードブックは、
【０３８１】
【数４９】
0006517346.tif 000050
【０３８２】
として記憶される。
【０３８３】
特性行列およびコードブックが、前述の方式で記憶された後、ネットワークデバイスおよび端末デバイスは、特性行列に従って、1つの符号化ユニットに含まれる一定数のリソースユニットまたはサブキャリアまたはリソース要素、すなわち、特性行列の一定数の行を知ることができる。ネットワークデバイスおよび端末デバイスは、特性行列内の特性シーケンスおよび特性シーケンスに対応する1つまたは複数のコードブックのうちのコードブックに従って、端末デバイスが特性シーケンスを使用するときに0変調シンボルおよび非0変調シンボルを送信するために使用されるべきである1つの符号化ユニットのリソースユニットまたはサブキャリアまたはリソース要素を知る。たとえば、図2の可変ノード3におけるコードブックが使用されるときに、端末デバイスは、1つ符号化ユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信し、ここで、cn,q=α*exp(j*β)、1≦n≦2、1≦q≦4であり、αおよびβは、任意の実数であってよく、任意のq、1≦q≦4、について、c1,qおよびc2,qは同時に0ではなく、q1およびq2を含む少なくとも1つのグループは、
【０３８４】
【数５０】
0006517346.tif 000051
【０３８５】
および
【０３８６】
【数５１】
0006517346.tif 000052
【０３８７】
であることを可能にし、1≦q1≦4および1≦q2≦4である。
【０３８８】
本発明のこの実施形態は、一例として前述の解決方法を使用することのみによって説明されているが、本発明は、それに限定されないことがさらに理解されるであろう。たとえば、ネットワークデバイスおよび端末デバイスがあらかじめただ1つの特性行列しか記憶しないとき、またはネットワークデバイスおよび端末デバイスが両方とも、既定により、同じ固定数を有する特性行列を使用するときに、コードブック指示情報は、第5のコードブック情報のみを含み得る。別の例では、ネットワークデバイスおよび端末デバイスが両方とも、既定により同じ固定変調次数を使用するときに、コードブック指示情報は、第2の特性行列情報のみを含み得る。
【０３８９】
したがって、ネットワークデバイスは、より少ない情報を使用して、アップリンクデータストリームを送信するために端末デバイスによって使用されるべき第1のコードブックを示し得る。したがって、前述の方法に従って、システムのネットワーク容量が効果的に改善され得るだけでなく、システムオーバーヘッドも低減され得る。
【０３９０】
図9は、本発明の実施形態によりコードブック指示情報を決定するための方法220の別の実施形態を示している。図9に示されているように、本発明のこの実施形態において、適宜、第1のコードブックを示すために使用されるコードブック指示情報を決定するステップは、以下のステップを含む。
【０３９１】
S2261:第1のコードブックが属している第2の特性シーケンスを決定し、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す。
【０３９２】
S2262:コードブック指示情報を決定し、コードブック指示情報は第2の特性シーケンス情報および第6のコードブック情報を含み、第2の特性シーケンス情報は第2の特性シーケンスを示すために使用され、第6のコードブック情報は第2の特性シーケンスに対応する1つまたは複数のコードブックのうちの第1のコードブックを示すために使用される。
【０３９３】
特に、本発明のこの実施形態において、ネットワークデバイスおよび端末デバイスは、事前設計されたコードブックを記憶し得る。コードブックは、1つまたは複数のコードブック集合にグループ分けされるものとしてよい。各コードブック集合は1つまたは複数のコードブックを含む。各コードブックは変調次数に対応する。同じコードブック集合内の任意の2つのコードブック、たとえば、コードブックaおよびコードブックbは、次の特性を有する。コードブックa内のコードワードおよびコードブックb内のコードワードは、同じ総数の変調シンボルを有する。すべてのコードワードの変調シンボルがコードブックa内の0変調シンボルである位置において、コードブックb内のすべてのコードワードの変調シンボルもすべて0変調シンボルである。すなわち、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。
【０３９４】
コードブック集合が前述の方式で取得された後、上で説明されているように、各コードブック集合は1つの特性行列の1つの特性シーケンスと一対一対応関係にある。対応関係は、次の方式で決定される。コードブック集合内のコードブックが1つの特性行列の1つの特性シーケンスと対応関係にある、すなわち、前述の2つの条件が満たされている場合、コードブックが属しているコードブック集合は、特性行列の特性シーケンスと一対一対応関係にある。すなわち、特性シーケンスとコードブックとの間の対応関係は、次の2つの条件を使用することによって決定され得る。
【０３９５】
(1)コードブックのコードワード内の変調シンボルの総数は、対応する特性シーケンス内の要素の総数と同じである。
【０３９６】
(2)特性シーケンス内の任意の要素1について、対応するコードブック内に少なくとも1つのコードワードが見つかるものとしてよく、それにより、要素1の位置におけるコードワードの変調シンボルは、0変調シンボルではない。特性シーケンス内の任意の要素0について、対応するコードブック内のすべてのコードワードの変調シンボルである、要素0に対応する位置にある変調シンボルはすべて0変調シンボルである。
【０３９７】
本発明のこの実施形態において、ネットワークデバイスによって決定され、第1のコードブックを示すために使用されるコードブック指示情報は、第2の特性シーケンス情報および第6のコードブック情報を含み得る。たとえば、コードブック指示情報は、2つの論理情報セグメントを含み得る。論理情報セグメント1は、データストリームを送信するために端末デバイスによって使用されるべき第2の特性シーケンスを示すために使用される第2の特性シーケンス情報を搬送し得る。論理情報セグメント2は、第2の特性シーケンスに対応する1つまたは複数のコードブックのうちの、データストリームを送信するために端末デバイスによって使用されるべきである、第1のコードブックを示すために使用される第6のコードブック情報を搬送し得る。第2の特性シーケンスに対応する1つまたは複数のコードブックは、たとえば、第4のコードブック集合である。
【０３９８】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０３９９】
したがって、たとえば、命令、またはコードブック指示情報を伝えるメッセージを受信した後に、端末デバイスは、論理情報セグメント1に従って、送信されるべきアップリンクデータストリームを送信するためにどの特性シーケンスが使用されるべきであるかを知ることができる。1つまたは複数のコードブックを含むコードブック集合と特性シーケンスとは一対一対応関係を有するので、端末デバイスは、一対一対応関係に従って、論理情報セグメント1によって示される特性シーケンスを使用することによって、送信されるべきアップリンクデータストリームを送信するためにコードブックが使用されるべきであるコードブック集合を知ることができる。さらに、端末デバイスは、論理情報セグメント2に従って、論理情報セグメント1によって示される特性シーケンスに対応する1つまたは複数のコードブックのうちのどのコードブックが、送信されるべきアップリンクデータストリームを送信するために使用されるべきであるかを知ることができる。第2の特性シーケンスに対応する1つまたは複数のコードブックは、たとえば、第4のコードブック集合である。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０４００】
本発明のこの実施形態において、第2の特性シーケンスに対応する1つまたは複数のコードブックのうちの2つの異なるコードブックが異なる変調次数に対応するときに、論理情報セグメント2は、変調次数を示すことによって、送信されるべきアップリンクデータストリームを送信するために端末デバイスによって使用されるべきである1つまたは複数のコードブックのうちのコードブックをさらに示し得る。したがって、端末デバイスは、論理情報セグメント2に従って、送信されるべきアップリンクデータストリームに対応する変調次数を知ることができ、それにより、第2の特性シーケンスに対応する1つまたは複数のコードブックのうちの、変調次数と一対一対応関係にある、第1のコードブックは、決定され得る。
【０４０１】
すなわち、本発明のこの実施形態において、適宜、第6のコードブック情報は、第1のコードブックの変調次数情報を含み、第2の特性シーケンスに対応する1つまたは複数のコードブックの変調次数は、異なる、すなわち、第2の特性シーケンスに対応する1つまたは複数のコードブックのうちのコードブックと変調次数とは一対一対応関係を有する。
【０４０２】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、特性シーケンスインデックス値と特性シーケンスとの間のインデックス関係およびコードブックインデックス値と各コードブック集合内のコードブックとの間のインデックス関係であり、それにより、ネットワークデバイスおよび端末デバイスは、論理情報セグメントによって示されるインデックス値に従って、あらかじめ確立されている関係するインデックス関係を使用することによって、対応する特性シーケンスおよびコードブックを一意的に決定することができる。
【０４０３】
本発明のこの実施形態において、ネットワークデバイスおよび端末デバイスは、複数の方法を使用することによって特性シーケンスおよびコードブックをあらかじめ記憶し得るが、次の2つの条件が満たされる必要があることもさらに理解されるであろう。第一に、ネットワークデバイスおよび端末デバイスは、記憶されている特性シーケンスおよびコードブックに従って、1つの符号化ユニットに含まれる一定数のリソースユニットまたはサブキャリアまたはリソース要素を知ることができる。第二に、ネットワークデバイスおよび端末デバイスは、記憶されている特性シーケンスおよびコードブックに従って、端末デバイスによって送信されるべき非0変調シンボルおよび使用されるべき1つの符号化ユニットのリソースユニットまたはサブキャリアまたはリソース要素を知ることができる。
【０４０４】
前述の記憶条件を満たすための単純で直接的な方法は次のとおりである。
【０４０５】
(1)特性シーケンスは、前述の形式
【０４０６】
【数５２】
0006517346.tif 000053
【０４０７】
で記憶される。
【０４０８】
たとえば、図2に示されている例について、対応する特性シーケンスは
【０４０９】
【数５３】
0006517346.tif 000054
【０４１０】
および
【０４１１】
【数５４】
0006517346.tif 000055
【０４１２】
として記憶され得る。
【０４１３】
(2)対応するコードワードの変調シンボルは、前述の特徴シーケンス内の要素1の次数に従って記憶される。たとえば、変調次数がQPSKまたは4次変調であるときに、図2の可変ノード3で使用されるコードブックは、
【０４１４】
【数５５】
0006517346.tif 000056
【０４１５】
として記憶される。
【０４１６】
特性シーケンスおよびコードブックが、前述の方式で記憶された後、ネットワークデバイスおよび端末デバイスは、特性行列に従って、1つの符号化ユニットに含まれる一定数のリソースユニットまたはサブキャリアまたはリソース要素、すなわち、特性行列の一定数の行を知ることができる。ネットワークデバイスおよび端末デバイスは、特性行列内の特性シーケンスおよび特性シーケンスに対応する1つまたは複数のコードブックのうちのコードブックに従って、端末デバイスが特性シーケンスを使用するときに0変調シンボルおよび非0変調シンボルを送信するために使用されるべきである1つの符号化ユニットのリソースユニットまたはサブキャリアまたはリソース要素を知る。たとえば、図2の可変ノード3におけるコードブックが使用されるときに、端末デバイスは、1つ符号化ユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信し、ここで、cn,q=α*exp(j*β)、1≦n≦2、1≦q≦4であり、αおよびβは、任意の実数であってよく、任意のq、1≦q≦4、について、c1,qおよびc2,qは同時に0ではなく、q1およびq2を含む少なくとも1つのグループは、
【０４１７】
【数５６】
0006517346.tif 000057
【０４１８】
および
【０４１９】
【数５７】
0006517346.tif 000058
【０４２０】
であることを可能にし、1≦q1≦4および1≦q2≦4である。
【０４２１】
本発明のこの実施形態は、一例として前述の解決方法を使用することのみによって説明されているが、本発明は、それに限定されないことがさらに理解されるであろう。たとえば、ネットワークデバイスおよび端末デバイスがあらかじめただ1つの特性シーケンスしか記憶しないとき、またはネットワークデバイスおよび端末デバイスが両方とも、既定により、同じ固定数を有する特性シーケンスを使用するときに、コードブック指示情報は、第6のコードブック情報のみを含み得る。別の例では、ネットワークデバイスおよび端末デバイスが両方とも、既定により同じ固定変調次数を使用するときに、コードブック指示情報は、第2の特性シーケンス情報のみを含み得る。
【０４２２】
したがって、ネットワークデバイスは、より少ない情報を使用して、アップリンクデータストリームを送信するために端末デバイスによって使用されるべき第1のコードブックを示し得る。したがって、前述の方法に従って、システムのネットワーク容量が効果的に改善され得るだけでなく、システムオーバーヘッドも低減され得る。
【０４２３】
本発明は、一例としてのみ図4から図9に示されている実施形態を使用することによって説明されているが、本発明は、それに限定されないことがさらに理解されるであろう。端末デバイスに対して、ネットワークデバイスによって割り当てられるか、または指定され、アップリンクデータストリームを送信するために使用される、第1のコードブックを示すために、別の方法がさらに使用され得る。
【０４２４】
したがって、本発明の実施形態により指示情報を伝送するための方法について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０４２５】
本発明の実施形態において、ネットワークデバイスは、複数の方式でコードブック指示情報を端末デバイスに送信し得る。たとえば、ネットワークデバイスは、動的または半永続的方式でダウンリンク制御チャネルを通じてコードブック指示情報を端末デバイスに示し得る。ネットワークデバイスは、半永続的方式でデータチャネルを通じてコードブック指示情報を端末デバイスに示してもよい。ネットワークデバイスは、静的方式でブロードキャストチャネルまたはデータチャネルを通じてコードブック指示情報を端末デバイスに示してもよい。
【０４２６】
適宜、本発明の実施形態において、コードブック指示情報を端末デバイスに送信するステップは、アップリンクスケジューリング許可メッセージ、専用上位層制御シグナリング、またはシステムブロードキャストメッセージを端末デバイスに送信するステップを含む。アップリンクスケジューリング許可メッセージ、専用上位層制御シグナリング、またはシステムブロードキャストメッセージはコードブック指示情報を含む。
【０４２７】
特に、本発明の実施形態において、たとえば、端末デバイスがアップリンクデータストリームを送信するために非直交多元接続技術を使用する必要があるときに、端末デバイスは、アップリンクスケジューリング要求をネットワークデバイスに送信し得る。アップリンクスケジューリング要求は、端末デバイスに対して、第1のコードブックさらには別のシステムリソースおよびパラメータ、たとえば、周波数リソース、送信電力、ならびに符号化および変調方式を割り当てるか、または指定することをネットワークデバイスに要求するために使用される。
【０４２８】
端末デバイスからアップリンクスケジューリング要求を受信した後、ネットワークデバイスは、端末デバイスによって定期的にまたは非定期的に報告されるデータバッファステータスおよび他の関係する情報(たとえば、ユーザに対するチャネルステータス情報)に従って、第1のコードブックさらには別のシステムリソースおよびパラメータを端末デバイスの送信されるべきデータストリームに割り当てるか、または指定することができる。ネットワークデバイスは、アップリンクスケジューリング許可メッセージに、割り当てられた、または指定された第1のコードブックを示すために使用されるコードブック指示情報、さらには別のシステムリソースおよびパラメータを追加し、アップリンクスケジューリング許可メッセージを端末デバイスに配信し得る。
【０４２９】
ネットワークデバイスによって配信されたアップリンクスケジューリング許可メッセージを受信した後に、端末デバイスは、アップリンクスケジューリング許可メッセージによって示されている第1のコードブックならびに別のシステムリソースおよびパラメータを使用することによって、かつ非直交多元接続技術を使用することによって、アップリンクデータストリームを送信し得る。
【０４３０】
前述の手順において、第1のコードブックを示すために使用されるコードブック指示情報は、ダウンリンク制御情報(Downlink Control Information、略して「DCI」)の一部として使用され、アップリンクスケジューリング許可メッセージで搬送されるものとしてよく、ロングタームエボリューション(Long Term Evolution、略して「LTE」)システムにおいて、ダウンリンク物理制御チャネル、たとえば、物理ダウンリンク制御チャネル(Physical Downlink Control Channel、略して「PDCCH」)を通じて動的または半永続的(semi-persistent)方式で端末デバイスに配信される。
【０４３１】
別の例として、第1のコードブックを示すために使用されるコードブック指示情報は、無線リソース制御(Radio Resource Control、略して「RRC」)接続セットアップメッセージまたはRRC接続再構成メッセージで搬送されるものとしてよく、ダウンリンク物理データチャネル、たとえば、LTEシステムにおける物理ダウンリンク共有チャネル(Physical Downlink Shared Channel、略して「PDSCH」)を通じて半永続的方式で端末デバイスに配信される。
【０４３２】
適宜、専用上位層制御シグナリングは、無線リソース制御RRC接続セットアップメッセージとRRC接続再構成メッセージとを含む。本発明の実施形態において、専用上位層制御シグナリングがRRC接続セットアップメッセージとRRC接続再構成メッセージとを含む一例のみが説明に使用されているが、本発明はそれに限定されないことが理解されるであろう。他の専用上位層制御シグナリングは、コードブック指示情報を端末デバイスに送信するために使用され得る。
【０４３３】
なおも別の例では、第1のコードブックを示すために使用されるコードブック指示情報は、システムブロードキャストメッセージ、たとえば、LTEシステムにおけるマスター情報ブロック(Master Information Block、略して「MIB」)またはシステム情報ブロック(System Information Block、略して「SIB」)で搬送されるものとしてよく、ダウンリンク物理ブロードキャストチャネルまたは物理データチャネル、たとえば、LTEシステムにおける物理ブロードキャストチャネル(Physical Broadcast Channel、略して「PBCH」)または物理ダウンリンク共有チャネルPDSCHを通じて静的方式で端末デバイスに配信される。
【０４３４】
本発明の実施形態において、ネットワークデバイスは、ビット列方式またはテーブル方式のうちの少なくとも一方を使用することによってコードブック指示情報を端末デバイスに送信する。適宜、コードブック指示情報はビット列情報である。
【０４３５】
特に、本発明の実施形態において、コードブック指示情報内の論理情報セグメントは、限定はしないが次のいくつかの方法を含む、複数の方法を使用することによって実装され得る。
【０４３６】
方法1:論理情報セグメントでは、別々のビット列またはビットマップが情報指示機能を実装するために使用される。
【０４３７】
前述の実施形態において、コードブック指示情報内の論理情報セグメント(たとえば、論理情報セグメントはコードブッククラスタを示すために使用される)によって示される情報が、最大個数Kの可能性(たとえば、合計でK個のコードブッククラスタがある)を有すると仮定すると、論理情報セグメントは、L=ceil(log2(K))ビットを含むビットマップ
【０４３８】
【数５８】
0006517346.tif 000059
【０４３９】
を使用することによって表されるものとしてよく、ここで、ceil(・)は切り上げを表す。ビットマップの1つの値は、示された情報の1つのインデックス値を表す。端末デバイスは、ビットマップによって表されているインデックス値に従って、あらかじめ確立されているインデックス関係を使用することによって、インデックス値に一意に対応する可能性を決定し得る。
【０４４０】
コードブック指示情報が第1のコードブッククラスタ情報、第1のコードブック集合情報、および第1のコードブック情報を含む一例が、説明に使用されている。グループ分けを通じて合計K1≧1個のコードブッククラスタが取得され、最大個数のコードブック集合を含むコードブッククラスタはK2≧1個のコードブック集合を有し、最大個数のコードブックを含むコードブック集合はK3≧1個のコードブックを有すると仮定される。この場合、Li=ceil(log2(Ki))ビットを含むビットマップ
【０４４１】
【数５９】
0006517346.tif 000060
【０４４２】
が、論理情報セグメントiの情報指示機能を表し、実装する、すなわち、Ki≧1の可能性のうちの1つを示すために使用され、ここで、i=1,2,3であり、ceil(・)は切り上げを表す。たとえば、L1=2、L2=4、およびL3=3のときに、コードブック指示情報の可能性は
【０４４３】
【数６０】
0006517346.tif 000061
【０４４４】
である。コードブック指示情報は、2+4+3=9ビットを含み、次の情報、すなわち、コードブッククラスタインデックス1に対応するコードブッククラスタ、コードブッククラスタ内のコードブック集合インデックス6に対応するコードブック集合、およびコードブック集合内のコードブックインデックス(または変調次数インデックス)4に対応するコードブックを示し得る。
【０４４５】
前述の例では、コードブック指示情報内の3つすべての論理情報セグメントについて、情報指示機能を実装するために別々のビット列またはビットマップが使用されることは理解されるであろう。しかしながら、実際には、すべての論理情報セグメントに同じ実装方式が使用される必要があるわけではない。したがって、実際の適用時に、いくつかの論理情報セグメントには、論理情報セグメントの情報指示機能を実装するために別々のビットマップが使用されるものとしてよく、別の論理情報セグメントには、情報指示機能を実装するために別の方式が使用される。本発明の実施形態は、それに限定されない。
【０４４６】
本発明の特定の実施形態のうちの1つのみが上記の説明のための一例として使用されていることはさらに理解されるであろう。この方法は、本発明の別の実施形態においてコードブック指示情報内の論理情報セグメントを実装するためにも使用され得ることに留意されたい。
【０４４７】
方式2:複数の論理情報セグメントを使用することによる組み合わされた指示
【０４４８】
論理情報セグメントを使用することによる組み合わされた指示は、通常、テーブルの形式に基づき実装され得る。テーブルは、以下の形式を有するものとしてよい。テーブルは複数の列を含み、1つの列は総合インデックス列であり、各インデックス値は複数の論理情報セグメントによって示される情報の組合せに対応する。総合インデックス列に加えて、テーブル内の他の列の各々は、1つの論理情報セグメントに別々に対応するものとしてよく、対応する論理情報セグメントによって示される情報の可能性を示すために使用される。論理情報セグメントの値は、インデックス値であり得るか、または特定の示されたコンテンツ、たとえば、コードブッククラスタ、コードブック集合、コードブック、特性行列、および特性シーケンスであってよい。
【０４４９】
前述のテーブルを使用することによって、ネットワークデバイスおよび端末デバイスは、総合インデックス値と複数の論理情報セグメントによって示されている情報の可能なすべての組合せとの間の対応関係を確立することができる。ネットワークデバイスは、コードブック指示情報を使用することによって総合インデックス値を端末デバイスに送信する。端末デバイスは、総合インデックス値に従って、テーブルを探索することによって、各論理情報セグメントによって示される情報に一意に対応する可能性を知ることができる。
【０４５０】
コードブック指示情報が第1のコードブッククラスタ情報、第1のコードブック集合情報、および第1のコードブック情報を含む一例が、そのまま説明に使用されている。コードブック指示情報を実装するために使用されるテーブルの形式は、Table 1(表1)に示されている。
【０４５１】
【表１】
0006517346.tif 000062
【０４５２】
Table 1(表1)に示されているように、複数の論理情報セグメントを使用することによる組み合わされた指示のテーブルは、4つの列を含み得る。第1の列は、総合インデックス列(この例ではインデックス列と称されている)である。他の3つの列はコードブック指示情報内の3つの論理情報セグメントにそれぞれ対応し、mはインデックス値であり、i、j、およびkは、論理情報セグメントによって示される情報のインデックス値であり得るか、または対応する情報の特定のコンテンツ、たとえば、前述の形式で記憶されているコードブック、ならびに形成されたコードブック集合およびコードブッククラスタであり得る。
【０４５３】
前述の例において、コードブック指示情報内のすべての論理情報セグメントは、組み合わされた方式で示されることが理解されるであろう。実際には、すべての論理情報セグメントに同じ実装方式が使用される必要があるわけではない。したがって、実際の適用時に、いくつかの論理情報セグメントには、論理情報セグメントの情報指示機能は組み合わされた指示を用いて実装され、別の論理情報セグメントには、情報指示機能を実装するために別の方式が使用される。本発明の実施形態は、それに限定されない。
【０４５４】
本発明の特定の実施形態のうちの1つのみが上記の説明のための一例として使用されていることはさらに理解されるであろう。この方法は、本発明の別の実施形態においてコードブック指示情報内の論理情報セグメントを実装するためにも使用され得ることに留意されたい。
【０４５５】
方式3:論理情報セグメント、およびコードブック指示情報が配置されており、別の指示機能を有しているメッセージまたは命令の中にある情報セグメントを使用することによる組み合わされた指示
【０４５６】
この方式も、通常、テーブルの形式に基づいて実装される。テーブルは、以下の形式を有するものとしてよい。テーブルは、複数の列を含む。1つの列は総合インデックス列であり、各インデックス値は他の列によって示されるコンテンツの組合せを表す。総合インデックス列に加えて、テーブルの少なくとも1つの列は、本発明の実施形態におけるコードブック指示情報内の1つの論理情報セグメントに対応し、対応する論理情報セグメントによって示されるコンテンツの可能性を表す。列の値は、インデックス値であり得るか、または特定の示されたコンテンツ、たとえば、コードブッククラスタ、コードブック集合、コードブック、特性行列、および特性シーケンスであってよい。
【０４５７】
テーブル内の他の列の少なくとも1つは、別の情報(本発明の実施形態におけるコードブック指示情報内の論理情報セグメントによって示される情報と異なる)を示す機能を有する情報セグメント、たとえば、トランスポートブロックのサイズを示す情報セグメント、および冗長性バージョンを示す情報セグメントに対応する。
【０４５８】
前述のテーブルを使用することによって、ネットワークデバイスおよび端末デバイスは、総合インデックスと、本発明の実施形態におけるコードブック指示情報内の論理情報セグメントによって示される情報および別の情報指示機能を有する情報セグメントによって示される情報の可能なすべての組合せとの間の対応関係を確立することができる。ネットワークデバイスは、コードブック指示情報を使用することによって総合インデックス値を端末デバイスに送信する。端末デバイスは、総合インデックス値に従って、テーブルを探索することによって、本発明の実施形態におけるコードブック指示情報内の論理情報セグメントによって示される情報に一意に対応する可能性、および別の情報指示機能を有する情報セグメントによって示される情報に一意に対応する可能性を知ることができる。
【０４５９】
コードブック指示情報が第1のコードブッククラスタ情報、第1のコードブック集合情報、および第1のコードブック情報を含む一例が、そのまま説明に使用されている。コードブック指示情報を実装するために使用されるテーブルの形式は、Table 2(表2)に示されている。
【０４６０】
【表２】
0006517346.tif 000063
【０４６１】
Table 2(表2)に示されているように、組み合わされた指示テーブルは、合計3つの列を含む。第1の列は、総合インデックス列である。第2の列は、トランスポートブロックインデックス列であり、トランスポートブロックのサイズを示すために使用される。第3の列は、コードブック指示情報内の論理情報セグメント3を示すために使用され得る。
【０４６２】
本発明の特定の実施形態のうちの1つのみが上記の説明のための一例として使用されていることは理解されるであろう。この方法は、本発明の別の実施形態においてコードブック指示情報内の論理情報セグメントを実装するためにも使用され得ることに留意されたい。
【０４６３】
本発明の実施形態において、コードブック指示情報内の論理情報セグメントは、論理的概念であることがさらに理解されるであろう。コードブック指示情報が配置されているメッセージまたは命令、たとえば、アップリンクスケジューリング許可メッセージ、RRC接続セットアップメッセージ、RRC接続再構成メッセージ、およびブロードキャストメッセージにおいて、情報セグメントまたはビット列は、前述の実施形態における論理情報セグメントの情報指示機能を実装する。この場合、情報セグメントまたはビット列は、前述の実施形態における対応する論理情報セグメントの一実装であると理解されるか、または考えられるであろう。本明細書の情報セグメントまたはビット列は、コードブック指示情報が配置されているメッセージまたは命令を形成するために使用されるすべてのビットの任意の部分であってよく、この任意の部分は、情報ビットおよびチェックビット、たとえば、端末デバイスの無線ネットワーク一時識別子(Radio Network Temporary Identitifier、略して「RNTI」)を使用することによってスクランブルされる巡回冗長検査(Cyclic Redundancy Check、略して「CRC」)ビットを含む。
【０４６４】
コードブック指示情報の様々な実装方式は、上で詳しく説明されている。非直交多元接続技術を使用するLTEシステムは、以下で詳しくLTEシステムにおける本発明の実施形態の特定のアプリケーションを説明するための一例として使用される。
【０４６５】
LTEシステムでは、アップリンクスケジューリング許可メッセージを使用することによって端末デバイスのそれぞれの送信されるべきアップリンクトランスポートブロック(トランスポートブロックは本発明の実施形態におけるデータまたはデータストリームと同等である)について、ネットワークデバイスは、対応する情報を示すために次の情報セグメントを送信する。
変調符号化方式および冗長バージョンに関する情報セグメント:5ビットであり、トランスポートブロックのサイズ、変調次数、および冗長バージョン番号を示すために使用される。
新規データを示す情報セグメント:1ビットであり、トランスポートブロックが再送データであるか新規データであるかを示すために使用される。
【０４６６】
非直交多元接続技術がLTEシステム内に導入された後、前述の情報セグメントが端末デバイスの各トランスポートブロックについて配信されているときに、本発明の実施形態における1つまたは複数の論理情報セグメントは、第1のコードブックを示すために、配信される必要がさらにある。非直交多元接続技術を使用するLTEシステムにおける本発明のいくつかの実施形態のアプリケーションについて、以下で説明される。
【０４６７】
コードブック指示情報が第1のコードブッククラスタ情報、第1のコードブック集合情報、および第1のコードブック情報を含む一実施形態について、ネットワークデバイスは、アップリンクスケジューリング許可メッセージを使用することによって端末デバイスのトランスポートブロックについて、対応する情報を示すために次の情報セグメントを送信し得る。
トランスポートブロックi、i=1または2:
コードブッククラスタを示す情報セグメント:L1ビットであり、トランスポートブロックを送信するために使用されるべきコードブッククラスタを示すために使用される。
コードブック集合を示す情報セグメント:L2ビットであり、トランスポートブロックを送信するために使用されるべきコードブック集合を示すために使用される。
変調符号化方式および冗長バージョンに関する情報セグメント:5ビットであり、トランスポートブロックのサイズ、変調次数、および冗長バージョン番号を示すために使用される。
新規データを示す情報セグメント:1ビットであり、トランスポートブロックが再送データであるか新規データであるかを示すために使用される。
【０４６８】
端末デバイスが、アップリンクスケジューリング許可メッセージを受信して復号した後、各トランスポートブロックについて、端末デバイスは、コードブッククラスタを示す対応する情報セグメントに従って、トランスポートブロックを送信するためにコードブックが使用されるべきであるコードブッククラスタを知ることができ、コードブック集合を示す対応する情報セグメントに従って、コードブッククラスタ内にあり、コードブックがトランスポートブロックを送信するために使用されるべきである、コードブック集合を知ることができ、変調符号化方式および冗長バージョンに関する情報セグメントに従って、トランスポートブロックを送信するために使用されるべき変調次数を知ることができる。端末デバイスは、次いで、変調次数とコードブック集合内のコードブックとの間の対応関係に従って、変調次数に対応するコードブックを決定し、コードブックを使用してトランスポートブロックを送信する。
【０４６９】
コードブック指示情報が第2のコードブック集合情報および第2のコードブック情報を含む実施形態について、ネットワークデバイスは、アップリンクスケジューリング許可メッセージを使用することによって端末デバイスのトランスポートブロックについて、対応する情報を示すために次の情報セグメントを送信し得る。
トランスポートブロックi、i=1または2:
コードブック集合を示す情報セグメント:L3ビットであり、トランスポートブロックを送信するために使用されるべきコードブック集合を示すために使用される。
変調符号化方式および冗長バージョンに関する情報セグメント:5ビットであり、トランスポートブロックのサイズ、変調次数、および冗長バージョン番号を示すために使用される。
新規データを示す情報セグメント:1ビットであり、トランスポートブロックが再送データであるか新規データであるかを示すために使用される。
【０４７０】
端末デバイスが、アップリンクスケジューリング許可メッセージを受信して復号した後、各トランスポートブロックについて、端末デバイスは、コードブック集合を示す対応する情報セグメントに従って、トランスポートブロックを送信するためにコードブックが使用されるべきであるコードブック集合を知ることができ、変調符号化方式および冗長バージョンに関する情報セグメントに従って、トランスポートブロックを送信するために使用されるべき変調次数を知ることができる。端末デバイスは、次いで、変調次数とコードブック集合内のコードブックとの間の対応関係に従って、変調次数に対応するコードブックを決定し、コードブックを使用してトランスポートブロックを送信する。
【０４７１】
コードブック指示情報が第1の特性行列情報、第1の特性シーケンス情報、および第4のコードブック情報を含む実施形態について、ネットワークデバイスは、アップリンクスケジューリング許可メッセージを使用することによって端末デバイスのトランスポートブロックについて、対応する情報を示すために次の情報セグメントを送信し得る。
トランスポートブロックi、i=1または2:
特性行列を示す情報セグメント:L4ビットであり、トランスポートブロックを送信するために使用されるべき特性行列を示すために使用される。
特性シーケンスを示す情報セグメント:L5ビットであり、トランスポートブロックを送信するために使用されるべき特性シーケンスを示すために使用される。
変調符号化方式および冗長バージョンに関する情報セグメント:5ビットであり、トランスポートブロックのサイズ、変調次数、および冗長バージョン番号を示すために使用される。
新規データを示す情報セグメント:1ビットであり、トランスポートブロックが再送データであるか新規データであるかを示すために使用される。
【０４７２】
端末デバイスが、アップリンクスケジューリング許可メッセージを受信して復号した後、各トランスポートブロックについて、端末デバイスは、特性行列を示す対応する情報セグメントに従って、トランスポートブロックを送信するためにどの特性行列が使用されるべきかを知ることができ、特性シーケンスを示す対応する情報セグメントに従って、特性行列内のどの特性シーケンスがトランスポートブロックを送信するために使用されるべきであるかを知ることができる。特性シーケンスおよびコードブック集合は、一対一対応関係を有するので、端末デバイスは、この対応関係に従って、トランスポートブロックを送信するためにコードブックが使用されるべきであるコードブック集合を知ることができる。さらに、端末デバイスは、変調符号化方式および冗長バージョンに関する情報セグメントに従って、トランスポートブロックを送信するために使用されるべき変調次数を知ることができる。端末デバイスは、次いで、変調次数とコードブック集合内のコードブックとの間の対応関係に従って、変調次数に対応するコードブックを決定し、コードブックを使用してトランスポートブロックを送信する。
【０４７３】
コードブック指示情報が第2の特性シーケンス情報および第6のコードブック情報を含む実施形態について、ネットワークデバイスは、アップリンクスケジューリング許可メッセージを使用することによって端末デバイスのトランスポートブロックについて、対応する情報を示すために次の情報セグメントを送信し得る。
トランスポートブロックi、i=1または2:
特性シーケンスを示す情報セグメント:L6ビットであり、トランスポートブロックを送信するために使用されるべき特性シーケンスを示すために使用される。
変調符号化方式および冗長バージョンに関する情報セグメント:5ビットであり、トランスポートブロックのサイズ、変調次数、および冗長バージョン番号を示すために使用される。
新規データを示す情報セグメント:1ビットであり、トランスポートブロックが再送データであるか新規データであるかを示すために使用される。
【０４７４】
端末デバイスが、アップリンクスケジューリング許可メッセージを受信して復号した後、各トランスポートブロックについて、端末デバイスは、特性シーケンスを示す対応する情報セグメントに従って、トランスポートブロックを送信するために特性行列が使用されるべきであることを知ることができる。特性シーケンスおよびコードブック集合は、一対一対応関係を有するので、ユーザは、この対応関係に従って、トランスポートブロックを送信するためにコードブックが使用されるべきであるコードブック集合を知ることができる。さらに、端末デバイスは、変調符号化方式および冗長バージョンに関する情報セグメントに従って、トランスポートブロックを送信するために使用されるべき変調次数を知ることができる。端末デバイスは、次いで、変調次数とコードブック集合内のコードブックとの間の対応関係に従って、変調次数に対応するコードブックを決定し、コードブックを使用してトランスポートブロックを送信する。
【０４７５】
本発明の実施形態において、適宜、コードブックはスパース符号多元接続SCMAコードブックである。さらに、適宜、0変調シンボルの数は、コードブックに含まれているコードワード内の非0変調シンボルの数以上である。
【０４７６】
上ではLTEシステムにおける本発明の実施形態のいくつかの可能な特定のアプリケーションのみが説明されているが、本発明はそれに限定されないことが理解されるであろう。非直交多元接続技術を使用するLTEシステムにおいて、ネットワークデバイスは、さらに、コードブック指示情報を示すために別の情報セグメントを送信し得る。
【０４７７】
本発明の様々な実施形態における前述のプロセスの順序番号は、実行順序を意味しないことも理解されるであろう。プロセスの実行順序は、プロセスの機能および内部論理に従って決定されるべきであり、本発明の実施形態の実装プロセスに対する制限と解釈されるべきでない。
【０４７８】
したがって、本発明の実施形態により指示情報を伝送するための方法について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０４７９】
本発明の実施形態により指示情報を伝送するための方法は、図3から図9を参照しつつネットワークデバイスの観点から上で詳しく説明されている。本発明の実施形態により指示情報を伝送するための方法は、図10から図17を参照しつつ端末デバイスの観点から以下で説明されている。
【０４８０】
図10に示されているように、本発明の一実施形態により指示情報を伝送するための方法300は、たとえば、通信システム内の端末デバイスによって実行され得る。端末デバイスは、たとえば、ユーザ機器である。方法300は、以下のステップを含む。
【０４８１】
S310:ネットワークデバイスによって送信されたコードブック指示情報を受信し、コードブック指示情報は1つまたは複数のコードブックのうちの第1のコードブックを示すために使用され、コードブックは2つ以上のコードワードを含み、コードワードは多次元複素ベクトルであり、データと少なくとも2つの変調シンボルとの間のマッピング関係を表すために使用され、少なくとも2つの変調シンボルは少なくとも1つの0変調シンボルと少なくとも1つの非0変調シンボルとを含む。
【０４８２】
S320:コードブック指示情報に従って第1のコードブックを決定する。
【０４８３】
S330:第1のコードブックに従ってアップリンクデータストリームを送信する。
【０４８４】
特に、SCMAシステムなどの非直交多元接続システムでは、ネットワークデバイスは、第1のコードブックを端末デバイスの送信されるべきアップリンクデータストリームに割り当てるか、または指定する。ネットワークデバイスによって割り当てられた第1のコードブックを端末デバイスに通知するために、ネットワークデバイスは、コードブック指示情報を決定し、コードブック指示情報を端末デバイスに送信し得る。コードブック指示情報は、アップリンクデータストリームを送信するために端末デバイスによって使用されるべき第1のコードブックを示すために使用される。ネットワークデバイスによって送信されたコードブック指示情報を受信した後に、端末デバイスは、コードブック指示情報に従って、アップリンクデータストリームを送信するために使用されるべき第1のコードブックを決定するものとしてよく、第1のコードブックに従ってアップリンクデータストリームを送信することができる。したがって、ネットワークデバイスと端末デバイスとの間の情報交換によって、端末デバイスは、ネットワークデバイスによって割り当てられた第1のコードブックを決定することができ、非直交多元接続システムは、通常の動作をすることができる。
【０４８５】
したがって、本発明のこの実施形態により指示情報を伝送するための方法について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０４８６】
本発明のこの実施形態において、非直交多元接続技術において、コードブックを使用することによって同じリソースユニット上で複数の異なるデータストリームが伝送される、すなわち、同じリソースユニット上で複数の異なるデータストリームが多重化され、異なるデータストリームに対して異なるコードブックが使用され、これによりリソースの利用度を改善する。データストリームは、同じ端末デバイスから来るものであっても、異なる端末デバイスから来るものであってもよい。
【０４８７】
したがって、非直交多元接続技術では、データストリーム内のデータは、特定のマッピング関係に従ってコードブック内のコードワード、すなわち、コードブック内の多次元複素ベクトルに直接マッピングされ、それにより、拡散方式で複数のリソースユニット上でのデータの送信を実装する。データは、バイナリビットデータであり得るか、またはq進データであり得る。リソースユニットは、時間領域、周波数領域、空間領域、時間周波数領域、時間空間領域、または時間周波数空間領域内のリソースユニットであってよい。
【０４８８】
本発明のこの実施形態において、コードブックは2つ以上のコードワードを含み、コードワードは多次元複素ベクトルであり、データと少なくとも2つの変調シンボルとの間のマッピング関係を表すために使用され、少なくとも2つの変調シンボルは少なくとも1つの0変調シンボルと少なくとも1つの非0変調シンボルとを含む。各特性行列は2つ以上の特性シーケンスを含み、各特性行列は1つまたは複数のコードブックに対応し、各特性シーケンスも1つまたは複数のコードブックに対応する。特性シーケンスは要素0と要素1とを含む。要素0は対応するコードブック内のすべてのコードワードの変調シンボルである、要素0に対応する位置にある変調シンボルがすべて0変調シンボルであることを表す。要素1は対応するコードブック内のすべてのコードワードの変調シンボルである、要素1に対応する位置にある変調シンボルがすべて0変調シンボルであるとは限らないか、またはすべて非0変調シンボルであることを表す。
【０４８９】
本発明のこの実施形態において、複数のコードブックは1つまたは複数のコードブッククラスタにグループ分けされ得る。各コードブッククラスタは1つまたは複数のコードブックを含むものとしてよい。同じコードブッククラスタ内の任意の2つのコードブック、たとえば、コードブックaおよびコードブックbは、次の特性を有する。コードブックa内のコードワードおよびコードブックb内のコードワードは、同じ総数の変調シンボルを有する。したがって、コートブッククラスタ内のコードブックは、すべてのコードワードが同じ総数の変調シンボルを有する、すなわち、すべてのコードワードは同じ長さを有する、すなわち、データストリームは同じ数のリソースユニット上で多重化されるという条件を満たす。
【０４９０】
本発明のこの実施形態において、複数のコードブックは、1つまたは複数のコードブック集合にさらにグループ分けされ得る。各コードブック集合は1つまたは複数のコードブックを含むものとしてよい。同じコードブック集合内の任意の2つのコードブック、たとえば、コードブックcおよびコードブックdは、次の特性を有する。(1)コードブックc内のコードワードおよびコードブックd内のコードワードは、同じ総数の変調シンボルを有する。(2)コードブックc内のすべてのコードワードの変調シンボルが0変調シンボルである位置において、コードブックd内のすべてのコードワードの変調シンボルもすべて0変調シンボルである。
【０４９１】
本発明のこの実施形態において、各コードブッククラスタは1つまたは複数のコードブック集合を含み、各コードブック集合は1つまたは複数のコードブックを含み、各コードブックは2つ以上のコードワードを含む。各コードブッククラスタは同じコードブッククラスタ内のコードワードが同じ総数の変調シンボルを有するという条件を満たす。各コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。
【０４９２】
非直交多元接続システムでは、コードブックが直接表され、記憶され得ることは理解されるであろう。たとえば、前述のコードブックまたはコードブック内のコードワードは直接記憶されるか、または対応する特性シーケンス要素がコードワード内の要素1である位置にある変調シンボルのみが記憶される。したがって、本発明の適用時に、非直交多元接続システム内のネットワークデバイスおよび端末デバイスは両方とも、次の事前設計されたコンテンツの一部または全部を記憶し得ると仮定される必要がある。
(1)1つまたは複数の特性行列
【０４９３】
【数６１】
0006517346.tif 000064
【０４９４】
ここで、rn,m∈{0,1}、1≦n≦N、1≦m≦M、MおよびNは両方とも1よりも大きい正整数であり、Mは多重化されたデータストリームの数を表すものとしてよく、Nは1つの符号化ユニットに含まれるリソースユニットの数を表し得るか、またはコードワードの長さとして理解され得る。
(2)1つまたは複数の特性シーケンス:
【０４９５】
【数６２】
0006517346.tif 000065
【０４９６】
ここで、1≦m≦M
(3)1つまたは複数のコードブック:
【０４９７】
【数６３】
0006517346.tif 000066
【０４９８】
ここで、Qm≧2、Qmはコートブックに対応する変調次数を表すものとしてよく、各コードブックは変調次数に対応するものとしてよく、Nは、1よりも大きい正整数であり、1つの符号化ユニットに含まれるリソースユニットの数として表され得るか、またはコードワードの長さとして理解され得る。
【０４９９】
本発明の実施形態により第1のコードブックを決定するための方法320は、図11から図17を参照しつつ以下で詳しく説明されている。
【０５００】
図11に示されているように、本発明の一実施形態において、適宜、コードブック指示情報は第1のコードブッククラスタ情報、第1のコードブック集合情報、および第1のコードブック情報を含む。第1のコードブッククラスタ情報は、第1のコードブッククラスタを示すために使用され、第1のコードブック集合情報は、第1のコードブッククラスタ内の第1のコードブック集合を示すために使用され、第1のコードブック情報は第1のコードブック集合内の第1のコードブックを示すために使用される。
【０５０１】
コードブック指示情報に従って第1のコードブックを決定するステップは、次のステップを含む。
【０５０２】
S321:第1のコードブッククラスタに含まれる第1のコードブック集合内の第1のコードブックを、第1のコードブッククラスタ情報、第1のコードブック集合情報、および第1のコードブック情報に従って決定し、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす。
【０５０３】
特に、本発明のこの実施形態において、ネットワークデバイスおよび端末デバイスは、事前設計されたコードブックを記憶し得る。コードブックは、1つまたは複数のコードブック集合にグループ分けされるものとしてよい。各コードブック集合は1つまたは複数のコードブックを含む。各コードブックは変調次数に対応する。同じコードブック集合内の任意の2つのコードブック、たとえば、コードブックaおよびコードブックbは、次の特性を有する。コードブックa内のコードワードおよびコードブックb内のコードワードは、同じ総数の変調シンボルを有する。すべてのコードワードの変調シンボルがコードブックa内の0変調シンボルである位置において、コードブックb内のすべてのコードワードの変調シンボルもすべて0変調シンボルである。すなわち、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。
【０５０４】
前述の方式でグループ分けすることによって取得された1つまたは複数のコードブック集合は、1つまたは複数のコードブッククラスタにさらにグループ分けされ得る。各コードブッククラスタは1つまたは複数のコードブック集合を含む。同じコードブッククラスタ内の任意の2つのコードブック集合、たとえば、コードブック集合Aおよびコードブック集合Bは、次の特性を有する。コードブック集合A内のコードワードおよびコードブック集合B内のコードワードは、同じ総数の変調シンボルを有する、すなわち、すべてのコードワードは同じ長さを有する、すなわち、データストリームは、同じ数のリソースユニット上で多重化される。すなわち、コードブッククラスタは同じコードブッククラスタ内のコードワードが同じ総数の変調シンボルを有するという条件を満たす。
【０５０５】
本発明のこの実施形態において、ネットワークデバイスによって送信され、端末デバイスによって受信された、コードブック指示情報は、第1のコードブッククラスタ情報、第1のコードブック集合情報、および第1のコードブック情報を含み得る。たとえば、コードブック指示情報は、3つの論理情報セグメントを含み得る。論理情報セグメント1は、データストリームを送信するために端末デバイスによって使用されるべき第1のコードブッククラスタを示すために使用される第1のコードブッククラスタ情報を搬送し得る。論理情報セグメント2は、第1のコードブッククラスタ内にある、データストリームを送信するために端末デバイスによって使用されるべきである、第1のコードブック集合を示すために使用される第1のコードブック集合情報を搬送し得る。論理情報セグメント3は、第1のコードブック集合内にある、データストリームを送信するために端末デバイスによって使用されるべきである、第1のコードブックを示すために使用される第1のコードブック情報を搬送し得る。
【０５０６】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０５０７】
たとえば、端末デバイスが命令またはコードブック指示情報を搬送するメッセージを受信した後、端末デバイスは、論理情報セグメント1に従って、送信されるべきアップリンクデータストリームを送信するためにコードブックが使用されるべきであるコードブッククラスタを知ることができ、論理情報セグメント2に従って、論理情報セグメント1によって示されるコードブッククラスタ内にある、送信されるべきアップリンクデータストリームを送信するためにコードブックが使用されるべきである、コードブック集合を知ることができ、論理情報セグメント3に従って、論理情報セグメント2によって示されるコードブック集合内にあるどのコードブックが、送信されるべきアップリンクデータストリームを送信するために使用されるべきであるかを知ることができる。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０５０８】
本発明のこの実施形態において、コードブック集合内の2つの異なるコードブックが異なる変調次数に対応するときに、論理情報セグメント3は、変調次数を示すことによって、コードブック集合内にある、送信されるべきアップリンクデータストリームを送信するために端末デバイスによって使用されるべきである、コードブックをさらに示し得る。したがって、端末デバイスは、論理情報セグメント3に従って、送信されるべきアップリンクデータストリームに対応する変調次数を知ることができ、それにより、第1のコードブック集合情報によって示されるコードブック集合内にある、変調次数と一対一対応関係にある、第1のコードブックは、決定され得る。
【０５０９】
すなわち、本発明のこの実施形態において、適宜、第1のコードブック情報は、第1のコードブックの変調次数情報を含み、第1のコードブック集合に含まれるコードブックの変調次数は、異なる、すなわち、第1のコードブック集合内のコードブックは、変調次数と一対一対応関係にある。
【０５１０】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、コードブッククラスタインデックス値とコードブッククラスタとの間のインデックス関係、コードブック集合インデックス値と各コードブッククラスタ内のコードブック集合との間のインデックス関係、およびコードブックインデックス値と各コードブック集合内のコードブックとの間のインデックス関係である。したがって、ネットワークデバイスおよび端末デバイスは、論理情報セグメントによって示されるインデックス値に従って、あらかじめ確立されている関係するインデックス関係を使用することによって、対応するコードブッククラスタ、コードブック集合、およびコードブックを一意的に決定することができる。
【０５１１】
本発明のこの実施形態において、ネットワークデバイスおよび端末デバイスは、複数の方法を使用することによってコードブックをあらかじめ記憶し得るが、次の2つの条件が満たされる必要があることもさらに理解されるであろう。第一に、ネットワークデバイスおよび端末デバイスは、記憶されているコードブックに従って、1つの符号化ユニットに含まれる一定数のリソースユニットまたはサブキャリアまたはリソース要素を知ることができる。第二に、ネットワークデバイスおよび端末デバイスは、記憶されているコードブックに従って、端末デバイスによって送信されるべき非0変調シンボルおよび使用されるべき1つの符号化ユニットのリソースユニットまたはサブキャリアまたはリソース要素を知ることができる。
【０５１２】
前述の記憶条件を満たすための単純で直接的な方法は、前述の形式でコードブックを記憶することであり、コードワードのすべて0変調シンボルおよび非0変調シンボルが記憶される。
【０５１３】
【数６４】
0006517346.tif 000067
【０５１４】
たとえば、変調次数がQPSKまたは4次変調であるときに、図2の可変ノード3で使用されるコードブックは、
【０５１５】
【数６５】
0006517346.tif 000068
【０５１６】
として記憶され得る。
【０５１７】
コードブックが前述の方式で記憶された後、コードワード内の0変調シンボルおよび非0変調シンボルの総数は、1つの符号化ユニットに含まれるリソースユニットまたはサブキャリアまたはリソース要素の数である。非0変調シンボルの位置および値は、端末デバイスが1つの符号化ユニットの対応する位置においてリソースユニットまたはサブキャリアまたはリソース要素上で対応する値を有する非0変調シンボルを送信すべきであることを表す。たとえば、図2の可変ノード3におけるコードブックが使用されるときに、端末デバイスは、1つ符号化ユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信し、ここで、cn,q=α*exp(j*β)、1≦n≦2、1≦q≦4であり、αおよびβは、任意の実数であってよく、任意のq、1≦q≦4、について、c1,qおよびc2,qは同時に0ではなく、q1およびq2を含む少なくとも1つのグループは、
【０５１８】
【数６６】
0006517346.tif 000069
【０５１９】
および
【０５２０】
【数６７】
0006517346.tif 000070
【０５２１】
であることを可能にし、1≦q1≦4および1≦q2≦4である。
【０５２２】
本発明のこの実施形態は、一例として前述の解決方法を使用することのみによって説明されているが、本発明は、それに限定されないことがさらに理解されるであろう。たとえば、ネットワークデバイスおよび端末デバイスによってあらかじめ記憶されているすべてのコードブックが、同じコードブッククラスタに属しているときに、コードブック指示情報は、第1のコードブック集合情報および第1のコードブック情報のみを含み得る。別の例では、ネットワークデバイスおよび端末デバイスによってあらかじめ記憶されているすべてのコードブックが、同じコードブック集合に属しているときに、コードブック指示情報は、第1のコードブッククラスタ情報および第1のコードブック情報のみを含み得る。別の例では、ネットワークデバイスおよび端末デバイスが両方とも、既定により同じ固定変調次数を使用するときに、コードブック指示情報は、第1のコードブッククラスタ情報および第1のコードブック集合情報のみを含み得る。別の例では、ネットワークデバイスおよび端末デバイスが両方とも、既定により、同じ固定数を有するコードブック集合を使用するときに、コードブック指示情報は、第1のコードブッククラスタ情報および第1のコードブック情報のみを含み得る。
【０５２３】
したがって、前述の方法において、アップリンクデータストリームを送信するために端末デバイスによって使用されるべき第1のコードブックが、より少ないコードブック識別情報に基づき決定され得る。したがって、前述の方法に従って、システムのネットワーク容量が効果的に改善され得るだけでなく、システムオーバーヘッドも低減され得る。
【０５２４】
図12は、本発明の実施形態により第1のコードブックを決定するための方法320の別の実施形態を示している。図12に示されているように、本発明のこの実施形態において、適宜、コードブック指示情報は第2のコードブック集合情報および第2のコードブック情報を含む。第2のコードブック集合情報は第2のコードブック集合を示すために使用され、第2のコードブック情報は第2のコードブック集合内の第1のコードブックを示すために使用される。
【０５２５】
コードブック指示情報に従って第1のコードブックを決定するステップは、次のステップを含む。
【０５２６】
S322:第2のコードブック集合内の第1のコードブックを、第2のコードブック集合情報および第2のコードブック情報に従って決定し、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。
【０５２７】
適宜、第2のコードブック情報は、第1のコードブックの変調次数情報を含み、第2のコードブック集合に含まれるコードブックの変調次数は、異なる。
【０５２８】
ネットワークデバイスと端末デバイスとの間の相互のやり取りならびにネットワークデバイスの観点から説明されている関係する特性および機能は、端末デバイスの観点からの関係する特性および機能に対応することが理解されるであろう。詳細については、簡単のため本明細書では再度説明しない。
【０５２９】
図13は、本発明の実施形態により第1のコードブックを決定するための方法320のさらに別の実施形態を示している。図13に示されているように、本発明のこの実施形態において、適宜、コードブック指示情報は第2のコードブッククラスタ情報および第3のコードブック情報を含む。第2のコードブッククラスタ情報は第2のコードブッククラスタを示すために使用され、第3のコードブック情報は第2のコードブッククラスタ内の第1のコードブックを示すために使用される。
【０５３０】
コードブック指示情報に従って第1のコードブックを決定するステップは、次のステップを含む。
【０５３１】
S323:第2のコードブッククラスタ内の第1のコードブックを、第2のコードブッククラスタ情報および第3のコードブック情報に従って決定し、各コードブッククラスタは少なくとも1つのコードブックを含み、コードブッククラスタは同じコードブッククラスタ内のコードワードが同じ総数の変調シンボルを有するという条件を満たす。
【０５３２】
本発明の一実施形態において、適宜、図14に示されているように、コードブック指示情報は第1のコードブックのインデックス値を含む。
【０５３３】
コードブック指示情報に従って第1のコードブックを決定するステップは、次のステップを含む。
【０５３４】
S324:インデックス値に対応する第1のコードブックを、インデックス値に従って決定する。
【０５３５】
本発明の一実施形態において、適宜、図15に示されているように、コードブック指示情報は第1の特性行列情報、第1の特性シーケンス情報、および第4のコードブック情報を含む。第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用される。
【０５３６】
コードブック指示情報に従って第1のコードブックを決定するステップは、次のステップを含む。
【０５３７】
S325:第1の特性行列情報、第1の特性シーケンス情報、および第4のコードブック情報に従って第1の特性行列内の第1の特性シーケンスに対応する1つまたは複数のコードブックのうちの第1のコードブックを決定し、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す。
【０５３８】
本発明のこの実施形態において、適宜、第4のコードブック情報は、第1のコードブックの変調次数情報を含み、第1の特性シーケンスに対応する1つまたは複数のコードブックの変調次数は、異なる。
【０５３９】
図16に示されているように、本発明の一実施形態において、適宜、コードブック指示情報は第2の特性行列情報および第5のコードブック情報を含む。第2の特性行列情報は第2の特性行列を示すために使用され、第5のコードブック情報は第2の特性行列に対応する1つまたは複数のコードブックのうちの第1のコードブックを示すために使用される。
【０５４０】
コードブック指示情報に従って第1のコードブックを決定するステップは、次のステップを含む。
【０５４１】
S326:第2の特性行列情報および第5のコードブック情報に従って第2の特性行列に対応する1つまたは複数のコードブックのうちの第1のコードブックを決定し、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す。
【０５４２】
図17に示されているように、本発明の一実施形態において、適宜、コードブック指示情報は第2の特性シーケンス情報および第6のコードブック情報を含む。第2の特性シーケンス情報は第2の特性シーケンスを示すために使用され、第6のコードブック情報は第2の特性シーケンスに対応する1つまたは複数のコードブックのうちの第1のコードブックを示すために使用される。
【０５４３】
コードブック指示情報に従って第1のコードブックを決定するステップは、次のステップを含む。
【０５４４】
S327:第2の特性シーケンス情報および第6のコードブック情報に従って第2の特性シーケンスに対応する1つまたは複数のコードブックのうちの第1のコードブックを決定し、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す。
【０５４５】
適宜、本発明のこの実施形態において、第6のコードブック情報は、第1のコードブックの変調次数情報を含み、第2の特性シーケンスに対応する1つまたは複数のコードブックの変調次数は、異なる。
【０５４６】
ネットワークデバイスと端末デバイスとの間の相互のやり取りならびにネットワークデバイスの観点から説明されている関係する特性および機能は、端末デバイスの観点からの関係する特性および機能に対応することが理解されるであろう。詳細については、簡単のため本明細書では再度説明しない。
【０５４７】
適宜、本発明の実施形態において、ネットワークデバイスによって送信されたコードブック指示情報を受信するステップは、ネットワークデバイスによって送信されたアップリンクスケジューリング許可メッセージ、専用上位層制御シグナリング、またはシステムブロードキャストメッセージを受信するステップを含む。アップリンクスケジューリング許可メッセージ、専用上位層制御シグナリング、またはシステムブロードキャストメッセージはコードブック指示情報を含む。適宜、本発明の実施形態において、専用上位層制御シグナリングは、無線リソース制御RRC接続セットアップメッセージとRRC接続再構成メッセージとを含む。
【０５４８】
本発明の実施形態において、端末デバイスは、ビット列方式またはテーブル方式のうちの少なくとも一方を使用することによってネットワークデバイスによって送信されたコードブック指示情報を受信し得る。適宜、コードブック指示情報はビット列情報である。
【０５４９】
本発明の実施形態において、適宜、コードブックはスパース符号多元接続SCMAコードブックである。さらに、適宜、0変調シンボルの数は、コードブックに含まれているコードワード内の非0変調シンボルの数以上である。
【０５５０】
ネットワークデバイスと端末デバイスとの間の相互のやり取りならびにネットワークデバイスの観点から説明されている関係する特性および機能は、端末デバイスの観点からの関係する特性および機能に対応することが理解されるであろう。詳細については、簡単のため本明細書では再度説明しない。
【０５５１】
本発明の様々な実施形態における前述のプロセスの順序番号は、実行順序を意味しないことも理解されるであろう。プロセスの実行順序は、プロセスの機能および内部論理に従って決定されるべきであり、本発明の実施形態の実装プロセスに対する制限と解釈されるべきでない。
【０５５２】
したがって、本発明の実施形態により指示情報を伝送するための方法について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０５５３】
本発明の実施形態により指示情報を伝送するための方法は、図3から図17を参照しつつ上で詳しく説明されている。本発明の実施形態により指示情報を伝送のための装置が、図18から図28を参照しつつ以下で説明されている。
【０５５４】
図18は、本発明の一実施形態により指示情報を伝送するための装置500を示している。図18に示されているように、装置500は、
1つまたは複数のコードブックに従って、アップリンクデータストリームを送信するために端末デバイスによって使用されるべき第1のコードブックを決定するように構成されている第1の決定モジュール510であって、コードブックは2つ以上のコードワードを含み、コードワードは多次元複素ベクトルであり、データと少なくとも2つの変調シンボルとの間のマッピング関係を表すために使用され、少なくとも2つの変調シンボルは少なくとも1つの0変調シンボルと少なくとも1つの非0変調シンボルとを含む、第1の決定モジュール510と、
第1の決定モジュール510によって決定された第1のコードブックを示すために使用されるコードブック指示情報を決定するように構成されている第2の決定モジュール520と、
第2の決定モジュール520によって決定されたコードブック指示情報を端末デバイスに送信するように構成されている送信モジュール530とを備える。
【０５５５】
したがって、本発明のこの実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０５５６】
本発明の一実施形態において、適宜、図19に示されているように、第2の決定モジュール520は、
第1のコードブックが属している第1のコードブック集合と、第1のコードブック集合が属している第1のコードブッククラスタとを決定するように構成されている第1の決定ユニット5211であって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす、第1の決定ユニット5211と、
コードブック指示情報を決定するように構成されている第2の決定ユニット5212であって、コードブック指示情報は第1のコードブッククラスタ情報、第1のコードブック集合情報、および第1のコードブック情報を含み、第1のコードブッククラスタ情報は第1のコードブッククラスタを示すために使用され、第1のコードブック集合情報は、第1のコードブッククラスタ内の第1のコードブック集合を示すために使用され、第1のコードブック情報は第1のコードブック集合内の第1のコードブックを示すために使用される、第2の決定ユニット5212とを備える。
【０５５７】
本発明のこの実施形態において、適宜、第2の決定ユニット5212によって決定された第1のコードブック情報は、第1のコードブックの変調次数情報を含み、第1のコードブック集合に含まれるコードブックの変調次数は、異なる。
【０５５８】
本発明の一実施形態において、適宜、図20に示されているように、第2の決定モジュール520は、
第1のコードブックが属している第2のコードブック集合を決定するように構成されている第3の決定ユニット5221であって、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす、第3の決定ユニット5221と、
コードブック指示情報を決定するように構成されている第4の決定ユニット5222であって、コードブック指示情報は第2のコードブック集合情報および第2のコードブック情報を含み、第2のコードブック集合情報は第2のコードブック集合を示すために使用され、第2のコードブック情報は第2のコードブック集合内の第1のコードブックを示すために使用される、第4の決定ユニット5222とを備える。
【０５５９】
本発明のこの実施形態において、適宜、第4の決定ユニット5222によって決定された第2のコードブック情報は、第1のコードブックの変調次数情報を含み、第2のコードブック集合に含まれるコードブックの変調次数は、異なる。
【０５６０】
図21に示されているように、本発明の一実施形態において、適宜、第2の決定モジュール520は、
第1のコードブックが属している第2のコードブッククラスタを決定するように構成されている第5の決定ユニット5231であって、各コードブッククラスタは少なくとも1つのコードブックを含み、コードブッククラスタは同じコードブッククラスタ内のコードワードが同じ総数の変調シンボルを有するという条件を満たす、第5の決定ユニット5231と、
コードブック指示情報を決定するように構成されている第6の決定ユニット5232であって、コードブック指示情報は第2のコードブッククラスタ情報および第3のコードブック情報を含み、第2のコードブッククラスタ情報は第2のコードブッククラスタを示すために使用され、第3のコードブック情報は第2のコードブッククラスタ内の第1のコードブックを示すために使用される、第6の決定ユニット5232とを備える。
【０５６１】
適宜、本発明のこの実施形態において、第2の決定モジュール520によって決定されたコードブック指示情報は第1のコードブックのインデックス値を含む。
【０５６２】
図22に示されているように、本発明の一実施形態において、適宜、第2の決定モジュール520は、
第1のコードブックが属している第1の特性シーケンスと、第1の特性シーケンスが属している第1の特性行列とを決定するように構成されている第7の決定ユニット5241であって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第7の決定ユニット5241と、
コードブック指示情報を決定するように構成されている第8の決定ユニット5242であって、コードブック指示情報は第1の特性行列情報、第1の特性シーケンス情報、および第4のコードブック情報を含み、第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用される、第8の決定ユニット5242とを備える。
【０５６３】
適宜、本発明のこの実施形態において、第8の決定ユニット5242によって決定された第4のコードブック情報は、第1のコードブックの変調次数情報を含み、第1の特性シーケンスに対応する1つまたは複数のコードブックの変調次数は、異なる。
【０５６４】
図23に示されているように、本発明の一実施形態において、適宜、第2の決定モジュール520は、
第1のコードブックが属している第2の特性行列を決定するように構成されている第9の決定ユニット5251であって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第9の決定ユニット5251と、
コードブック指示情報を決定するように構成されている第10の決定ユニット5252であって、コードブック指示情報は第2の特性行列情報および第5のコードブック情報を含み、第2の特性行列情報は第2の特性行列を示すために使用され、第5のコードブック情報は第2の特性行列に対応する1つまたは複数のコードブックのうちの第1のコードブックを示すために使用される、第10の決定ユニット5252とを備える。
【０５６５】
本発明の一実施形態において、適宜、図24に示されているように、第2の決定モジュール520は、
第1のコードブックが属している第2の特性シーケンスを決定するように構成されている第11の決定ユニット5261であって、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第11の決定ユニット5261と、
コードブック指示情報を決定するように構成されている第12の決定ユニット5262であって、コードブック指示情報は第2の特性シーケンス情報および第6のコードブック情報を含み、第2の特性シーケンス情報は第2の特性シーケンスを示すために使用され、第6のコードブック情報は第2の特性シーケンスに対応する1つまたは複数のコードブックのうちの第1のコードブックを示すために使用される、第12の決定ユニット5262とを備える。
【０５６６】
本発明のこの実施形態において、適宜、第12の決定ユニット5262によって決定された第6のコードブック情報は、第1のコードブックの変調次数情報を含み、第2の特性シーケンスに対応する1つまたは複数のコードブックの変調次数は、異なる。
【０５６７】
適宜、本発明の実施形態において、送信モジュール530は、アップリンクスケジューリング許可メッセージ、専用上位層制御シグナリング、またはシステムブロードキャストメッセージを端末デバイスに送信するように特に構成される。アップリンクスケジューリング許可メッセージ、専用上位層制御シグナリング、またはシステムブロードキャストメッセージはコードブック指示情報を含む。
【０５６８】
適宜、本発明の実施形態において、専用上位層制御シグナリングは、無線リソース制御RRC接続セットアップメッセージとRRC接続再構成メッセージとを含む。
【０５６９】
本発明の実施形態において、適宜、送信モジュール530によって送信されるコードブック指示情報はビット列情報である。
【０５７０】
本発明の実施形態において、適宜、コードブックはスパース符号多元接続SCMAコードブックである。
【０５７１】
本発明の実施形態において、適宜、0変調シンボルの数は、コードブックに含まれているコードワード内の非0変調シンボルの数以上である。
【０５７２】
本発明の実施形態において、適宜、装置500は、ネットワークデバイスである。
【０５７３】
本発明の実施形態による装置500は、本発明の方法実施形態におけるネットワークデバイスに対応し得ることが理解されるであろう。装置500内のモジュールの前述のおよび他の動作および/または機能は、図3から図9の方法200における対応する手順を実装するために別々に使用され、本明細書では簡潔にするために詳細は再度説明しない。
【０５７４】
したがって、本発明の実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０５７５】
それに加えて、本発明の実施形態により指示情報を伝送するための装置は、より少ない情報を使用して、アップリンクデータストリームを送信するために端末デバイスによって使用されるべき第1のコードブックを示し得る。したがって、前述の装置を用いることで、システムのネットワーク容量が効果的に改善され得るだけでなく、システムオーバーヘッドも低減され得る。
【０５７６】
本発明の実施形態により指示情報を伝送するための装置は、図18から図24を参照しつつネットワークデバイスの観点から上で詳しく説明されている。本発明の実施形態により指示情報を伝送するための装置は、図25および図26を参照しつつ端末デバイスの観点から以下で詳しく説明されている。
【０５７７】
図25は、本発明の一実施形態により指示情報を伝送するための装置600を示している。図25に示されているように、装置600は、
ネットワークデバイスによって送信されたコードブック指示情報を受信するように構成されている受信モジュール610であって、コードブック指示情報は1つまたは複数のコードブックのうちの第1のコードブックを示すために使用され、コードブックは2つ以上のコードワードを含み、コードワードは多次元複素ベクトルであり、データと少なくとも2つの変調シンボルとの間のマッピング関係を表すために使用され、少なくとも2つの変調シンボルは少なくとも1つの0変調シンボルと少なくとも1つの非0変調シンボルとを含む、受信モジュール610と、
受信モジュール610によって受信されたコードブック指示情報に従って第1のコードブックを決定するように構成されている決定モジュール620と、
決定モジュール620によって決定された第1のコードブックに従ってアップリンクデータストリームを送信するように構成されている送信モジュール630とを備える。
【０５７８】
したがって、本発明のこの実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０５７９】
本発明の一実施形態において、適宜、図26に示されているように、受信モジュール610によって受信されたコードブック指示情報は、第1のコードブッククラスタ情報、第1のコードブック集合情報、および第1のコードブック情報を含む。第1のコードブッククラスタ情報は、第1のコードブッククラスタを示すために使用され、第1のコードブック集合情報は、第1のコードブッククラスタ内の第1のコードブック集合を示すために使用され、第1のコードブック情報は第1のコードブック集合内の第1のコードブックを示すために使用される。
【０５８０】
決定モジュール620は、第1のコードブッククラスタに含まれる第1のコードブック集合内の第1のコードブックを、第1のコードブッククラスタ情報、第1のコードブック集合情報、および第1のコードブック情報に従って決定するように構成されている第1の決定ユニット621を備える。各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす。
【０５８１】
適宜、本発明のこの実施形態において、受信モジュール610によって受信された第1のコードブック情報は、第1のコードブックの変調次数情報を含み、第1のコードブック集合に含まれるコードブックの変調次数は、異なる。
【０５８２】
図26に示されているように、適宜、本発明の一実施形態において、受信モジュール610によって受信されたコードブック指示情報は、第2のコードブック集合情報および第2のコードブック情報を含む。第2のコードブック集合情報は第2のコードブック集合を示すために使用され、第2のコードブック情報は第2のコードブック集合内の第1のコードブックを示すために使用される。
【０５８３】
決定モジュール620は、第2のコードブック集合内の第1のコードブックを、第2のコードブック集合情報および第2のコードブック情報に従って決定するように構成されている第2の決定ユニット622を備える。各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。
【０５８４】
適宜、本発明のこの実施形態において、受信モジュール610によって受信された第2のコードブック情報は、第1のコードブックの変調次数情報を含み、第2のコードブック集合に含まれるコードブックの変調次数は、異なる。
【０５８５】
図26に示されているように、適宜、本発明の一実施形態において、受信モジュール610によって受信されたコードブック指示情報は、第2のコードブッククラスタ情報および第3のコードブック情報を含む。第2のコードブッククラスタ情報は第2のコードブッククラスタを示すために使用され、第3のコードブック情報は第2のコードブッククラスタ内の第1のコードブックを示すために使用される。
【０５８６】
決定モジュール620は、第2のコードブッククラスタ内の第1のコードブックを、第2のコードブッククラスタ情報および第3のコードブック情報に従って決定するように構成されている第3の決定ユニット623を備える。各コードブッククラスタは少なくとも1つのコードブックを含み、コードブッククラスタは同じコードブッククラスタ内のコードワードが同じ総数の変調シンボルを有するという条件を満たす。
【０５８７】
図26に示されているように、適宜、本発明の一実施形態において、受信モジュール610によって受信されたコードブック指示情報は第1のコードブックのインデックス値を含む。
【０５８８】
決定モジュール620は、インデックス値に対応する第1のコードブックを、インデックス値に従って決定するように構成されている第4の決定ユニット624を備える。
【０５８９】
適宜、本発明の一実施形態において、図26に示されているように、受信モジュール610によって受信されたコードブック指示情報は、第1の特性行列情報、第1の特性シーケンス情報、および第4のコードブック情報を含む。第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用される。
【０５９０】
決定モジュール620は、第1の特性行列情報、第1の特性シーケンス情報、および第4のコードブック情報に従って第1の特性行列内の第1の特性シーケンスに対応する1つまたは複数のコードブックのうちの第1のコードブックを決定するように構成されている第5の決定ユニット625を備える。各特性行列は2つ以上の特性シーケンスを含み、各特性シーケンスは1つまたは複数のコードブックに対応し、特性シーケンスは要素0および要素1を含む。要素0は対応するコードブック内のすべてのコードワードの変調シンボルである、要素0に対応する位置にある変調シンボルがすべて0変調シンボルであることを表す。要素1は対応するコードブック内のすべてのコードワードの変調シンボルである、要素1に対応する位置にある変調シンボルがすべて0変調シンボルであるとは限らないか、またはすべて非0変調シンボルであることを表す。
【０５９１】
適宜、本発明のこの実施形態において、受信モジュール610によって受信された第4のコードブック情報は、第1のコードブックの変調次数情報を含み、第1の特性シーケンスに対応する1つまたは複数のコードブックの変調次数は、異なる。
【０５９２】
図26に示されているように、適宜、本発明の一実施形態において、受信モジュール610によって受信されたコードブック指示情報は、第2の特性行列情報および第5のコードブック情報を含む。第2の特性行列情報は第2の特性行列を示すために使用され、第5のコードブック情報は第2の特性行列に対応する1つまたは複数のコードブックのうちの第1のコードブックを示すために使用される。
【０５９３】
決定モジュール620は、第2の特性行列情報および第5のコードブック情報に従って第2の特性行列に対応する1つまたは複数のコードブックのうちの第1のコードブックを決定するように構成されている第6の決定ユニット626を備える。各特性行列は2つ以上の特性シーケンスを含み、各特性シーケンスは1つまたは複数のコードブックに対応し、特性シーケンスは要素0および要素1を含む。要素0は対応するコードブック内のすべてのコードワードの変調シンボルである、要素0に対応する位置にある変調シンボルがすべて0変調シンボルであることを表す。要素1は対応するコードブック内のすべてのコードワードの変調シンボルである、要素1に対応する位置にある変調シンボルがすべて0変調シンボルであるとは限らないか、またはすべて非0変調シンボルであることを表す。
【０５９４】
適宜、本発明の一実施形態において、図26に示されているように、受信モジュール610によって受信されたコードブック指示情報は、第2の特性シーケンス情報および第6のコードブック情報を含む。第2の特性シーケンス情報は第2の特性シーケンスを示すために使用され、第6のコードブック情報は第2の特性シーケンスに対応する1つまたは複数のコードブックのうちの第1のコードブックを示すために使用される。
【０５９５】
決定モジュール620は、第2の特性シーケンス情報および第6のコードブック情報に従って第2の特性シーケンスに対応する1つまたは複数のコードブックのうちの第1のコードブックを決定するように構成されている第7の決定ユニット627を備える。各特性シーケンスは1つまたは複数のコードブックに対応し、特性シーケンスは要素0と要素1とを含む。要素0は対応するコードブック内のすべてのコードワードの変調シンボルである、要素0に対応する位置にある変調シンボルがすべて0変調シンボルであることを表す。要素1は対応するコードブック内のすべてのコードワードの変調シンボルである、要素1に対応する位置にある変調シンボルがすべて0変調シンボルであるとは限らないか、またはすべて非0変調シンボルであることを表す。
【０５９６】
適宜、本発明のこの実施形態において、受信モジュール610によって受信された第6のコードブック情報は、第1のコードブックの変調次数情報を含み、第2の特性シーケンスに対応する1つまたは複数のコードブックの変調次数は、異なる。
【０５９７】
適宜、本発明の実施形態において、受信モジュール610は、ネットワークデバイスによって送信されたアップリンクスケジューリング許可メッセージ、専用上位層制御シグナリング、またはシステムブロードキャストメッセージを受信するように特に構成される。アップリンクスケジューリング許可メッセージ、専用上位層制御シグナリング、またはシステムブロードキャストメッセージはコードブック指示情報を含む。
【０５９８】
適宜、本発明の実施形態において、専用上位層制御シグナリングは、無線リソース制御RRC接続セットアップメッセージとRRC接続再構成メッセージとを含む。
【０５９９】
適宜、本発明の実施形態において、受信モジュール610によって受信されたコードブック指示情報はビット列情報である。
【０６００】
本発明の実施形態において、適宜、コードブックはスパース符号多元接続SCMAコードブックである。
【０６０１】
本発明の実施形態において、適宜、0変調シンボルの数は、コードブックに含まれているコードワード内の非0変調シンボルの数以上である。
【０６０２】
本発明の実施形態において、適宜、装置600は、端末デバイスである。
【０６０３】
本発明の実施形態により指示情報を伝送するための装置600は、本発明の方法実施形態における端末デバイスに対応し得ることが理解されるであろう。装置600内のモジュールの前述のおよび他の動作および/または機能は、図10から図17の方法300における対応する手順を実装するために別々に使用され、本明細書では簡潔にするために詳細は再度説明しない。
【０６０４】
したがって、本発明の実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０６０５】
それに加えて、本発明の実施形態により指示情報を伝送するための装置は、より少ないコードブック指示情報に従って、アップリンクデータストリームを送信するために装置によって使用されるべき第1のコードブックを決定し得る。したがって、本発明のこの実施形態による装置を用いることで、システムのネットワーク容量が効果的に改善され得るだけでなく、システムオーバーヘッドも低減され得る。
【０６０６】
図27に示されているように、本発明の一実施形態は、指示情報を伝送するための装置800をさらに実現する。装置800は、プロセッサ810、メモリ820、バスシステム830、および送信機840を備える。プロセッサ810、メモリ820、および送信機840は、バスシステム830を使用することによって接続される。メモリ820は、命令を記憶するように構成されている。プロセッサ810は、信号を送信する送信機840を制御するために、メモリ820に記憶されている命令を実行するように構成される。プロセッサ810は、1つまたは複数のコードブックに従って、アップリンクデータストリームを送信するために端末デバイスによって使用されるべき第1のコードブックを決定するように構成され、コードブックは2つ以上のコードワードを含み、コードワードは多次元複素ベクトルであり、データと少なくとも2つの変調シンボルとの間のマッピング関係を表すために使用され、少なくとも2つの変調シンボルは少なくとも1つの0変調シンボルと少なくとも1つの非0変調シンボルとを含み、さらに第1のコードブックを示すために使用されるコードブック指示情報を決定するように構成される。
【０６０７】
送信機840は、コードブック指示情報を端末デバイスに送信するように構成される。
【０６０８】
したがって、本発明のこの実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０６０９】
本発明のこの実施形態において、プロセッサ810は、中央演算処理装置(Central Processing Unit、略して「CPU」)であってよいか、または、プロセッサ810は、別の汎用プロセッサ、デジタルシグナルプロセッサ(DSP)、特定用途向け集積回路(ASIC)、フィールドプログラマブルゲートアレイ(FPGA)、または別のプログラム可能な論理デバイス、ディスクリートゲートもしくはトランジスタ論理素子、ディスクリートハードウェアコンポーネント、または同様のものであってよいことが理解されるであろう。汎用プロセッサは、マイクロプロセッサであるか、またはプロセッサは、任意の従来型のプロセッサまたは同様のものであってよい。
【０６１０】
メモリ820は、リードオンリーメモリとランダムアクセスメモリとを含むものとしてよく、命令とデータとをプロセッサ810に供給する。メモリ820の一部は、不揮発性ランダムアクセスメモリをさらに含み得る。たとえば、メモリ820は、デバイスタイプ情報をさらに記憶し得る。
【０６１１】
バスシステム830は、データバスに加えて電源バス、制御バス、ステータス信号バス、および同様のものを備え得る。しかしながら、説明を明確にするために、図中の様々なタイプのバスはバスシステム830としてマークを付けられている。
【０６１２】
一実装プロセスにおいて、前述の方法のステップは、プロセッサ810内のハードウェアの集積論理回路を使用することによって、またはソフトウェアの形態の命令を使用することによって遂行され得る。本発明の実施形態を参照しつつ開示されている方法のステップは、ハードウェアプロセッサを用いて直接実行され、遂行され得るか、またはプロセッサ内のハードウェアモジュールおよびソフトウェアモジュールの組合せを使用することによって実行され、遂行され得る。ソフトウェアモジュールは、ランダムアクセスメモリ、フラッシュメモリ、リードオンリーメモリ、プログラマブルリードオンリーメモリ、電気的消去可能プログラム可能メモリ、またはレジスタなどの、技術分野において成熟している記憶媒体内に配置され得る。記憶媒体は、メモリ820内に配置され、プロセッサ810は、メモリ820内の情報を読み取り、プロセッサ810のハードウェアと組み合わせて前述の方法のステップを遂行する。繰り返しを避けるため、詳細は本明細書では再度説明しない。
【０６１３】
適宜、一実施形態において、プロセッサ810によって、第1のコードブックを示すために使用されるコードブック指示情報を決定するステップは、
第1のコードブックが属している第1のコードブック集合と、第1のコードブック集合が属している第1のコードブッククラスタとを決定するステップであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす、ステップと、
コードブック指示情報を決定するステップであって、コードブック指示情報は第1のコードブッククラスタ情報、第1のコードブック集合情報、および第1のコードブック情報を含み、第1のコードブッククラスタ情報は第1のコードブッククラスタを示すために使用され、第1のコードブック集合情報は第1のコードブッククラスタ内の第1のコードブック集合を示すために使用され、第1のコードブック情報は第1のコードブック集合内の第1のコードブックを示すために使用される、ステップとを含む。
【０６１４】
適宜、一実施形態において、プロセッサ810によって決定された第1のコードブック情報は、第1のコードブックの変調次数情報を含み、第1のコードブック集合に含まれるコードブックの変調次数は、異なる。
【０６１５】
適宜、一実施形態において、プロセッサ810によって、第1のコードブックを示すために使用されるコードブック指示情報を決定するステップは、
第1のコードブックが属している第2のコードブック集合を決定するステップであって、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす、ステップと、
コードブック指示情報を決定するステップであって、コードブック指示情報は第2のコードブック集合情報および第2のコードブック情報を含み、第2のコードブック集合情報は第2のコードブック集合を示すために使用され、第2のコードブック情報は第2のコードブック集合内の第1のコードブックを示すために使用される、ステップとを含む。
【０６１６】
適宜、一実施形態において、プロセッサ810によって決定された第2のコードブック情報は、第1のコードブックの変調次数情報を含み、第2のコードブック集合に含まれるコードブックの変調次数は、異なる。
【０６１７】
適宜、一実施形態において、プロセッサ810によって、第1のコードブックを示すために使用されるコードブック指示情報を決定するステップは、
第1のコードブックが属している第2のコードブッククラスタを決定するステップであって、各コードブッククラスタは少なくとも1つのコードブックを含み、コードブッククラスタは同じコードブッククラスタ内のコードワードが同じ総数の変調シンボルを有するという条件を満たす、ステップと、
コードブック指示情報を決定するステップであって、コードブック指示情報は第2のコードブッククラスタ情報および第3のコードブック情報を含み、第2のコードブッククラスタ情報は第2のコードブッククラスタを示すために使用され、第3のコードブック情報は第2のコードブッククラスタ内の第1のコードブックを示すために使用される、ステップとを含む。
【０６１８】
適宜、一実施形態において、プロセッサ810によって決定されたコードブック指示情報は第1のコードブックのインデックス値を含む。
【０６１９】
適宜、一実施形態において、プロセッサ810によって、第1のコードブックを示すために使用されるコードブック指示情報を決定するステップは、
第1のコードブックが属している第1の特性シーケンスと、第1の特性シーケンスが属している第1の特性行列とを決定するステップであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップと、
コードブック指示情報を決定するステップであって、コードブック指示情報は第1の特性行列情報、第1の特性シーケンス情報、および第4のコードブック情報を含み、第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用される、ステップとを含む。
【０６２０】
適宜、一実施形態において、プロセッサ810によって決定された第4のコードブック情報は、第1のコードブックの変調次数情報を含み、第1の特性シーケンスに対応する1つまたは複数のコードブックの変調次数は、異なる。
【０６２１】
適宜、一実施形態において、プロセッサ810によって、第1のコードブックを示すために使用されるコードブック指示情報を決定するステップは、
第1のコードブックが属している第2の特性行列を決定するステップであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップと、
コードブック指示情報を決定するステップであって、コードブック指示情報は第2の特性行列情報および第5のコードブック情報を含み、第2の特性行列情報は第2の特性行列を示すために使用され、第5のコードブック情報は第2の特性行列に対応する1つまたは複数のコードブックのうちの第1のコードブックを示すために使用される、ステップとを含む。
【０６２２】
適宜、一実施形態において、プロセッサ810によって、第1のコードブックを示すために使用されるコードブック指示情報を決定するステップは、
第1のコードブックが属している第2の特性シーケンスを決定するステップであって、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップと、
コードブック指示情報を決定するステップであって、コードブック指示情報は第2の特性シーケンス情報および第6のコードブック情報を含み、第2の特性シーケンス情報は第2の特性シーケンスを示すために使用され、第6のコードブック情報は第2の特性シーケンスに対応する1つまたは複数のコードブックのうちの第1のコードブックを示すために使用される、ステップとを含む。
【０６２３】
適宜、一実施形態において、プロセッサ810によって決定された第6のコードブック情報は、第1のコードブックの変調次数情報を含み、第2の特性シーケンスに対応する1つまたは複数のコードブックのうちの少なくとも1つのコードブックのうちのコードブックは、異なる変調次数を有する。
【０６２４】
適宜、一実施形態において、送信機840によって、コードブック指示情報を端末デバイスに送信するステップは、
アップリンクスケジューリング許可メッセージ、専用上位層制御シグナリング、またはシステムブロードキャストメッセージを端末デバイスに送信するステップであって、アップリンクスケジューリング許可メッセージ、専用上位層制御シグナリング、またはシステムブロードキャストメッセージはコードブック指示情報を含む、ステップを含む。
【０６２５】
適宜、一実施形態において、専用上位層制御シグナリングは、無線リソース制御RRC接続セットアップメッセージとRRC接続再構成メッセージとを含む。
【０６２６】
適宜、一実施形態において、送信機840によって送信されるコードブック指示情報はビット列情報である。
【０６２７】
適宜、一実施形態において、コードブックはスパース符号多元接続SCMAコードブックである。
【０６２８】
適宜、一実施形態において、要素0の数は、コードブックに含まれているコードワード内の変調シンボルの数以上である。
【０６２９】
適宜、一実施形態において、装置800は、ネットワークデバイスである。
【０６３０】
本発明の実施形態により指示情報を伝送するための装置800は、本発明の実施形態におけるネットワークデバイスおよび装置500に対応するものとしてよく、本発明の実施形態による方法を実行する対応する対象に対応するものとしてよいことが理解されるであろう。装置800内のモジュールの前述のおよび他の動作および/または機能は、図3から図9の方法における対応する手順を実装するために別々に使用され、本明細書では簡潔にするために詳細は再度説明しない。
【０６３１】
したがって、本発明の実施形態による指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０６３２】
それに加えて、本発明の実施形態により指示情報を伝送するための装置は、より少ない情報を使用して、アップリンクデータストリームを送信するために端末デバイスによって使用されるべき第1のコードブックを示し得る。したがって、前述の装置を用いることで、システムのネットワーク容量が効果的に改善され得るだけでなく、システムオーバーヘッドも低減され得る。
【０６３３】
図28に示されているように、本発明の一実施形態は、指示情報を伝送するための装置900をさらに実現する。装置900は、プロセッサ910、メモリ920、バスシステム930、受信機940、および送信機950を備える。プロセッサ910、メモリ920、受信機940、および送信機950は、バスシステム930を使用することによって接続される。メモリ920は、命令を記憶するように構成されている。プロセッサ910は、信号を受信する受信機940を制御し、信号を送信する送信機950を制御するために、メモリ920に記憶されている命令を実行するように構成される。
【０６３４】
受信機940は、ネットワークデバイスによって送信されたコードブック指示情報を受信するように構成され、コードブック指示情報は1つまたは複数のコードブックのうちの第1のコードブックを示すために使用され、コードブックは2つ以上のコードワードを含み、コードワードは多次元複素ベクトルであり、データと少なくとも2つの変調シンボルとの間のマッピング関係を表すために使用され、少なくとも2つの変調シンボルは少なくとも1つの0変調シンボルと少なくとも1つの非0変調シンボルとを含み、
プロセッサ910は、コードブック指示情報に従って第1のコードブックを決定するように構成され、
送信機950は、第1のコードブックに従ってアップリンクデータストリームを送信するように構成される。
【０６３５】
したがって、本発明のこの実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０６３６】
本発明のこの実施形態において、プロセッサ910は、中央演算処理装置(Central Processing Unit、略して「CPU」)であってよいか、または、プロセッサ910は、別の汎用プロセッサ、デジタルシグナルプロセッサ(DSP)、特定用途向け集積回路(ASIC)、フィールドプログラマブルゲートアレイ(FPGA)、または別のプログラム可能な論理デバイス、ディスクリートゲートもしくはトランジスタ論理素子、ディスクリートハードウェアコンポーネント、または同様のものであってよいことが理解されるであろう。汎用プロセッサは、マイクロプロセッサであるか、またはプロセッサは、任意の従来型のプロセッサまたは同様のものであってよい。
【０６３７】
メモリ920は、リードオンリーメモリとランダムアクセスメモリとを含むものとしてよく、命令とデータとをプロセッサ910に供給する。メモリ920の一部は、不揮発性ランダムアクセスメモリをさらに含み得る。たとえば、メモリ920は、デバイスタイプ情報をさらに記憶し得る。
【０６３８】
バスシステム930は、データバスに加えて電源バス、制御バス、ステータス信号バス、および同様のものを備え得る。しかしながら、説明を明確にするために、図中の様々なタイプのバスはバスシステム930としてマークを付けられている。
【０６３９】
一実装プロセスにおいて、前述の方法のステップは、プロセッサ910内のハードウェアの集積論理回路を使用することによって、またはソフトウェアの形態の命令を使用することによって遂行され得る。本発明の実施形態を参照しつつ開示されている方法のステップは、ハードウェアプロセッサを用いて直接実行され、遂行され得るか、またはプロセッサ内のハードウェアモジュールおよびソフトウェアモジュールの組合せを使用することによって実行され、遂行され得る。ソフトウェアモジュールは、ランダムアクセスメモリ、フラッシュメモリ、リードオンリーメモリ、プログラマブルリードオンリーメモリ、電気的消去可能プログラム可能メモリ、またはレジスタなどの、技術分野において成熟している記憶媒体内に配置され得る。記憶媒体は、メモリ920内に配置され、プロセッサ910は、メモリ920内の情報を読み取り、プロセッサ910のハードウェアと組み合わせて前述の方法のステップを遂行する。繰り返しを避けるため、詳細は本明細書では再度説明しない。
【０６４０】
適宜、一実施形態において、受信機940によって受信されたコードブック指示情報は、第1のコードブッククラスタ情報、第1のコードブック集合情報、および第1のコードブック情報を含む。第1のコードブッククラスタ情報は、第1のコードブッククラスタを示すために使用され、第1のコードブック集合情報は、第1のコードブッククラスタ内の第1のコードブック集合を示すために使用され、第1のコードブック情報は第1のコードブック集合内の第1のコードブックを示すために使用される。
【０６４１】
プロセッサ910によって、コードブック指示情報に従って第1のコードブックを決定するステップは、
第1のコードブッククラスタに含まれる第1のコードブック集合内の第1のコードブックを、第1のコードブッククラスタ情報、第1のコードブック集合情報、および第1のコードブック情報に従って決定するステップであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックが2つのコードブックのすべてのコードワードの変調シンボルが0変調シンボルである同じ位置を有するという条件を満たす、ステップを含む。
【０６４２】
適宜、一実施形態において、受信機940によって受信された第1のコードブック情報は、第1のコードブックの変調次数情報を含み、第1のコードブック集合に含まれるコードブックの変調次数は、異なる。
【０６４３】
適宜、一実施形態において、受信機940によって受信されたコードブック指示情報は、第2のコードブック集合情報および第2のコードブック情報を含む。第2のコードブック集合情報は第2のコードブック集合を示すために使用され、第2のコードブック情報は第2のコードブック集合内の第1のコードブックを示すために使用される。
【０６４４】
プロセッサ910によって、コードブック指示情報に従って第1のコードブックを決定するステップは、
第2のコードブック集合内の第1のコードブックを、第2のコードブック集合情報および第2のコードブック情報に従って決定するステップであって、各コードブック集合は少なくとも1つのコードブックを含み、コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす、ステップを含む。
【０６４５】
適宜、一実施形態において、受信機940によって受信された第2のコードブック情報は、第1のコードブックの変調次数情報を含み、第2のコードブック集合に含まれるコードブックの変調次数は、異なる。
【０６４６】
適宜、一実施形態において、受信機940によって受信されたコードブック指示情報は、第2のコードブッククラスタ情報および第3のコードブック情報を含む。第2のコードブッククラスタ情報は第2のコードブッククラスタを示すために使用され、第3のコードブック情報は第2のコードブッククラスタ内の第1のコードブックを示すために使用される。
【０６４７】
プロセッサ910によって、コードブック指示情報に従って第1のコードブックを決定するステップは、
第2のコードブッククラスタ内の第1のコードブックを、第2のコードブッククラスタ情報および第3のコードブック情報に従って決定するステップであって、各コードブッククラスタは少なくとも1つのコードブックを含み、コードブッククラスタは同じコードブッククラスタ内のコードワードが同じ総数の変調シンボルを有するという条件を満たす、ステップを含む。
【０６４８】
適宜、一実施形態において、受信機940によって受信されたコードブック指示情報は第1のコードブックのインデックス値を含む。
【０６４９】
プロセッサ910によって、コードブック指示情報に従って第1のコードブックを決定するステップは、
インデックス値に対応する第1のコードブックを、インデックス値に従って決定するステップを含む。
【０６５０】
適宜、一実施形態において、受信機940によって受信されたコードブック指示情報は、第1の特性行列情報、第1の特性シーケンス情報、および第4のコードブック情報を含む。第1の特性行列情報は第1の特性行列を示すために使用され、第1の特性シーケンス情報は第1の特性行列内の第1の特性シーケンスを示すために使用され、第4のコードブック情報は第1の特性シーケンスに対応する1つまたは複数のコードブックのうちの第1のコードブックを示すために使用される。
【０６５１】
プロセッサ910によって、コードブック指示情報に従って第1のコードブックを決定するステップは、
第1の特性行列情報、第1の特性シーケンス情報、および第4のコードブック情報に従って第1の特性行列内の第1の特性シーケンスに対応する1つまたは複数のコードブックのうちの第1のコードブックを決定するステップであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップを含む。
【０６５２】
適宜、一実施形態において、受信機940によって受信された第4のコードブック情報は、第1のコードブックの変調次数情報を含み、第1の特性シーケンスに対応する1つまたは複数のコードブックの変調次数は、異なる。
【０６５３】
適宜、一実施形態において、受信機940によって受信されたコードブック指示情報は、第2の特性行列情報および第5のコードブック情報を含む。第2の特性行列情報は第2の特性行列を示すために使用され、第5のコードブック情報は第2の特性行列に対応する1つまたは複数のコードブックのうちの第1のコードブックを示すために使用される。
【０６５４】
プロセッサ910によって、コードブック指示情報に従って第1のコードブックを決定するステップは、
第2の特性行列情報および第5のコードブック情報に従って第2の特性行列に対応する1つまたは複数のコードブックのうちの第1のコードブックを決定するステップであって、各特性行列は2つ以上の特性シーケンスを含み、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップを含む。
【０６５５】
適宜、一実施形態において、受信機940によって受信されたコードブック指示情報は、第2の特性シーケンス情報および第6のコードブック情報を含む。第2の特性シーケンス情報は第2の特性シーケンスを示すために使用され、第6のコードブック情報は第2の特性シーケンスに対応する1つまたは複数のコードブックのうちの第1のコードブックを示すために使用される。
【０６５６】
プロセッサ910によって、コードブック指示情報に従って第1のコードブックを決定するステップは、
第2の特性シーケンス情報および第6のコードブック情報に従って第2の特性シーケンスに対応する1つまたは複数のコードブックのうちの第1のコードブックを決定するステップであって、各特性シーケンスは1つまたは複数のコードブックに対応し、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップを含む。
【０６５７】
適宜、一実施形態において、受信機940によって受信された第6のコードブック情報は、第1のコードブックの変調次数情報を含み、第2の特性シーケンスに対応する1つまたは複数のコードブックの変調次数は、異なる。
【０６５８】
適宜、一実施形態において、受信機940によって、ネットワークデバイスによって送信されたコードブック指示情報を受信するステップは、
ネットワークデバイスによって送信されたアップリンクスケジューリング許可メッセージ、専用上位層制御シグナリング、またはシステムブロードキャストメッセージを受信するステップであって、アップリンクスケジューリング許可メッセージ、専用上位層制御シグナリング、またはシステムブロードキャストメッセージはコードブック指示情報を含む、ステップを含む。
【０６５９】
適宜、一実施形態において、専用上位層制御シグナリングは、無線リソース制御RRC接続セットアップメッセージとRRC接続再構成メッセージとを含む。
【０６６０】
適宜、一実施形態において、受信機940によって受信されたコードブック指示情報はビット列情報である。
【０６６１】
適宜、一実施形態において、コードブックはスパース符号多元接続SCMAコードブックである。
【０６６２】
適宜、一実施形態において、要素0の数は、コードブックに含まれているコードワード内の変調シンボルの数以上である。
【０６６３】
適宜、一実施形態において、装置900は、端末デバイスである。
【０６６４】
本発明の実施形態により指示情報を伝送するための装置900は、本発明の実施形態における端末デバイスおよび装置600に対応するものとしてよく、本発明の実施形態による方法を実行する対応する対象に対応するものとしてよいことが理解されるであろう。装置900内のモジュールの前述のおよび他の動作および/または機能は、図10から図17の方法における対応する手順を実装するために別々に使用され、本明細書では簡潔にするために詳細は再度説明しない。
【０６６５】
したがって、本発明の実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０６６６】
それに加えて、本発明の実施形態により指示情報を伝送するための装置は、より少ないコードブック指示情報に従って、アップリンクデータストリームを送信するために装置によって使用されるべき第1のコードブックを決定し得る。したがって、本発明の実施形態による装置を用いることで、システムのネットワーク容量が効果的に改善され得るだけでなく、システムオーバーヘッドも低減され得る。
【０６６７】
コードブック集合を体系的に説明するために、前述の実施形態におけるコードブック集合は、本明細書で再度説明する。指示情報を伝送するための方法および装置は、コードブック集合が次の特性を有するときに図1から図28を参照しつつ上で説明されている。コードブック集合は同じコードブック集合内のコードワードが同じ総数の変調シンボルを有し、同じコードブック集合内の任意の2つのコードブックが2つのコードブックのすべてのコードワードの変調シンボルが0変調シンボルである同じ位置を有するという条件を満たす。この段落の説明では、特許出願第PCT/CN2014/094538号の優先権を主張することができる。
【０６６８】
本発明の実施形態において、複数のコードブックは、他の特性を有する1つまたは複数のコードブック集合にさらにグループ分けされ得る。各コードブック集合は1つまたは複数のコードブックも含み得る。たとえば、コードブック集合は、次の特性も有し得る。コードブック集合は同じコードブック集合内のコードワードが同じ総数の変調シンボルを有し、同じコードブック集合内のコードブックが同じ総数のコードワードを有するという条件を満たす。コードブック集合内のコードワードは同じ長さを有すること、およびコードブック集合内のコードブックは同じ個数のコードワードを有することも理解され得る。この場合、指示情報を伝送するための方法および装置は、コードブック集合が前述の特性を有するときに図29から図38を参照しつつ以下で詳しく説明される。
【０６６９】
本発明の一実施形態において、図3に示されている指示情報を伝送するための方法200は、たとえば、非直交多元接続システムにおいてネットワークデバイスによって実行され得る。ネットワークデバイスは、たとえば、基地局である。方法200は、次のステップを含み得る。
【０６７０】
S210:1つまたは複数のコードブックに従って、アップリンクデータストリームを送信するために端末デバイスによって使用されるべき第1のコードブックを決定し、コードブックは2つ以上のコードワードを含み、コードワードは多次元複素ベクトルであり、データと少なくとも2つの変調シンボルとの間のマッピング関係を表すために使用され、マッピング関係は直接マッピング関係であってよく、少なくとも2つの変調シンボルは少なくとも1つの0変調シンボルと少なくとも1つの非0変調シンボルとを含む。
【０６７１】
S220:第1のコードブックを示すために使用されるコードブック指示情報を決定する。
【０６７２】
S230:コードブック指示情報を端末デバイスに送信する。
【０６７３】
特に、SCMAシステムなどの非直交多元接続システムでは、ネットワークデバイスは、コードブックを端末デバイスの送信されるべきアップリンクデータストリームに割り当てるか、または指定する。ネットワークデバイスによって割り当てられたコードブックを端末デバイスに通知するために、ネットワークデバイスは、コードブック指示情報を決定し、コードブック指示情報を端末デバイスに送信し得る。コードブック指示情報は、アップリンクデータストリームを送信するために端末デバイスによって使用されるべきコードブックを示すために使用される。ネットワークデバイスによって送信されたコードブック指示情報を受信した後に、端末デバイスは、コードブック指示情報に従って、アップリンクデータストリームを送信するために使用されるべきコードブックを決定するものとしてよく、コードブックに従ってアップリンクデータストリームを送信することができる。したがって、ネットワークデバイスと端末デバイスとの間の情報交換によって、端末デバイスは、ネットワークデバイスによって割り当てられたコードブックを決定することができ、非直交多元接続システムは、通常の動作をすることができる。
【０６７４】
したがって、本発明のこの実施形態により指示情報を伝送するための方法について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０６７５】
本発明のこの実施形態において、非直交多元接続技術において、コードブックを使用することによって同じリソースユニット上で複数の異なるデータストリームが伝送される、すなわち、同じリソースユニット上で複数の異なるデータストリームが多重化され、異なるデータストリームに対して異なるコードブックが使用され、これによりリソースの利用度を改善する。データストリームは、同じ端末デバイスから来るものであっても、異なる端末デバイスから来るものであってもよい。
【０６７６】
したがって、非直交多元接続技術では、データストリーム内のデータは、特定のマッピング関係に従ってコードブック内のコードワード、すなわち、コードブック内の多次元複素ベクトルに直接マッピングされ、それにより、拡散方式で複数のリソースユニット上でのデータの送信を実装する。データは、バイナリビットデータであり得るか、またはq進データであり得る。リソースユニットは、時間領域、周波数領域、空間領域、時間周波数領域、時間空間領域、または時間周波数空間領域内のリソースユニットであってよい。
【０６７７】
本発明のこの実施形態において、コードブックは2つ以上のコードワードを含み、コードワードは多次元複素ベクトルであり、データと少なくとも2つの変調シンボルとの間のマッピング関係を表すために使用され、マッピング関係は直接マッピング関係であってよく、少なくとも2つの変調シンボルは少なくとも1つの0変調シンボルと少なくとも1つの非0変調シンボルとを含む。各特性行列は2つ以上の特性シーケンスを含み、各特性行列は1つまたは複数のコードブックに対応し、各特性シーケンスも1つまたは複数のコードブックに対応する。特性シーケンスは要素0と要素1とを含む。要素0は対応するコードブック内のすべてのコードワードの変調シンボルである、要素0に対応する位置にある変調シンボルがすべて0変調シンボルであることを表す。要素1は対応するコードブック内のすべてのコードワードの変調シンボルである、要素1に対応する位置にある変調シンボルがすべて0変調シンボルであるとは限らないか、またはすべて非0変調シンボルであることを表す。
【０６７８】
本発明のこの実施形態において、複数のコードブックは1つまたは複数のコードブッククラスタにグループ分けされ得る。各コードブッククラスタは1つまたは複数のコードブックを含むものとしてよい。同じコードブッククラスタ内の任意の2つのコードブック、たとえば、コードブックaおよびコードブックbは、次の特性を有する。コードブックa内のコードワードおよびコードブックb内のコードワードは、同じ総数の変調シンボルを有する。したがって、コートブッククラスタ内のコードブックは、すべてのコードワードが同じ総数の変調シンボルを有する、すなわち、すべてのコードワードは同じ長さを有する、すなわち、データストリームは同じ数のリソースユニット上で多重化されるという条件を満たす。
【０６７９】
本発明のこの実施形態において、複数のコードブックは、1つまたは複数のコードブック集合にさらにグループ分けされ得る。各コードブック集合は1つまたは複数のコードブックを含むものとしてよい。同じコードブック集合内の任意の2つのコードブック、たとえば、コードブックcおよびコードブックdは、次の特性を有する。(1)コードブックc内のコードワードおよびコードブックd内のコードワードは、同じ総数の変調シンボルを有する。(2)コードブックc内のコードワードの数およびコードブックd内のコードワードの数は同じである、すなわち、コードブック集合内のコードブックは同じ総数のコードワードを有する。
【０６８０】
本発明のこの実施形態において、「コードワード内の変調シンボルの総数」は、コードワードに含まれている変調シンボルの数を表し得る。したがって、本発明のこの実施形態において、「コードブック内のコードワードの総数」は、コードブックに含まれているコードワードの数を表し得る。たとえば、前述のコードブック2について、コードブック2は、4つのコードワードを有し、コードワード1は、4つの変調シンボルを有する。したがって、コードブック2内のコードワードの総数は4であり、コードブック2のコードワード1内の変調シンボルの総数は4である。コードブック2およびコードワード1は、それぞれ、次のように表され得る。
コードブック2
【０６８１】
【数６８】
0006517346.tif 000071
【０６８２】
、およびコードワード1
【０６８３】
【数６９】
0006517346.tif 000072
【０６８４】
本発明のこの実施形態において、各コードブッククラスタは1つまたは複数のコードブック集合を含み、各コードブック集合は1つまたは複数のコードブックを含み、各コードブックは2つ以上のコードワードを含む。各コードブッククラスタは同じコードブッククラスタ内のコードワードが同じ総数の変調シンボルを有するという条件を満たす。各コードブック集合は同じコードブック集合内のコードワードが同じ総数の変調シンボルを有するという条件を満たす。同じコードブック集合内のコードブックは、同じ総数のコードワードを有する。
【０６８５】
本発明の実施形態によりコードブック指示情報を決定するための方法220は、図29から図31を参照しつつ以下で詳しく説明されている。
【０６８６】
図29に示されているように、本発明の一実施形態において、適宜、第1のコードブックを示すために使用されるコードブック指示情報を決定するステップは、以下のステップを含む。
【０６８７】
S2271:第1のコードブックが属している第3のコードブック集合と、第3のコードブック集合が属している第3のコードブッククラスタとを決定し、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす。
【０６８８】
S2272:コードブック指示情報を決定し、コードブック指示情報は第3のコードブッククラスタ情報、第3のコードブック集合情報、および第7のコードブック情報を含み、第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用される。
【０６８９】
特に、本発明のこの実施形態において、ネットワークデバイスおよび端末デバイスは、事前設計されたコードブックを記憶し得る。コードブックは、1つまたは複数のコードブック集合にグループ分けされるものとしてよい。各コードブック集合は1つまたは複数のコードブックを含む。同じコードブック集合内の任意の2つのコードブック、たとえば、コードブックaおよびコードブックbは、次の特性を有する。コードブックa内のコードワードおよびコードブックb内のコードワードは、同じ総数の変調シンボルを有する、すなわち、コードブックa内のコードワードおよびコードブックb内のコードワードは同じ長さを有する、すなわち、データストリームは、同じ数のリソースユニット上で多重化される。コードブックa内のコードワードの数およびコードブックb内のコードワードの数は同じである、すなわち、コードブック集合内のコードブックは同じ総数のコードワードを有する。したがって、本発明のこの実施形態において、コードブック集合内のコードブックは、同じ総数のコードワードを有し、コードワードの数は、変調次数と称されてよく、確かに、変調次数は、当業者によって別の名称でも称され得る。したがって、本発明のこの実施形態におけるコードブック集合は、同じ変調次数を有するコードブックを含み、さらに、コードブック内のコードワードは同じ長さを有することが理解され得る。
【０６９０】
前述の方式でグループ分けすることによって取得された1つまたは複数のコードブック集合は、1つまたは複数のコードブッククラスタにさらにグループ分けされ得る。各コードブッククラスタは1つまたは複数のコードブック集合を含む。同じコードブッククラスタ内の任意の2つのコードブック集合、たとえば、コードブック集合Aおよびコードブック集合Bは、次の特性を有する。コードブック集合A内のコードワードおよびコードブック集合B内のコードワードは、同じ総数の変調シンボルを有する、すなわち、すべてのコードワードは同じ長さを有する、すなわち、データストリームは、同じ数のリソースユニット上で多重化される。すなわち、コードブッククラスタは同じコードブッククラスタ内のコードワードが同じ総数の変調シンボルを有するという条件を満たす。
【０６９１】
本発明のこの実施形態において、ネットワークデバイスによって決定され、第1のコードブックを示すために使用されるコードブック指示情報は、第3のコードブッククラスタ情報、第3のコードブック集合情報、および第7のコードブック情報を含み得る。論理情報セグメント1は、データストリームを送信するために端末デバイスによって使用されるべき第3のコードブッククラスタを示すために使用される第3のコードブッククラスタ情報を搬送し得る。論理情報セグメント2は、第3のコードブッククラスタ内にある、データストリームを送信するために端末デバイスによって使用されるべきである、第3のコードブック集合を示すために使用される第3のコードブック集合情報を搬送し得る。論理情報セグメント3は、第3のコードブック集合内にある、データストリームを送信するために端末デバイスによって使用されるべきである、第1のコードブックを示すために使用される第7のコードブック情報を搬送し得る。
【０６９２】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０６９３】
したがって、たとえば、命令、またはコードブック指示情報を伝えるメッセージを受信した後に、端末デバイスは、論理情報セグメント1に従って、送信されるべきアップリンクデータストリームを送信するためにコードブックが使用されるべきであるコードブッククラスタを知ることができ、論理情報セグメント2に従って、論理情報セグメント1によって示されるコードブッククラスタ内にある、送信されるべきアップリンクデータストリームを送信するためにコードブックが使用されるべきである、コードブック集合を知ることができ、論理情報セグメント3に従って、論理情報セグメント2によって示されるコードブック集合内にあるどのコードブックが、送信されるべきアップリンクデータストリームを送信するために使用されるべきであるかを知ることができる。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０６９４】
本発明のこの実施形態において、コードブッククラスタ内の任意の2つの異なるコードブック集合が異なる変調次数に対応するときに、すなわち、コードブッククラスタ内のコードブック集合が異なる数のコードワードを有するときに、論理情報セグメント2は、変調次数を示すことによって、コードブッククラスタ内にある、送信されるべきアップリンクデータストリームを送信するために端末デバイスによって使用されるべきである、コードブック集合をさらに示し得る。したがって、端末デバイスは、論理情報セグメント2に従って送信されるべきアップリンクデータストリームに対応する変調次数を知ることができ、それにより、第3のコードブッククラスタ情報によって示される第3のコードブッククラスタ内にある、変調次数と一対一対応関係にある、第3のコードブック集合は、決定され得る。
【０６９５】
すなわち、本発明のこの実施形態において、適宜、第3のコードブック集合情報は、第1のコードブックの変調次数情報を含み、第3のコードブッククラスタに含まれるコードブック集合に対応する変調次数は、異なる、すなわち、第3のコードブッククラスタ内のコードブック集合および変調次数は一対一対応関係を有する。
【０６９６】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、コードブッククラスタインデックス値とコードブッククラスタとの間のインデックス関係、コードブック集合インデックス値と各コードブッククラスタ内のコードブック集合との間のインデックス関係、およびコードブックインデックス値と各コードブック集合内のコードブックとの間のインデックス関係である。したがって、ネットワークデバイスおよび端末デバイスは、論理情報セグメントによって示されるインデックス値に従って、あらかじめ確立されている関係するインデックス関係を使用することによって、対応するコードブッククラスタ、コードブック集合、およびコードブックを一意的に決定することができる。
【０６９７】
本発明のこの実施形態において、ネットワークデバイスおよび端末デバイスは、複数の方法を使用することによってコードブックをあらかじめ記憶し得るが、次の2つの条件が満たされる必要があることもさらに理解されるであろう。第一に、ネットワークデバイスおよび端末デバイスは、記憶されているコードブックに従って、1つの符号化ユニットに含まれる一定数のリソースユニットまたはサブキャリアまたはリソース要素を知ることができる。第二に、ネットワークデバイスおよび端末デバイスは、記憶されているコードブックに従って、端末デバイスによって送信されるべき非0変調シンボルおよび使用されるべき1つの符号化ユニットのリソースユニットまたはサブキャリアまたはリソース要素を知ることができる。
【０６９８】
前述の記憶条件を満たすための単純で直接的な方法は、前述の形式でコードブックを記憶することであり、コードワードのすべて0変調シンボルおよび非0変調シンボルが記憶される。
【０６９９】
【数７０】
0006517346.tif 000073
【０７００】
たとえば、変調次数が4次変調であるときに、図2の可変ノード3において使用されるコードブックは、次のように記憶され得る。
【０７０１】
【数７１】
0006517346.tif 000074
【０７０２】
コードブックが前述の方式で記憶された後、コードワード内の0変調シンボルおよび非0変調シンボルの総数は、1つの符号化ユニットに含まれるリソースユニットまたはサブキャリアまたはリソース要素の数である。非0変調シンボルの位置および値は、端末デバイスが1つの符号化ユニットの対応する位置においてリソースユニットまたはサブキャリアまたはリソース要素上で対応する値を有する非0変調シンボルを送信すべきであることを表す。たとえば、図2の可変ノード3におけるコードブックが使用されるときに、端末デバイスは、1つ符号化ユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信し、ここで、cn,q=α*exp(j*β)、1≦n≦2、1≦q≦4であり、αおよびβは、任意の実数であってよく、任意のq、1≦q≦4、について、c1,qおよびc2,qは同時に0ではなく、q1およびq2を含む少なくとも1つのグループは、
【０７０３】
【数７２】
0006517346.tif 000075
【０７０４】
および
【０７０５】
【数７３】
0006517346.tif 000076
【０７０６】
であることを可能にし、1≦q1≦4および1≦q2≦4である。
【０７０７】
本発明のこの実施形態は、一例として前述の解決方法を使用することのみによって説明されているが、本発明は、それに限定されないことがさらに理解されるであろう。たとえば、ネットワークデバイスおよび端末デバイスによってあらかじめ記憶されているすべてのコードブックが、同じコードブッククラスタに属しているときに、コードブック指示情報は、第3のコードブック集合情報および第7のコードブック情報のみを含み得る。別の例では、ネットワークデバイスおよび端末デバイスによってあらかじめ記憶されているすべてのコードブックが、同じコードブック集合に属しているときに、コードブック指示情報は、第3のコードブッククラスタ情報および第7のコードブック情報のみを含み得るか、または第7のコードブック情報のみを含み得る。別の例として、第3のコードブッククラスタに含まれるコードブック集合が、異なる変調次数に対応するとき、すなわち、第3のコードブッククラスタ内のコードブック集合および変調次数が一対一対応関係を有するとき、ネットワークデバイスおよび端末デバイスが両方とも、既定により同じ固定変調次数を使用する場合、すなわち、ネットワークデバイスおよび端末デバイスが両方とも、変調次数を示すために使用される第3のコードブック集合情報を知る場合、コードブック指示情報は、第3のコードブッククラスタ情報および第7のコードブック情報のみを含み得る。
【０７０８】
したがって、ネットワークデバイスは、より少ない情報を使用して、アップリンクデータストリームを送信するために端末デバイスによって使用されるべき第1のコードブックを示し得る。したがって、前述の方法に従って、システムのネットワーク容量が効果的に改善され得るだけでなく、システムオーバーヘッドも低減され得る。
【０７０９】
本発明のこの実施形態において、変調次数は、コードブックに含まれるコードワードの数を表すことが理解されるであろう。したがって、「コードブック集合に対応する変調次数」および「コードブックの変調次数」などの表現は、すべて、コードブックに含まれるコードワードの数を表し、簡潔にするためもはや列挙されない。
【０７１０】
図30は、本発明の実施形態によりコードブック指示情報を決定するための方法220のさらに別の実施形態を示している。図30に示されているように、本発明のこの実施形態において、適宜、第1のコードブックを示すために使用されるコードブック指示情報を決定するステップは、以下のステップを含む。
【０７１１】
S2281:第1のコードブックが属している第4のコードブック集合を決定し、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす。
【０７１２】
S2282:コードブック指示情報を決定し、コードブック指示情報は第4のコードブック集合情報および第8のコードブック情報を含み、第4のコードブック集合情報は第4のコードブック集合を示すために使用され、第8のコードブック情報は第4のコードブック集合内の第1のコードブックを示すために使用される。
【０７１３】
特に、本発明のこの実施形態において、ネットワークデバイスおよび端末デバイスは、事前設計されたコードブックを記憶し得る。コードブックは、1つまたは複数のコードブック集合にグループ分けされるものとしてよい。各コードブック集合は1つまたは複数のコードブックを含む。同じコードブック集合内の任意の2つのコードブック、たとえば、コードブックaおよびコードブックbは、次の特性を有する。コードブックa内のコードワードおよびコードブックb内のコードワードは、同じ総数の変調シンボルを有する、すなわち、コードブックa内のコードワードおよびコードブックb内のコードワードは同じ長さを有する、すなわち、データストリームは、同じ数のリソースユニット上で多重化される。コードブックa内のコードワードの数およびコードブックb内のコードワードの数は同じである、すなわち、コードブック集合内のコードブックは同じ総数のコードワードを有する。したがって、本発明のこの実施形態において、コードブック集合は、同じ変調次数を有するコードブックを含み、コードブック内のコードワードは、同じ長さを有する。
【０７１４】
本発明のこの実施形態において、ネットワークデバイスによって決定され、第1のコードブックを示すために使用されるコードブック指示情報は、第4のコードブック集合情報および第8のコードブック情報を含み得る。たとえば、コードブック指示情報は、2つの論理情報セグメントを含み得る。論理情報セグメント1は、データストリームを送信するために端末デバイスによって使用されるべき第4のコードブック集合を示すために使用される第4のコードブック集合情報を搬送し得る。論理情報セグメント2は、第4のコードブック集合内にある、データストリームを送信するために端末デバイスによって使用されるべきである、第1のコードブックを示すために使用される第8のコードブック情報を搬送し得る。
【０７１５】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０７１６】
したがって、たとえば、命令、またはコードブック指示情報を伝えるメッセージを受信した後に、端末デバイスは、論理情報セグメント1に従って、送信されるべきアップリンクデータストリームを送信するためにコードブックが使用されるべきであるコードブック集合を知ることができ、論理情報セグメント2に従って、論理情報セグメント1によって示されるコードブック集合内にあるどのコードブックが、送信されるべきアップリンクデータストリームを送信するために使用されるべきであるかを知ることができる。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０７１７】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、コードブック集合インデックス値とコードブック集合との間のインデックス関係およびコードブックインデックス値と各コードブック集合内のコードブックとの間のインデックス関係であり、それにより、ネットワークデバイスおよび端末デバイスは、論理情報セグメントによって示されるインデックス値に従って、あらかじめ確立されている関係するインデックス関係を使用することによって、対応するコードブック集合およびコードブックを一意的に決定することができる。
【０７１８】
本発明のこの実施形態において、ネットワークデバイスおよび端末デバイスは、複数の方法を使用することによってあらかじめコードブックを記憶し得る。詳細については、簡単のため再度説明しない。
【０７１９】
本発明のこの実施形態は、一例として前述の解決方法を使用することのみによって説明されているが、本発明は、それに限定されないことがさらに理解されるであろう。たとえば、ネットワークデバイスおよび端末デバイスによってあらかじめ記憶されているすべてのコードブックが、同じコードブック集合に属しているときに、コードブック指示情報は、第8のコードブック情報のみを含み得る。別の例では、ネットワークデバイスおよび端末デバイスが両方とも、既定により、同じ固定数を有するコードブック集合を使用するときに、コードブック指示情報は、また、第8のコードブック情報のみを含み得る。
【０７２０】
したがって、ネットワークデバイスは、より少ない情報を使用して、アップリンクデータストリームを送信するために端末デバイスによって使用されるべき第1のコードブックを示し得る。したがって、前述の方法に従って、システムのネットワーク容量が効果的に改善され得るだけでなく、システムオーバーヘッドも低減され得る。
【０７２１】
図31は、本発明の実施形態によりコードブック指示情報を決定するための方法220の別の実施形態を示している。図31に示されているように、本発明のこの実施形態において、適宜、第1のコードブックを示すために使用されるコードブック指示情報を決定するステップは、以下のステップを含む。
【０７２２】
S2291:第1のコードブックが属している第5のコードブック集合と、第5のコードブック集合が属している第3の特性行列とを決定し、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す。
【０７２３】
S2292:コードブック指示情報を決定し、コードブック指示情報は第3の特性行列情報、第5のコードブック集合情報、および第9のコードブック情報を含み、第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用される。
【０７２４】
特に、本発明のこの実施形態において、ネットワークデバイスおよび端末デバイスは、事前設計されたコードブックを記憶し得る。コードブックは、1つまたは複数のコードブック集合にグループ分けされるものとしてよい。各コードブック集合は1つまたは複数のコードブックを含む。同じコードブック集合内の任意の2つのコードブック、たとえば、コードブックaおよびコードブックbは、次の特性を有する。コードブックa内のコードワードおよびコードブックb内のコードワードは、同じ総数の変調シンボルを有する、すなわち、コードブックa内のコードワードおよびコードブックb内のコードワードは同じ長さを有する、すなわち、データストリームは、同じ数のリソースユニット上で多重化される。コードブックa内のコードワードの数およびコードブックb内のコードワードの数は同じである、すなわち、コードブック集合内のコードブックは同じ総数のコードワードを有する。したがって、本発明のこの実施形態において、コードブック集合は、同じ変調次数を有するコードブックを含み、コードブック内のコードワードは、同じ長さを有する。
【０７２５】
コードブック集合が、前述の方式で取得された後、すなわち、1つのコードブック集合が1つの特性行列に一意に対応するものとしてよく、1つの特性行列は、1つまたは複数のコードブック集合に対応するものとしてよい。
【０７２６】
したがって、本発明のこの実施形態において、ネットワークデバイスによって決定され、第1のコードブックを示すために使用されるコードブック指示情報は、第3の特性行列情報、第5のコードブック情報、および第9のコードブック情報を含み得る。たとえば、コードブック指示情報は、3つの論理情報セグメントを含み得る。論理情報セグメント1は、データストリームを送信するために端末デバイスによって使用されるべき第3の特性行列を示すために使用される第3の特性行列情報を搬送し得る。論理情報セグメント2は、第3の特性行列に対応する1つまたは複数のコードブック集合のうちの、データストリームを送信するために端末デバイスによって使用されるべきである、第5のコードブック集合を示すために使用される第5のコードブック集合情報を搬送し得る。論理情報セグメント3は、第5のコードブック集合内にある、データストリームを送信するために端末デバイスによって使用されるべきである、第1のコードブックを示すために使用される第9のコードブック情報を搬送し得る。
【０７２７】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０７２８】
したがって、たとえば、命令、またはコードブック指示情報を伝えるメッセージを受信した後に、端末デバイスは、論理情報セグメント1に従って、送信されるべきアップリンクデータストリームを送信するためにどの特性行列が使用されるべきであるかを知ることができ、論理情報セグメント2に従って、論理情報セグメント1によって示される特性行列に対応する1つまたは複数のコードブック集合のうちのどのコードブック集合が、送信されるべきアップリンクデータストリームを送信するために使用されるべきであるかを知ることができる。さらに、端末デバイスは、論理情報セグメント3に従って、論理情報セグメント2によって示される第5のコードブック集合内にあるどのコードブックが、送信されるべきアップリンクデータストリームを送信するために使用されるべきであるかを知ることができる。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０７２９】
本発明のこの実施形態において、第3の特性行列に対応する1つまたは複数のコードブック集合のうちの2つの異なるコードブック集合が異なる変調次数に対応するときに、論理情報セグメント2は、変調次数を示すことによって、送信されるべきアップリンクデータストリームを送信するために端末デバイスによって使用されるべきである1つまたは複数のコードブック集合のうちのコードブック集合をさらに示し得る。したがって、端末デバイスは、論理情報セグメント2に従って、送信されるべきアップリンクデータストリームに対応する変調次数を知ることができ、それにより、第3の特性行列に対応する1つまたは複数のコードブック集合のうちの、変調次数と一対一対応関係にある、第5のコードブック集合は、決定され得る。
【０７３０】
すなわち、本発明のこの実施形態において、適宜、第5のコードブック集合情報は、第1のコードブックの変調次数情報を含み、第3の特性行列に対応する1つまたは複数のコードブック集合に対応する変調次数は、異なる、すなわち、第3の特性行列に対応する1つまたは複数のコードブック集合のうちのコードブック集合と変調次数とは一対一対応関係を有する。
【０７３１】
本発明のこの実施形態において、コードブック集合内のコードブックの数がコードブック集合に対応する特性行列内の特性シーケンスの数と同じであり、コードブック集合内の各コードブックが各特性シーケンスにそれぞれ対応するときに、すなわち、コードブック集合内のコードブックおよび特性行列内の特性シーケンスが対応関係を有するときに、コードブック集合内のコードブックは、特性シーケンスを示すことによって示され得る。
【０７３２】
したがって、適宜、本発明のこの実施形態において、第9のコードブック情報は、第3の特性シーケンス情報を含む。第3の特性シーケンス情報は第3の特性行列内の第3の特性シーケンスを示すために使用される。第5のコードブック集合内のコードブックの数は、第3の特性行列内の特性シーケンスの数と同じであり、第3の特性行列に含まれる少なくとも2つの特性シーケンス内の第3の特性シーケンスの次数は、第5のコードブック集合内の第1のコードブックの次数と同じである。
【０７３３】
本発明のこの実施形態において、コードブック集合内のコードブックの数がコードブック集合に対応する特性行列内の特性シーケンスの数と同じである一例のみが説明のために使用されていることは理解されるであろう。しかしながら、本発明は、それに限定されない。コードブック集合内のコードブックの数およびコードブック集合に対応する特性行列内の特性シーケンスの数が異なるときでも、コードブック集合内のコードブックは、依然として、特性シーケンスを示すことによって示され得る。
【０７３４】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、特性行列インデックス値と特性行列との間のインデックス関係、コードブック集合インデックス値と各コードブッククラスタ内のコードブック集合との間のインデックス関係、およびコードブックインデックス値と1つまたは複数のコードブックのうちのコードブックとの間のインデックス関係であり、それにより、ネットワークデバイスおよび端末デバイスは、論理情報セグメントによって示されるインデックス値に従って、あらかじめ確立されている関係するインデックス関係を使用することによって、対応する特性行列、コードブック集合、およびコードブックを一意的に決定することができる。
【０７３５】
本発明のこの実施形態において、ネットワークデバイスおよび端末デバイスは、複数の方法を使用することによってあらかじめコードブック、特性シーケンス、または特性行列を記憶し得る。詳細については、簡単のため再度説明しない。
【０７３６】
本発明のこの実施形態は、一例として前述の解決方法を使用することのみによって説明されているが、本発明は、それに限定されないことがさらに理解されるであろう。たとえば、ネットワークデバイスおよび端末デバイスがあらかじめただ1つの特性行列しか記憶しないとき、またはネットワークデバイスおよび端末デバイスが両方とも、既定により、同じ固定数を有する特性行列を使用するときに、コードブック指示情報は、第5のコードブック集合情報および第9のコードブック情報のみを含み得る。別の例では、ネットワークデバイスおよび端末デバイスが両方とも、既定により、同じ固定数を有する特性シーケンスを使用するときに、コードブック指示情報は、第3の特性行列情報および第5のコードブック集合情報のみを含み得る。
【０７３７】
本発明は、一例としてのみ図29から図31に示されている実施形態を使用することによって説明されているが、本発明は、それに限定されないことがさらに理解されるであろう。端末デバイスに対して、ネットワークデバイスによって割り当てられるか、または指定され、アップリンクデータストリームを送信するために使用される、第1のコードブックを示すために、別の方法がさらに使用され得る。
【０７３８】
したがって、本発明の実施形態により指示情報を伝送するための方法について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０７３９】
本発明の実施形態において、ネットワークデバイスは、複数の方式でコードブック指示情報を端末デバイスに送信し得る。たとえば、ネットワークデバイスは、動的または半永続的方式でダウンリンク制御チャネルを通じてコードブック指示情報を端末デバイスに示し得る。ネットワークデバイスは、半永続的方式でデータチャネルを通じてコードブック指示情報を端末デバイスに示してもよい。ネットワークデバイスは、静的方式でブロードキャストチャネルまたはデータチャネルを通じてコードブック指示情報を端末デバイスに示してもよい。
【０７４０】
適宜、本発明の実施形態において、コードブック指示情報を端末デバイスに送信するステップは、アップリンクスケジューリング許可メッセージ、専用上位層制御シグナリング、またはシステムブロードキャストメッセージを端末デバイスに送信するステップを含む。アップリンクスケジューリング許可メッセージ、専用上位層制御シグナリング、またはシステムブロードキャストメッセージはコードブック指示情報を含む。
【０７４１】
適宜、専用上位層制御シグナリングは、無線リソース制御RRC接続セットアップメッセージとRRC接続再構成メッセージとを含む。本発明の実施形態において、専用上位層制御シグナリングがRRC接続セットアップメッセージとRRC接続再構成メッセージとを含む一例のみが説明に使用されることは理解されるであろう。しかしながら、本発明は、それに限定されない。他の専用上位層制御シグナリングは、コードブック指示情報を端末デバイスに送信するために使用され得る。
【０７４２】
本発明の実施形態において、適宜、コードブックはスパース符号多元接続SCMAコードブックである。さらに、適宜、0変調シンボルの数は、コードブックに含まれているコードワード内の非0変調シンボルの数以上である。
【０７４３】
本発明の実施形態において、ネットワークデバイスは、ビット列方式またはテーブル方式のうちの少なくとも一方を使用することによってコードブック指示情報を端末デバイスに送信する。適宜、コードブック指示情報はビット列情報である。
【０７４４】
特に、本発明の実施形態において、コードブック指示情報内の論理情報セグメントは、限定はしないが次のいくつかの方法を含む、複数の方法を使用することによって実装され得る。
【０７４５】
方法1:論理情報セグメントでは、別々のビット列またはビットマップが情報指示機能を実装するために使用される。
【０７４６】
方式2:複数の論理情報セグメントを使用することによる組み合わされた指示
【０７４７】
方式3:論理情報セグメント、およびコードブック指示情報が配置されており、別の指示機能を有しているメッセージまたは命令の中にある情報セグメントを使用することによる組み合わされた指示
【０７４８】
前述のいくつかの方式でコードブック指示情報内の論理情報セグメントを実装する特定の例については、前述の説明を参照されたい。詳細については、簡単のため再度説明しない。
【０７４９】
本発明の様々な実施形態における前述のプロセスの順序番号は、実行順序を意味しないことも理解されるであろう。プロセスの実行順序は、プロセスの機能および内部論理に従って決定されるべきであり、本発明の実施形態の実装プロセスに対する制限と解釈されるべきでない。
【０７５０】
したがって、本発明の実施形態により指示情報を伝送するための方法について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０７５１】
本発明の実施形態により指示情報を伝送するための方法は、図29から図31を参照しつつネットワークデバイスの観点から上で詳しく説明されている。コードブック集合は同じコードブック集合内のコードワードが同じ総数の変調シンボルを有し、同じコードブック集合内のコードブックが同じ総数のコードワードを有するという条件を満たす。本発明の実施形態により指示情報を伝送するための方法は、図32から図34を参照しつつ端末デバイスの観点から以下で説明されている。
【０７５２】
本発明の一実施形態において、図10に示されている指示情報を伝送するための方法300は、たとえば、通信システムにおいて端末デバイスによって実行され得る。端末デバイスは、たとえば、ユーザ機器である。方法300は、以下のステップを含む。
【０７５３】
S310:コードブック指示情報を受信し、コードブック指示情報はネットワークデバイスによって送信されてよく、コードブック指示情報は1つまたは複数のコードブックのうちの第1のコードブックを示すために使用され、コードブックは2つ以上のコードワードを含み、コードワードは多次元複素ベクトルであり、データと少なくとも2つの変調シンボルとの間のマッピング関係を表すために使用され、マッピング関係は直接マッピング関係であってよく、少なくとも2つの変調シンボルは少なくとも1つの0変調シンボルと少なくとも1つの非0変調シンボルとを含む。
【０７５４】
S320:コードブック指示情報に従って第1のコードブックを決定する。
【０７５５】
S330:第1のコードブックに従ってデータストリームを送信する。
【０７５６】
本発明のこの実施形態において、データストリームは、アップリンクデータストリームであり得るか、または端末デバイスによってネットワークデバイスに送信されるデータストリームであり得る。
【０７５７】
特に、SCMAシステムなどの非直交多元接続システムでは、ネットワークデバイスは、第1のコードブックを端末デバイスの送信されるべきアップリンクデータストリームに割り当てるか、または指定する。ネットワークデバイスによって割り当てられた第1のコードブックを端末デバイスに通知するために、ネットワークデバイスは、コードブック指示情報を決定し、コードブック指示情報を端末デバイスに送信し得る。コードブック指示情報は、アップリンクデータストリームを送信するために端末デバイスによって使用されるべき第1のコードブックを示すために使用される。ネットワークデバイスによって送信されたコードブック指示情報を受信した後に、端末デバイスは、コードブック指示情報に従って、アップリンクデータストリームを送信するために使用されるべき第1のコードブックを決定するものとしてよく、第1のコードブックに従ってアップリンクデータストリームを送信することができる。したがって、ネットワークデバイスと端末デバイスとの間の情報交換によって、端末デバイスは、ネットワークデバイスによって割り当てられた第1のコードブックを決定することができ、非直交多元接続システムは、通常の動作をすることができる。
【０７５８】
したがって、本発明のこの実施形態により指示情報を伝送するための方法について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０７５９】
本発明のこの実施形態において、非直交多元接続技術において、コードブックを使用することによって同じリソースユニット上で複数の異なるデータストリームが伝送される、すなわち、同じリソースユニット上で複数の異なるデータストリームが多重化され、異なるデータストリームに対して異なるコードブックが使用され、これによりリソースの利用度を改善する。データストリームは、同じ端末デバイスから来るものであっても、異なる端末デバイスから来るものであってもよい。
【０７６０】
したがって、非直交多元接続技術では、データストリーム内のデータは、特定のマッピング関係に従ってコードブック内のコードワード、すなわち、コードブック内の多次元複素ベクトルに直接マッピングされ、それにより、拡散方式で複数のリソースユニット上でのデータの送信を実装する。データは、バイナリビットデータであり得るか、またはq進データであり得る。リソースユニットは、時間領域、周波数領域、空間領域、時間周波数領域、時間空間領域、または時間周波数空間領域内のリソースユニットであってよい。
【０７６１】
本発明のこの実施形態において、コードブックは2つ以上のコードワードを含み、コードワードは多次元複素ベクトルであり、データと少なくとも2つの変調シンボルとの間のマッピング関係を表すために使用され、少なくとも2つの変調シンボルは少なくとも1つの0変調シンボルと少なくとも1つの非0変調シンボルとを含む。各特性行列は2つ以上の特性シーケンスを含み、各特性行列は1つまたは複数のコードブックに対応し、各特性シーケンスも1つまたは複数のコードブックに対応する。特性シーケンスは要素0と要素1とを含む。要素0は対応するコードブック内のすべてのコードワードの変調シンボルである、要素0に対応する位置にある変調シンボルがすべて0変調シンボルであることを表す。要素1は対応するコードブック内のすべてのコードワードの変調シンボルである、要素1に対応する位置にある変調シンボルがすべて0変調シンボルであるとは限らないか、またはすべて非0変調シンボルであることを表す。
【０７６２】
本発明のこの実施形態において、複数のコードブックは、1つまたは複数のコードブッククラスタにグループ分けされるものとしてよい。各コードブッククラスタは1つまたは複数のコードブックを含むものとしてよい。同じコードブッククラスタ内の任意の2つのコードブック、たとえば、コードブックaおよびコードブックbは、次の特性を有する。コードブックa内のコードワードおよびコードブックb内のコードワードは、同じ総数の変調シンボルを有する。したがって、コートブッククラスタ内のコードブックは、すべてのコードワードが同じ総数の変調シンボルを有する、すなわち、すべてのコードワードは同じ長さを有する、すなわち、データストリームは同じ数のリソースユニット上で多重化されるという条件を満たす。
【０７６３】
本発明のこの実施形態において、複数のコードブックは、1つまたは複数のコードブック集合にさらにグループ分けされ得る。各コードブック集合は1つまたは複数のコードブックを含むものとしてよい。同じコードブック集合内の任意の2つのコードブック、たとえば、コードブックcおよびコードブックdは、次の特性を有する。(1)コードブックc内のコードワードおよびコードブックd内のコードワードは、同じ総数の変調シンボルを有する。(2)コードブックc内のコードワードの数およびコードブックd内のコードワードの数は同じである、すなわち、コードブック集合内のコードブックは同じ総数のコードワードを有する。
【０７６４】
本発明のこの実施形態において、各コードブッククラスタは1つまたは複数のコードブック集合を含み、各コードブック集合は1つまたは複数のコードブックを含み、各コードブックは2つ以上のコードワードを含む。各コードブッククラスタは同じコードブッククラスタ内のコードワードが同じ総数の変調シンボルを有するという条件を満たす。各コードブック集合は同じコードブック集合内のコードワードが同じ総数の変調シンボルを有し、同じコードブック集合内のコードブックが同じ総数のコードワードを有するという条件を満たす。
【０７６５】
本発明の実施形態により第1のコードブックを決定するための方法320は、図32から図34を参照しつつ以下で詳しく説明されている。
【０７６６】
図32に示されているように、本発明の一実施形態において、適宜、コードブック指示情報は第3のコードブッククラスタ情報、第3のコードブック集合情報、および第7のコードブック情報を含む。第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用される。
【０７６７】
コードブック指示情報に従って第1のコードブックを決定するステップは、次のステップを含む。
【０７６８】
S328:第3のコードブッククラスタに含まれる第3のコードブック集合内の第1のコードブックを、第3のコードブッククラスタ情報、第3のコードブック集合情報、および第7のコードブック情報に従って決定し、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす。
【０７６９】
特に、本発明のこの実施形態において、ネットワークデバイスおよび端末デバイスは、事前設計されたコードブックを記憶し得る。コードブックは、1つまたは複数のコードブック集合にグループ分けされるものとしてよい。各コードブック集合は1つまたは複数のコードブックを含む。コードブック集合は同じコードブック集合内のコードワードが同じ総数の変調シンボルを有し、同じコードブック集合内のコードブックが同じ総数のコードワードを有するという条件を満たす。前述の方式でグループ分けすることによって取得された1つまたは複数のコードブック集合は、1つまたは複数のコードブッククラスタにさらにグループ分けされ得る。各コードブッククラスタは1つまたは複数のコードブック集合を含む。同じコードブッククラスタ内の任意の2つのコードブック集合は、同じ総数の変調シンボルを有する。すなわち、コードブッククラスタ内のすべてのコードワードは同じ長さを有する、すなわち、データストリームは同じ数のリソースユニット上で多重化される。
【０７７０】
本発明のこの実施形態において、ネットワークデバイスによって送信され、端末デバイスによって受信された、コードブック指示情報は、第3のコードブッククラスタ情報、第3のコードブック集合情報、および第7のコードブック情報を含み得る。たとえば、コードブック指示情報は、3つの論理情報セグメントを含み得る。論理情報セグメント1は、データストリームを送信するために端末デバイスによって使用されるべき第3のコードブッククラスタを示すために使用される第3のコードブッククラスタ情報を搬送し得る。論理情報セグメント2は、第3のコードブッククラスタ内にある、データストリームを送信するために端末デバイスによって使用されるべきである、第3のコードブック集合を示すために使用される第3のコードブック集合情報を搬送し得る。論理情報セグメント3は、第3のコードブック集合内にある、データストリームを送信するために端末デバイスによって使用されるべきである、第1のコードブックを示すために使用される第7のコードブック情報を搬送し得る。
【０７７１】
本発明のこの実施形態において、コードブック指示情報の論理情報セグメントは、コードブック指示情報が配置されている命令内に任意の順序で連続して、または連続せずに出現し得ることが理解されるであろう。これは、本発明のこの実施形態に限定されない。
【０７７２】
たとえば、命令、またはコードブック指示情報を伝えるメッセージを受信した後に、端末デバイスは、論理情報セグメント1に従って、送信されるべきアップリンクデータストリームを送信するためにコードブックが使用されるべきであるコードブッククラスタを知ることができ、論理情報セグメント2に従って、論理情報セグメント1によって示されるコードブッククラスタ内にある、送信されるべきアップリンクデータストリームを送信するためにコードブックが使用されるべきである、コードブック集合を知ることができ、論理情報セグメント3に従って、論理情報セグメント2によって示されるコードブック集合内にあるどのコードブックが、送信されるべきアップリンクデータストリームを送信するために使用されるべきであるかを知ることができる。したがって、端末デバイスは、最終的に決定された第1のコードブックに従ってアップリンクデータストリームを送信することができ、非直交多元接続システムは通常の動作をし、システムのネットワーク容量は、効果的に改善され得る。
【０７７３】
本発明のこの実施形態において、コードブッククラスタ内の任意の2つの異なるコードブック集合が異なる変調次数に対応するときに、すなわち、コードブッククラスタ内のコードブック集合が異なる数のコードワードを有するときに、論理情報セグメント2は、変調次数を示すことによって、コードブッククラスタ内にある、送信されるべきアップリンクデータストリームを送信するために端末デバイスによって使用されるべきである、コードブック集合をさらに示し得る。したがって、端末デバイスは、論理情報セグメント2に従って送信されるべきアップリンクデータストリームに対応する変調次数を知ることができ、それにより、第3のコードブッククラスタ情報によって示される第3のコードブッククラスタ内にある、変調次数と一対一対応関係にある、第3のコードブック集合は、決定され得る。
【０７７４】
すなわち、本発明のこの実施形態において、適宜、第3のコードブック集合情報は、第1のコードブックの変調次数情報を含み、第3のコードブッククラスタに含まれるコードブック集合に対応する変調次数は、異なる、すなわち、コードブッククラスタ内の第3のコードブック集合および変調次数は一対一対応関係を有する。
【０７７５】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、コードブッククラスタインデックス値とコードブッククラスタとの間のインデックス関係、コードブック集合インデックス値と各コードブッククラスタ内のコードブック集合との間のインデックス関係、およびコードブックインデックス値と各コードブック集合内のコードブックとの間のインデックス関係である。したがって、ネットワークデバイスおよび端末デバイスは、論理情報セグメントによって示されるインデックス値に従って、あらかじめ確立されている関係するインデックス関係を使用することによって、対応するコードブッククラスタ、コードブック集合、およびコードブックを一意的に決定することができる。
【０７７６】
本発明のこの実施形態において、ネットワークデバイスおよび端末デバイスは、複数の方法を使用することによってあらかじめコードブック、コードワード、または同様のものを記憶し得る。詳細については、簡単のため本明細書では再度説明しない。
【０７７７】
本発明のこの実施形態は、一例として前述の解決方法を使用することのみによって説明されているが、本発明は、それに限定されないことがさらに理解されるであろう。たとえば、ネットワークデバイスおよび端末デバイスによってあらかじめ記憶されているすべてのコードブックが、同じコードブッククラスタに属しているときに、コードブック指示情報は、第3のコードブック集合情報および第7のコードブック情報のみを含み得る。別の例では、ネットワークデバイスおよび端末デバイスによってあらかじめ記憶されているすべてのコードブックが、同じコードブック集合に属しているときに、コードブック指示情報は、第3のコードブッククラスタ情報および第7のコードブック情報のみを含み得る。別の例では、ネットワークデバイスおよび端末デバイスが両方とも、既定により同じ固定変調次数を使用するときに、コードブック指示情報は、第3のコードブッククラスタ情報および第7のコードブック情報のみを含み得る。別の例では、ネットワークデバイスおよび端末デバイスが両方とも、既定により、同じ固定数を有するコードブック集合を使用するときに、コードブック指示情報は、第3のコードブッククラスタ情報および第7のコードブック情報のみを含み得る。
【０７７８】
したがって、ネットワークデバイスは、より少ない情報を使用して、アップリンクデータストリームを送信するために端末デバイスによって使用されるべき第1のコードブックを示し得る。したがって、前述の方法に従って、システムのネットワーク容量が効果的に改善され得るだけでなく、システムオーバーヘッドも低減され得る。
【０７７９】
図33は、本発明の実施形態により第1のコードブックを決定するための方法320の別の実施形態を示している。図33に示されているように、本発明のこの実施形態において、適宜、コードブック指示情報は第4のコードブック集合情報および第8のコードブック情報を含む。第4のコードブック集合情報は第4のコードブック集合を示すために使用され、第8のコードブック情報は第4のコードブック集合内の第1のコードブックを示すために使用される。
【０７８０】
コードブック指示情報に従って第1のコードブックを決定するステップは、次のステップを含む。
【０７８１】
S329:第4のコードブック集合内の第1のコードブックを、第4のコードブック集合情報および第8のコードブック情報に従って決定し、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす。
【０７８２】
ネットワークデバイスと端末デバイスとの間の相互のやり取りならびにネットワークデバイスの観点から説明されている関係する特性および機能は、端末デバイスの観点からの関係する特性および機能に対応することが理解されるであろう。詳細については、簡単のため本明細書では再度説明しない。
【０７８３】
図34は、本発明の実施形態により第1のコードブックを決定するための方法320のさらに別の実施形態を示している。図34に示されているように、本発明のこの実施形態において、適宜、コードブック指示情報は第3の特性行列情報、第5のコードブック集合情報、および第9のコードブック情報を含む。第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用される。
【０７８４】
コードブック指示情報に従って第1のコードブックを決定するステップは、次のステップを含む。
【０７８５】
S331:第3の特性行列情報、第5のコードブック集合情報、および第9のコードブック情報に従って第3の特性行列に対応する1つまたは複数のコードブック集合のうちの第5のコードブック集合内の第1のコードブックを決定し、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す。
【０７８６】
本発明のこの実施形態において、第3の特性行列に対応する1つまたは複数のコードブック集合のうちの2つの異なるコードブック集合が異なる変調次数に対応するときに、論理情報セグメント2は、変調次数を示すことによって、送信されるべきアップリンクデータストリームを送信するために端末デバイスによって使用されるべきである1つまたは複数のコードブック集合のうちのコードブック集合をさらに示し得る。したがって、端末デバイスは、論理情報セグメント2に従って、送信されるべきアップリンクデータストリームに対応する変調次数を知ることができ、それにより、第3の特性行列に対応する1つまたは複数のコードブック集合のうちの、変調次数と一対一対応関係にある、第5のコードブック集合は、決定され得る。
【０７８７】
すなわち、本発明のこの実施形態において、適宜、第5のコードブック集合情報は、第1のコードブックの変調次数情報を含み、第3の特性行列に対応する1つまたは複数のコードブック集合に対応する変調次数は、異なる、すなわち、第3の特性行列に対応する1つまたは複数のコードブック集合のうちのコードブック集合と変調次数とは一対一対応関係を有する。
【０７８８】
本発明のこの実施形態において、コードブック集合内のコードブックの数がコードブック集合に対応する特性行列内の特性シーケンスの数と同じであり、コードブック集合内の各コードブックが各特性シーケンスにそれぞれ対応するときに、すなわち、コードブック集合内のコードブックおよび特性行列内の特性シーケンスが対応関係を有するときに、コードブック集合内のコードブックは、特性シーケンスを示すことによって示され得る。
【０７８９】
したがって、適宜、本発明のこの実施形態において、第9のコードブック情報は、第3の特性シーケンス情報を含み、第3の特性シーケンス情報は第3の特性行列内の第3の特性シーケンスを示すために使用される。第5のコードブック集合内のコードブックの数は、第3の特性行列内の特性シーケンスの数と同じであり、第3の特性行列に含まれる少なくとも2つの特性シーケンス内の第3の特性シーケンスの次数は、第5のコードブック集合内の第1のコードブックの次数と同じである。
【０７９０】
本発明のこの実施形態において、コードブック集合内のコードブックの数がコードブック集合に対応する特性行列内の特性シーケンスの数と同じである一例のみが説明のために使用されていることは理解されるであろう。しかしながら、本発明は、それに限定されない。コードブック集合内のコードブックの数およびコードブック集合に対応する特性行列内の特性シーケンスの数が異なるときでも、コードブック集合内のコードブックは、依然として、特性シーケンスを示すことによって示され得る。
【０７９１】
本発明のこの実施形態において、論理情報セグメントがインデックス値を示している場合、ネットワークデバイス側および端末デバイス側で関係する情報の一貫したインデックス関係があらかじめ確立される必要があることは理解されるであろう。インデックス関係は、たとえば、特性行列インデックス値と特性行列との間のインデックス関係、コードブック集合インデックス値と各コードブッククラスタ内のコードブック集合との間のインデックス関係、およびコードブックインデックス値と1つまたは複数のコードブックのうちのコードブックとの間のインデックス関係であり、それにより、ネットワークデバイスおよび端末デバイスは、論理情報セグメントによって示されるインデックス値に従って、あらかじめ確立されている関係するインデックス関係を使用することによって、対応する特性行列、コードブック集合、およびコードブックを一意的に決定することができる。
【０７９２】
本発明のこの実施形態において、ネットワークデバイスおよび端末デバイスは、複数の方法を使用することによってあらかじめコードブック、特性シーケンス、または特性行列を記憶し得る。詳細については、簡単のため再度説明しない。
【０７９３】
本発明のこの実施形態は、一例として前述の解決方法を使用することのみによって説明されているが、本発明は、それに限定されないことがさらに理解されるであろう。たとえば、ネットワークデバイスおよび端末デバイスがあらかじめただ1つの特性行列しか記憶しないとき、またはネットワークデバイスおよび端末デバイスが両方とも、既定により、同じ固定数を有する特性行列を使用するときに、コードブック指示情報は、第5のコードブック集合情報および第9のコードブック情報のみを含み得る。別の例では、ネットワークデバイスおよび端末デバイスが両方とも、既定により、同じ固定数を有する特性シーケンスを使用するときに、コードブック指示情報は、第3の特性行列情報および第5のコードブック集合情報のみを含み得る。
【０７９４】
本発明は、一例としてのみ図32から図34に示されている実施形態を使用することによって説明されていることが理解されるであろう。しかしながら、本発明は、それに限定されない。端末デバイスは、別の方法を使用することによってネットワークデバイスによって示され、アップリンクゲッタストリームを伝送するために使用される、第1のコードブックをさらに受信し得る。
【０７９５】
ネットワークデバイスと端末デバイスとの間の相互のやり取りならびにネットワークデバイスの観点から説明されている関係する特性および機能は、端末デバイスの観点からの関係する特性および機能に対応することが理解されるであろう。詳細については、簡単のため本明細書では再度説明しない。
【０７９６】
適宜、本発明の実施形態において、ネットワークデバイスによって送信されたコードブック指示情報を受信するステップは、ネットワークデバイスによって送信されたアップリンクスケジューリング許可メッセージ、専用上位層制御シグナリング、またはシステムブロードキャストメッセージを受信するステップを含む。アップリンクスケジューリング許可メッセージ、専用上位層制御シグナリング、またはシステムブロードキャストメッセージはコードブック指示情報を含む。適宜、本発明の実施形態において、専用上位層制御シグナリングは、無線リソース制御RRC接続セットアップメッセージとRRC接続再構成メッセージとを含む。
【０７９７】
本発明の実施形態において、端末デバイスは、ビット列方式またはテーブル方式のうちの少なくとも一方を使用することによってネットワークデバイスによって送信されたコードブック指示情報を受信し得る。適宜、コードブック指示情報はビット列情報である。
【０７９８】
本発明の実施形態において、適宜、コードブックはスパース符号多元接続SCMAコードブックである。さらに、適宜、0変調シンボルの数は、コードブックに含まれているコードワード内の非0変調シンボルの数以上である。
【０７９９】
ネットワークデバイスと端末デバイスとの間の相互のやり取りならびにネットワークデバイスの観点から説明されている関係する特性および機能は、端末デバイスの観点からの関係する特性および機能に対応することが理解されるであろう。詳細については、簡単のため本明細書では再度説明しない。
【０８００】
本発明の様々な実施形態における前述のプロセスの順序番号は、実行順序を意味しないことも理解されるであろう。プロセスの実行順序は、プロセスの機能および内部論理に従って決定されるべきであり、本発明の実施形態の実装プロセスに対する制限と解釈されるべきでない。
【０８０１】
したがって、本発明の実施形態により指示情報を伝送するための方法について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０８０２】
本発明の実施形態により指示情報を伝送するための方法は、図29から図34を参照しつつ上で詳しく説明されている。本発明の実施形態により指示情報を伝送のための装置が、図35から図38、図27、および図28を参照しつつ以下で説明されている。
【０８０３】
図18に示されている指示情報を伝送するための装置500は、第1の決定モジュール510と、第2の決定モジュール520と、送信モジュール530とを備える。
【０８０４】
第1の決定モジュール510は、1つまたは複数のコードブックに従って、アップリンクデータストリームを送信するために端末デバイスによって使用されるべき第1のコードブックを決定するように構成される。コードブックは2つ以上のコードワードを含み、コードワードは多次元複素ベクトルであり、データと少なくとも2つの変調シンボルとの間のマッピング関係を表すために使用され、マッピング関係は直接マッピング関係であってよく、少なくとも2つの変調シンボルは少なくとも1つの0変調シンボルと少なくとも1つの非0変調シンボルとを含む。
【０８０５】
第2の決定モジュール520は、第1の決定モジュール510によって決定された第1のコードブックを示すために使用されるコードブック指示情報を決定するように構成される。
【０８０６】
送信モジュール530は、第2の決定モジュール520によって決定されたコードブック指示情報を端末デバイスに送信するように構成される。
【０８０７】
したがって、本発明のこの実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０８０８】
本発明の一実施形態において、適宜、図35に示されているように、第2の決定モジュール520は、
第1のコードブックが属している第3のコードブック集合と、第3のコードブック集合が属している第3のコードブッククラスタとを決定するように構成されている第13の決定ユニット5271であって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、第13の決定ユニット5271と、
コードブック指示情報を決定するように構成されている第14の決定ユニット5272であって、コードブック指示情報は第3のコードブッククラスタ情報、第3のコードブック集合情報、および第7のコードブック情報を含み、第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用される、第14の決定ユニット5272とを備える。
【０８０９】
本発明のこの実施形態において、適宜、第13の決定ユニット5271によって決定された第3のコードブック集合情報は、第1のコードブックの変調次数情報を含み、第3のコードブッククラスタに含まれるコードブック集合に対応する変調次数は、異なる。
【０８１０】
本発明の一実施形態において、適宜、図36に示されているように、第2の決定モジュール520は、
第1のコードブックが属している第4のコードブック集合を決定するように構成されている第15の決定ユニット5281であって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、第15の決定ユニット5281と、
コードブック指示情報を決定するように構成されている第16の決定ユニット5282であって、コードブック指示情報は第4のコードブック集合情報および第8のコードブック情報を含み、第4のコードブック集合情報は第4のコードブック集合を示すために使用され、第8のコードブック情報は第4のコードブック集合内の第1のコードブックを示すために使用される、第16の決定ユニット5282とを備える。
【０８１１】
本発明の一実施形態において、適宜、図37に示されているように、第2の決定モジュール520は、
第1のコードブックが属している第5のコードブック集合と、第5のコードブック集合が属している第3の特性行列とを決定するように構成されている第17の決定ユニット5291であって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、第17の決定ユニット5291と、
コードブック指示情報を決定するように構成されている第18の決定ユニット5292であって、コードブック指示情報は第3の特性行列情報、第5のコードブック集合情報、および第9のコードブック情報を含み、第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用される。
【０８１２】
本発明のこの実施形態において、適宜、第17の決定ユニット5291によって決定された第5のコードブック集合情報は、第1のコードブックの変調次数情報を含み、第3の特性行列に対応する1つまたは複数のコードブック集合に対応する変調次数は、異なる。
【０８１３】
本発明の実施形態による装置500は、本発明の方法実施形態におけるネットワークデバイスに対応し得ることが理解されるであろう。装置500内のモジュールの前述のおよび他の動作および/または機能は、図3から図9および図29から図31の方法200における対応する手順を実装するために別々に使用され、本明細書では簡潔にするために詳細は再度説明しない。
【０８１４】
したがって、本発明の実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０８１５】
それに加えて、本発明の実施形態により指示情報を伝送するための装置は、より少ない情報を使用して、アップリンクデータストリームを送信するために端末デバイスによって使用されるべき第1のコードブックを示し得る。したがって、前述の方法に従って、システムのネットワーク容量が効果的に改善され得るだけでなく、システムオーバーヘッドも低減され得る。
【０８１６】
本発明の実施形態により指示情報を伝送するための装置は、図35から図37を参照しつつネットワークデバイスの観点から上で詳しく説明されている。本発明の一実施形態により指示情報を伝送するための装置は、図38を参照しつつ端末デバイスの観点から以下で詳しく説明されている。
【０８１７】
図25に示されている指示情報を伝送するための装置600は、受信モジュール610と、決定モジュール620と、送信モジュール630とを備える。
【０８１８】
受信モジュール610は、コードブック指示情報を受信するように構成される。コードブック指示情報はネットワークデバイスによって送信されてよく、コードブック指示情報は1つまたは複数のコードブックのうちの第1のコードブックを示すために使用され、コードブックは2つ以上のコードワードを含み、コードワードは多次元複素ベクトルであり、データと少なくとも2つの変調シンボルとの間のマッピング関係を表すために使用され、マッピング関係は直接マッピング関係であってよく、少なくとも2つの変調シンボルは少なくとも1つの0変調シンボルと少なくとも1つの非0変調シンボルとを含む。
【０８１９】
決定モジュール620は、受信モジュール610によって受信されたコードブック指示情報に従って第1のコードブックを決定するように構成される。
【０８２０】
送信モジュール630は、決定モジュール620によって決定された第1のコードブックに従ってデータストリームを送信するように構成される。
【０８２１】
本発明のこの実施形態において、データストリームは、アップリンクデータストリームであり得るか、または端末デバイスによってネットワークデバイスに送信されるデータストリームであり得る。
【０８２２】
したがって、本発明のこの実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０８２３】
本発明の一実施形態において、適宜、図38に示されているように、受信モジュール610によって受信されたコードブック指示情報は、第3のコードブッククラスタ情報、第3のコードブック集合情報、および第7のコードブック情報を含む。第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用される。
【０８２４】
決定モジュール620は、第3のコードブッククラスタに含まれる第3のコードブック集合内の第1のコードブックを、第3のコードブッククラスタ情報、第3のコードブック集合情報、および第7のコードブック情報に従って決定するように構成されている第8の決定ユニット628を備える。各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす。
【０８２５】
適宜、本発明のこの実施形態において、受信モジュール610によって受信された第3のコードブック集合情報は、第1のコードブックの変調次数情報を含み、第3のコードブッククラスタに含まれるコードブック集合に対応する変調次数は、異なる。
【０８２６】
図38に示されているように、適宜、本発明の一実施形態において、受信モジュール610によって受信されたコードブック指示情報は、第4のコードブック集合情報および第8のコードブック情報を含む。第4のコードブック集合情報は第4のコードブック集合を示すために使用され、第8のコードブック情報は第4のコードブック集合内の第1のコードブックを示すために使用される。
【０８２７】
決定モジュール620は、第4のコードブック集合内の第1のコードブックを、第4のコードブック集合情報および第8のコードブック情報に従って決定するように構成されている第9の決定ユニット629を備える。各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす。
【０８２８】
適宜、本発明の一実施形態において、図38に示されているように、受信モジュール610によって受信されたコードブック指示情報は第3の特性行列情報、第5のコードブック集合情報、および第9のコードブック情報を含む。第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用される。
【０８２９】
決定モジュール620は、第3の特性行列情報、第5のコードブック集合情報、および第9のコードブック情報に従って第3の特性行列に対応する1つまたは複数のコードブック集合のうちの第5のコードブック集合内の第1のコードブックを決定するように構成されている第10の決定ユニット631を備える。各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす。各特性行列は1つまたは複数のコードブック集合に対応し、特性行列は2つ以上の特性シーケンスを含み、特性シーケンスは要素0と要素1とを含む。要素0は対応するコードブック内のすべてのコードワードの変調シンボルである、要素0に対応する位置にある変調シンボルがすべて0変調シンボルであることを表す。要素1は対応するコードブック内のすべてのコードワードの変調シンボルである、要素1に対応する位置にある変調シンボルがすべて0変調シンボルであるとは限らないか、またはすべて非0変調シンボルであることを表す。
【０８３０】
適宜、本発明のこの実施形態において、受信モジュール610によって受信された第5のコードブック集合情報は、第1のコードブックの変調次数情報を含み、第3の特性行列に対応する1つまたは複数のコードブック集合に対応する変調次数は、異なる。
【０８３１】
本発明のこの実施形態により指示情報を伝送するための装置600は、本発明の方法実施形態における端末デバイスに対応し得ることが理解されるであろう。装置600内のモジュールの前述のおよび他の動作および/または機能は、図10から図17および図32から図34の方法300における対応する手順を実装するために別々に使用され、本明細書では簡潔にするために詳細は再度説明しない。
【０８３２】
したがって、本発明の実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０８３３】
それに加えて、本発明の実施形態により指示情報を伝送するための装置は、より少ないコードブック指示情報に従って、アップリンクデータストリームを送信するために装置によって使用されるべき第1のコードブックを決定し得る。したがって、本発明のこの実施形態による装置を用いることで、システムのネットワーク容量が効果的に改善され得るだけでなく、システムオーバーヘッドも低減され得る。
【０８３４】
本発明の一実施形態において、図27に示されている指示情報を伝送するための装置800は、プロセッサ810、メモリ820、バスシステム830、および送信機840を備える。適宜、一実施形態において、プロセッサ810によって、第1のコードブックを示すために使用されるコードブック指示情報を決定するステップは、
第1のコードブックが属している第3のコードブック集合と、第3のコードブック集合が属している第3のコードブッククラスタとを決定するステップであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、ステップと、
コードブック指示情報を決定するステップであって、コードブック指示情報は第3のコードブッククラスタ情報、第3のコードブック集合情報、および第7のコードブック情報を含み、第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用される、ステップとを含む。
【０８３５】
適宜、一実施形態において、プロセッサ810によって決定された第3のコードブック集合情報は、第1のコードブックの変調次数情報を含み、第3のコードブッククラスタに含まれるコードブック集合に対応する変調次数は、異なる。
【０８３６】
適宜、一実施形態において、プロセッサ810によって、第1のコードブックを示すために使用されるコードブック指示情報を決定するステップは、
第1のコードブックが属している第4のコードブック集合を決定するステップであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、ステップと、
コードブック指示情報を決定するステップであって、コードブック指示情報は第4のコードブック集合情報および第8のコードブック情報を含み、第4のコードブック集合情報は第4のコードブック集合を示すために使用され、第8のコードブック情報は第4のコードブック集合内の第1のコードブックを示すために使用される、ステップとを含む。
【０８３７】
適宜、一実施形態において、プロセッサ810によって、第1のコードブックを示すために使用されるコードブック指示情報を決定するステップは、
第1のコードブックが属している第5のコードブック集合と、第5のコードブック集合が属している第3の特性行列とを決定するステップであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップと、
コードブック指示情報を決定するステップであって、コードブック指示情報は第3の特性行列情報、第5のコードブック集合情報、および第9のコードブック情報を含み、第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用される、ステップとを含む。
【０８３８】
適宜、一実施形態において、プロセッサ810によって決定された第5のコードブック集合情報は、第1のコードブックの変調次数情報を含み、第3の特性行列に対応する1つまたは複数のコードブック集合に対応する変調次数は、異なる。
【０８３９】
本発明の実施形態により指示情報を伝送するための装置800は、本発明の実施形態におけるネットワークデバイスおよび装置500に対応するものとしてよく、本発明の実施形態による方法を実行する対応する対象に対応するものとしてよいことが理解されるであろう。装置800の部品の前述のおよび他の動作および/または機能は、図3から図9および図29から図31の方法における対応する手順を実装するために別々に使用され、本明細書では簡潔にするために詳細は再度説明しない。
【０８４０】
したがって、本発明の実施形態により指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０８４１】
それに加えて、本発明の実施形態により指示情報を伝送するための装置は、より少ない情報を使用して、アップリンクデータストリームを送信するために端末デバイスによって使用されるべき第1のコードブックを示し得る。したがって、前述の装置を用いることで、システムのネットワーク容量が効果的に改善され得るだけでなく、システムオーバーヘッドも低減され得る。
【０８４２】
本発明の一実施形態において、図28に示されている指示情報を伝送するための装置900は、プロセッサ910、メモリ920、バスシステム930、受信機940、および送信機950を備える。適宜、一実施形態において、受信機940によって受信されたコードブック指示情報は、第3のコードブッククラスタ情報、第3のコードブック集合情報、および第7のコードブック情報を含む。第3のコードブッククラスタ情報は第3のコードブッククラスタを示すために使用され、第3のコードブック集合情報は第3のコードブッククラスタ内の第3のコードブック集合を示すために使用され、第7のコードブック情報は第3のコードブック集合内の第1のコードブックを示すために使用される。
【０８４３】
プロセッサ910によって、コードブック指示情報に従って第1のコードブックを決定するステップは、
第3のコードブッククラスタに含まれる第3のコードブック集合内の第1のコードブックを、第3のコードブッククラスタ情報、第3のコードブック集合情報、および第7のコードブック情報に従って決定するステップであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、ステップを含む。
【０８４４】
適宜、一実施形態において、受信機940によって受信された第3のコードブック集合情報は、第1のコードブックの変調次数情報を含み、第3のコードブッククラスタに含まれるコードブック集合に対応する変調次数は、異なる。
【０８４５】
適宜、一実施形態において、受信機940によって受信されたコードブック指示情報は、第4のコードブック集合情報および第8のコードブック情報を含む。第4のコードブック集合情報は第4のコードブック集合を示すために使用され、第8のコードブック情報は第4のコードブック集合内の第1のコードブックを示すために使用される。
【０８４６】
プロセッサ910によって、コードブック指示情報に従って第1のコードブックを決定するステップは、
第4のコードブック集合内の第1のコードブックを、第4のコードブック集合情報および第8のコードブック情報に従って決定するステップであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、ステップを含む。
【０８４７】
適宜、一実施形態において、受信機940によって受信されたコードブック指示情報は第3の特性行列情報、第5のコードブック集合情報、および第9のコードブック情報を含む。第3の特性行列情報は第3の特性行列を示すために使用され、第5のコードブック集合情報は第3の特性行列に対応する1つまたは複数のコードブック集合のうちの第5のコードブック集合を示すために使用され、第9のコードブック情報は第5のコードブック集合内の第1のコードブックを示すために使用される。
【０８４８】
プロセッサ910によって、コードブック指示情報に従って第1のコードブックを決定するステップは、
第3の特性行列情報、第5のコードブック集合情報、および第9のコードブック情報に従って第3の特性行列に対応する1つまたは複数のコードブック集合のうちの第5のコードブック集合内の第1のコードブックを決定するステップであって、各コードブック集合は少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、特性行列は2つ以上の特性シーケンスを含み、特性シーケンスは要素0と要素1とを含み、要素0は対応するコードブック内のすべてのコードワードの変調シンボルである、要素0に対応する位置にある変調シンボルがすべて0変調シンボルであることを表し、要素1は対応するコードブック内のすべてのコードワードの変調シンボルである、要素1に対応する位置にある変調シンボルがすべて0変調シンボルであるとは限らないか、またはすべて非0変調シンボルであることを表す、ステップを含む。
【０８４９】
適宜、一実施形態において、受信機940によって受信された第5のコードブック集合情報は、第1のコードブックの変調次数情報を含み、第3の特性行列に対応する1つまたは複数のコードブック集合に対応する変調次数は、異なる。
【０８５０】
本発明の実施形態により指示情報を伝送するための装置900は、本発明の実施形態における端末デバイスおよび装置600に対応するものとしてよく、本発明の実施形態による方法を実行する対応する対象に対応するものとしてよいことが理解されるであろう。装置900の部品の前述のおよび他の動作および/または機能は、図10から図17および図32から図34の方法における対応する手順を実装するために別々に使用され、本明細書では簡潔にするために詳細は再度説明しない。
【０８５１】
したがって、本発明の実施形態による指示情報を伝送するための装置について、ネットワークデバイスは、1つまたは複数のコードブックに従って、アップリンクデータストリームを送信するために端末デバイスによって使用されるべき第1のコードブックを決定し、第1のコードブックを示すために使用されるコードブック指示情報を決定し、コードブック指示情報を端末デバイスに送信し、それにより、端末デバイスは、ネットワークデバイスによって割り当てられた第1のコードブックを決定し、第1のコードブックを使用することによってデータを伝送することができる。したがって、システムのネットワーク容量が効果的に改善され得る。ネットワーク容量は、システムにアクセスできるユーザの数、システムのスペクトル効率、および同様のものを含む。
【０８５２】
それに加えて、本発明の実施形態により指示情報を伝送するための装置は、より少ないコードブック指示情報に従って、アップリンクデータストリームを送信するために装置によって使用されるべき第1のコードブックを決定し得る。したがって、本発明の実施形態による装置を用いることで、システムのネットワーク容量が効果的に改善され得るだけでなく、システムオーバーヘッドも低減され得る。
【０８５３】
「システム」および「ネットワーク」という用語は、本明細書では入れ替えて使用され得ることが理解されるであろう。本明細書における「および/または」(「および/もしくは」、「ならびに/または」)は、関連付けられている対象を説明するための関連付け関係のみを説明し、3つの関係が存在し得ることを表す。たとえば、Aおよび/またはBは、次の3つの場合を表し得る。Aのみが存在する、AとBが両方とも存在する、およびBのみが存在する。それに加えて、本明細書における文字「/」は、通常、関連付けられている対象の間の「または」の関係を示す。
【０８５４】
本発明の実施形態において、「Aに対応するB」は、BがAに関連付けられていることを示し、BはAに従って決定され得ることが理解されるであろう。しかしながら、Aに従ってBを決定することは、BがAのみに従って決定されることを意味しない、すなわち、Bは、また、Aおよび/または他の情報に従って決定され得ることが理解されるであろう。
【０８５５】
本明細書で使用されている「コンポーネント」、「モジュール」、および「システム」などの用語は、コンピュータ関連のエンティティ、ハードウェア、ファームウェア、ハードウェアとソフトウェアの組合せ、ソフトウェア、または実行中のソフトウェアを示すために使用される。たとえば、コンポーネントは、限定はしないが、プロセッサ上で実行されるプロセス、プロセッサ、オブジェクト、実行可能ファイル、実行スレッド、プログラム、および/またはコンピュータであってよい。図に示されているように、コンピューティングデバイスおよびコンピューティングデバイス上で実行されるアプリケーションは両方とも、コンポーネントであり得る。1つまたは複数のコンポーネントは、1つのプロセスおよび/または実行スレッド内にあるものとしてよく、コンポーネントは、1台のコンピュータに配置され、および/または2台以上のコンピュータ間に分散され得る。それに加えて、これらのコンポーネントは、様々なデータ構造を記憶する様々なコンピュータ可読媒体から実行され得る。たとえば、コンポーネントは、ローカルおよび/またはリモートプロセスを使用することによって、たとえば、1つまたは複数のデータパケット(たとえば、ローカルシステム内、分散システム内、および/または信号を使用することによって他のシステムと相互にやり取りするインターネットなどのネットワーク上の別のコンポーネントと相互にやり取りする1つのコンポーネントからのデータ)を有する信号に従って通信することができる。
【０８５６】
それに加えて、本発明の態様または特性は、標準的なプログラミング技法および/または工学技法を使用する方法、装置、または製品として実装され得る。本出願において使用されている「製品」という用語は、コンピュータ可読コンポーネント、キャリア、または媒体からアクセスできるコンピュータプログラムを対象とする。たとえば、コンピュータ可読媒体は、限定はしないが、磁気記憶コンポーネント(たとえば、ハードディスク、フロッピーディスク、または磁気テープ)、光ディスク(たとえば、CD(Compact Disk、コンパクトディスク)、DVD(Digital Versatile Disk、デジタル多用途ディスク)、スマートカードおよびフラッシュメモリコンポーネント(たとえば、EPROM(Erasable Programmable Read-Only Memory、消去可能プログラマブルリードオンリーメモリ)、カード、スティック、またはキードライブ)を含み得る。それに加えて、本明細書で説明されている様々な記憶媒体は、情報を記憶するために使用される1つまたは複数のデバイスおよび/または他の機械可読媒体を示し得る。「機械可読媒体」という用語は、限定はしないが、無線チャネル、ならびに命令および/またはデータを記憶し、含み、および/または搬送することができる様々な他の媒体を含み得る。
【０８５７】
当業者であれば、本明細書で開示されている実施形態を参照しつつ説明されている例におけるユニットおよびステップは、電子ハードウェア、コンピュータソフトウェア、またはこれらの組合せによって実装され得ることに気づき得る。ハードウェアとソフトウェアとの間の互換性を明確に説明するために、前述の説明では、通常、機能に従って各実施例のコンポーネントおよびステップを説明している。これらの機能が、ハードウェアによって実行されるのか、ソフトウェアによって実行されるのかは、特定の用途および技術的解決方法の設計上の制約条件で決まる。当業者は、それぞれの特定の用途に対して説明されている機能を実装するために異なる方法を使用することができるが、その実装は、本発明の範囲を超えるものと考えられるべきでない。
【０８５８】
説明をわかりやすく、簡潔にするために、前述のシステム、装置、およびユニットの詳細な作動プロセスについて、前述の方法実施形態における対応するプロセスが参照され得ることは当業者によって明確に理解されるものとしてよく、詳細について本明細書では説明しない。
【０８５９】
本出願において提供されるいくつかの実施形態において、開示されているシステム、装置、および方法が、他の方式で実装され得ることが理解されるであろう。たとえば、説明されている装置の実施形態は、単なる例にすぎない。たとえば、ユニットを分けることは、単に論理機能を分けることであり、実際の実装では他の分け方であってもよい。たとえば、複数のユニットまたは構成要素が、別のシステム内に組み合わされ得るか、もしくは一体化され得るか、またはいくつかの特性が無視され得るか、もしくは実施され得ない。それに加えて、表示されているか、または説明されている相互結合または直接的結合または通信接続は、装置もしくはユニットの間のいくつかのインターフェース、間接的結合、もしくは通信接続、または電気的接続、機械的接続、もしくは他の形態の接続を通じて実装され得る。
【０８６０】
分離している部分として説明されるユニットは、物理的に分離し得るかまたは分離し得ず、およびユニットとして表示される部分は、物理的ユニットであり得るかまたは物理的ユニットであり得ず、1つの位置に配置され得るか、または複数のネットワークユニット上に分散され得る。ユニットの一部または全部は、本発明の実施形態の解決方法の目的を達成するために実際に必要になるものに従って選択され得る。
【０８６１】
それに加えて、本発明の実施形態における機能ユニットは、1つの処理ユニット内に一体化され得るか、またはユニットの各々が、物理的に単独で存在し得るか、または2つ以上のユニットが、1つのユニット内に一体化され得る。一体化されたユニットは、ハードウェアの形態で実装され得るか、またはソフトウェア機能ユニットの形態で実装され得る。
【０８６２】
一体化されたユニットがソフトウェア機能ユニットの形態で実装され、独立した製品として販売または使用される場合、一体化されたユニットは、コンピュータ可読記憶媒体に記憶され得る。このような理解に基づき、本質的に本発明の技術的解決方法、または従来技術に寄与する部分、または技術的解決方法の全部もしくは一部は、ソフトウェア製品の形態で実装され得る。ソフトウェア製品は、記憶媒体に記憶され、本発明の実施形態において説明されている方法のステップのうちの全部または一部を実行することをコンピュータデバイス(パーソナルコンピュータ、サーバ、またはネットワークデバイスであってよい)に命令するための複数の命令を含む。前述の記憶媒体は、USBフラッシュドライブ、取り外し可能なハードディスク、リードオンリーメモリ(ROM、Read-Only Memory)、ランダムアクセスメモリ(RAM、Random Access Memory)、磁気ディスク、または光ディスクなどの、プログラムコードを記憶することができる媒体を含む。
【０８６３】
前述の説明は、本発明の特定の実施形態にすぎず、本発明の保護範囲を限定することは意図されていない。本発明において開示されている技術の範囲内で当業者が容易に考え付く変更形態または代替形態は、本発明の保護範囲内にあるものとする。したがって、本発明の保護範囲は、請求項の保護範囲に従うものとする。
【０８６４】
また、本願の開示は、以下の実施形態を含む。
【０８６５】
例１  指示情報を伝送するための方法であって、
1つまたは複数のコードブックに従って、アップリンクデータストリームを送信するために端末デバイスによって使用されるべき第1のコードブックを決定するステップであって、前記コードブックは2つ以上のコードワードを含み、前記コードワードは多次元複素ベクトルであり、データと少なくとも2つの変調シンボルとの間のマッピング関係を表すために使用され、前記少なくとも2つの変調シンボルは少なくとも1つの0変調シンボルと少なくとも1つの非0変調シンボルとを含む、ステップと、
前記第1のコードブックを示すために使用されるコードブック指示情報を決定するステップと、
前記コードブック指示情報を前記端末デバイスに送信するステップとを含む方法。
【０８６６】
例２  前記第1のコードブックを示すために使用されるコードブック指示情報を決定する前記ステップは、
前記第1のコードブックが属している第1のコードブック集合と、前記第1のコードブック集合が属している第1のコードブッククラスタとを決定するステップであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックが前記2つのコードブックのすべてのコードワードの変調シンボルが0変調シンボルである同じ位置を有するという条件を満たす、ステップと、
前記コードブック指示情報を決定するステップであって、前記コードブック指示情報は第1のコードブッククラスタ情報、第1のコードブック集合情報、および第1のコードブック情報を含み、前記第1のコードブッククラスタ情報は前記第1のコードブッククラスタを示すために使用され、前記第1のコードブック集合情報は前記第1のコードブッククラスタ内の前記第1のコードブック集合を示すために使用され、前記第1のコードブック情報は前記第1のコードブック集合内の前記第1のコードブックを示すために使用される、ステップとを含む例1に記載の方法。
【０８６７】
例３  前記第1のコードブック情報は、前記第1のコードブックの変調次数情報を含み、前記第1のコードブック集合に含まれるコードブックの変調次数は、異なる例2に記載の方法。
【０８６８】
例４  前記第1のコードブックを示すために使用されるコードブック指示情報を決定する前記ステップは、
前記第1のコードブックが属している第2のコードブック集合を決定するステップであって、各コードブック集合は少なくとも1つのコードブックを含み、前記コードブック集合は同じコードブック集合内のコードワードが同じ総数の変調シンボルを有し、同じコードブック集合内の任意の2つのコードブックが前記2つのコードブックのすべてのコードワードの変調シンボルが0変調シンボルである同じ位置を有するという条件を満たす、ステップと、
前記コードブック指示情報を決定するステップであって、前記コードブック指示情報は第2のコードブック集合情報および第2のコードブック情報を含み、前記第2のコードブック集合情報は前記第2のコードブック集合を示すために使用され、前記第2のコードブック情報は前記第2のコードブック集合内の前記第1のコードブックを示すために使用される、ステップとを含む例1に記載の方法。
【０８６９】
例５  前記第2のコードブック情報は、前記第1のコードブックの変調次数情報を含み、前記第2のコードブック集合に含まれるコードブックの変調次数は、異なる例4に記載の方法。
【０８７０】
例６  前記第1のコードブックを示すために使用されるコードブック指示情報を決定する前記ステップは、
前記第1のコードブックが属している第2のコードブッククラスタを決定するステップであって、各コードブッククラスタは少なくとも1つのコードブックを含み、前記コードブッククラスタは同じコードブッククラスタ内のコードワードが同じ総数の変調シンボルを有するという条件を満たす、ステップと、
前記コードブック指示情報を決定するステップであって、前記コードブック指示情報は第2のコードブッククラスタ情報および第3のコードブック情報を含み、前記第2のコードブッククラスタ情報は前記第2のコードブッククラスタを示すために使用され、前記第3のコードブック情報は前記第2のコードブッククラスタ内の前記第1のコードブックを示すために使用される、ステップとを含む例1に記載の方法。
【０８７１】
例７  前記コードブック指示情報は、前記第1のコードブックのインデックス値を含む例1に記載の方法。
【０８７２】
例８  前記第1のコードブックを示すために使用されるコードブック指示情報を決定する前記ステップは、
前記第1のコードブックが属している第1の特性シーケンスと、前記第1の特性シーケンスが属している第1の特性行列とを決定するステップであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップと、
前記コードブック指示情報を決定するステップであって、前記コードブック指示情報は第1の特性行列情報、第1の特性シーケンス情報、および第4のコードブック情報を含み、前記第1の特性行列情報は前記第1の特性行列を示すために使用され、前記第1の特性シーケンス情報は前記第1の特性行列内の前記第1の特性シーケンスを示すために使用され、前記第4のコードブック情報は前記第1の特性シーケンスに対応する1つまたは複数のコードブックのうちの前記第1のコードブックを示すために使用される、ステップとを含む例1に記載の方法。
【０８７３】
例９  前記第4のコードブック情報は、前記第1のコードブックの変調次数情報を含み、前記第1の特性シーケンスに対応する前記1つまたは複数のコードブックの変調次数は、異なる例8に記載の方法。
【０８７４】
例１０  前記第1のコードブックを示すために使用されるコードブック指示情報を決定する前記ステップは、
前記第1のコードブックが属している第2の特性行列を決定するステップであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップと、
前記コードブック指示情報を決定するステップであって、前記コードブック指示情報は第2の特性行列情報および第5のコードブック情報を含み、前記第2の特性行列情報は前記第2の特性行列を示すために使用され、前記第5のコードブック情報は前記第2の特性行列に対応する1つまたは複数のコードブックのうちの前記第1のコードブックを示すために使用される、ステップとを含む例1に記載の方法。
【０８７５】
例１１  前記第1のコードブックを示すために使用されるコードブック指示情報を決定する前記ステップは、
前記第1のコードブックが属している第2の特性シーケンスを決定するステップであって、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップと、
前記コードブック指示情報を決定するステップであって、前記コードブック指示情報は第2の特性シーケンス情報および第6のコードブック情報を含み、前記第2の特性シーケンス情報は前記第2の特性シーケンスを示すために使用され、前記第6のコードブック情報は前記第2の特性シーケンスに対応する1つまたは複数のコードブックのうちの前記第1のコードブックを示すために使用される、ステップとを含む例1に記載の方法。
【０８７６】
例１２  前記第6のコードブック情報は、前記第1のコードブックの変調次数情報を含み、前記第2の特性シーケンスに対応する前記1つまたは複数のコードブックの変調次数は、異なる例11に記載の方法。
【０８７７】
例１３  前記第1のコードブックを示すために使用されるコードブック指示情報を決定する前記ステップは、
前記第1のコードブックが属している第3のコードブック集合と、前記第3のコードブック集合が属している第3のコードブッククラスタとを決定するステップであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内のコードワードが同じ総数の変調シンボルを有し、同じコードブック集合内のコードブックが同じ総数のコードワードを有するという条件を満たす、ステップと、
前記コードブック指示情報を決定するステップであって、前記コードブック指示情報は第3のコードブッククラスタ情報、第3のコードブック集合情報、および第7のコードブック情報を含み、前記第3のコードブッククラスタ情報は前記第3のコードブッククラスタを示すために使用され、前記第3のコードブック集合情報は前記第3のコードブッククラスタ内の前記第3のコードブック集合を示すために使用され、前記第7のコードブック情報は前記第3のコードブック集合内の前記第1のコードブックを示すために使用される、ステップとを含む例1に記載の方法。
【０８７８】
例１４  前記第3のコードブック集合情報は、前記第1のコードブックの変調次数情報を含み、前記第3のコードブッククラスタに含まれるコードブック集合に対応する変調次数は、異なる例13に記載の方法。
【０８７９】
例１５  前記第1のコードブックを示すために使用されるコードブック指示情報を決定する前記ステップは、
前記第1のコードブックが属している第4のコードブック集合を決定するステップであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、ステップと、
前記コードブック指示情報を決定するステップであって、前記コードブック指示情報は第4のコードブック集合情報および第8のコードブック情報を含み、前記第4のコードブック集合情報は前記第4のコードブック集合を示すために使用され、前記第8のコードブック情報は前記第4のコードブック集合内の前記第1のコードブックを示すために使用される、ステップとを含む例1に記載の方法。
【０８８０】
例１６  前記第1のコードブックを示すために使用されるコードブック指示情報を決定する前記ステップは、
前記第1のコードブックが属している第5のコードブック集合と、前記第5のコードブック集合が属している第3の特性行列とを決定するステップであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、前記特性行列は2つ以上の特性シーケンスを含み、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップと、
前記コードブック指示情報を決定するステップであって、前記コードブック指示情報は第3の特性行列情報、第5のコードブック集合情報、および第9のコードブック情報を含み、前記第3の特性行列情報は前記第3の特性行列を示すために使用され、前記第5のコードブック集合情報は前記第3の特性行列に対応する1つまたは複数のコードブック集合のうちの前記第5のコードブック集合を示すために使用され、前記第9のコードブック情報は前記第5のコードブック集合内の前記第1のコードブックを示すために使用される、ステップとを含む例1に記載の方法。
【０８８１】
例１７  前記第5のコードブック集合情報は、前記第1のコードブックの変調次数情報を含み、前記第3の特性行列に対応する前記1つまたは複数のコードブック集合に対応する変調次数は、異なる例16に記載の方法。
【０８８２】
例１８  前記コードブック指示情報を前記端末デバイスに送信する前記ステップは、
アップリンクスケジューリング許可メッセージ、専用上位層制御シグナリング、またはシステムブロードキャストメッセージを前記端末デバイスに送信するステップであって、前記アップリンクスケジューリング許可メッセージ、前記専用上位層制御シグナリング、または前記システムブロードキャストメッセージは前記コードブック指示情報を含む、ステップを含む例1から17のいずれか一項に記載の方法。
【０８８３】
例１９  前記専用上位層制御シグナリングは、無線リソース制御RRC接続セットアップメッセージとRRC接続再構成メッセージとを含む例18に記載の方法。
【０８８４】
例２０  前記コードブック指示情報は、ビット列情報である例1から19のいずれか一項に記載の方法。
【０８８５】
例２１  前記コードブックは、スパース符号多元接続SCMAコードブックである例1から20のいずれか一項に記載の方法。
【０８８６】
例２２  0変調シンボルの数は、コードブックに含まれるコードワード内の非0変調シンボルの数以上である例21に記載の方法。
【０８８７】
例２３  指示情報を伝送するための方法であって、
ネットワークデバイスによって送信されたコードブック指示情報を受信するステップであって、前記コードブック指示情報は1つまたは複数のコードブックのうちの第1のコードブックを示すために使用され、前記コードブックは2つ以上のコードワードを含み、前記コードワードは多次元複素ベクトルであり、データと少なくとも2つの変調シンボルとの間のマッピング関係を表すために使用され、前記少なくとも2つの変調シンボルは少なくとも1つの0変調シンボルと少なくとも1つの非0変調シンボルとを含む、ステップと、
前記コードブック指示情報に従って前記第1のコードブックを決定するステップと、
前記第1のコードブックに従ってアップリンクデータストリームを送信するステップとを含む方法。
【０８８８】
例２４  前記コードブック指示情報は、第1のコードブッククラスタ情報、第1のコードブック集合情報、および第1のコードブック情報を含み、前記第1のコードブッククラスタ情報は第1のコードブッククラスタを示すために使用され、前記第1のコードブック集合情報は前記第1のコードブッククラスタ内の第1のコードブック集合を示すために使用され、前記第1のコードブック情報は前記第1のコードブック集合内の前記第1のコードブックを示すために使用され、
前記コードブック指示情報に従って前記第1のコードブックを決定する前記ステップは、
前記第1のコードブッククラスタに含まれる前記第1のコードブック集合内の前記第1のコードブックを、前記第1のコードブッククラスタ情報、前記第1のコードブック集合情報、および前記第1のコードブック情報に従って決定するステップであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックが2つのコードブックのすべてのコードワードの変調シンボルが0変調シンボルである同じ位置を有するという条件を満たす、ステップを含む例23に記載の方法。
【０８８９】
例２５  前記第1のコードブック情報は、前記第1のコードブックの変調次数情報を含み、前記第1のコードブック集合に含まれるコードブックの変調次数は、異なる例24に記載の方法。
【０８９０】
例２６  前記コードブック指示情報は第2のコードブック集合情報および第2のコードブック情報を含み、前記第2のコードブック集合情報は第2のコードブック集合を示すために使用され、前記第2のコードブック情報は前記第2のコードブック集合内の前記第1のコードブックを示すために使用され、
前記コードブック指示情報に従って前記第1のコードブックを決定する前記ステップは、
前記第2のコードブック集合内の前記第1のコードブックを、前記第2のコードブック集合情報および前記第2のコードブック情報に従って決定するステップであって、各コードブック集合は少なくとも1つのコードブックを含み、前記コードブック集合は同じコードブック集合内のコードワードが同じ総数の変調シンボルを有し、同じコードブック集合内の任意の2つのコードブックが前記2つのコードブックのすべてのコードワードの変調シンボルが0変調シンボルである同じ位置を有するという条件を満たす、ステップを含む例23に記載の方法。
【０８９１】
例２７  前記第2のコードブック情報は、前記第1のコードブックの変調次数情報を含み、前記第2のコードブック集合に含まれるコードブックの変調次数は、異なる例26に記載の方法。
【０８９２】
例２８  前記コードブック指示情報は、第2のコードブッククラスタ情報および第3のコードブック情報を含み、前記第2のコードブッククラスタ情報は第2のコードブッククラスタを示すために使用され、前記第3のコードブック情報は前記第2のコードブッククラスタ内の前記第1のコードブックを示すために使用され、
前記コードブック指示情報に従って前記第1のコードブックを決定する前記ステップは、
前記第2のコードブッククラスタ内の前記第1のコードブックを、前記第2のコードブッククラスタ情報および前記第3のコードブック情報に従って決定するステップであって、各コードブッククラスタは少なくとも1つのコードブックを含み、前記コードブッククラスタは同じコードブッククラスタ内のコードワードが同じ総数の変調シンボルを有するという条件を満たす、ステップを含む例23に記載の方法。
【０８９３】
例２９  前記コードブック指示情報は、前記第1のコードブックのインデックス値を含み、
前記コードブック指示情報に従って前記第1のコードブックを決定する前記ステップは、
前記インデックス値に対応する前記第1のコードブックを、前記インデックス値に従って決定するステップを含む例23に記載の方法。
【０８９４】
例３０  前記コードブック指示情報は、第1の特性行列情報、第1の特性シーケンス情報、および第4のコードブック情報を含み、前記第1の特性行列情報は第1の特性行列を示すために使用され、前記第1の特性シーケンス情報は前記第1の特性行列内の第1の特性シーケンスを示すために使用され、前記第4のコードブック情報は前記第1の特性シーケンスに対応する1つまたは複数のコードブックのうちの前記第1のコードブックを示すために使用され、
前記コードブック指示情報に従って前記第1のコードブックを決定する前記ステップは、
前記第1の特性行列情報、前記第1の特性シーケンス情報、および前記第4のコードブック情報に従って前記第1の特性行列内の前記第1の特性シーケンスに対応する前記1つまたは複数のコードブックのうちの前記第1のコードブックを決定するステップであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップを含む例23に記載の方法。
【０８９５】
例３１  前記第4のコードブック情報は、前記第1のコードブックの変調次数情報を含み、前記第1の特性シーケンスに対応する前記1つまたは複数のコードブックの変調次数は、異なる例30に記載の方法。
【０８９６】
例３２  前記コードブック指示情報は、第2の特性行列情報および第5のコードブック情報を含み、前記第2の特性行列情報は第2の特性行列を示すために使用され、前記第5のコードブック情報は前記第2の特性行列に対応する1つまたは複数のコードブックのうちの前記第1のコードブックを示すために使用され、
前記コードブック指示情報に従って前記第1のコードブックを決定する前記ステップは、
前記第2の特性行列情報および前記第5のコードブック情報に従って前記第2の特性行列に対応する前記1つまたは複数のコードブックのうちの前記第1のコードブックを決定するステップであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップを含む例23に記載の方法。
【０８９７】
例３３  前記コードブック指示情報は、第2の特性シーケンス情報および第6のコードブック情報を含み、前記第2の特性シーケンス情報は第2の特性シーケンスを示すために使用され、前記第6のコードブック情報は前記第2の特性シーケンスに対応する1つまたは複数のコードブックのうちの前記第1のコードブックを示すために使用され、
前記コードブック指示情報に従って前記第1のコードブックを決定する前記ステップは、
前記第2の特性シーケンス情報および前記第6のコードブック情報に従って前記第2の特性シーケンスに対応する前記1つまたは複数のコードブックのうちの前記第1のコードブックを決定するステップであって、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップを含む例23に記載の方法。
【０８９８】
例３４  前記第6のコードブック情報は、前記第1のコードブックの変調次数情報を含み、前記第2の特性シーケンスに対応する前記1つまたは複数のコードブックの変調次数は、異なる例33に記載の方法。
【０８９９】
例３５  前記コードブック指示情報は、第3のコードブッククラスタ情報、第3のコードブック集合情報、および第7のコードブック情報を含み、前記第3のコードブッククラスタ情報は第3のコードブッククラスタを示すために使用され、前記第3のコードブック集合情報は前記第3のコードブッククラスタ内の第3のコードブック集合を示すために使用され、前記第7のコードブック情報は前記第3のコードブック集合内の前記第1のコードブックを示すために使用され、
前記コードブック指示情報に従って前記第1のコードブックを決定する前記ステップは、
前記第3のコードブッククラスタに含まれる前記第3のコードブック集合内の前記第1のコードブックを、前記第3のコードブッククラスタ情報、前記第3のコードブック集合情報、および前記第7のコードブック情報に従って決定するステップであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内のコードワードが同じ総数の変調シンボルを有し、同じコードブック集合内のコードブックが同じ総数のコードワードを有するという条件を満たす、ステップを含む例23に記載の方法。
【０９００】
例３６  前記第3のコードブック集合情報は、前記第1のコードブックの変調次数情報を含み、前記第3のコードブッククラスタに含まれるコードブック集合に対応する変調次数は、異なる例35に記載の方法。
【０９０１】
例３７  前記コードブック指示情報は第4のコードブック集合情報および第8のコードブック情報を含み、前記第4のコードブック集合情報は第4のコードブック集合を示すために使用され、前記第8のコードブック情報は前記第4のコードブック集合内の前記第1のコードブックを示すために使用され、
前記コードブック指示情報に従って前記第1のコードブックを決定する前記ステップは、
前記第4のコードブック集合内の前記第1のコードブックを、前記第4のコードブック集合情報および前記第8のコードブック情報に従って決定するステップであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、ステップを含む例23に記載の方法。
【０９０２】
例３８  前記コードブック指示情報は、第3の特性行列情報、第5のコードブック集合情報、および第9のコードブック情報を含み、前記第3の特性行列情報は第3の特性行列を示すために使用され、前記第5のコードブック集合情報は前記第3の特性行列に対応する1つまたは複数のコードブック集合のうちの第5のコードブック集合を示すために使用され、前記第9のコードブック情報は前記第5のコードブック集合内の前記第1のコードブックを示すために使用され、
前記コードブック指示情報に従って前記第1のコードブックを決定する前記ステップは、
前記第3の特性行列情報、前記第5のコードブック集合情報、および前記第9のコードブック情報に従って前記第3の特性行列に対応する1つまたは複数のコードブック集合のうちの前記第5のコードブック集合内の前記第1のコードブックを決定するステップであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、前記特性行列は2つ以上の特性シーケンスを含み、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、ステップを含む例23に記載の方法。
【０９０３】
例３９  前記第5のコードブック集合情報は、前記第1のコードブックの変調次数情報を含み、前記第3の特性行列に対応する前記1つまたは複数のコードブック集合に対応する変調次数は、異なる例38に記載の方法。
【０９０４】
例４０  ネットワークデバイスによって送信されたコードブック指示情報を受信する前記ステップは、
前記ネットワークデバイスによって送信されたアップリンクスケジューリング許可メッセージ、専用上位層制御シグナリング、またはシステムブロードキャストメッセージを受信するステップであって、前記アップリンクスケジューリング許可メッセージ、前記専用上位層制御シグナリング、または前記システムブロードキャストメッセージは前記コードブック指示情報を含む、ステップを含む例23から39のいずれか一項に記載の方法。
【０９０５】
例４１  前記専用上位層制御シグナリングは、無線リソース制御RRC接続セットアップメッセージとRRC接続再構成メッセージとを含む例40に記載の方法。
【０９０６】
例４２  前記コードブック指示情報は、ビット列情報である例23から41のいずれか一項に記載の方法。
【０９０７】
例４３  前記コードブックは、スパース符号多元接続SCMAコードブックである例23から42のいずれか一項に記載の方法。
【０９０８】
例４４  0変調シンボルの数は、コードブックに含まれるコードワード内の非0変調シンボルの数以上である例43に記載の方法。
【０９０９】
例４５  指示情報を伝送するための装置であって、
1つまたは複数のコードブックに従って、アップリンクデータストリームを送信するために端末デバイスによって使用されるべき第1のコードブックを決定するように構成されている第1の決定モジュールであって、前記コードブックは2つ以上のコードワードを含み、前記コードワードは多次元複素ベクトルであり、データと少なくとも2つの変調シンボルとの間のマッピング関係を表すために使用され、前記少なくとも2つの変調シンボルは少なくとも1つの0変調シンボルと少なくとも1つの非0変調シンボルとを含む、第1の決定モジュールと、
前記第1の決定モジュールによって決定された前記第1のコードブックを示すために使用されるコードブック指示情報を決定するように構成されている第2の決定モジュールと、
前記第2の決定モジュールによって決定された前記コードブック指示情報を前記端末デバイスに送信するように構成されている送信モジュールとを備える装置。
【０９１０】
例４６  前記第2の決定モジュールは、
前記第1のコードブックが属している第1のコードブック集合と、前記第1のコードブック集合が属している第1のコードブッククラスタとを決定するように構成されている第1の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックが前記2つのコードブックのすべてのコードワードの変調シンボルが0変調シンボルである同じ位置を有するという条件を満たす、第1の決定ユニットと、
前記コードブック指示情報を決定するように構成されている第2の決定ユニットであって、前記コードブック指示情報は第1のコードブッククラスタ情報、第1のコードブック集合情報、および第1のコードブック情報を含み、前記第1のコードブッククラスタ情報は前記第1のコードブッククラスタを示すために使用され、前記第1のコードブック集合情報は前記第1のコードブッククラスタ内の前記第1のコードブック集合を示すために使用され、前記第1のコードブック情報は前記第1のコードブック集合内の前記第1のコードブックを示すために使用される、第2の決定ユニットとを備える例45に記載の装置。
【０９１１】
例４７  前記第2の決定ユニットによって決定された前記第1のコードブック情報は、前記第1のコードブックの変調次数情報を含み、前記第1のコードブック集合に含まれるコードブックの変調次数は、異なる例46に記載の装置。
【０９１２】
例４８  前記第2の決定モジュールは、
前記第1のコードブックが属している第2のコードブック集合を決定するように構成されている第3の決定ユニットであって、各コードブック集合は少なくとも1つのコードブックを含み、前記コードブック集合は同じコードブック集合内のコードワードが同じ総数の変調シンボルを有し、同じコードブック集合内の任意の2つのコードブックが前記2つのコードブックのすべてのコードワードの変調シンボルが0変調シンボルである同じ位置を有するという条件を満たす、第3の決定ユニットと、
前記コードブック指示情報を決定するように構成されている第4の決定ユニットであって、前記コードブック指示情報は第2のコードブック集合情報および第2のコードブック情報を含み、前記第2のコードブック集合情報は前記第2のコードブック集合を示すために使用され、前記第2のコードブック情報は前記第2のコードブック集合内の前記第1のコードブックを示すために使用される、第4の決定ユニットとを備える例45に記載の装置。
【０９１３】
例４９  前記第4の決定ユニットによって決定された前記第2のコードブック情報は、前記第1のコードブックの変調次数情報を含み、前記第2のコードブック集合に含まれるコードブックの変調次数は、異なる例48に記載の装置。
【０９１４】
例５０  前記第2の決定モジュールは、
前記第1のコードブックが属している第2のコードブッククラスタを決定するように構成されている第5の決定ユニットであって、各コードブッククラスタは少なくとも1つのコードブックを含み、前記コードブッククラスタは同じコードブッククラスタ内のコードワードが同じ総数の変調シンボルを有するという条件を満たす、第5の決定ユニットと、
前記コードブック指示情報を決定するように構成されている第6の決定ユニットであって、前記コードブック指示情報は第2のコードブッククラスタ情報および第3のコードブック情報を含み、前記第2のコードブッククラスタ情報は前記第2のコードブッククラスタを示すために使用され、前記第3のコードブック情報は前記第2のコードブッククラスタ内の前記第1のコードブックを示すために使用される、第6の決定ユニットとを備える例45に記載の装置。
【０９１５】
例５１  前記第2の決定モジュールによって決定された前記コードブック指示情報は、前記第1のコードブックのインデックス値を含む例45に記載の装置。
【０９１６】
例５２  前記第2の決定モジュールは、
前記第1のコードブックが属している第1の特性シーケンスと、前記第1の特性シーケンスが属している第1の特性行列とを決定するように構成されている第7の決定ユニットであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第7の決定ユニットと、
前記コードブック指示情報を決定するように構成されている第8の決定ユニットであって、前記コードブック指示情報は第1の特性行列情報、第1の特性シーケンス情報、および第4のコードブック情報を含み、前記第1の特性行列情報は前記第1の特性行列を示すために使用され、前記第1の特性シーケンス情報は前記第1の特性行列内の前記第1の特性シーケンスを示すために使用され、前記第4のコードブック情報は前記第1の特性シーケンスに対応する1つまたは複数のコードブックのうちの前記第1のコードブックを示すために使用される、第8の決定ユニットとを備える例45に記載の装置。
【０９１７】
例５３  前記第8の決定ユニットによって決定された前記第4のコードブック情報は、前記第1のコードブックの変調次数情報を含み、前記第1の特性シーケンスに対応する前記1つまたは複数のコードブックの変調次数は、異なる例52に記載の装置。
【０９１８】
例５４  前記第2の決定モジュールは、
前記第1のコードブックが属している第2の特性行列を決定するように構成されている第9の決定ユニットであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第9の決定ユニットと、
前記コードブック指示情報を決定するように構成されている第10の決定ユニットであって、前記コードブック指示情報は第2の特性行列情報および第5のコードブック情報を含み、前記第2の特性行列情報は前記第2の特性行列を示すために使用され、前記第5のコードブック情報は前記第2の特性行列に対応する1つまたは複数のコードブックのうちの前記第1のコードブックを示すために使用される、第10の決定ユニットとを備える例45に記載の装置。
【０９１９】
例５５  前記第2の決定モジュールは、
前記第1のコードブックが属している第2の特性シーケンスを決定するように構成されている第11の決定ユニットであって、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第11の決定ユニットと、
前記コードブック指示情報を決定するように構成されている第12の決定ユニットであって、前記コードブック指示情報は第2の特性シーケンス情報および第6のコードブック情報を含み、前記第2の特性シーケンス情報は前記第2の特性シーケンスを示すために使用され、前記第6のコードブック情報は前記第2の特性シーケンスに対応する1つまたは複数のコードブックのうちの前記第1のコードブックを示すために使用される、第12の決定ユニットとを備える例45に記載の装置。
【０９２０】
例５６  前記第12の決定ユニットによって決定された前記第6のコードブック情報は、前記第1のコードブックの変調次数情報を含み、前記第2の特性シーケンスに対応する前記1つまたは複数のコードブックの変調次数は、異なる例55に記載の装置。
【０９２１】
例５７  前記第2の決定モジュールは、
前記第1のコードブックが属している第3のコードブック集合と、前記第3のコードブック集合が属している第3のコードブッククラスタとを決定するように構成されている第13の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内のコードワードが同じ総数の変調シンボルを有し、同じコードブック集合内のコードブックが同じ総数のコードワードを有するという条件を満たす、第13の決定ユニットと、
前記コードブック指示情報を決定するように構成されている第14の決定ユニットであって、前記コードブック指示情報は第3のコードブッククラスタ情報、第3のコードブック集合情報、および第7のコードブック情報を含み、前記第3のコードブッククラスタ情報は前記第3のコードブッククラスタを示すために使用され、前記第3のコードブック集合情報は前記第3のコードブッククラスタ内の前記第3のコードブック集合を示すために使用され、前記第7のコードブック情報は前記第3のコードブック集合内の前記第1のコードブックを示すために使用される、第14の決定ユニットとを備える例45に記載の装置。
【０９２２】
例５８  前記第13の決定ユニットによって決定された前記第3のコードブック集合情報は、前記第1のコードブックの変調次数情報を含み、前記第3のコードブッククラスタに含まれるコードブック集合に対応する変調次数は、異なる例57に記載の装置。
【０９２３】
例５９  前記第2の決定モジュールは、
前記第1のコードブックが属している第4のコードブック集合を決定するように構成されている第15の決定ユニットであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、第15の決定ユニットと、
前記コードブック指示情報を決定するように構成されている第16の決定ユニットであって、前記コードブック指示情報は第4のコードブック集合情報および第8のコードブック情報を含み、前記第4のコードブック集合情報は前記第4のコードブック集合を示すために使用され、前記第8のコードブック情報は前記第4のコードブック集合内の前記第1のコードブックを示すために使用される、第16の決定ユニットとを備える例45に記載の装置。
【０９２４】
例６０  前記第2の決定モジュールは、
前記第1のコードブックが属している第5のコードブック集合と、前記第5のコードブック集合が属している第3の特性行列とを決定するように構成されている第17の決定ユニットであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、前記特性行列は2つ以上の特性シーケンスを含み、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第17の決定ユニットと、
前記コードブック指示情報を決定するように構成されている第18の決定ユニットであって、前記コードブック指示情報は第3の特性行列情報、第5のコードブック集合情報、および第9のコードブック情報を含み、前記第3の特性行列情報は前記第3の特性行列を示すために使用され、前記第5のコードブック集合情報は前記第3の特性行列に対応する1つまたは複数のコードブック集合のうちの前記第5のコードブック集合を示すために使用され、前記第9のコードブック情報は前記第5のコードブック集合内の前記第1のコードブックを示すために使用される、第18の決定ユニットとを備える例45に記載の装置。
【０９２５】
例６１  前記第17の決定ユニットによって決定された前記第5のコードブック集合情報は、前記第1のコードブックの変調次数情報を含み、前記第3の特性行列に対応する前記1つまたは複数のコードブック集合に対応する変調次数は、異なる例60に記載の装置。
【０９２６】
例６２  前記送信モジュールは、アップリンクスケジューリング許可メッセージ、専用上位層制御シグナリング、またはシステムブロードキャストメッセージを端末デバイスに送信するように特に構成され、前記アップリンクスケジューリング許可メッセージ、前記専用上位層制御シグナリング、または前記システムブロードキャストメッセージは前記コードブック指示情報を含む例45から61のいずれか一項に記載の装置。
【０９２７】
例６３  前記専用上位層制御シグナリングは、無線リソース制御RRC接続セットアップメッセージとRRC接続再構成メッセージとを含む例62に記載の装置。
【０９２８】
例６４  前記送信モジュールによって送信される前記コードブック指示情報は、ビット列情報である例45から63のいずれか一項に記載の装置。
【０９２９】
例６５  前記コードブックは、スパース符号多元接続SCMAコードブックである例45から64のいずれか一項に記載の装置。
【０９３０】
例６６  0変調シンボルの数は、コードブックに含まれるコードワード内の非0変調シンボルの数以上である例65に記載の装置。
【０９３１】
例６７  前記装置は、ネットワークデバイスである例45から66のいずれか一項に記載の装置。
【０９３２】
例６８  指示情報を伝送するための装置であって、
ネットワークデバイスによって送信されたコードブック指示情報を受信するように構成されている受信モジュールであって、前記コードブック指示情報は1つまたは複数のコードブックのうちの第1のコードブックを示すために使用され、前記コードブックは2つ以上のコードワードを含み、前記コードワードは多次元複素ベクトルであり、データと少なくとも2つの変調シンボルとの間のマッピング関係を表すために使用され、前記少なくとも2つの変調シンボルは少なくとも1つの0変調シンボルと少なくとも1つの非0変調シンボルとを含む、受信モジュールと、
前記受信モジュールによって受信された前記コードブック指示情報に従って前記第1のコードブックを決定するように構成されている決定モジュールと、
前記決定モジュールによって決定された前記第1のコードブックに従ってアップリンクデータストリームを送信するように構成されている送信モジュールとを備える装置。
【０９３３】
例６９  前記受信モジュールによって受信された前記コードブック指示情報は、第1のコードブッククラスタ情報、第1のコードブック集合情報、および第1のコードブック情報を含み、前記第1のコードブッククラスタ情報は第1のコードブッククラスタを示すために使用され、前記第1のコードブック集合情報は前記第1のコードブッククラスタ内の第1のコードブック集合を示すために使用され、前記第1のコードブック情報は前記第1のコードブック集合内の前記第1のコードブックを示すために使用され、
前記決定モジュールは、前記第1のコードブッククラスタに含まれる前記第1のコードブック集合内の前記第1のコードブックを、前記第1のコードブッククラスタ情報、前記第1のコードブック集合情報、および前記第1のコードブック情報に従って決定するように構成されている第1の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックが2つのコードブックのすべてのコードワードの変調シンボルが0変調シンボルである同じ位置を有するという条件を満たす、第1の決定ユニットを備える例68に記載の装置。
【０９３４】
例７０  前記受信モジュールによって受信された前記第1のコードブック情報は、前記第1のコードブックの変調次数情報を含み、前記第1のコードブック集合に含まれるコードブックの変調次数は、異なる例69に記載の装置。
【０９３５】
例７１  前記受信モジュールによって受信された前記コードブック指示情報は、第2のコードブック集合情報および第2のコードブック情報を含み、前記第2のコードブック集合情報は第2のコードブック集合を示すために使用され、前記第2のコードブック情報は前記第2のコードブック集合内の前記第1のコードブックを示すために使用され、
前記決定モジュールは、前記第2のコードブック集合内の前記第1のコードブックを、前記第2のコードブック集合情報および前記第2のコードブック情報に従って決定するように構成されている第2の決定ユニットであって、各コードブック集合は少なくとも1つのコードブックを含み、前記コードブック集合は同じコードブック集合内のコードワードが同じ総数の変調シンボルを有し、同じコードブック集合内の任意の2つのコードブックが前記2つのコードブックのすべてのコードワードの変調シンボルが0変調シンボルである同じ位置を有するという条件を満たす、第2の決定ユニットを備える例68に記載の装置。
【０９３６】
例７２  前記受信モジュールによって受信された前記第2のコードブック情報は、前記第1のコードブックの変調次数情報を含み、前記第2のコードブック集合に含まれるコードブックの変調次数は、異なる例71に記載の装置。
【０９３７】
例７３  前記受信モジュールによって受信された前記コードブック指示情報は、第2のコードブッククラスタ情報および第3のコードブック情報を含み、前記第2のコードブッククラスタ情報は第2のコードブッククラスタを示すために使用され、前記第3のコードブック情報は前記第2のコードブッククラスタ内の前記第1のコードブックを示すために使用され、
前記決定モジュールは、前記第2のコードブッククラスタ内の前記第1のコードブックを、前記第2のコードブッククラスタ情報および前記第3のコードブック情報に従って決定するように構成されている第3の決定ユニットであって、各コードブッククラスタは少なくとも1つのコードブックを含み、前記コードブッククラスタは同じコードブッククラスタ内のコードワードが同じ総数の変調シンボルを有するという条件を満たす、第3の決定ユニットを備える例68に記載の装置。
【０９３８】
例７４  前記受信モジュールによって受信された前記コードブック指示情報は、前記第1のコードブックのインデックス値を含み、
前記決定モジュールは、前記インデックス値に対応する前記第1のコードブックを、前記インデックス値に従って決定するように構成されている第4の決定ユニットを備える例68に記載の装置。
【０９３９】
例７５  前記受信モジュールによって受信された前記コードブック指示情報は、第1の特性行列情報、第1の特性シーケンス情報、および第4のコードブック情報を含み、前記第1の特性行列情報は第1の特性行列を示すために使用され、前記第1の特性シーケンス情報は前記第1の特性行列内の第1の特性シーケンスを示すために使用され、前記第4のコードブック情報は前記第1の特性シーケンスに対応する1つまたは複数のコードブックのうちの前記第1のコードブックを示すために使用され、
前記決定モジュールは、前記第1の特性行列情報、前記第1の特性シーケンス情報、および前記第4のコードブック情報に従って前記第1の特性行列内の前記第1の特性シーケンスに対応する前記1つまたは複数のコードブックのうちの前記第1のコードブックを決定するように構成されている第5の決定ユニットであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第5の決定ユニットを備える例68に記載の装置。
【０９４０】
例７６  前記受信モジュールによって受信された前記第4のコードブック情報は、前記第1のコードブックの変調次数情報を含み、前記第1の特性シーケンスに対応する前記1つまたは複数のコードブックの変調次数は、異なる例75に記載の装置。
【０９４１】
例７７  前記受信モジュールによって受信された前記コードブック指示情報は、第2の特性行列情報および第5のコードブック情報を含み、前記第2の特性行列情報は第2の特性行列を示すために使用され、前記第5のコードブック情報は前記第2の特性行列に対応する1つまたは複数のコードブックのうちの前記第1のコードブックを示すために使用され、
前記決定モジュールは、前記第2の特性行列情報および前記第5のコードブック情報に従って前記第2の特性行列に対応する前記1つまたは複数のコードブックのうちの前記第1のコードブックを決定するように構成されている第6の決定ユニットであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第6の決定ユニットを備える例68に記載の装置。
【０９４２】
例７８  前記受信モジュールによって受信された前記コードブック指示情報は、第2の特性シーケンス情報および第6のコードブック情報を含み、前記第2の特性シーケンス情報は第2の特性シーケンスを示すために使用され、前記第6のコードブック情報は前記第2の特性シーケンスに対応する1つまたは複数のコードブックのうちの前記第1のコードブックを示すために使用され、
前記決定モジュールは、前記第2の特性シーケンス情報および前記第6のコードブック情報に従って前記第2の特性シーケンスに対応する前記1つまたは複数のコードブックのうちの前記第1のコードブックを決定するように構成されている第7の決定ユニットであって、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第7の決定ユニットを備える例68に記載の装置。
【０９４３】
例７９  前記受信モジュールによって受信された前記第6のコードブック情報は、前記第1のコードブックの変調次数情報を含み、前記第2の特性シーケンスに対応する前記1つまたは複数のコードブックの変調次数は、異なる例78に記載の装置。
【０９４４】
例８０  前記受信モジュールによって受信された前記コードブック指示情報は、第3のコードブッククラスタ情報、第3のコードブック集合情報、および第7のコードブック情報を含み、前記第3のコードブッククラスタ情報は第3のコードブッククラスタを示すために使用され、前記第3のコードブック集合情報は前記第3のコードブッククラスタ内の第3のコードブック集合を示すために使用され、前記第7のコードブック情報は前記第3のコードブック集合内の前記第1のコードブックを示すために使用され、
前記決定モジュールは、前記第3のコードブッククラスタに含まれる前記第3のコードブック集合内の前記第1のコードブックを、前記第3のコードブッククラスタ情報、前記第3のコードブック集合情報、および前記第7のコードブック情報に従って決定するように構成されている第8の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内のコードワードが同じ総数の変調シンボルを有し、同じコードブック集合内のコードブックが同じ総数のコードワードを有するという条件を満たす、第8の決定ユニットを備える例68に記載の装置。
【０９４５】
例８１  前記受信モジュールによって受信された前記第3のコードブック集合情報は、前記第1のコードブックの変調次数情報を含み、前記第3のコードブッククラスタに含まれるコードブック集合に対応する変調次数は、異なる例80に記載の装置。
【０９４６】
例８２  前記受信モジュールによって受信された前記コードブック指示情報は、第4のコードブック集合情報および第8のコードブック情報を含み、前記第4のコードブック集合情報は第4のコードブック集合を示すために使用され、前記第8のコードブック情報は前記第4のコードブック集合内の前記第1のコードブックを示すために使用され、
前記決定モジュールは、前記第4のコードブック集合内の前記第1のコードブックを、前記第4のコードブック集合情報および前記第8のコードブック情報に従って決定するように構成されている第9の決定ユニットであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、第9の決定ユニットを備える例68に記載の装置。
【０９４７】
例８３  前記受信モジュールによって受信された前記コードブック指示情報は、第3の特性行列情報、第5のコードブック集合情報、および第9のコードブック情報を含み、前記第3の特性行列情報は第3の特性行列を示すために使用され、前記第5のコードブック集合情報は前記第3の特性行列に対応する1つまたは複数のコードブック集合のうちの第5のコードブック集合を示すために使用され、前記第9のコードブック情報は前記第5のコードブック集合内の前記第1のコードブックを示すために使用され、
前記決定モジュールは、前記第3の特性行列情報、前記第5のコードブック集合情報、および前記第9のコードブック情報に従って前記第3の特性行列に対応する1つまたは複数のコードブック集合のうちの前記第5のコードブック集合内の前記第1のコードブックを決定するように構成されている第10の決定ユニットであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、前記特性行列は2つ以上の特性シーケンスを含み、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、第10の決定ユニットを備える例68に記載の装置。
【０９４８】
例８４  前記受信モジュールによって受信された前記第5のコードブック集合情報は、前記第1のコードブックの変調次数情報を含み、前記第3の特性行列に対応する前記1つまたは複数のコードブック集合に対応する変調次数は、異なる例83に記載の装置。
【０９４９】
例８５  前記受信モジュールは、ネットワークデバイスによって送信されたアップリンクスケジューリング許可メッセージ、専用上位層制御シグナリング、またはシステムブロードキャストメッセージを受信するように特に構成され、前記アップリンクスケジューリング許可メッセージ、前記専用上位層制御シグナリング、または前記システムブロードキャストメッセージは前記コードブック指示情報を含む例68から84のいずれか一項に記載の装置。
【０９５０】
例８６  前記専用上位層制御シグナリングは、無線リソース制御RRC接続セットアップメッセージとRRC接続再構成メッセージとを含む例85に記載の装置。
【０９５１】
例８７  前記受信モジュールによって受信された前記コードブック指示情報は、ビット列情報である例68から86のいずれか一項に記載の装置。
【０９５２】
例８８  前記コードブックは、スパース符号多元接続SCMAコードブックである例68から87のいずれか一項に記載の装置。
【０９５３】
例８９  0変調シンボルの数は、コードブックに含まれるコードワード内の非0変調シンボルの数以上である例88に記載の装置。
【０９５４】
例９０  前記装置は、端末デバイスである例68から89のいずれか一項に記載の装置。
【０９５５】
例９１  プロセッサ、メモリ、バスシステム、および送信機を備える、指示情報を伝送するための装置であって、前記プロセッサ、前記メモリ、および前記送信機は、前記バスシステムを使用することによって接続され、前記メモリは、命令を記憶するように構成され、前記プロセッサは、信号を送信する前記送信機を制御するために、前記メモリに記憶されている前記命令を実行するように構成され、
前記プロセッサは、1つまたは複数のコードブックに従って、アップリンクデータストリームを送信するために端末デバイスによって使用されるべき第1のコードブックを決定するように構成され、前記コードブックは2つ以上のコードワードを含み、前記コードワードは多次元複素ベクトルであり、データと少なくとも2つの変調シンボルとの間のマッピング関係を表すために使用され、前記少なくとも2つの変調シンボルは少なくとも1つの0変調シンボルと少なくとも1つの非0変調シンボルとを含み、さらに前記第1のコードブックを示すために使用されるコードブック指示情報を決定するように構成され、
前記送信機は、前記コードブック指示情報を前記端末デバイスに送信するように構成される装置。
【０９５６】
例９２  前記プロセッサによって、前記第1のコードブックを示すために使用される前記コードブック指示情報を前記決定することは、
前記第1のコードブックが属している第1のコードブック集合と、前記第1のコードブック集合が属している第1のコードブッククラスタとを決定することであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックが前記2つのコードブックのすべてのコードワードの変調シンボルが0変調シンボルである同じ位置を有するという条件を満たす、決定することと、
前記コードブック指示情報を決定することであって、前記コードブック指示情報は第1のコードブッククラスタ情報、第1のコードブック集合情報、および第1のコードブック情報を含み、前記第1のコードブッククラスタ情報は前記第1のコードブッククラスタを示すために使用され、前記第1のコードブック集合情報は前記第1のコードブッククラスタ内の前記第1のコードブック集合を示すために使用され、前記第1のコードブック情報は前記第1のコードブック集合内の前記第1のコードブックを示すために使用される、決定することとを含む例91に記載の装置。
【０９５７】
例９３  前記プロセッサによって決定された前記第1のコードブック情報は、前記第1のコードブックの変調次数情報を含み、前記第1のコードブック集合に含まれるコードブックの変調次数は、異なる例92に記載の装置。
【０９５８】
例９４  前記プロセッサによって、前記第1のコードブックを示すために使用される前記コードブック指示情報を前記決定することは、
前記第1のコードブックが属している第2のコードブック集合を決定することであって、各コードブック集合は少なくとも1つのコードブックを含み、前記コードブック集合は同じコードブック集合内のコードワードが同じ総数の変調シンボルを有し、同じコードブック集合内の任意の2つのコードブックが前記2つのコードブックのすべてのコードワードの変調シンボルが0変調シンボルである同じ位置を有するという条件を満たす、決定することと、
前記コードブック指示情報を決定することであって、前記コードブック指示情報は第2のコードブック集合情報および第2のコードブック情報を含み、前記第2のコードブック集合情報は前記第2のコードブック集合を示すために使用され、前記第2のコードブック情報は前記第2のコードブック集合内の前記第1のコードブックを示すために使用される、決定することとを含む例91に記載の装置。
【０９５９】
例９５  前記プロセッサによって決定された前記第2のコードブック情報は、前記第1のコードブックの変調次数情報を含み、前記第2のコードブック集合に含まれるコードブックの変調次数は、異なる例94に記載の装置。
【０９６０】
例９６  前記プロセッサによって、前記第1のコードブックを示すために使用される前記コードブック指示情報を前記決定することは、
前記第1のコードブックが属している第2のコードブッククラスタを決定することであって、各コードブッククラスタは少なくとも1つのコードブックを含み、前記コードブッククラスタは同じコードブッククラスタ内のコードワードが同じ総数の変調シンボルを有するという条件を満たす、決定することと、
前記コードブック指示情報を決定することであって、前記コードブック指示情報は第2のコードブッククラスタ情報および第3のコードブック情報を含み、前記第2のコードブッククラスタ情報は前記第2のコードブッククラスタを示すために使用され、前記第3のコードブック情報は前記第2のコードブッククラスタ内の前記第1のコードブックを示すために使用される、決定することとを含む例91に記載の装置。
【０９６１】
例９７  前記プロセッサによって決定された前記コードブック指示情報は、前記第1のコードブックのインデックス値を含む例91に記載の装置。
【０９６２】
例９８  前記プロセッサによって、前記第1のコードブックを示すために使用される前記コードブック指示情報を前記決定することは、
前記第1のコードブックが属している第1の特性シーケンスと、前記第1の特性シーケンスが属している第1の特性行列とを決定することであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、決定することと、
前記コードブック指示情報を決定することであって、前記コードブック指示情報は第1の特性行列情報、第1の特性シーケンス情報、および第4のコードブック情報を含み、前記第1の特性行列情報は前記第1の特性行列を示すために使用され、前記第1の特性シーケンス情報は前記第1の特性行列内の前記第1の特性シーケンスを示すために使用され、前記第4のコードブック情報は前記第1の特性シーケンスに対応する1つまたは複数のコードブックのうちの前記第1のコードブックを示すために使用される、決定することとを含む例91に記載の装置。
【０９６３】
例９９  前記プロセッサによって決定された前記第4のコードブック情報は、前記第1のコードブックの変調次数情報を含み、前記第1の特性シーケンスに対応する前記1つまたは複数のコードブックの変調次数は、異なる例98に記載の装置。
【０９６４】
例１００  前記プロセッサによって、前記第1のコードブックを示すために使用される前記コードブック指示情報を前記決定することは、
前記第1のコードブックが属している第2の特性行列を決定することであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、決定することと、
前記コードブック指示情報を決定することであって、前記コードブック指示情報は第2の特性行列情報および第5のコードブック情報を含み、前記第2の特性行列情報は前記第2の特性行列を示すために使用され、前記第5のコードブック情報は前記第2の特性行列に対応する1つまたは複数のコードブックのうちの前記第1のコードブックを示すために使用される、決定することとを含む例91に記載の装置。
【０９６５】
例１０１  前記プロセッサによって、前記第1のコードブックを示すために使用される前記コードブック指示情報を前記決定することは、
前記第1のコードブックが属している第2の特性シーケンスを決定することであって、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、決定することと、
前記コードブック指示情報を決定することであって、前記コードブック指示情報は第2の特性シーケンス情報および第6のコードブック情報を含み、前記第2の特性シーケンス情報は前記第2の特性シーケンスを示すために使用され、前記第6のコードブック情報は前記第2の特性シーケンスに対応する1つまたは複数のコードブックのうちの前記第1のコードブックを示すために使用される、決定することとを含む例91に記載の装置。
【０９６６】
例１０２  前記プロセッサによって決定された前記第6のコードブック情報は、前記第1のコードブックの変調次数情報を含み、前記第2の特性シーケンスに対応する前記1つまたは複数のコードブックのうちの少なくとも1つのコードブックのうちのコードブックは、異なる変調次数を有する例101に記載の装置。
【０９６７】
例１０３  前記プロセッサによって、前記第1のコードブックを示すために使用される前記コードブック指示情報を前記決定することは、
前記第1のコードブックが属している第3のコードブック集合と、前記第3のコードブック集合が属している第3のコードブッククラスタとを決定することであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内のコードワードが同じ総数の変調シンボルを有し、同じコードブック集合内のコードブックが同じ総数のコードワードを有するという条件を満たす、決定することと、
前記コードブック指示情報を決定することであって、前記コードブック指示情報は第3のコードブッククラスタ情報、第3のコードブック集合情報、および第7のコードブック情報を含み、前記第3のコードブッククラスタ情報は前記第3のコードブッククラスタを示すために使用され、前記第3のコードブック集合情報は前記第3のコードブッククラスタ内の前記第3のコードブック集合を示すために使用され、前記第7のコードブック情報は前記第3のコードブック集合内の前記第1のコードブックを示すために使用される、決定することとを含む例91に記載の装置。
【０９６８】
例１０４  前記プロセッサによって決定された前記第3のコードブック集合情報は、前記第1のコードブックの変調次数情報を含み、前記第3のコードブッククラスタに含まれるコードブック集合に対応する変調次数は、異なる例103に記載の装置。
【０９６９】
例１０５  前記プロセッサによって、前記第1のコードブックを示すために使用される前記コードブック指示情報を前記決定することは、
前記第1のコードブックが属している第4のコードブック集合を決定することであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、決定することと、
前記コードブック指示情報を決定することであって、前記コードブック指示情報は第4のコードブック集合情報および第8のコードブック情報を含み、前記第4のコードブック集合情報は前記第4のコードブック集合を示すために使用され、前記第8のコードブック情報は前記第4のコードブック集合内の前記第1のコードブックを示すために使用される、決定することとを含む例91に記載の装置。
【０９７０】
例１０６  前記プロセッサによって、前記第1のコードブックを示すために使用される前記コードブック指示情報を前記決定することは、
前記第1のコードブックが属している第5のコードブック集合と、前記第5のコードブック集合が属している第3の特性行列とを決定することであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、前記特性行列は2つ以上の特性シーケンスを含み、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、決定することと、
前記コードブック指示情報を決定することであって、前記コードブック指示情報は第3の特性行列情報、第5のコードブック集合情報、および第9のコードブック情報を含み、前記第3の特性行列情報は前記第3の特性行列を示すために使用され、前記第5のコードブック集合情報は前記第3の特性行列に対応する1つまたは複数のコードブック集合のうちの前記第5のコードブック集合を示すために使用され、前記第9のコードブック情報は前記第5のコードブック集合内の前記第1のコードブックを示すために使用される、決定することとを含む例91に記載の装置。
【０９７１】
例１０７  前記プロセッサによって決定された前記第5のコードブック集合情報は、前記第1のコードブックの変調次数情報を含み、前記第3の特性行列に対応する前記1つまたは複数のコードブック集合に対応する変調次数は、異なる例106に記載の装置。
【０９７２】
例１０８  前記送信機によって、前記コードブック指示情報を前記端末デバイスに前記送信することは、
アップリンクスケジューリング許可メッセージ、専用上位層制御シグナリング、またはシステムブロードキャストメッセージを前記端末デバイスに送信することであって、前記アップリンクスケジューリング許可メッセージ、前記専用上位層制御シグナリング、または前記システムブロードキャストメッセージは前記コードブック指示情報を含む、送信することを含む例91から107のいずれか一項に記載の装置。
【０９７３】
例１０９  前記専用上位層制御シグナリングは、無線リソース制御RRC接続セットアップメッセージとRRC接続再構成メッセージとを含む例108に記載の装置。
【０９７４】
例１１０  前記送信機によって送信される前記コードブック指示情報は、ビット列情報である例91から109のいずれか一項に記載の装置。
【０９７５】
例１１１  前記コードブックは、スパース符号多元接続SCMAコードブックである例91から110のいずれか一項に記載の装置。
【０９７６】
例１１２  要素0の数は、コードブックに含まれているコードワード内の変調シンボルの数以上である例111に記載の装置。
【０９７７】
例１１３  前記装置は、ネットワークデバイスである例91から112のいずれか一項に記載の装置。
【０９７８】
例１１４  指示情報を伝送するための装置であって、プロセッサ、メモリ、バスシステム、受信機、および送信機を備え、前記プロセッサ、前記メモリ、前記受信機、および前記送信機は、前記バスシステムを使用することによって接続され、前記メモリは、命令を記憶するように構成され、前記プロセッサは、信号を受信する前記受信機を制御し、信号を送信する前記送信機を制御するために、前記メモリに記憶されている前記命令を実行するように構成され、
前記受信機はネットワークデバイスによって送信されたコードブック指示情報を受信するように構成され、前記コードブック指示情報は1つまたは複数のコードブックのうちの第1のコードブックを示すために使用され、前記コードブックは2つ以上のコードワードを含み、前記コードワードは多次元複素ベクトルであり、データと少なくとも2つの変調シンボルとの間のマッピング関係を表すために使用され、前記少なくとも2つの変調シンボルは少なくとも1つの0変調シンボルと少なくとも1つの非0変調シンボルとを含み、
前記プロセッサは、前記コードブック指示情報に従って前記第1のコードブックを決定するように構成され、
前記送信機は、前記第1のコードブックに従ってアップリンクデータストリームを送信するように構成される装置。
【０９７９】
例１１５  前記受信機によって受信された前記コードブック指示情報は、第1のコードブッククラスタ情報、第1のコードブック集合情報、および第1のコードブック情報を含み、前記第1のコードブッククラスタ情報は第1のコードブッククラスタを示すために使用され、前記第1のコードブック集合情報は前記第1のコードブッククラスタ内の第1のコードブック集合を示すために使用され、前記第1のコードブック情報は前記第1のコードブック集合内の前記第1のコードブックを示すために使用され、
前記プロセッサによって、前記コードブック指示情報に従って前記第1のコードブックを前記決定することは、
前記第1のコードブッククラスタに含まれる前記第1のコードブック集合内の前記第1のコードブックを、前記第1のコードブッククラスタ情報、前記第1のコードブック集合情報、および前記第1のコードブック情報に従って決定することであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックが2つのコードブックのすべてのコードワードの変調シンボルが0変調シンボルである同じ位置を有するという条件を満たす、決定することを含む例114に記載の装置。
【０９８０】
例１１６  前記受信機によって受信された前記第1のコードブック情報は、前記第1のコードブックの変調次数情報を含み、前記第1のコードブック集合に含まれるコードブックの変調次数は、異なる例115に記載の装置。
【０９８１】
例１１７  前記受信機によって受信された前記コードブック指示情報は、第2のコードブック集合情報および第2のコードブック情報を含み、前記第2のコードブック集合情報は第2のコードブック集合を示すために使用され、前記第2のコードブック情報は前記第2のコードブック集合内の前記第1のコードブックを示すために使用され、
前記プロセッサによって、前記コードブック指示情報に従って前記第1のコードブックを前記決定することは、
前記第2のコードブック集合内の前記第1のコードブックを、前記第2のコードブック集合情報および前記第2のコードブック情報に従って決定することであって、各コードブック集合は少なくとも1つのコードブックを含み、前記コードブック集合は同じコードブック集合内のコードワードが同じ総数の変調シンボルを有し、同じコードブック集合内の任意の2つのコードブックが前記2つのコードブックのすべてのコードワードの変調シンボルが0変調シンボルである同じ位置を有するという条件を満たす、決定することを含む例114に記載の装置。
【０９８２】
例１１８  前記受信機によって受信された前記第2のコードブック情報は、前記第1のコードブックの変調次数情報を含み、前記第2のコードブック集合に含まれるコードブックの変調次数は、異なる例117に記載の装置。
【０９８３】
例１１９  前記受信機によって受信された前記コードブック指示情報は、第2のコードブッククラスタ情報および第3のコードブック情報を含み、前記第2のコードブッククラスタ情報は第2のコードブッククラスタを示すために使用され、前記第3のコードブック情報は前記第2のコードブッククラスタ内の前記第1のコードブックを示すために使用され、
前記プロセッサによって、前記コードブック指示情報に従って前記第1のコードブックを前記決定することは、
前記第2のコードブッククラスタ内の前記第1のコードブックを、前記第2のコードブッククラスタ情報および前記第3のコードブック情報に従って決定することであって、各コードブッククラスタは少なくとも1つのコードブックを含み、前記コードブッククラスタは同じコードブッククラスタ内のコードワードが同じ総数の変調シンボルを有するという条件を満たす、決定することを含む例114に記載の装置。
【０９８４】
例１２０  前記受信機によって受信された前記コードブック指示情報は、前記第1のコードブックのインデックス値を含み、
前記プロセッサによって、前記コードブック指示情報に従って前記第1のコードブックを前記決定することは、
前記インデックス値に対応する前記第1のコードブックを、前記インデックス値に従って決定することを含む例114に記載の装置。
【０９８５】
例１２１  前記受信機によって受信された前記コードブック指示情報は、第1の特性行列情報、第1の特性シーケンス情報、および第4のコードブック情報を含み、前記第1の特性行列情報は第1の特性行列を示すために使用され、前記第1の特性シーケンス情報は前記第1の特性行列内の第1の特性シーケンスを示すために使用され、前記第4のコードブック情報は前記第1の特性シーケンスに対応する1つまたは複数のコードブックのうちの前記第1のコードブックを示すために使用され、
前記プロセッサによって、前記コードブック指示情報に従って前記第1のコードブックを前記決定することは、
前記第1の特性行列情報、前記第1の特性シーケンス情報、および前記第4のコードブック情報に従って前記第1の特性行列内の前記第1の特性シーケンスに対応する前記1つまたは複数のコードブックのうちの前記第1のコードブックを決定することであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、決定することを含む例114に記載の装置。
【０９８６】
例１２２  前記受信機によって受信された前記第4のコードブック情報は、前記第1のコードブックの変調次数情報を含み、前記第1の特性シーケンスに対応する前記1つまたは複数のコードブックの変調次数は、異なる例121に記載の装置。
【０９８７】
例１２３  前記受信機によって受信された前記コードブック指示情報は、第2の特性行列情報および第5のコードブック情報を含み、前記第2の特性行列情報は第2の特性行列を示すために使用され、前記第5のコードブック情報は前記第2の特性行列に対応する1つまたは複数のコードブックのうちの前記第1のコードブックを示すために使用され、
前記プロセッサによって、前記コードブック指示情報に従って前記第1のコードブックを前記決定することは、
前記第2の特性行列情報および前記第5のコードブック情報に従って前記第2の特性行列に対応する前記1つまたは複数のコードブックのうちの前記第1のコードブックを決定することであって、各特性行列は2つ以上の特性シーケンスを含み、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、決定することを含む例114に記載の装置。
【０９８８】
例１２４  前記受信機によって受信された前記コードブック指示情報は、第2の特性シーケンス情報および第6のコードブック情報を含み、前記第2の特性シーケンス情報は第2の特性シーケンスを示すために使用され、前記第6のコードブック情報は前記第2の特性シーケンスに対応する1つまたは複数のコードブックのうちの前記第1のコードブックを示すために使用され、
前記プロセッサによって、前記コードブック指示情報に従って前記第1のコードブックを前記決定することは、
前記第2の特性シーケンス情報および前記第6のコードブック情報に従って前記第2の特性シーケンスに対応する前記1つまたは複数のコードブックのうちの前記第1のコードブックを決定することであって、各特性シーケンスは1つまたは複数のコードブックに対応し、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、決定することを含む例114に記載の装置。
【０９８９】
例１２５  前記受信機によって受信された前記第6のコードブック情報は、前記第1のコードブックの変調次数情報を含み、前記第2の特性シーケンスに対応する前記1つまたは複数のコードブックの変調次数は、異なる例124に記載の装置。
【０９９０】
例１２６  前記受信機によって受信された前記コードブック指示情報は、第3のコードブッククラスタ情報、第3のコードブック集合情報、および第7のコードブック情報を含み、前記第3のコードブッククラスタ情報は第3のコードブッククラスタを示すために使用され、前記第3のコードブック集合情報は前記第3のコードブッククラスタ内の第3のコードブック集合を示すために使用され、前記第7のコードブック情報は前記第3のコードブック集合内の前記第1のコードブックを示すために使用され、
前記プロセッサによって、前記コードブック指示情報に従って前記第1のコードブックを前記決定することは、
前記第3のコードブッククラスタに含まれる前記第3のコードブック集合内の前記第1のコードブックを、前記第3のコードブッククラスタ情報、前記第3のコードブック集合情報、および前記第7のコードブック情報に従って決定することであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内のコードワードが同じ総数の変調シンボルを有し、同じコードブック集合内のコードブックが同じ総数のコードワードを有するという条件を満たす、決定することを含む例114に記載の装置。
【０９９１】
例１２７  前記受信機によって受信された前記第3のコードブック集合情報は、前記第1のコードブックの変調次数情報を含み、前記第3のコードブッククラスタに含まれるコードブック集合に対応する変調次数は、異なる例126に記載の装置。
【０９９２】
例１２８  前記受信機によって受信された前記コードブック指示情報は、第4のコードブック集合情報および第8のコードブック情報を含み、前記第4のコードブック集合情報は第4のコードブック集合を示すために使用され、前記第8のコードブック情報は前記第4のコードブック集合内の前記第1のコードブックを示すために使用され、
前記プロセッサによって、前記コードブック指示情報に従って前記第1のコードブックを前記決定することは、
前記第4のコードブック集合内の前記第1のコードブックを、前記第4のコードブック集合情報および前記第8のコードブック情報に従って決定することあって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、決定することを含む例114に記載の装置。
【０９９３】
例１２９  前記受信機によって受信された前記コードブック指示情報は、第3の特性行列情報、第5のコードブック集合情報、および第9のコードブック情報を含み、前記第3の特性行列情報は第3の特性行列を示すために使用され、前記第5のコードブック集合情報は前記第3の特性行列に対応する1つまたは複数のコードブック集合のうちの第5のコードブック集合を示すために使用され、前記第9のコードブック情報は前記第5のコードブック集合内の前記第1のコードブックを示すために使用され、
前記プロセッサによって、前記コードブック指示情報に従って前記第1のコードブックを前記決定することは、
前記第3の特性行列情報、前記第5のコードブック集合情報、および前記第9のコードブック情報に従って前記第3の特性行列に対応する1つまたは複数のコードブック集合のうちの前記第5のコードブック集合内の前記第1のコードブックを決定することであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、各特性行列は1つまたは複数のコードブック集合に対応し、前記特性行列は2つ以上の特性シーケンスを含み、前記特性シーケンスは要素0と要素1とを含み、前記要素0は対応するコードブック内のすべてのコードワードの変調シンボルである、前記要素0に対応する位置にある、変調シンボルがすべて0変調シンボルであることを表し、前記要素1は対応するコードブック内のすべてのコードワードの変調シンボルである、前記要素1に対応する位置にある、変調シンボルがすべて0変調シンボルであるとは限らないか、またはすべて非0変調シンボルであることを表す、決定することを含む例114に記載の装置。
【０９９４】
例１３０  前記受信機によって受信された前記第5のコードブック集合情報は、前記第1のコードブックの変調次数情報を含み、前記第3の特性行列に対応する前記1つまたは複数のコードブック集合に対応する変調次数は、異なる例129に記載の装置。
【０９９５】
例１３１  前記受信機によって、前記ネットワークデバイスによって送信された前記コードブック指示情報を前記受信することは、
前記ネットワークデバイスによって送信されたアップリンクスケジューリング許可メッセージ、専用上位層制御シグナリング、またはシステムブロードキャストメッセージを受信することであって、前記アップリンクスケジューリング許可メッセージ、前記専用上位層制御シグナリング、または前記システムブロードキャストメッセージは前記コードブック指示情報を含む、受信することを含む例114から130のいずれか一項に記載の装置。
【０９９６】
例１３２  前記専用上位層制御シグナリングは、無線リソース制御RRC接続セットアップメッセージとRRC接続再構成メッセージとを含む例131に記載の装置。
【０９９７】
例１３３  前記受信機によって受信された前記コードブック指示情報は、ビット列情報である例114から132のいずれか一項に記載の装置。
【０９９８】
例１３４  前記コードブックは、スパース符号多元接続SCMAコードブックである例114から133のいずれか一項に記載の装置。
【０９９９】
例１３５  要素0の数は、コードブックに含まれているコードワード内の変調シンボルの数以上である例134に記載の装置。
【１０００】
例１３６  前記装置は、端末デバイスである例114から135のいずれか一項に記載の装置。
【符号の説明】
【１００１】
0と1  要素
100  通信システム
102  ネットワークデバイス
104と106  アンテナ
108と110  アンテナ
112と114  アンテナ
116  端末デバイス
122  端末デバイス
124  順方向リンク
126  逆方向リンク
200  方法
220  方法
300  方法
320  方法
500  装置
510  第1の決定モジュール
520  第2の決定モジュール
530  送信モジュール
600  装置
610  受信モジュール
620  決定モジュール
621  第1の決定ユニット
622  第2の決定ユニット
623  第3の決定ユニット
624  第4の決定ユニット
625  第5の決定ユニット
626  第6の決定ユニット
629  第9の決定ユニット
630  送信モジュール
631  第10の決定ユニット
800  装置
810  プロセッサ
820  メモリ
830  バスシステム
840  送信機
900  装置
910  プロセッサ
920  メモリ
930  バスシステム
940  受信機
950  送信機
5211  第1の決定ユニット
5212  第2の決定ユニット
5221  第3の決定ユニット
5222  第4の決定ユニット
5231  第5の決定ユニット
5232  第6の決定ユニット
5241  第7の決定ユニット
5242  第8の決定ユニット
5251  第9の決定ユニット
5252  第10の決定ユニット
5261  第11の決定ユニット
5262  第12の決定ユニット
5271  第13の決定ユニット
5272  第14の決定ユニット
5281  第15の決定ユニット
5282  第16の決定ユニット
5291  第17の決定ユニット
5292  第18の決定ユニット
【図１】
0006517346.tif 000077
【図２】
0006517346.tif 000078
【図３】
0006517346.tif 000079
【図４】
0006517346.tif 000080
【図５】
0006517346.tif 000081
【図６】
0006517346.tif 000082
【図７】
0006517346.tif 000083
【図８】
0006517346.tif 000084
【図９】
0006517346.tif 000085
【図１０】
0006517346.tif 000086
【図１１】
0006517346.tif 000087
【図１２】
0006517346.tif 000088
【図１３】
0006517346.tif 000089
【図１４】
0006517346.tif 000090
【図１５】
0006517346.tif 000091
【図１６】
0006517346.tif 000092
【図１７】
0006517346.tif 000093
【図１８】
0006517346.tif 000094
【図１９】
0006517346.tif 000095
【図２０】
0006517346.tif 000096
【図２１】
0006517346.tif 000097
【図２２】
0006517346.tif 000098
【図２３】
0006517346.tif 000099
【図２４】
0006517346.tif 000100
【図２５】
0006517346.tif 000101
【図２６】
0006517346.tif 000102
【図２７】
0006517346.tif 000103
【図２８】
0006517346.tif 000104
【図２９】
0006517346.tif 000105
【図３０】
0006517346.tif 000106
【図３１】
0006517346.tif 000107
【図３２】
0006517346.tif 000108
【図３３】
0006517346.tif 000109
【図３４】
0006517346.tif 000110
【図３５】
0006517346.tif 000111
【図３６】
0006517346.tif 000112
【図３７】
0006517346.tif 000113
【図３８】
0006517346.tif 000114